(57)【特許請求の範囲】
【請求項１】
フレームレートを５０Ｈｚもしくは６０Ｈｚとし、各フレームにおける有効ライン数を１０８０ラインとするディジタル映像信号を成し、各々が量子化ビット数を１０ビットとしてワード伝送レートを１４８．５ＭＢｐｓとする輝度信号データ系列及び色差信号データ系列と、上記輝度信号データ系列と同等のデータフォーマットを有し、量子化ビット数を１０ビットとしてワード伝送レートを１４８．５ＭＢｐｓとする付加情報データ系列とを含む３０ビットパラレルデータに、
第１の一つ置きのフレーム部を第１のメモリに格納するとともに第２の一つ置きのフレーム部を第２のメモリに格納し、上記第１のメモリに格納されたフレーム部及び上記第２のメモリに格納されたフレーム部の夫々を、フレームレートを２５Ｈｚもしくは３０Ｈｚとするセグメンテッドフレームディジタル映像信号を成す輝度信号データ系列及び色差信号データ系列と付加情報データ系列とを含む３０ビットパラレルデータを形成するものとして読み出して、各々がワード伝送レートを７４．２５ＭＢｐｓとする第１及び第２の３０ビットワード列データを得、
上記第１の３０ビットワード列データに含まれる輝度信号データ系列及び色差信号データ系列に基づく、ワード伝送レートを７４．２５ＭＢｐｓとする第１の２０ビットワード列データと、上記第１の３０ビットワード列データに含まれる付加情報データ系列と補助１０ビットワード列とに基づく、ワード伝送レートを７４．２５ＭＢｐｓとする第２の２０ビットワード列データとを形成するとともに、
上記第２の３０ビットワード列データに含まれる輝度信号データ系列及び色差信号データ系列に基づく、ワード伝送レートを７４．２５ＭＢｐｓとする第３の２０ビットワード列データと、上記第２の３０ビットワード列データに含まれる付加情報データ系列と補助１０ビットワード列に基づく、ワード伝送レートを７４．２５ＭＢｐｓとする第４の２０ビットワード列データとを形成するデータ処理を施し、
上記第１，第２，第３及び第４の２０ビットワード列データに夫々基づく第１，第２，第３及び第４のシリアルデータを得て、該第１，第２，第３及び第４のシリアルデータを伝送すべく送出するデータ伝送方法。
【請求項２】
付加情報データ系列が、ディジタル映像信号についてのＫｅｙ信号情報をあらわすことを特徴とする請求項１記載のデータ伝送方法。
【請求項３】
第１，第２，第３及び第４のシリアルデータのうちの二つにビット多重処理を施して第１の複合シリアルデータを得るとともに、上記第１，第２，第３及び第４のシリアルデータのうちの残りの二つにビット多重処理を施して第２の複合シリアルデータを得、上記第１及び第２の複合シリアルデータを伝送することを特徴とする請求項１または２記載のデータ伝送方法。
【請求項４】
第１及び第２の複合シリアルデータを夫々互いに中心波長を異にする第１及び第２の光信号に変換し、該第１及び第２の光信号を合波して伝送することを特徴とする請求項３記載のデータ伝送方法。
【請求項５】
フレームレートを５０Ｈｚもしくは６０Ｈｚとし、各フレームにおける有効ライン数を１０８０ラインとするディジタル映像信号を成し、各々が量子化ビット数を１０ビットとしてワード伝送レートを１４８．５ＭＢｐｓとする緑色原色信号データ系列，青色原色信号データ系列及び赤色原色信号データ系列と、上記緑色原色信号データ系列と同等のデータフォーマットを有し、量子化ビット数を１０ビットとしてワード伝送レートを１４８．５ＭＢｐｓとする付加情報データ系列とを含む４０ビットパラレルデータに、
第１の一つ置きのフレーム部を第１のメモリに格納するとともに第２の一つ置きのフレーム部を第２のメモリに格納し、上記第１のメモリに格納されたフレーム部及び上記第２のメモリに格納されたフレーム部の夫々を、フレームレートを２５Ｈｚもしくは３０Ｈｚとするセグメンテッドフレームディジタル映像信号を成す緑色原色信号データ系列，青色原色信号データ系列及び赤色原色信号データ系列と付加情報データ系列とを含む４０ビットパラレルデータを形成するものとして読み出して、各々がワード伝送レートを７４．２５ＭＢｐｓとする第１及び第２の４０ビットワード列データを得、
上記第１の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第１のワードグループと、上記付加情報データ系列を形成する１０ビットワードと上記青色原色信号データ系列及び赤色原色信号データ系列を形成する１０ビットワードの他の一部とを含む第２のワードグループとに振り分け、上記第１のワードグループに基づく、ワード伝送レートを７４．２５ＭＢｐｓする第１の２０ビットワード列データと、上記第２のワードグループに基づく、ワード伝送レートを７４．２５ＭＢｐｓとする第２の２０ビットワード列データとを形成するとともに、
上記第２の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第３のワードグループと、上記付加情報データ系列を形成する１０ビットワードと上記青色原色信号データ系列及び赤色原色信号データ系列を形成する１０ビットワードの他の一部とを含む第４のワードグループとに振り分け、上記第３のワードグループに基づく、ワード伝送レートを７４．２５ＭＢｐｓする第３の２０ビットワード列データと、上記第４のワードグループに基づく、ワード伝送レートを７４．２５ＭＢｐｓとする第４の２０ビットワード列データとを形成するデータ処理を施し、
上記第１，第２，第３及び第４の２０ビットワード列データに夫々基づく第１，第２，第３及び第４のシリアルデータを得て、該第１，第２，第３及び第４のシリアルデータを伝送すべく送出するデータ伝送方法。
【請求項６】
付加情報データ系列が、ディジタル映像信号についてのＫｅｙ信号情報をあらわすことを特徴とする請求項５記載のデータ伝送方法。
【請求項７】
第１，第２，第３及び第４のシリアルデータのうちの二つにビット多重処理を施して第１の複合シリアルデータを得るとともに、上記第１，第２，第３及び第４のシリアルデータのうちの残りの二つにビット多重処理を施して第２の複合シリアルデータを得、上記第１及び第２の複合シリアルデータを伝送することを特徴とする請求項５または６記載のデータ伝送方法。
【請求項８】
第１及び第２の複合シリアルデータを夫々互いに中心波長を異にする第１及び第２の光信号に変換し、該第１及び第２の光信号を合波して伝送することを特徴とする請求項７記載のデータ伝送方法。
【請求項９】
フレームレートを７２Ｈｚ，７５Ｈｚもしくは９０Ｈｚとし、各フレームにおける有効ライン数を１０８０ラインとするディジタル映像信号を成し、各々が量子化ビット数を１０ビットとしてワード伝送レートを２２２．７５ＭＢｐｓとする輝度信号データ系列及び色差信号データ系列と、上記輝度信号データ系列と同等のデータフォーマットを有し、量子化ビット数を１０ビットとしてワード伝送レートを２２２．７５ＭＢｐｓとする付加情報データ系列とを含む３０ビットパラレルデータに、
第１の二つ置きのフレーム部を第１のメモリに，第２の二つ置きのフレーム部を第２のメモリに、及び、第３の二つ置きのフレーム部を第３のメモリに格納し、上記第１のメモリに格納されたフレーム部，上記第２のメモリに格納されたフレーム部及び上記第３のメモリに格納されたフレーム部の夫々を、フレームレートを２４Ｈｚ，２５Ｈｚもしくは３０Ｈｚとするセグメンテッドフレームディジタル映像信号を成す輝度信号データ系列及び色差信号データ系列と付加情報データ系列とを含む３０ビットパラレルデータを形成するものとして読み出して、各々がワード伝送レートを７４．２５ＭＢｐｓとする第１，第２及び第３の３０ビットワード列データを得、
上記第１の３０ビットワード列データに含まれる輝度信号データ系列及び色差信号データ系列に基づく、ワード伝送レートを７４．２５ＭＢｐｓとする第１の２０ビットワード列データと、上記第１の３０ビットワード列データに含まれる付加情報データ系列と補助１０ビットワード列とに基づく、ワード伝送レートを７４．２５ＭＢｐｓとする第２の２０ビットワード列データとを形成し、
上記第２の３０ビットワード列データに含まれる輝度信号データ系列及び色差信号データ系列に基づく、ワード伝送レートを７４．２５ＭＢｐｓとする第３の２０ビットワード列データと、上記第２の３０ビットワード列データに含まれる付加情報データ系列と補助１０ビットワード列とに基づく、ワード伝送レートを７４．２５ＭＢｐｓとする第４の２０ビットワード列データとを形成し、
上記第３の３０ビットワード列データに含まれる輝度信号データ系列及び色差信号データ系列に基づく、ワード伝送レートを７４．２５ＭＢｐｓとする第５の２０ビットワード列データと、上記第３の３０ビットワード列データに含まれる付加情報データ系列と補助１０ビットワード列とに基づく、ワード伝送レートを７４．２５ＭＢｐｓとする第６の２０ビットワード列データとを形成するデータ処理を施し、
上記第１，第２，第３，第４，第５及び第６の２０ビットワード列データに夫々基づく第１，第２，第３，第４，第５及び第６のシリアルデータを得て、該第１から第６までのシリアルデータを伝送すべく送出するデータ伝送方法。
【請求項１０】
付加情報データ系列が、ディジタル映像信号についてのＫｅｙ信号情報をあらわすことを特徴とする請求項９記載のデータ伝送方法。
【請求項１１】
第１から第６までのシリアルデータを二つずつの第１，第２及び第３の組に分け、該第１，第２及び第３の組の夫々を成す二つのシリアルデータにビット多重処理を施して第１，第２及び第３の複合シリアルデータを得、該第１，第２及び第３の複合シリアルデータを伝送することを特徴とする請求項９または１０記載のデータ伝送方法。
【請求項１２】
第１，第２及び第３の複合シリアルデータを夫々互いに中心波長を異にする第１，第２及び第３の光信号に変換し、該第１，第２及び第３の光信号を合波して伝送することを特徴とする請求項１１記載のデータ伝送方法。
【請求項１３】
フレームレートを５０Ｈｚもしくは６０Ｈｚとし、各フレームにおける有効ライン数を１０８０ラインとするディジタル映像信号を成し、各々が量子化ビット数を１２ビット，１４ビットもしくは１６ビットとしてワード伝送レートを１４８．５ＭＢｐｓとする輝度信号データ系列及び色差信号データ系列と、上記輝度信号データ系列と同等のデータフォーマットを有し、量子化ビット数を１２ビット，１４ビットもしくは１６ビットとしてワード伝送レートを１４８．５ＭＢｐｓとする付加情報データ系列とを含む３６ビット，４２ビットもしくは４８ビットパラレルデータに、
第１の一つ置きのフレーム部を第１のメモリに格納するとともに第２の一つ置きのフレーム部を第２のメモリに格納し、上記第１のメモリに格納されたフレーム部及び上記第２のメモリに格納されたフレーム部の夫々を、フレームレートを２５Ｈｚもしくは３０Ｈｚとするセグメンテッドフレームディジタル映像信号を成す輝度信号データ系列及び色差信号データ系列と付加情報データ系列とを含む３６ビット，４２ビットもしくは４８ビットパラレルデータを形成するものとして読み出して、各々がワード伝送レートを７４．２５ＭＢｐｓとする第１及び第２の３６ビット，４２ビットもしくは４８ビットワード列データを得、
上記第１の３６ビット，４２ビットもしくは４８ビットワード列データに含まれる上記輝度信号データ系列，色差信号データ系列及びキー信号データ系列の夫々を形成する、各１２ビット，１４ビットもしくは１６ビットワードを上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記輝度信号データ系列及び色差信号データ系列から分割された複数の下位２ビット，４ビットもしくは６ビットと複数の補助ビットとに基づく、ワード伝送レートを７４．２５ＭＢｐｓとする第２の２０ビットワード列データと、上記付加情報データ系列から分割された複数の上位１０ビット及び複数の下位２ビット，４ビットもしくは６ビットと複数の補助ビットとに基づく、ワード伝送レートを７４．２５ＭＢｐｓとする第３の２０ビットワード列データとを形成するとともに、
上記第２の３６ビット，４２ビットもしくは４８ビットワード列データに含まれる上記輝度信号データ系列，色差信号データ系列及び付加情報データ系列の夫々を形成する、各１２ビット，１４ビットもしくは１６ビットワードを上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第４の２０ビットワード列データと、上記輝度信号データ系列及び色差信号データ系列から分割された複数の下位２ビット，４ビットもしくは６ビットと複数の補助ビットとに基づく、ワード伝送レートを７４．２５ＭＢｐｓとする第５の２０ビットワード列データと、上記付加情報データ系列から分割された複数の上位１０ビット及び複数の下位２ビット，４ビットもしくは６ビットと複数の補助ビットとに基づく、ワード伝送レートを７４．２５ＭＢｐｓとする第６の２０ビットワード列データとを形成するデータ処理を施し、
上記第１，第２，第３，第４，第５及び第６の２０ビットワード列データに夫々基づく第１，第２，第３，第４，第５及び第６のシリアルデータを得て、該第１から第６までのシリアルデータを伝送すべく送出するデータ伝送方法。
【請求項１４】
付加情報データ系列が、ディジタル映像信号についてのＫｅｙ信号情報をあらわすことを特徴とする請求項１３記載のデータ伝送方法。
【請求項１５】
第１から第６までのシリアルデータを二つずつの第１，第２及び第３の組に分け、該第１，第２及び第３の組の夫々を成す二つのシリアルデータにビット多重処理を施して第１，第２及び第３の複合シリアルデータを得、該第１，第２及び第３の複合シリアルデータを伝送することを特徴とする請求項１３または１４記載のデータ伝送方法。
【請求項１６】
第１，第２及び第３の複合シリアルデータを夫々互いに中心波長を異にする第１，第２及び第３の光信号に変換し、該第１，第２及び第３の光信号を合波して伝送することを特徴とする請求項１５記載のデータ伝送方法。
【請求項１７】
フレームレートを５０Ｈｚもしくは６０Ｈｚとし、各フレームにおける有効ライン数を１０８０ラインとするディジタル映像信号を成し、各々が量子化ビット数を１２ビットとしてワード伝送レートを１４８．５ＭＢｐｓとする緑色原色信号データ系列，青色原色信号データ系列及び赤色原色信号データ系列と、上記緑色原色信号データ系列と同等のデータフォーマットを有し、量子化ビット数を１２ビットとしてワード伝送レートを１４８．５ＭＢｐｓとする付加情報データ系列とを含む４８ビットパラレルデータに、
第１の一つ置きのフレーム部を第１のメモリに格納するとともに第２の一つ置きのフレーム部を第２のメモリに格納し、上記第１のメモリに格納されたフレーム部及び上記第２のメモリに格納されたフレーム部の夫々を、フレームレートを２５Ｈｚもしくは３０Ｈｚとするセグメンテッドフレームディジタル映像信号を成す緑色原色信号データ系列，青色原色信号データ系列及び赤色原色信号データ系列と付加情報データ系列とを含む４８ビットパラレルデータを形成するものとして読み出して、各々がワード伝送レートを７４．２５ＭＢｐｓとする第１及び第２の４８ビットワード列データを得、
上記第１の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第１の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第２の２０ビットワード列データと、上記付加情報データ系列から分割された複数の上位１０ビット及び複数の下位２ビットと複数の補助ビットとに基づく、ワード伝送レートを７４．２５ＭＢｐｓとする第３の２０ビットワード列データとを形成し、
上記第２の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第４の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第５の２０ビットワード列データと、上記付加情報データ系列から分割された複数の上位１０ビット及び複数の下位２ビットと複数の補助ビットとに基づく、ワード伝送レートを７４．２５ＭＢｐｓとする第６の２０ビットワード列データとを形成するデータ処理を施し、
上記第１，第２，第３，第４，第５及び第６の２０ビットワード列データに夫々基づく第１，第２，第３，第４，第５及び第６のシリアルデータを得て、該第１から第６までのシリアルデータを伝送すべく送出するデータ伝送方法。
【請求項１８】
付加情報データ系列が、ディジタル映像信号についてのＫｅｙ信号情報をあらわすことを特徴とする請求項１７記載のデータ伝送方法。
【請求項１９】
第１から第６までのシリアルデータを二つずつの第１，第２及び第３の組に分け、該第１，第２及び第３の組の夫々を成す二つのシリアルデータにビット多重処理を施して第１，第２及び第３の複合シリアルデータを得、該第１，第２及び第３の複合シリアルデータを伝送することを特徴とする請求項１７または１８記載のデータ伝送方法。
【請求項２０】
第１，第２及び第３の複合シリアルデータを夫々互いに中心波長を異にする第１，第２及び第３の光信号に変換し、該第１，第２及び第３の光信号を合波して伝送することを特徴とする請求項１９記載のデータ伝送方法。
【請求項２１】
フレームレートを７２Ｈｚ，７５Ｈｚもしくは９０Ｈｚとし、各フレームにおける有効ライン数を１０８０ラインとするディジタル映像信号を成し、各々が量子化ビット数を１０ビットとしてワード伝送レートを２２２．７５ＭＢｐｓとする緑色原色信号データ系列，青色原色信号データ系列及び赤色原色信号データ系列と、上記緑色原色信号データ系列と同等のデータフォーマットを有し、量子化ビット数を１０ビットとしてワード伝送レートを２２２．７５ＭＢｐｓとする付加情報データ系列とを含む４０ビットパラレルデータに、
第１の二つ置きのフレーム部を第１のメモリに，第２の二つ置きのフレーム部を第２のメモリに、及び、第３の二つ置きのフレーム部を第３のメモリに格納し、上記第１のメモリに格納されたフレーム部，上記第２のメモリに格納されたフレーム部及び上記第３のメモリに格納されたフレーム部の夫々を、フレームレートを２４Ｈｚ，２５Ｈｚもしくは３０Ｈｚとするセグメンテッドフレームディジタル映像信号を成す緑色原色信号データ系列，青色原色信号データ系列及び赤色原色信号データ系列と付加情報データ系列とを含む４０ビットパラレルデータを形成するものとして読み出して、各々がワード伝送レートを７４．２５ＭＢｐｓとする第１，第２及び第３の４０ビットワード列データを得、
上記第１の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第１のワードグループと、上記付加情報データ系列を形成する１０ビットワードと上記青色原色信号データ系列及び赤色原色信号データ系列を形成する１０ビットワードの他の一部とを含む第２のワードグループとに振り分け、上記第１のワードグループに基づく、ワード伝送レートを７４．２５ＭＢｐｓする第１の２０ビットワード列データと、上記第２のワードグループに基づく、ワード伝送レートを７４．２５ＭＢｐｓとする第２の２０ビットワード列データとを形成し、
上記第２の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第３のワードグループと、上記付加情報データ系列を形成する１０ビットワードと上記青色原色信号データ系列及び赤色原色信号データ系列を形成する１０ビットワードの他の一部とを含む第４のワードグループとに振り分け、上記第３のワードグループに基づく、ワード伝送レートを７４．２５ＭＢｐｓする第３の２０ビットワード列データと、上記第４のワードグループに基づく、ワード伝送レートを７４．２５ＭＢｐｓとする第４の２０ビットワード列データとを形成し、
上記第３の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第５のワードグループと、上記付加情報データ系列を形成する１０ビットワードと上記青色原色信号データ系列及び赤色原色信号データ系列を形成する１０ビットワードの他の一部とを含む第６のワードグループとに振り分け、上記第５のワードグループに基づく、ワード伝送レートを７４．２５ＭＢｐｓする第５の２０ビットワード列データと、上記第６のワードグループに基づく、ワード伝送レートを７４．２５ＭＢｐｓとする第６の２０ビットワード列データとを形成するデータ処理を施し、
上記第１，第２，第３，第４，第５及び第６の２０ビットワード列データに夫々基づく第１，第２，第３，第４，第５及び第６のシリアルデータを得て、該第１から第６までのシリアルデータを伝送すべく送出するデータ伝送方法。
【請求項２２】
付加情報データ系列が、ディジタル映像信号についてのＫｅｙ信号情報をあらわすことを特徴とする請求項２１記載のデータ伝送方法。
【請求項２３】
第１から第６までのシリアルデータを二つずつの第１，第２及び第３の組に分け、該第１，第２及び第３の組の夫々を成す二つのシリアルデータにビット多重処理を施して第１，第２及び第３の複合シリアルデータを得、該第１，第２及び第３の複合シリアルデータを伝送することを特徴とする請求項２１または２２記載のデータ伝送方法。
【請求項２４】
第１，第２及び第３の複合シリアルデータを夫々互いに中心波長を異にする第１，第２及び第３の光信号に変換し、該第１，第２及び第３の光信号を合波して伝送することを特徴とする請求項２３記載のデータ伝送方法。
【請求項２５】
フレームレートを１２０Ｈｚとし、各フレームにおける有効ライン数を１０８０ラインとするディジタル映像信号を成し、各々が量子化ビット数を１０ビットとしてワード伝送レートを２９７ＭＢｐｓとする輝度信号データ系列及び色差信号データ系列と、上記輝度信号データ系列と同等のデータフォーマットを有し、量子化ビット数を１０ビットとしてワード伝送レートを２９７ＭＢｐｓとする付加情報データ系列とを含む３０ビットパラレルデータに、
第１の三つ置きのフレーム部を第１のメモリに，第２の三つ置きのフレーム部を第２のメモリに，第３の三つ置きのフレーム部を第３のメモリに、及び、第４の三つ置きのフレーム部を第４のメモリに格納し、上記第１のメモリに格納されたフレーム部，上記第２のメモリに格納されたフレーム部，上記第３のメモリに格納されたフレーム部及び上記第４のメモリに格納されたフレーム部の夫々を、フレームレートを３０Ｈｚとするセグメンテッドフレームディジタル映像信号を成す輝度信号データ系列及び色差信号データ系列と付加情報データ系列とを含む３０ビットパラレルデータを形成するものとして読み出して、各々がワード伝送レートを７４．２５ＭＢｐｓとする第１，第２，第３及び第４の３０ビットワード列データを得、
上記第１の３０ビットワード列データに含まれる輝度信号データ系列及び色差信号データ系列に基づく、ワード伝送レートを７４．２５ＭＢｐｓとする第１の２０ビットワード列データと、上記第１の３０ビットワード列データに含まれる付加情報データ系列と補助１０ビットワード列とに基づく、ワード伝送レートを７４．２５ＭＢｐｓとする第２の２０ビットワード列データとを形成し、
上記第２の３０ビットワード列データに含まれる輝度信号データ系列及び色差信号データ系列に基づく、ワード伝送レートを７４．２５ＭＢｐｓとする第３の２０ビットワード列データと、上記第２の３０ビットワード列データに含まれる付加情報データ系列と補助１０ビットワード列とに基づく、ワード伝送レートを７４．２５ＭＢｐｓとする第４の２０ビットワード列データとを形成し、
上記第３の３０ビットワード列データに含まれる輝度信号データ系列及び色差信号データ系列に基づく、ワード伝送レートを７４．２５ＭＢｐｓとする第５の２０ビットワード列データと、上記第３の３０ビットワード列データに含まれる付加情報データ系列と補助１０ビットワード列とに基づく、ワード伝送レートを７４．２５ＭＢｐｓとする第６の２０ビットワード列データとを形成し、
上記第４の３０ビットワード列データに含まれる輝度信号データ系列及び色差信号データ系列に基づく、ワード伝送レートを７４．２５ＭＢｐｓとする第７の２０ビットワード列データと、上記第４の３０ビットワード列データに含まれる付加情報データ系列と補助１０ビットワード列とに基づく、ワード伝送レートを７４．２５ＭＢｐｓとする第８の２０ビットワード列データとを形成するデータ処理を施し、
上記第１から第８までの２０ビットワード列データに夫々基づく第１から第８までのシリアルデータを得て、該第１から第８までのシリアルデータを伝送すべく送出するデータ伝送方法。
【請求項２６】
付加情報データ系列が、ディジタル映像信号についてのＫｅｙ信号情報をあらわすことを特徴とする請求項２５記載のデータ伝送方法。
【請求項２７】
第１から第８までのシリアルデータを二つずつの第１，第２，第３及び第４の組に分け、該第１から第４までの組の夫々を成す二つのシリアルデータにビット多重処理を施して第１，第２，第３及び第４の複合シリアルデータを得、該第１から第４までの複合シリアルデータを伝送することを特徴とする請求項２５または２６記載のデータ伝送方法。
【請求項２８】
フレームレートを１２０Ｈｚとし、各フレームにおける有効ライン数を１０８０ラインとするディジタル映像信号を成し、各々が量子化ビット数を１０ビットとしてワード伝送レートを２９７ＭＢｐｓとする緑色原色信号データ系列，青色原色信号データ系列及び赤色原色信号データ系列と、上記緑色原色信号データ系列と同等のデータフォーマットを有し、量子化ビット数を１０ビットとしてワード伝送レートを２９７ＭＢｐｓとする付加情報データ系列とを含む４０ビットパラレルデータに、
第１の三つ置きのフレーム部を第１のメモリに，第２の三つ置きのフレーム部を第２のメモリに，第３の三つ置きのフレーム部を第３のメモリに、及び、第４の三つ置きのフレーム部を第４のメモリに格納し、上記第１のメモリに格納されたフレーム部，上記第２のメモリに格納されたフレーム部，上記第３のメモリに格納されたフレーム部及び上記第４のメモリに格納されたフレーム部の夫々を、フレームレートを３０Ｈｚとするセグメンテッドフレームディジタル映像信号を成す緑色原色信号データ系列，青色原色信号データ系列及び赤色原色信号データ系列と付加情報データ系列とを含む４０ビットパラレルデータを形成するものとして読み出して、各々がワード伝送レートを７４．２５ＭＢｐｓとする第１，第２，第３及び第４の４０ビットワード列データを得、
上記第１の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第１のワードグループと、上記付加情報データ系列を形成する１０ビットワードと上記青色原色信号データ系列及び赤色原色信号データ系列を形成する１０ビットワードの他の一部とを含む第２のワードグループとに振り分け、上記第１のワードグループに基づく、ワード伝送レートを７４．２５ＭＢｐｓする第１の２０ビットワード列データと、上記第２のワードグループに基づく、ワード伝送レートを７４．２５ＭＢｐｓとする第２の２０ビットワード列データとを形成し、
上記第２の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第３のワードグループと、上記付加情報データ系列を形成する１０ビットワードと上記青色原色信号データ系列及び赤色原色信号データ系列を形成する１０ビットワードの他の一部とを含む第４のワードグループとに振り分け、上記第３のワードグループに基づく、ワード伝送レートを７４．２５ＭＢｐｓする第３の２０ビットワード列データと、上記第４のワードグループに基づく、ワード伝送レートを７４．２５ＭＢｐｓとする第４の２０ビットワード列データとを形成し、
上記第３の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第５のワードグループと、上記付加情報データ系列を形成する１０ビットワードと上記青色原色信号データ系列及び赤色原色信号データ系列を形成する１０ビットワードの他の一部とを含む第６のワードグループとに振り分け、上記第５のワードグループに基づく、ワード伝送レートを７４．２５ＭＢｐｓする第５の２０ビットワード列データと、上記第６のワードグループに基づく、ワード伝送レートを７４．２５ＭＢｐｓとする第６の２０ビットワード列データとを形成し、
上記第４の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第７のワードグループと、上記付加情報データ系列を形成する１０ビットワードと上記青色原色信号データ系列及び赤色原色信号データ系列を形成する１０ビットワードの他の一部とを含む第８のワードグループとに振り分け、上記第７のワードグループに基づく、ワード伝送レートを７４．２５ＭＢｐｓする第７の２０ビットワード列データと、上記第８のワードグループに基づく、ワード伝送レートを７４．２５ＭＢｐｓとする第８の２０ビットワード列データとを形成するデータ処理を施し、
上記第１から第８までの２０ビットワード列データに夫々基づく第１から第８までのシリアルデータを得て、該第１から第８までのシリアルデータを伝送すべく送出するデータ伝送方法。
【請求項２９】
付加情報データ系列が、ディジタル映像信号についてのＫｅｙ信号情報をあらわすことを特徴とする請求項２８記載のデータ伝送方法。
【請求項３０】
第１から第８までのシリアルデータを二つずつの第１，第２，第３及び第４の組に分け、該第１から第４までの組の夫々を成す二つのシリアルデータにビット多重処理を施して第１，第２，第３及び第４の複合シリアルデータを得、該第１から第４までの複合シリアルデータを伝送することを特徴とする請求項２８または２９記載のデータ伝送方法。
【請求項３１】
フレームレートを７２Ｈｚ，７５Ｈｚもしくは９０Ｈｚとし、各フレームにおける有効ライン数を１０８０ラインとするディジタル映像信号を成し、各々が量子化ビット数を１２ビット，１４ビットもしくは１６ビットとしてワード伝送レートを２２２．７５ＭＢｐｓとする輝度信号データ系列及び色差信号データ系列と、上記輝度信号データ系列と同等のデータフォーマットを有し、量子化ビット数を１２ビット，１４ビットもしくは１６ビットとしてワード伝送レートを２２２．７５ＭＢｐｓとする付加情報データ系列とを含む３６ビット，４２ビットもしくは４８ビットパラレルデータに、
第１の二つ置きのフレーム部を第１のメモリに，第２の二つ置きのフレーム部を第２のメモリに、及び、第３の二つ置きのフレーム部を第３のメモリに格納し、上記第１のメモリに格納されたフレーム部，上記第２のメモリに格納されたフレーム部及び上記第３のメモリに格納されたフレーム部の夫々を、フレームレートを２４Ｈｚ，２５Ｈｚもしくは３０Ｈｚとするセグメンテッドフレームディジタル映像信号を成す輝度信号データ系列及び色差信号データ系列と付加情報データ系列とを含む３６ビット，４２ビットもしくは４８ビットパラレルデータを形成するものとして読み出して、各々がワード伝送レートを７４．２５ＭＢｐｓとする第１，第２及び第３の３６ビット，４２ビットもしくは４８ビットワード列データを得、
上記第１の３６ビット，４２ビットもしくは４８ビットワード列データに含まれる上記輝度信号データ系列，色差信号データ系列及び付加情報データ系列の夫々を形成する、各１２ビット，１４ビットもしくは１６ビットワードを上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記輝度信号データ系列及び色差信号データ系列から分割された複数の下位２ビット，４ビットもしくは６ビットと複数の補助ビットとに基づく、ワード伝送レートを７４．２５ＭＢｐｓとする第２の２０ビットワード列データと、上記付加情報データ系列から分割された複数の上位１０ビット及び複数の下位２ビット，４ビットもしくは６ビットと複数の補助ビットとに基づく、ワード伝送レートを７４．２５ＭＢｐｓとする第３の２０ビットワード列データとを形成し、
上記第２の３６ビット，４２ビットもしくは４８ビットワード列データに含まれる上記輝度信号データ系列，色差信号データ系列及び付加情報データ系列の夫々を形成する、各１２ビット，１４ビットもしくは１６ビットワードを上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第４の２０ビットワード列データと、上記輝度信号データ系列及び色差信号データ系列から分割された複数の下位２ビット，４ビットもしくは６ビットと複数の補助ビットとに基づく、ワード伝送レートを７４．２５ＭＢｐｓとする第５の２０ビットワード列データと、上記付加情報データ系列から分割された複数の上位１０ビット及び複数の下位２ビット，４ビットもしくは６ビットと複数の補助ビットとに基づく、ワード伝送レートを７４．２５ＭＢｐｓとする第６の２０ビットワード列データとを形成し、
上記第３の３６ビット，４２ビットもしくは４８ビットワード列データに含まれる上記輝度信号データ系列，色差信号データ系列及び付加情報データ系列の夫々を形成する、各１２ビット，１４ビットもしくは１６ビットワードを上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第７の２０ビットワード列データと、上記輝度信号データ系列及び色差信号データ系列から分割された複数の下位２ビット，４ビットもしくは６ビットと複数の補助ビットとに基づく、ワード伝送レートを７４．２５ＭＢｐｓとする第８の２０ビットワード列データと、上記付加情報データ系列から分割された複数の上位１０ビット及び複数の下位２ビット，４ビットもしくは６ビットと複数の補助ビットとに基づく、ワード伝送レートを７４．２５ＭＢｐｓとする第９の２０ビットワード列データとを形成するデータ処理を施し、
上記第１から第９までの２０ビットワード列データに夫々基づく第１から第９までのシリアルデータを得て、該第１から第９までのシリアルデータを伝送すべく送出するデータ伝送方法。
【請求項３２】
付加情報データ系列が、ディジタル映像信号についてのＫｅｙ信号情報をあらわすことを特徴とする請求項３１記載のデータ伝送方法。
【請求項３３】
第１から第９までのシリアルデータを三つずつの第１，第２及び第３の組に分け、該第１，第２及び第３の組の夫々を成す三つのシリアルデータを夫々互いに中心波長を異にする第１，第２及び第３の光信号に変換し、該第１，第２及び第３の光信号を合波して多重光信号とすることにより、第１，第２及び第３の多重光信号を得、該第１，第２及び第３の多重光信号を伝送することを特徴とする請求項３１または３２記載のデータ伝送方法。
【請求項３４】
フレームレートを７２Ｈｚ，７５Ｈｚもしくは９０Ｈｚとし、各フレームにおける有効ライン数を１０８０ラインとするディジタル映像信号を成し、各々が量子化ビット数を１２ビットとしてワード伝送レートを２２２．７５ＭＢｐｓとする緑色原色信号データ系列，青色原色信号データ系列及び赤色原色信号データ系列と、上記緑色原色信号データ系列と同等のデータフォーマットを有し、量子化ビット数を１２ビットとしてワード伝送レートを２２２．７５ＭＢｐｓとする付加情報データ系列とを含む４８ビットパラレルデータに、
第１の二つ置きのフレーム部を第１のメモリに，第２の二つ置きのフレーム部を第２のメモリに、及び、第３の二つ置きのフレーム部を第３のメモリに格納し、上記第１のメモリに格納されたフレーム部，上記第２のメモリに格納されたフレーム部及び上記第３のメモリに格納されたフレーム部の夫々を、フレームレートを２４Ｈｚ，２５Ｈｚもしくは３０Ｈｚとするセグメンテッドフレームディジタル映像信号を成す緑色原色信号データ系列，青色原色信号データ系列及び赤色原色信号データ系列と付加情報データ系列とを含む４８ビットパラレルデータを形成するものとして読み出して、各々がワード伝送レートを７４．２５ＭＢｐｓとする第１，第２及び第３の４８ビットワード列データを得、
上記第１の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第１の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第２の２０ビットワード列データと、上記付加情報データ系列から分割された複数の上位１０ビット及び複数の下位２ビットと複数の補助ビットとに基づく、ワード伝送レートを７４．２５ＭＢｐｓとする第３の２０ビットワード列データとを形成し、
上記第２の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第４の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第５の２０ビットワード列データと、上記付加情報データ系列から分割された複数の上位１０ビット及び複数の下位２ビットと複数の補助ビットとに基づく、ワード伝送レートを７４．２５ＭＢｐｓとする第６の２０ビットワード列データとを形成し、
上記第３の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第７の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第８の２０ビットワード列データと、上記付加情報データ系列から分割された複数の上位１０ビット及び複数の下位２ビットと複数の補助ビットとに基づく、ワード伝送レートを７４．２５ＭＢｐｓとする第９の２０ビットワード列データとを形成するデータ処理を施し、
上記第１から第９までの２０ビットワード列データに夫々基づく第１から第９までのシリアルデータを得て、該第１から第９までのシリアルデータを伝送すべく送出するデータ伝送方法。
【請求項３５】
付加情報データ系列が、ディジタル映像信号についてのＫｅｙ信号情報をあらわすことを特徴とする請求項３４記載のデータ伝送方法。
【請求項３６】
第１から第９までのシリアルデータを三つずつの第１，第２及び第３の組に分け、該第１，第２及び第３の組の夫々を成す三つのシリアルデータを夫々互いに中心波長を異にする第１，第２及び第３の光信号に変換し、該第１，第２及び第３の光信号を合波して多重光信号とすることにより、第１，第２及び第３の多重光信号を得、該第１，第２及び第３の多重光信号を伝送することを特徴とする請求項３４または３５記載のデータ伝送方法。
【請求項３７】
フレームレートを１２０Ｈｚとし、各フレームにおける有効ライン数を１０８０ラインとするディジタル映像信号を成し、各々が量子化ビット数を１２ビットとしてワード伝送レートを２９７ＭＢｐｓとする緑色原色信号データ系列，青色原色信号データ系列及び赤色原色信号データ系列と、上記緑色原色信号データ系列と同等のデータフォーマットを有し、量子化ビット数を１２ビットとしてワード伝送レートを２９７ＭＢｐｓとする付加情報データ系列とを含む４８ビットパラレルデータに、
第１の三つ置きのフレーム部を第１のメモリに，第２の三つ置きのフレーム部を第２のメモリに，第３の三つ置きのフレーム部を第３のメモリに、及び、第４の三つ置きのフレーム部を第４のメモリに格納し、上記第１のメモリに格納されたフレーム部，上記第２のメモリに格納されたフレーム部，上記第３のメモリに格納されたフレーム部及び上記第４のメモリに格納されたフレーム部の夫々を、フレームレートを３０Ｈｚとするセグメンテッドフレームディジタル映像信号を成す緑色原色信号データ系列，青色原色信号データ系列及び赤色原色信号データ系列と付加情報データ系列とを含む４８ビットパラレルデータを形成するものとして読み出して、各々がワード伝送レートを７４．２５ＭＢｐｓとする第１，第２，第３及び第４の４８ビットワード列データを得、
上記第１の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第１の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第２の２０ビットワード列データと、上記付加情報データ系列から分割された複数の上位１０ビット及び複数の下位２ビットと複数の補助ビットとに基づく、ワード伝送レートを７４．２５ＭＢｐｓとする第３の２０ビットワード列データとを形成し、
上記第２の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第４の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第５の２０ビットワード列データと、上記付加情報データ系列から分割された複数の上位１０ビット及び複数の下位２ビットと複数の補助ビットとに基づく、ワード伝送レートを７４．２５ＭＢｐｓとする第６の２０ビットワード列データとを形成し、
上記第３の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第７の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第８の２０ビットワード列データと、上記付加情報データ系列から分割された複数の上位１０ビット及び複数の下位２ビットと複数の補助ビットとに基づく、ワード伝送レートを７４．２５ＭＢｐｓとする第９の２０ビットワード列データとを形成し、
上記第４の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第１０の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第１１の２０ビットワード列データと、上記付加情報データ系列から分割された複数の上位１０ビット及び複数の下位２ビットと複数の補助ビットとに基づく、ワード伝送レートを７４．２５ＭＢｐｓとする第１２の２０ビットワード列データとを形成するデータ処理を施し、
上記第１から第１２までの２０ビットワード列データに夫々基づく第１から第１２までのシリアルデータを得て、該第１から第１２までのシリアルデータを伝送すべく送出するデータ伝送方法。
【請求項３８】
付加情報データ系列が、ディジタル映像信号についてのＫｅｙ信号情報をあらわすことを特徴とする請求項３７記載のデータ伝送方法。
【請求項３９】
第１から第１２までのシリアルデータを三つずつの第１，第２，第３及び第４の組に分け、該第１，第２，第３及び第４の組の夫々を成す三つのシリアルデータを夫々互いに中心波長を異にする第１，第２及び第３の光信号に変換し、該第１，第２及び第３の光信号を合波して多重光信号とすることにより、第１，第２，第３及び第４の多重光信号を得、該第１，第２，第３及び第４の多重光信号を伝送することを特徴とする請求項３７または３８記載のデータ伝送方法。
【請求項４０】
フレームレートを５０Ｈｚもしくは６０Ｈｚとし、各フレームにおける有効ライン数を１０８０ラインとするディジタル映像信号を成し、各々が量子化ビット数を１０ビットとしてワード伝送レートを１４８．５ＭＢｐｓとする輝度信号データ系列及び色差信号データ系列と、上記輝度信号データ系列と同等のデータフォーマットを有し、量子化ビット数を１０ビットとしてワード伝送レートを１４８．５ＭＢｐｓとする付加情報データ系列とを含む３０ビットパラレルデータに、第１の一つ置きのフレーム部を第１のメモリに格納するとともに第２の一つ置きのフレーム部を第２のメモリに格納し、上記第１のメモリに格納されたフレーム部及び上記第２のメモリに格納されたフレーム部の夫々を、フレームレートを２５Ｈｚもしくは３０Ｈｚとするセグメンテッドフレームディジタル映像信号を成す輝度信号データ系列及び色差信号データ系列と付加情報データ系列とを含む３０ビットパラレルデータを形成するものとして読み出して、各々がワード伝送レートを７４．２５ＭＢｐｓとする第１及び第２の３０ビットワード列データを得、上記第１の３０ビットワード列データに含まれる輝度信号データ系列及び色差信号データ系列に基づく、ワード伝送レートを７４．２５ＭＢｐｓとする第１の２０ビットワード列データと、上記第１の３０ビットワード列データに含まれる付加情報データ系列と補助１０ビットワード列とに基づく、ワード伝送レートを７４．２５ＭＢｐｓとする第２の２０ビットワード列データとを形成するとともに、上記第２の３０ビットワード列データに含まれる輝度信号データ系列及び色差信号データ系列に基づく、ワード伝送レートを７４．２５ＭＢｐｓとする第３の２０ビットワード列データと、上記第２の３０ビットワード列データに含まれる付加情報データ系列と補助１０ビットワード列に基づく、ワード伝送レートを７４．２５ＭＢｐｓとする第４の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第１から第４までのパラレル／シリアル変換部から夫々得られる第１から第４までのシリアルデータを伝送すべく送出するデータ送出部と、
を備えて構成されるデータ伝送装置。
【請求項４１】
フレームレートを５０Ｈｚもしくは６０Ｈｚとし、各フレームにおける有効ライン数を１０８０ラインとするディジタル映像信号を成し、各々が量子化ビット数を１０ビットとしてワード伝送レートを１４８．５ＭＢｐｓとする緑色原色信号データ系列，青色原色信号データ系列及び赤色原色信号データ系列と、上記緑色原色信号データ系列と同等のデータフォーマットを有し、量子化ビット数を１０ビットとしてワード伝送レートを１４８．５ＭＢｐｓとする付加情報データ系列とを含む４０ビットパラレルデータに、第１の一つ置きのフレーム部を第１のメモリに格納するとともに第２の一つ置きのフレーム部を第２のメモリに格納し、上記第１のメモリに格納されたフレーム部及び上記第２のメモリに格納されたフレーム部の夫々を、フレームレートを２５Ｈｚもしくは３０Ｈｚとするセグメンテッドフレームディジタル映像信号を成す緑色原色信号データ系列，青色原色信号データ系列及び赤色原色信号データ系列と付加情報データ系列とを含む４０ビットパラレルデータを形成するものとして読み出して、各々がワード伝送レートを７４．２５ＭＢｐｓとする第１及び第２の４０ビットワード列データを得、上記第１の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第１のワードグループと、上記付加情報データ系列を形成する１０ビットワードと上記青色原色信号データ系列及び赤色原色信号データ系列を形成する１０ビットワードの他の一部とを含む第２のワードグループとに振り分け、上記第１のワードグループに基づく、ワード伝送レートを７４．２５ＭＢｐｓする第１の２０ビットワード列データと、上記第２のワードグループに基づく、ワード伝送レートを７４．２５ＭＢｐｓとする第２の２０ビットワード列データとを形成するとともに、上記第２の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第３のワードグループと、上記付加情報データ系列を形成する１０ビットワードと上記青色原色信号データ系列及び赤色原色信号データ系列を形成する１０ビットワードの他の一部とを含む第４のワードグループとに振り分け、上記第３のワードグループに基づく、ワード伝送レートを７４．２５ＭＢｐｓする第３の２０ビットワード列データと、上記第４のワードグループに基づく、ワード伝送レートを７４．２５ＭＢｐｓとする第４の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第１から第４までのパラレル／シリアル変換部から夫々得られる第１から第４までのシリアルデータを伝送すべく送出するデータ送出部と、
を備えて構成されるデータ伝送装置。
【請求項４２】
フレームレートを７２Ｈｚ，７５Ｈｚもしくは９０Ｈｚとし、各フレームにおける有効ライン数を１０８０ラインとするディジタル映像信号を成し、各々が量子化ビット数を１０ビットとしてワード伝送レートを２２２．７５ＭＢｐｓとする輝度信号データ系列及び色差信号データ系列と、上記輝度信号データ系列と同等のデータフォーマットを有し、量子化ビット数を１０ビットとしてワード伝送レートを２２２．７５ＭＢｐｓとする付加情報データ系列とを含む３０ビットパラレルデータに、第１の二つ置きのフレーム部を第１のメモリに，第２の二つ置きのフレーム部を第２のメモリに、及び、第３の二つ置きのフレーム部を第３のメモリに格納し、上記第１のメモリに格納されたフレーム部，上記第２のメモリに格納されたフレーム部及び上記第３のメモリに格納されたフレーム部の夫々を、フレームレートを２４Ｈｚ，２５Ｈｚもしくは３０Ｈｚとするセグメンテッドフレームディジタル映像信号を成す輝度信号データ系列及び色差信号データ系列と付加情報データ系列とを含む３０ビットパラレルデータを形成するものとして読み出して、各々がワード伝送レートを７４．２５ＭＢｐｓとする第１，第２及び第３の３０ビットワード列データを得、上記第１の３０ビットワード列データに含まれる輝度信号データ系列及び色差信号データ系列に基づく、ワード伝送レートを７４．２５ＭＢｐｓとする第１の２０ビットワード列データと、上記第１の３０ビットワード列データに含まれる付加情報データ系列と補助１０ビットワード列とに基づく、ワード伝送レートを７４．２５ＭＢｐｓとする第２の２０ビットワード列データとを形成し、上記第２の３０ビットワード列データに含まれる輝度信号データ系列及び色差信号データ系列に基づく、ワード伝送レートを７４．２５ＭＢｐｓとする第３の２０ビットワード列データと、上記第２の３０ビットワード列データに含まれる付加情報データ系列と補助１０ビットワード列とに基づく、ワード伝送レートを７４．２５ＭＢｐｓとする第４の２０ビットワード列データとを形成し、上記第３の３０ビットワード列データに含まれる輝度信号データ系列及び色差信号データ系列に基づく、ワード伝送レートを７４．２５ＭＢｐｓとする第５の２０ビットワード列データと、上記第３の３０ビットワード列データに含まれる付加情報データ系列と補助１０ビットワード列とに基づく、ワード伝送レートを７４．２５ＭＢｐｓとする第６の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第５の２０ビットワード列データに基づく第５のシリアルデータを得る第５のパラレル／シリアル変換部と、
上記第６の２０ビットワード列データに基づく第６のシリアルデータを得る第６のパラレル／シリアル変換部と、
上記第１から第６までのパラレル／シリアル変換部から夫々得られる第１から第６までのシリアルデータを伝送すべく送出するデータ送出部と、
を備えて構成されるデータ伝送装置。
【請求項４３】
フレームレートを５０Ｈｚもしくは６０Ｈｚとし、各フレームにおける有効ライン数を１０８０ラインとするディジタル映像信号を成し、各々が量子化ビット数を１２ビット，１４ビットもしくは１６ビットとしてワード伝送レートを１４８．５ＭＢｐｓとする輝度信号データ系列及び色差信号データ系列と、上記輝度信号データ系列と同等のデータフォーマットを有し、量子化ビット数を１２ビット，１４ビットもしくは１６ビットとしてワード伝送レートを１４８．５ＭＢｐｓとする付加情報データ系列とを含む３６ビット，４２ビットもしくは４８ビットパラレルデータに、第１の一つ置きのフレーム部を第１のメモリに格納するとともに第２の一つ置きのフレーム部を第２のメモリに格納し、上記第１のメモリに格納されたフレーム部及び上記第２のメモリに格納されたフレーム部の夫々を、フレームレートを２５Ｈｚもしくは３０Ｈｚとするセグメンテッドフレームディジタル映像信号を成す輝度信号データ系列及び色差信号データ系列と付加情報データ系列とを含む３６ビット，４２ビットもしくは４８ビットパラレルデータを形成するものとして読み出して、各々がワード伝送レートを７４．２５ＭＢｐｓとする第１及び第２の３６ビット，４２ビットもしくは４８ビットワード列データを得、上記第１の３６ビット，４２ビットもしくは４８ビットワード列データに含まれる上記輝度信号データ系列，色差信号データ系列及び付加情報データ系列の夫々を形成する、各１２ビット，１４ビットもしくは１６ビットワードを上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記輝度信号データ系列及び色差信号データ系列から分割された複数の下位２ビット，４ビットもしくは６ビットと複数の補助ビットとに基づく、ワード伝送レートを７４．２５ＭＢｐｓとする第２の２０ビットワード列データと、上記付加情報データ系列から分割された複数の上位１０ビット及び複数の下位２ビット，４ビットもしくは６ビットと複数の補助ビットとに基づく、ワード伝送レートを７４．２５ＭＢｐｓとする第３の２０ビットワード列データとを形成するとともに、上記第２の３６ビット，４２ビットもしくは４８ビットワード列データに含まれる上記輝度信号データ系列，色差信号データ系列及び付加情報データ系列の夫々を形成する、各１２ビット，１４ビットもしくは１６ビットワードを上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第４の２０ビットワード列データと、上記輝度信号データ系列及び色差信号データ系列から分割された複数の下位２ビット，４ビットもしくは６ビットと複数の補助ビットとに基づく、ワード伝送レートを７４．２５ＭＢｐｓとする第５の２０ビットワード列データと、上記付加情報データ系列から分割された複数の上位１０ビット及び複数の下位２ビット，４ビットもしくは６ビットと複数の補助ビットとに基づく、ワード伝送レートを７４．２５ＭＢｐｓとする第６の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第５の２０ビットワード列データに基づく第５のシリアルデータを得る第５のパラレル／シリアル変換部と、
上記第６の２０ビットワード列データに基づく第６のシリアルデータを得る第６のパラレル／シリアル変換部と、
上記第１から第６までのパラレル／シリアル変換部から夫々得られる第１から第６までのシリアルデータを伝送すべく送出するデータ送出部と、
を備えて構成されるデータ伝送装置。
【請求項４４】
フレームレートを５０Ｈｚもしくは６０Ｈｚとし、各フレームにおける有効ライン数を１０８０ラインとするディジタル映像信号を成し、各々が量子化ビット数を１２ビットとしてワード伝送レートを１４８．５ＭＢｐｓとする緑色原色信号データ系列，青色原色信号データ系列及び赤色原色信号データ系列と、上記緑色原色信号データ系列と同等のデータフォーマットを有し、量子化ビット数を１２ビットとしてワード伝送レートを１４８．５ＭＢｐｓとする付加情報データ系列とを含む４８ビットパラレルデータに、第１の一つ置きのフレーム部を第１のメモリに格納するとともに第２の一つ置きのフレーム部を第２のメモリに格納し、上記第１のメモリに格納されたフレーム部及び上記第２のメモリに格納されたフレーム部の夫々を、フレームレートを２５Ｈｚもしくは３０Ｈｚとするセグメンテッドフレームディジタル映像信号を成す緑色原色信号データ系列，青色原色信号データ系列及び赤色原色信号データ系列と付加情報データ系列とを含む４８ビットパラレルデータを形成するものとして読み出して、各々がワード伝送レートを７４．２５ＭＢｐｓとする第１及び第２の４８ビットワード列データを得、上記第１の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第１の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第２の２０ビットワード列データと、上記付加情報データ系列から分割された複数の上位１０ビット及び複数の下位２ビットと複数の補助ビットとに基づく、ワード伝送レートを７４．２５ＭＢｐｓとする第３の２０ビットワード列データとを形成し、上記第２の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第４の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第５の２０ビットワード列データと、上記付加情報データ系列から分割された複数の上位１０ビット及び複数の下位２ビットと複数の補助ビットとに基づく、ワード伝送レートを７４．２５ＭＢｐｓとする第６の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第５の２０ビットワード列データに基づく第５のシリアルデータを得る第５のパラレル／シリアル変換部と、
上記第６の２０ビットワード列データに基づく第６のシリアルデータを得る第６のパラレル／シリアル変換部と、
上記第１から第６までのパラレル／シリアル変換部から夫々得られる第１から第６までのシリアルデータを伝送すべく送出するデータ送出部と、
を備えて構成されるデータ伝送装置。
【請求項４５】
フレームレートを７２Ｈｚ，７５Ｈｚもしくは９０Ｈｚとし、各フレームにおける有効ライン数を１０８０ラインとするディジタル映像信号を成し、各々が量子化ビット数を１０ビットとしてワード伝送レートを２２２．７５ＭＢｐｓとする緑色原色信号データ系列，青色原色信号データ系列及び赤色原色信号データ系列と、上記緑色原色信号データ系列と同等のデータフォーマットを有し、量子化ビット数を１０ビットとしてワード伝送レートを２２２．７５ＭＢｐｓとする付加情報データ系列とを含む４０ビットパラレルデータに、第１の二つ置きのフレーム部を第１のメモリに，第２の二つ置きのフレーム部を第２のメモリに、及び、第３の二つ置きのフレーム部を第３のメモリに格納し、上記第１のメモリに格納されたフレーム部，上記第２のメモリに格納されたフレーム部及び上記第３のメモリに格納されたフレーム部の夫々を、フレームレートを２４Ｈｚ，２５Ｈｚもしくは３０Ｈｚとするセグメンテッドフレームディジタル映像信号を成す緑色原色信号データ系列，青色原色信号データ系列及び赤色原色信号データ系列と付加情報データ系列とを含む４０ビットパラレルデータを形成するものとして読み出して、各々がワード伝送レートを７４．２５ＭＢｐｓとする第１，第２及び第３の４０ビットワード列データを得、上記第１の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第１のワードグループと、上記付加情報データ系列を形成する１０ビットワードと上記青色原色信号データ系列及び赤色原色信号データ系列を形成する１０ビットワードの他の一部とを含む第２のワードグループとに振り分け、上記第１のワードグループに基づく、ワード伝送レートを７４．２５ＭＢｐｓする第１の２０ビットワード列データと、上記第２のワードグループに基づく、ワード伝送レートを７４．２５ＭＢｐｓとする第２の２０ビットワード列データとを形成し、上記第２の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第３のワードグループと、上記付加情報データ系列を形成する１０ビットワードと上記青色原色信号データ系列及び赤色原色信号データ系列を形成する１０ビットワードの他の一部とを含む第４のワードグループとに振り分け、上記第３のワードグループに基づく、ワード伝送レートを７４．２５ＭＢｐｓする第３の２０ビットワード列データと、上記第４のワードグループに基づく、ワード伝送レートを７４．２５ＭＢｐｓとする第４の２０ビットワード列データとを形成し、上記第３の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第５のワードグループと、上記付加情報データ系列を形成する１０ビットワードと上記青色原色信号データ系列及び赤色原色信号データ系列を形成する１０ビットワードの他の一部とを含む第６のワードグループとに振り分け、上記第５のワードグループに基づく、ワード伝送レートを７４．２５ＭＢｐｓする第５の２０ビットワード列データと、上記第６のワードグループに基づく、ワード伝送レートを７４．２５ＭＢｐｓとする第６の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第５の２０ビットワード列データに基づく第５のシリアルデータを得る第５のパラレル／シリアル変換部と、
上記第６の２０ビットワード列データに基づく第６のシリアルデータを得る第６のパラレル／シリアル変換部と、
上記第１から第６までのパラレル／シリアル変換部から夫々得られる第１から第６までのシリアルデータを伝送すべく送出するデータ送出部と、
を備えて構成されるデータ伝送装置。
【請求項４６】
フレームレートを１２０Ｈｚとし、各フレームにおける有効ライン数を１０８０ラインとするディジタル映像信号を成し、各々が量子化ビット数を１０ビットとしてワード伝送レートを２９７ＭＢｐｓとする輝度信号データ系列及び色差信号データ系列と、上記輝度信号データ系列と同等のデータフォーマットを有し、量子化ビット数を１０ビットとしてワード伝送レートを２９７ＭＢｐｓとする付加情報データ系列とを含む３０ビットパラレルデータに、第１の三つ置きのフレーム部を第１のメモリに，第２の三つ置きのフレーム部を第２のメモリに，第３の三つ置きのフレーム部を第３のメモリに、及び、第４の三つ置きのフレーム部を第４のメモリに格納し、上記第１のメモリに格納されたフレーム部，上記第２のメモリに格納されたフレーム部，上記第３のメモリに格納されたフレーム部及び上記第４のメモリに格納されたフレーム部の夫々を、フレームレートを３０Ｈｚとするセグメンテッドフレームディジタル映像信号を成す輝度信号データ系列及び色差信号データ系列と付加情報データ系列とを含む３０ビットパラレルデータを形成するものとして読み出して、各々がワード伝送レートを７４．２５ＭＢｐｓとする第１，第２，第３及び第４の３０ビットワード列データを得、上記第１の３０ビットワード列データに含まれる輝度信号データ系列及び色差信号データ系列に基づく、ワード伝送レートを７４．２５ＭＢｐｓとする第１の２０ビットワード列データと、上記第１の３０ビットワード列データに含まれる付加情報データ系列と補助１０ビットワード列とに基づく、ワード伝送レートを７４．２５ＭＢｐｓとする第２の２０ビットワード列データとを形成し、上記第２の３０ビットワード列データに含まれる輝度信号データ系列及び色差信号データ系列に基づく、ワード伝送レートを７４．２５ＭＢｐｓとする第３の２０ビットワード列データと、上記第２の３０ビットワード列データに含まれる付加情報データ系列と補助１０ビットワード列とに基づく、ワード伝送レートを７４．２５ＭＢｐｓとする第４の２０ビットワード列データとを形成し、上記第３の３０ビットワード列データに含まれる輝度信号データ系列及び色差信号データ系列に基づく、ワード伝送レートを７４．２５ＭＢｐｓとする第５の２０ビットワード列データと、上記第３の３０ビットワード列データに含まれる付加情報データ系列と補助１０ビットワード列とに基づく、ワード伝送レートを７４．２５ＭＢｐｓとする第６の２０ビットワード列データとを形成し、上記第４の３０ビットワード列データに含まれる輝度信号データ系列及び色差信号データ系列に基づく、ワード伝送レートを７４．２５ＭＢｐｓとする第７の２０ビットワード列データと、上記第４の３０ビットワード列データに含まれる付加情報データ系列と補助１０ビットワード列とに基づく、ワード伝送レートを７４．２５ＭＢｐｓとする第８の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第５の２０ビットワード列データに基づく第５のシリアルデータを得る第５のパラレル／シリアル変換部と、
上記第６の２０ビットワード列データに基づく第６のシリアルデータを得る第６のパラレル／シリアル変換部と、
上記第７の２０ビットワード列データに基づく第７のシリアルデータを得る第７のパラレル／シリアル変換部と、
上記第８の２０ビットワード列データに基づく第８のシリアルデータを得る第８のパラレル／シリアル変換部と、
上記第１から第８までのパラレル／シリアル変換部から夫々得られる第１から第８までのシリアルデータを伝送すべく送出するデータ送出部と、
を備えて構成されるデータ伝送装置。
【請求項４７】
フレームレートを１２０Ｈｚとし、各フレームにおける有効ライン数を１０８０ラインとするディジタル映像信号を成し、各々が量子化ビット数を１０ビットとしてワード伝送レートを２９７ＭＢｐｓとする緑色原色信号データ系列，青色原色信号データ系列及び赤色原色信号データ系列と、上記緑色原色信号データ系列と同等のデータフォーマットを有し、量子化ビット数を１０ビットとしてワード伝送レートを２９７ＭＢｐｓとする付加情報データ系列とを含む４０ビットパラレルデータに、第１の三つ置きのフレーム部を第１のメモリに，第２の三つ置きのフレーム部を第２のメモリに，第３の三つ置きのフレーム部を第３のメモリに、及び、第４の三つ置きのフレーム部を第４のメモリに格納し、上記第１のメモリに格納されたフレーム部，上記第２のメモリに格納されたフレーム部，上記第３のメモリに格納されたフレーム部及び上記第４のメモリに格納されたフレーム部の夫々を、フレームレートを３０Ｈｚとするセグメンテッドフレームディジタル映像信号を成す緑色原色信号データ系列，青色原色信号データ系列及び赤色原色信号データ系列と付加情報データ系列とを含む４０ビットパラレルデータを形成するものとして読み出して、各々がワード伝送レートを７４．２５ＭＢｐｓとする第１，第２，第３及び第４の４０ビットワード列データを得、上記第１の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第１のワードグループと、上記付加情報データ系列を形成する１０ビットワードと上記青色原色信号データ系列及び赤色原色信号データ系列を形成する１０ビットワードの他の一部とを含む第２のワードグループとに振り分け、上記第１のワードグループに基づく、ワード伝送レートを７４．２５ＭＢｐｓする第１の２０ビットワード列データと、上記第２のワードグループに基づく、ワード伝送レートを７４．２５ＭＢｐｓとする第２の２０ビットワード列データとを形成し、上記第２の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第３のワードグループと、上記付加情報データ系列を形成する１０ビットワードと上記青色原色信号データ系列及び赤色原色信号データ系列を形成する１０ビットワードの他の一部とを含む第４のワードグループとに振り分け、上記第３のワードグループに基づく、ワード伝送レートを７４．２５ＭＢｐｓする第３の２０ビットワード列データと、上記第４のワードグループに基づく、ワード伝送レートを７４．２５ＭＢｐｓとする第４の２０ビットワード列データとを形成し、上記第３の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第５のワードグループと、上記付加情報データ系列を形成する１０ビットワードと上記青色原色信号データ系列及び赤色原色信号データ系列を形成する１０ビットワードの他の一部とを含む第６のワードグループとに振り分け、上記第５のワードグループに基づく、ワード伝送レートを７４．２５ＭＢｐｓする第５の２０ビットワード列データと、上記第６のワードグループに基づく、ワード伝送レートを７４．２５ＭＢｐｓとする第６の２０ビットワード列データとを形成し、上記第４の４０ビットワード列データに含まれる緑色原色信号データ系列，青色原色信号データ系列，赤色原色信号データ系列及び付加情報データ系列を形成する１０ビットワードを、上記緑色原色信号データ系列を形成する１０ビットワードと上記青色原色信号データ系列及び赤色原色信号データ系列を形成する１０ビットワードの一部とを含む第７のワードグループと、上記付加情報データ系列を形成する１０ビットワードと上記青色原色信号データ系列及び赤色原色信号データ系列を形成する１０ビットワードの他の一部とを含む第８のワードグループとに振り分け、上記第７のワードグループに基づく、ワード伝送レートを７４．２５ＭＢｐｓする第７の２０ビットワード列データと、上記第８のワードグループに基づく、ワード伝送レートを７４．２５ＭＢｐｓとする第８の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第５の２０ビットワード列データに基づく第５のシリアルデータを得る第５のパラレル／シリアル変換部と、
上記第６の２０ビットワード列データに基づく第６のシリアルデータを得る第６のパラレル／シリアル変換部と、
上記第７の２０ビットワード列データに基づく第７のシリアルデータを得る第７のパラレル／シリアル変換部と、
上記第８の２０ビットワード列データに基づく第８のシリアルデータを得る第８のパラレル／シリアル変換部と、
上記第１から第８までのパラレル／シリアル変換部から夫々得られる第１から第８までのシリアルデータを伝送すべく送出するデータ送出部と、
を備えて構成されるデータ伝送装置。
【請求項４８】
フレームレートを７２Ｈｚ，７５Ｈｚもしくは９０Ｈｚとし、各フレームにおける有効ライン数を１０８０ラインとするディジタル映像信号を成し、各々が量子化ビット数を１２ビット，１４ビットもしくは１６ビットとしてワード伝送レートを２２２．７５ＭＢｐｓとする輝度信号データ系列及び色差信号データ系列と、上記輝度信号データ系列と同等のデータフォーマットを有し、量子化ビット数を１２ビット，１４ビットもしくは１６ビットとしてワード伝送レートを２２２．７５ＭＢｐｓとする付加情報データ系列とを含む３６ビット，４２ビットもしくは４８ビットパラレルデータに、第１の二つ置きのフレーム部を第１のメモリに，第２の二つ置きのフレーム部を第２のメモリに、及び、第３の二つ置きのフレーム部を第３のメモリに格納し、上記第１のメモリに格納されたフレーム部，上記第２のメモリに格納されたフレーム部及び上記第３のメモリに格納されたフレーム部の夫々を、フレームレートを２４Ｈｚ，２５Ｈｚもしくは３０Ｈｚとするセグメンテッドフレームディジタル映像信号を成す輝度信号データ系列及び色差信号データ系列と付加情報データ系列とを含む３６ビット，４２ビットもしくは４８ビットパラレルデータを形成するものとして読み出して、各々がワード伝送レートを７４．２５ＭＢｐｓとする第１，第２及び第３の３６ビット，４２ビットもしくは４８ビットワード列データを得、上記第１の３６ビット，４２ビットもしくは４８ビットワード列データに含まれる上記輝度信号データ系列，色差信号データ系列及び付加情報データ系列の夫々を形成する、各１２ビット，１４ビットもしくは１６ビットワードを上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記輝度信号データ系列及び色差信号データ系列から分割された複数の下位２ビット，４ビットもしくは６ビットと複数の補助ビットとに基づく、ワード伝送レートを７４．２５ＭＢｐｓとする第２の２０ビットワード列データと、上記付加情報データ系列から分割された複数の上位１０ビット及び複数の下位２ビット，４ビットもしくは６ビットと複数の補助ビットとに基づく、ワード伝送レートを７４．２５ＭＢｐｓとする第３の２０ビットワード列データとを形成し、上記第２の３６ビット，４２ビットもしくは４８ビットワード列データに含まれる上記輝度信号データ系列，色差信号データ系列及び付加情報データ系列の夫々を形成する、各１２ビット，１４ビットもしくは１６ビットワードを上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第４の２０ビットワード列データと、上記輝度信号データ系列及び色差信号データ系列から分割された複数の下位２ビット，４ビットもしくは６ビットと複数の補助ビットとに基づく、ワード伝送レートを７４．２５ＭＢｐｓとする第５の２０ビットワード列データと、上記付加情報データ系列から分割された複数の上位１０ビット及び複数の下位２ビット，４ビットもしくは６ビットと複数の補助ビットとに基づく、ワード伝送レートを７４．２５ＭＢｐｓとする第６の２０ビットワード列データとを形成し、上記第３の３６ビット，４２ビットもしくは４８ビットワード列データに含まれる上記輝度信号データ系列，色差信号データ系列及び付加情報データ系列の夫々を形成する、各１２ビット，１４ビットもしくは１６ビットワードを上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第７の２０ビットワード列データと、上記輝度信号データ系列及び色差信号データ系列から分割された複数の下位２ビット，４ビットもしくは６ビットと複数の補助ビットとに基づく、ワード伝送レートを７４．２５ＭＢｐｓとする第８の２０ビットワード列データと、上記付加情報データ系列から分割された複数の上位１０ビット及び複数の下位２ビット，４ビットもしくは６ビットと複数の補助ビットとに基づく、ワード伝送レートを７４．２５ＭＢｐｓとする第９の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第５の２０ビットワード列データに基づく第５のシリアルデータを得る第５のパラレル／シリアル変換部と、
上記第６の２０ビットワード列データに基づく第６のシリアルデータを得る第６のパラレル／シリアル変換部と、
上記第７の２０ビットワード列データに基づく第７のシリアルデータを得る第７のパラレル／シリアル変換部と、
上記第８の２０ビットワード列データに基づく第８のシリアルデータを得る第８のパラレル／シリアル変換部と、
上記第９の２０ビットワード列データに基づく第９のシリアルデータを得る第９のパラレル／シリアル変換部と、
上記第１から第９までのパラレル／シリアル変換部から夫々得られる第１から第９までのシリアルデータを伝送すべく送出するデータ送出部と、
を備えて構成されるデータ伝送装置。
【請求項４９】
フレームレートを７２Ｈｚ，７５Ｈｚもしくは９０Ｈｚとし、各フレームにおける有効ライン数を１０８０ラインとするディジタル映像信号を成し、各々が量子化ビット数を１２ビットとしてワード伝送レートを２２２．７５ＭＢｐｓとする緑色原色信号データ系列，青色原色信号データ系列及び赤色原色信号データ系列と、上記緑色原色信号データ系列と同等のデータフォーマットを有し、量子化ビット数を１２ビットとしてワード伝送レートを２２２．７５ＭＢｐｓとする付加情報データ系列とを含む４８ビットパラレルデータに、第１の二つ置きのフレーム部を第１のメモリに，第２の二つ置きのフレーム部を第２のメモリに、及び、第３の二つ置きのフレーム部を第３のメモリに格納し、上記第１のメモリに格納されたフレーム部，上記第２のメモリに格納されたフレーム部及び上記第３のメモリに格納されたフレーム部の夫々を、フレームレートを２４Ｈｚ，２５Ｈｚもしくは３０Ｈｚとするセグメンテッドフレームディジタル映像信号を成す緑色原色信号データ系列，青色原色信号データ系列及び赤色原色信号データ系列と付加情報データ系列とを含む４８ビットパラレルデータを形成するものとして読み出して、各々がワード伝送レートを７４．２５ＭＢｐｓとする第１，第２及び第３の４８ビットワード列データを得、上記第１の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第１の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第２の２０ビットワード列データと、上記付加情報データ系列から分割された複数の上位１０ビット及び複数の下位２ビットと複数の補助ビットとに基づく、ワード伝送レートを７４．２５ＭＢｐｓとする第３の２０ビットワード列データとを形成し、上記第２の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第４の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第５の２０ビットワード列データと、上記付加情報データ系列から分割された複数の上位１０ビット及び複数の下位２ビットと複数の補助ビットとに基づく、ワード伝送レートを７４．２５ＭＢｐｓとする第６の２０ビットワード列データとを形成し、上記第３の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第７の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第８の２０ビットワード列データと、上記付加情報データ系列から分割された複数の上位１０ビット及び複数の下位２ビットと複数の補助ビットとに基づく、ワード伝送レートを７４．２５ＭＢｐｓとする第９の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第５の２０ビットワード列データに基づく第５のシリアルデータを得る第５のパラレル／シリアル変換部と、
上記第６の２０ビットワード列データに基づく第６のシリアルデータを得る第６のパラレル／シリアル変換部と、
上記第７の２０ビットワード列データに基づく第７のシリアルデータを得る第７のパラレル／シリアル変換部と、
上記第８の２０ビットワード列データに基づく第８のシリアルデータを得る第８のパラレル／シリアル変換部と、
上記第９の２０ビットワード列データに基づく第９のシリアルデータを得る第９のパラレル／シリアル変換部と、
上記第１から第９までのパラレル／シリアル変換部から夫々得られる第１から第９までのシリアルデータを伝送すべく送出するデータ送出部と、
を備えて構成されるデータ伝送装置。
【請求項５０】
フレームレートを１２０Ｈｚとし、各フレームにおける有効ライン数を１０８０ラインとするディジタル映像信号を成し、各々が量子化ビット数を１２ビットとしてワード伝送レートを２９７ＭＢｐｓとする緑色原色信号データ系列，青色原色信号データ系列及び赤色原色信号データ系列と、上記緑色原色信号データ系列と同等のデータフォーマットを有し、量子化ビット数を１２ビットとしてワード伝送レートを２９７ＭＢｐｓとする付加情報データ系列とを含む４８ビットパラレルデータに、第１の三つ置きのフレーム部を第１のメモリに，第２の三つ置きのフレーム部を第２のメモリに，第３の三つ置きのフレーム部を第３のメモリに、及び、第４の三つ置きのフレーム部を第４のメモリに格納し、上記第１のメモリに格納されたフレーム部，上記第２のメモリに格納されたフレーム部，上記第３のメモリに格納されたフレーム部及び上記第４のメモリに格納されたフレーム部の夫々を、フレームレートを３０Ｈｚとするセグメンテッドフレームディジタル映像信号を成す緑色原色信号データ系列，青色原色信号データ系列及び赤色原色信号データ系列と付加情報データ系列とを含む４８ビットパラレルデータを形成するものとして読み出して、各々がワード伝送レートを７４．２５ＭＢｐｓとする第１，第２，第３及び第４の４８ビットワード列データを得、上記第１の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第１の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第２の２０ビットワード列データと、上記付加情報データ系列から分割された複数の上位１０ビット及び複数の下位２ビットと複数の補助ビットとに基づく、ワード伝送レートを７４．２５ＭＢｐｓとする第３の２０ビットワード列データとを形成し、上記第２の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第４の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第５の２０ビットワード列データと、上記付加情報データ系列から分割された複数の上位１０ビット及び複数の下位２ビットと複数の補助ビットとに基づく、ワード伝送レートを７４．２５ＭＢｐｓとする第６の２０ビットワード列データとを形成し、上記第３の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第７の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第８の２０ビットワード列データと、上記付加情報データ系列から分割された複数の上位１０ビット及び複数の下位２ビットと複数の補助ビットとに基づく、ワード伝送レートを７４．２５ＭＢｐｓとする第９の２０ビットワード列データとを形成し、上記第４の４８ビットワード列データに含まれる緑色原色信号データ系列，青色原色信号データ系列，赤色原色信号データ系列及び付加情報データ系列を形成する各１２ビットワードを、上位１０ビットと下位２ビットとに分割し、上記緑色原色信号データ系列から分割された複数の上位１０ビットと、上記青色原色信号データ系列及び赤色原色信号データ系列の夫々から分割された複数の上位１０ビットの一部とに基づく、ワード伝送レートを７４．２５ＭＢｐｓとする第１０の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットと、複数の補助ビットとに基づく、ワード伝送レートを７４．２５ＭＢｐｓとする第１１の２０ビットワード列データと、上記付加情報データ系列から分割された複数の上位１０ビット及び複数の下位２ビットと複数の補助ビットとに基づく、ワード伝送レートを７４．２５ＭＢｐｓとする第１２の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第５の２０ビットワード列データに基づく第５のシリアルデータを得る第５のパラレル／シリアル変換部と、
上記第６の２０ビットワード列データに基づく第６のシリアルデータを得る第６のパラレル／シリアル変換部と、
上記第７の２０ビットワード列データに基づく第７のシリアルデータを得る第７のパラレル／シリアル変換部と、
上記第８の２０ビットワード列データに基づく第８のシリアルデータを得る第８のパラレル／シリアル変換部と、
上記第９の２０ビットワード列データに基づく第９のシリアルデータを得る第９のパラレル／シリアル変換部と、
上記第１０の２０ビットワード列データに基づく第１０のシリアルデータを得る第１０のパラレル／シリアル変換部と、
上記第１１の２０ビットワード列データに基づく第１１のシリアルデータを得る第１１のパラレル／シリアル変換部と、
上記第１２の２０ビットワード列データに基づく第１２のシリアルデータを得る第１２のパラレル／シリアル変換部と、
上記第１から第１２までのパラレル／シリアル変換部から夫々得られる第１から第１２までのシリアルデータを伝送すべく送出するデータ送出部と、
を備えて構成されるデータ伝送装置。
【発明の詳細な説明】
【０００１】
【発明の属する技術分野】
本願の特許請求の範囲に記載された発明は、フレームレートを５０Ｈｚ，６０Ｈｚあるいは６０／１．００１Ｈｚ（本願においてはこれらのいずれをも６０Ｈｚという。），７２Ｈｚあるいは７２／１．００１Ｈｚ（本願においてはこれらのいずれをも７２Ｈｚという。），７５Ｈｚ，９０Ｈｚあるいは９０／１．００１Ｈｚ（本願においてはこれらのいずれをも９０Ｈｚという。）、もしくは、１２０Ｈｚあるいは１２０／１．００１Ｈｚ（本願においてはこれらのいずれをも１２０Ｈｚという。）とする映像信号情報をあらわす、量子化ビット数を１０ビット，１２ビット，１４ビットもしくは１６ビットとするディジタルデータと、それに関連する付加情報データとを、シリアル伝送するデータ伝送方法、及び、その実施に供されるデータ伝送装置に関する。
【０００２】
【従来の技術】
映像信号の分野においては、伝達情報の多様化及び再生画像の高品質化を実現する観点等からのディジタル化が図られており、例えば、映像信号情報をあらわすディジタルデータによって形成されるディジタル映像信号を扱う高精細度テレビジョン(High Definition Television:ＨＤＴＶ）システム等が提案されている。ＨＤＴＶシステムのもとにおけるディジタル映像信号（以下、ＨＤディジタル映像信号という）は、例えば、ＢＴＡ（Broadcasting Technology Association:放送技術開発協議会）により制定された規格に従って形成され、Ｙ，ＰB ／ＰR 形式のものとＧ，Ｂ，Ｒ形式のものとがある。Ｙ，ＰB ／ＰR 形式の場合、Ｙは輝度信号を意味し、ＰB 及びＰR は色差信号を意味する。また、Ｇ，Ｂ，Ｒ形式の場合、Ｇ，Ｂ及びＲは夫々緑色原色信号，青色原色信号及び赤色原色信号を意味する。
【０００３】
Ｙ，ＰB ／ＰR 形式のＨＤディジタル映像信号は、フレームレートが３０Ｈｚあるいは３０／１．００１Ｈｚ（本願においてはこれらのいずれをも３０Ｈｚという。）とされたもとで、各フレーム画像が第１フィールド画像と第２フィールド画像とに分けられて形成される飛び越し走査用の信号とされ、例えば、図６４に示される如くのデータフォーマットに従うものとされる。図６４に示されるデータフォーマットは、図６４のＡに示される如くの、映像信号における輝度信号情報をあらわす輝度信号データ系列（Ｙデータ系列）と、図６４のＢに示される如くの、映像信号における色差信号情報をあらわす色差信号データ系列（ＰB ／ＰR データ系列）とから成り、Ｙデータ系列及びＰB ／ＰR データ系列の夫々は、量子化ビット数を１０ビットとし、従って、それを形成するワードデータの各々が１０ビット構成とされ、また、そのワード伝送レートは、例えば、７４．２５ＭＢｐｓとされる。そして、図６４のＡには、Ｙデータ系列における各ライン部中のラインブランキング部及びその前後における映像データ部の一部分が示されており、また、図６４のＢには、ＰB ／ＰR データ系列における各ライン部中のラインブランキング部及びその前後における映像データ部の一部分が示されている。
【０００４】
Ｙデータ系列にあっては、各映像データ部の直前に、各々が１０ビット構成とされる４ワード（３ＦＦ（Ｙ），０００（Ｙ），０００（Ｙ），ＸＹＺ（Ｙ）（３ＦＦ，０００及びＸＹＺは１６進表現であり、（Ｙ）はＹデータ系列中のワードであることをあらわす。））から成るタイミング基準コードデータ（ＳＡＶ： Start of Active Video )が配されるとともに、各映像データ部の直後に、各々が１０ビット構成とされる４ワード（３ＦＦ（Ｙ），０００（Ｙ），０００（Ｙ），ＸＹＺ（Ｙ））から成るタイミング基準コードデータ（ＥＡＶ： End of Active Video )が配される。同様にして、ＰB ／ＰR データ系列にあっても、各映像データ部の直前に、各々が１０ビット構成とされる４ワード（３ＦＦ（Ｃ），０００（Ｃ），０００（Ｃ），ＸＹＺ（Ｃ）（３ＦＦ，０００及びＸＹＺは１６進表現であり、（Ｃ）はＰB ／ＰR データ系列中のワードであることをあらわす。））から成るタイミング基準コードデータ：ＳＡＶが配されるとともに、各映像データ部の直後に、各々が１０ビット構成とされる４ワード（３ＦＦ（Ｃ），０００（Ｃ），０００（Ｃ），ＸＹＺ（Ｃ））から成るタイミング基準コードデータ：ＥＡＶが配される。勿論、Ｙデータ系列中のタイミング基準コードデータ：ＥＡＶ及びＳＡＶの夫々は、Ｙデータ系列における各ラインブランキング部に配され、また、ＰB ／ＰR データ系列中のタイミング基準コードデータ：ＥＡＶ及びＳＡＶの夫々は、ＰB ／ＰR データ系列における各ラインブランキング部に配される。
【０００５】
（Ｙ）もしくは（Ｃ）が付されて示される４ワード（３ＦＦ，０００，０００，ＸＹＺ）にあっては、始めの３ワード（３ＦＦ，０００，０００）が、ワード同期あるいはライン同期を確立するためのものであり、また、最後の１ワード（ＸＹＺ）が、同一フレームにおける第１フィールドと第２フィールドとの識別のため、あるいは、タイミング基準コードデータ：ＳＡＶとタイミング基準コードデータ：ＥＡＶとの識別のためのものである（以下において同様）。
【０００６】
また、Ｇ，Ｂ，Ｒ形式のＨＤディジタル映像信号も、フレームレートが３０Ｈｚとされたもとでの飛び越し走査用の信号とされ、例えば、図６５に示される如くのデータフォーマットに従うものとされる。図６５に示されるデータフォーマットは、図６５のＡに示される如くの、映像信号における緑色原色信号情報をあらわす緑色原色信号データ系列（Ｇデータ系列）と、図６５のＢに示される如くの、映像信号における青色原色信号情報をあらわす青色原色信号データ系列（Ｂデータ系列）と、図６５のＣに示される如くの、映像信号における赤色原色信号情報をあらわす赤色原色信号データ系列（Ｒデータ系列）とから成り、Ｇデータ系列，Ｂデータ系列及びＲデータ系列の夫々は、量子化ビット数を１０ビットとし、従って、それを形成するワードデータの各々は、１０ビット構成とされ、また、そのワード伝送レートは、例えば、７４．２５ＭＢｐｓとされる。そして、図６５のＡ，Ｂ及びＣには、夫々、Ｇデータ系列，Ｂデータ系列及びＲデータ系列における各ライン部中のラインブランキング部及びその前後における映像データ部の一部分が示されている。
【０００７】
Ｇデータ系列，Ｂデータ系列及びＲデータ系列の夫々にあっては、各映像データ部の直前に、各々が１０ビット構成とされる４ワード（３ＦＦ（Ｇ），０００（Ｇ），０００（Ｇ）及びＸＹＺ（Ｇ）（（Ｇ）はＧデータ系列中のワードであることをあらわす。），３ＦＦ（Ｂ），０００（Ｂ），０００（Ｂ）及びＸＹＺ（Ｂ）（（Ｂ）はＢデータ系列中のワードであることをあらわす。）、もしくは、３ＦＦ（Ｒ），０００（Ｒ），０００（Ｒ）及びＸＹＺ（Ｒ）（（Ｒ）はＲデータ系列中のワードであることをあらわす。））から成るタイミング基準コードデータ：ＳＡＶが配されるとともに、各映像データ部の直後に、各々が１０ビット構成とされる４ワード（３ＦＦ（Ｇ），０００（Ｇ），０００（Ｇ）及びＸＹＺ（Ｇ），３ＦＦ（Ｂ），０００（Ｂ），０００（Ｂ）及びＸＹＺ（Ｂ）、もしくは、３ＦＦ（Ｒ），０００（Ｒ），０００（Ｒ）及びＸＹＺ（Ｒ））から成るタイミング基準コードデータ：ＥＡＶが配される。勿論、Ｇデータ系列，Ｂデータ系列及びＲデータ系列の夫々におけるタイミング基準コードデータ：ＥＡＶ及びＳＡＶの各々は、Ｇデータ系列，Ｂデータ系列及びＲデータ系列の夫々における各ラインブランキング部に配される。
【０００８】
現行のＨＤＴＶシステムにあっては、上述の如くのフレームレートが３０Ｈｚとされたもとでの飛び越し走査用とされたＹ，ＰB ／ＰR 形式もしくはＧ，Ｂ，Ｒ形式のＨＤディジタル映像信号が用いられているが、これに対して、次世代のＨＤＴＶシステムとして、フレームレートが６０Ｈｚとされたもとで、各フレーム画像が第１及び第２フィールドに分けられることなく形成される順次走査用とされた、Ｙ，ＰB ／ＰR 形式もしくはＧ，Ｂ，Ｒ形式のＨＤディジタル映像信号を用いるシステムが提案されている。飛び越し走査用とされた、Ｙ，ＰB ／ＰR 形式もしくはＧ，Ｂ，Ｒ形式のＨＤディジタル映像信号は、フィールドインターレース(Field Interlace) 方式のＨＤディジタル映像信号と称され、また、順次走査用とされた、Ｙ，ＰB ／ＰR 形式もしくはＧ，Ｂ，Ｒ形式のＨＤディジタル映像信号は、プログレッシブ(Progressive) 方式のＨＤディジタル映像信号と称される。
【０００９】
フレームレートが６０Ｈｚとされたプログレッシブ方式のＨＤディジタル映像信号を成すディジタルデータは、米国のＳＭＰＴＥ（Society of Motion Picture and Television Engineers: 映画及びテレビジョン技術者協会）により制定された規格:SMPTE 247M によるフォーマットの規格化が図られている。斯かる SMPTE 247M により規格化されたフォーマットにあっては、フレームレート: ６０Ｈｚの他、ラインあたりの有効データサンプル数：１９２０サンプル，フレームあたり有効ライン数：１０８０ライン，サンプリング周波数：１４８．５ＭＨｚもしくは１４８．５／１．００１ＭＨｚ（本願においてはこれらのいずれをも１４８．５ＭＨｚという。），量子化ビット数：８ビットもしくは１０ビット等々が決められている。そして、パラレルデータインターフェースは、Ｙ，ＰB ／ＰR 形式の場合、８ビット×２＝１６ビットもしくは１０ビット×２＝２０ビットであり、Ｇ，Ｂ，Ｒ形式の場合、８ビット×３＝２４ビットもしくは１０ビット×３＝３０ビットである。
【００１０】
量子化ビット数が８ビットもしくは１０ビットとされたディジタル映像信号を成すディジタルデータにあっては、映像信号情報をあらわすためには用いられないコードが禁止コードとして決められている。例えば、量子化ビット数が８ビットである場合、禁止コードは、１６進表現で００ｈ及びＦＦｈ（添字ｈは１６進数であることをあらわす）、即ち、0000 0000 及び 1111 1111とされ、また、量子化ビット数が１０ビットである場合、禁止コードは、１６進表現で０００ｈ〜００３ｈ及び３ＦＣｈ〜３ＦＦｈ、即ち、 00 0000 0000 〜 00 0000 0011 及び 11 1111 1100 〜 11 1111 1111 とされる。
【００１１】
なお、Ｙ，ＰB ／ＰR 形式の場合、ＰB データ系列及びＰR データ系列の夫々のサンプリング周波数が、Ｙデータ系列のサンプリング周波数の１／２とされる。以下おいては、必要に応じて、Ｙ，ＰB ／ＰR 形式を４：２：２形式とあらわす。また、Ｇ，Ｂ，Ｒ形式の場合、Ｇデータ系列，Ｂデータ系列及びＲデータ系列の夫々のサンプリング周波数が同一とされる。以下おいては、必要に応じて、Ｇ，Ｂ，Ｒ形式を４：４：４形式とあらわす。
【００１２】
また、ＨＤディジタル映像信号とは別に、例えば、秒あたり２４コマ（２４コマ／秒）のフィルムを通じて映写される映画の動画像をＨＤＴＶシステムによる画像と同等の画質をもって実現するための、プログレッシブ方式のディジタル映像信号が提案されている。以下、このようなディジタル映像信号を、Ｄ−Ｃｉｎｅｍａ信号と呼ぶ。
【００１３】
Ｄ−Ｃｉｎｅｍａ信号は、例えば、フレームレートを２４Ｈｚあるいは２４／１．００１Ｈｚ（本願においてはこれらのいずれをも２４Ｈｚという。）とするプログレッシブ方式のディジタル映像信号と言うことができるが、広義のＤ−Ｃｉｎｅｍａ信号のフレームレートは、２４Ｈｚに限られず、２５Ｈｚ，３０Ｈｚ，さらには、５０Ｈｚ，６０Ｈｚ等も考えられる。フレームレートを２４Ｈｚ，２５Ｈｚ，３０Ｈｚ，５０Ｈｚ及び６０Ｈｚとするディジタル映像信号を成すディジタルデータについては、そのフォーマットが SMPTE 247M により規格化されており、フレームレート: ２４Ｈｚ，２５Ｈｚ，３０Ｈｚ，５０Ｈｚもしくは６０Ｈｚの他、ラインあたりの有効データサンプル数：１９２０サンプル，フレームあたり有効ライン数：１０８０ライン，サンプリング周波数：７４．２５ＭＨｚあるいは７４．２５／１．００１ＭＨｚ（本願においてはこれらのいずれをも７４．２５ＭＨｚという。）、もしくは、１４８．５ＭＨｚ，量子化ビット数：８ビットもしくは１０ビット等々が決められている。そして、パラレルデータインターフェースは、４：２：２形式の場合、８ビット×２＝１６ビットもしくは１０ビット×２＝２０ビットであり、４：４：４形式の場合、８ビット×３＝２４ビットもしくは１０ビット×３＝３０ビットである。
【００１４】
斯かる状況の中で、ＨＤディジタル映像信号あるいはＤ−Ｃｉｎｅｍａ信号を形成するディジタルデータについて、例えば、それに基づいて再生される画像の解像度の更なる向上を求めて、量子化ビット数を、従前の８ビットもしくは１０ビットを越えるビット数、例えば、１２ビット，１４ビット，１６ビット等とすることが望まれるようになってきている。しかしながら、前述の SMPTE 247M 等を含む現行のディジタル映像信号を成すディジタルデータに関する規格にあっては、量子化ビット数を８ビットもしくは１０ビットとするものについての規格化は図られているが、量子化ビット数を８ビットもしくは１０ビットを越えるビット数、例えば、１２ビット，１４ビット，１６ビット等とするものについては規格化されていない。
【００１５】
また、ディジタル映像信号を成すディジタルデータの伝送にあたっては、シリアルデータに変換されて伝送されるシリアル伝送が望まれることになる。しかしながら、現在においては、フレームレートを３０Ｈｚとする４：２：２形式のディジタル映像信号を成す、量子化ビット数を８ビットもしくは１０ビットするディジタルデータについて、前述のＢＴＡによって制定された規格であるBTA S-004 による HD SDI (High Definition  Serial Digital Interface) を用いて伝送することが規格化されているだけで、他の態様のディジタルデータ、例えば、フレームレートを５０Ｈｚもしくは６０Ｈｚとする４：２：２形式あるいは４：４：４形式のディジタル映像信号を成すディジタルデータ，４：４：４形式のディジタル映像信号を成す量子化ビット数を１０ビットとするディジタルデータ，４：２：２形式もしくは４：４：４形式のディジタル映像信号を成す、量子化ビット数を１０ビットを越えるものとするディジタルデータ等のシリアル伝送については、規格化されていない。
【００１６】
このようにして映像信号のディジタル化が図られるもとで、例えば、ディジタルビデオカメラ装置を用いてディジタル映像信号を得るあたり、ディジタルビデオカメラ装置を、そのフレーム処理速度を標準の３倍，４倍，５倍とされる３倍速，４倍速，５倍速等とする状態で作動させて、倍速ディジタル映像信号を得ることも提案されている。このような倍速ディジタル映像信号は、それを標準のフレーム処理速度をもって再生画像に供すると、高精細度スロー画像が得られるものとなる。
【００１７】
そして、倍速ディジタル映像信号を成すディジタルデータは、その基本的データ構造をフレームレートを２４Ｈｚ，２５Ｈｚもしくは３０Ｈｚとするプログレッシブ方式のディジタル映像信号と同様とし、フレームレートをそれらの３倍，４倍，５倍等、即ち、７２Ｈｚ，７５Ｈｚ，９０Ｈｚ，１２０Ｈｚ等とするものである。
【００１８】
さらに、上述の如くにディジタル化が図られる映像信号に関連して、当該映像信号が他の映像信号と合成される際に利用される、Ｋｅｙ信号 (Key Signal) が提案されている。Ｋｅｙ信号は、関連するディジタル映像信号についての不透明さあるいは透明さ (opacity or transparency)をあらわす信号であって、“SMPTE RECOMMENDED PRACTICE”RP 157-1995 として推奨されている。
【００１９】
４：２：２形式のディジタル映像信号に関連するＫｅｙ信号は、それを成すディジタルデータであるＫｅｙ信号データ系列が、当該ディジタル映像信号を成すディジタルデータに含まれるＹデータ系列と同等のデータフォーマットを有し、Ｙデータ系列と同様に扱われるものとされる。また、４：４：４形式のディジタル映像信号に関連するＫｅｙ信号は、それを成すディジタルデータであるＫｅｙ信号データ系列が、当該ディジタル映像信号を成すディジタルデータに含まれるＧデータ系列と同等のデータフォーマットを有し、Ｇデータ系列と同様に扱われるものとされる。
【００２０】
【発明が解決しようとする課題】
前述の倍速ディジタル映像信号を成すディジタルデータ、あるいは、広義のＤ−Ｃｉｎｅｍａ信号を成すディジタルデータを含む、フレームレートを５０Ｈｚ，６０Ｈｚ，７２Ｈｚ，７５Ｈｚ，９０Ｈｚ，１２０Ｈｚ等とする、４：２：２形式あるいは４：４：４形式のディジタル映像信号を成すディジタルデータの伝送にあたっても、当該ディジタル映像信号を成すディジタルデータとそれに関連するＫｅｙ信号データ系列とを伝送することが要求される場合が少なくない。そして、斯かる際には、４：２：２形式あるいは４：４：４形式のディジタル映像信号を成すディジタルデータに加えて、それに関連するＫｅｙ信号データ系列が、伝送されるディジタル映像信号を成すディジタルデータに付随する付加情報データ系列として伝送されること、さらには、このような両者の伝送が、例えば、ディジタル映像信号を成すディジタルデータについての規格BTA S-004 による HD SDI に従ったシリアル伝送に用いられる、現存する回路構成要素が利用されて行われるようにされることが、実施にあたっての容易さ，コストの低減化等の観点から望まれる。
【００２１】
しかしながら、前述の如くに、ディジタル映像信号を成すディジタルデータのシリアル伝送に関しては、フレームレートを３０Ｈｚとする４：２：２形式のディジタル映像信号を成す、量子化ビット数を８ビットもしくは１０ビットとするディジタルデータについて、 HD SDI を用いて伝送することが規格化されているだけに止まる現状のもとにあっては、倍速ディジタルビデオ信号あるいは広義のＤ−Ｃｉｎｅｍａ信号等の、フレームレートを５０Ｈｚ，６０Ｈｚ，７２Ｈｚ，７５Ｈｚ，９０Ｈｚ，１２０Ｈｚ等とする４：２：２形式あるいは４：４：４形式のディジタル映像信号を成すディジタルデータとそれに関連するＫｅｙ信号データ系列との伝送を、Ｋｅｙ信号データ系列を伝送されるディジタル映像信号を成すディジタルデータに付随する付加情報データ系列とし、例えば、HD SDIに従ったシリアル伝送に用いられる現存する回路構成要素を利用して、適切に実現することができる伝送システムの具体例は見当たらない。また、このようなシリアル伝送システムに関する技術について記載された文献等も見出せない。
【００２２】
斯かる点に鑑み、本願の特許請求の範囲に記載された発明は、倍速ディジタルビデオ信号あるいは広義のＤ−Ｃｉｎｅｍａ信号等を含む、フレームレートを５０Ｈｚ，６０Ｈｚ，７２Ｈｚ，７５Ｈｚ，９０Ｈｚ，１２０Ｈｚ等とする、４：２：２形式あるいは４：４：４形式のディジタル映像信号を成すディジタルデータとそれに関連するＫｅｙ信号データ系列との伝送を、Ｋｅｙ信号データ系列を伝送されるディジタル映像信号を成すディジタルデータに付随する付加情報データ系列とした状態で行うことができ、しかも、例えば、HD SDIに従ったシリアル伝送に用いられる現存する回路構成要素を利用して、適切に実現することができるデータ伝送方法及びその実施に供されるデータ伝送装置を提供する。
【００２３】
【課題を解決するための手段】
本願の特許請求の範囲における請求項１から請求項４までのいずれかに記載された発明に係るデータ伝送方法は、フレームレートを５０Ｈｚもしくは６０Ｈｚとし、各フレームにおける有効ライン数を１０８０ラインとするディジタル映像信号を成し、各々が量子化ビット数を１０ビットとしてワード伝送レートを１４８．５ＭＢｐｓとするＹデータ系列及びＰB ／ＰR データ系列と、Ｙデータ系列と同等のデータフォーマットを有し、量子化ビット数を１０ビットとしてワード伝送レートを１４８．５ＭＢｐｓとする付加情報データ系列とを含む３０ビットパラレルデータに、第１の一つ置きのフレーム部を第１のメモリに格納するとともに第２の一つ置きのフレーム部を第２のメモリに格納し、第１のメモリに格納されたフレーム部及び第２のメモリに格納されたフレーム部の夫々を、フレームレートを２５Ｈｚもしくは３０Ｈｚとするセグメンテッドフレームディジタル映像信号を成すＹデータ系列及びＰB ／ＰR データ系列と付加情報データ系列とを含む３０ビットパラレルデータを形成するものとして読み出して、各々がワード伝送レートを７４．２５ＭＢｐｓとする第１及び第２の３０ビットワード列データを得、第１の３０ビットワード列データに含まれるＹデータ系列及びＰB ／ＰR データ系列に基づく、ワード伝送レートを７４．２５ＭＢｐｓとする第１の２０ビットワード列データと、第１の３０ビットワード列データに含まれる付加情報データ系列と補助１０ビットワード列とに基づく、ワード伝送レートを７４．２５ＭＢｐｓとする第２の２０ビットワード列データとを形成するとともに、第２の３０ビットワード列データに含まれるＹデータ系列及びＰB ／ＰR データ系列に基づく、ワード伝送レートを７４．２５ＭＢｐｓとする第３の２０ビットワード列データと、第２の３０ビットワード列データに含まれる付加情報データ系列と補助１０ビットワード列に基づく、ワード伝送レートを７４．２５ＭＢｐｓとする第４の２０ビットワード列データとを形成するデータ処理を施し、第１から第４までの２０ビットワード列データに夫々基づく第１から第４までのシリアルデータを得て、それらを伝送すべく送出するものとされる。
【００２４】
本願の特許請求の範囲における請求項５から請求項８までのいずれかに記載された発明に係るデータ伝送方法は、フレームレートを５０Ｈｚもしくは６０Ｈｚとし、各フレームにおける有効ライン数を１０８０ラインとするディジタル映像信号を成し、各々が量子化ビット数を１０ビットとしてワード伝送レートを１４８．５ＭＢｐｓとするＧデータ系列，Ｂデータ系列及びＲデータ系列と、Ｇデータ系列と同等のデータフォーマットを有し、量子化ビット数を１０ビットとしてワード伝送レートを１４８．５ＭＢｐｓとする付加情報データ系列とを含む４０ビットパラレルデータに、第１の一つ置きのフレーム部を第１のメモリに格納するとともに第２の一つ置きのフレーム部を第２のメモリに格納し、第１のメモリに格納されたフレーム部及び第２のメモリに格納されたフレーム部の夫々を、フレームレートを２５Ｈｚもしくは３０Ｈｚとするセグメンテッドフレームディジタル映像信号を成すＧデータ系列，Ｂデータ系列及びＲデータ系列と付加情報データ系列とを含む４０ビットパラレルデータを形成するものとして読み出して、各々がワード伝送レートを７４．２５ＭＢｐｓとする第１及び第２の４０ビットワード列データを得、第１の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第１のワードグループと、付加情報データ系列を形成する１０ビットワードとＢデータ系列及びＲデータ系列を形成する１０ビットワードの他の一部とを含む第２のワードグループとに振り分け、第１のワードグループに基づく、ワード伝送レートを７４．２５ＭＢｐｓする第１の２０ビットワード列データと、第２のワードグループに基づく、ワード伝送レートを７４．２５ＭＢｐｓとする第２の２０ビットワード列データとを形成するとともに、第２の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第３のワードグループと、付加情報データ系列を形成する１０ビットワードとＢデータ系列及びＲデータ系列を形成する１０ビットワードの他の一部とを含む第４のワードグループとに振り分け、第３のワードグループに基づく、ワード伝送レートを７４．２５ＭＢｐｓする第３の２０ビットワード列データと、第４のワードグループに基づく、ワード伝送レートを７４．２５ＭＢｐｓとする第４の２０ビットワード列データとを形成するデータ処理を施し、第１から第４までの２０ビットワード列データに夫々基づく第１から第４までのシリアルデータを得て、それらを伝送すべく送出するものとされる。
【００２５】
本願の特許請求の範囲における請求項９から請求項１２までのいずれかに記載された発明に係るデータ伝送方法は、フレームレートを７２Ｈｚ，７５Ｈｚもしくは９０Ｈｚとし、各フレームにおける有効ライン数を１０８０ラインとするディジタル映像信号を成し、各々が量子化ビット数を１０ビットとしてワード伝送レートを２２２．７５ＭＢｐｓとするＹデータ系列及びＰB ／ＰR データ系列と、Ｙデータ系列と同等のデータフォーマットを有し、量子化ビット数を１０ビットとしてワード伝送レートを２２２．７５ＭＢｐｓとする付加情報データ系列とを含む３０ビットパラレルデータに、第１の二つ置きのフレーム部を第１のメモリに，第２の二つ置きのフレーム部を第２のメモリに、及び、第３の二つ置きのフレーム部を第３のメモリに格納し、第１のメモリに格納されたフレーム部，第２のメモリに格納されたフレーム部及び第３のメモリに格納されたフレーム部の夫々を、フレームレートを２４Ｈｚ，２５Ｈｚもしくは３０Ｈｚとするセグメンテッドフレームディジタル映像信号を成すＹデータ系列及びＰB ／ＰR データ系列と付加情報データ系列とを含む３０ビットパラレルデータを形成するものとして読み出して、各々がワード伝送レートを７４．２５ＭＢｐｓとする第１，第２及び第３の３０ビットワード列データを得、第１の３０ビットワード列データに含まれるＹデータ系列及びＰB ／ＰR データ系列に基づく、ワード伝送レートを７４．２５ＭＢｐｓとする第１の２０ビットワード列データと、第１の３０ビットワード列データに含まれる付加情報データ系列と補助１０ビットワード列とに基づく、ワード伝送レートを７４．２５ＭＢｐｓとする第２の２０ビットワード列データとを形成し、第２の３０ビットワード列データに含まれるＹデータ系列及びＰB ／ＰR データ系列に基づく、ワード伝送レートを７４．２５ＭＢｐｓとする第３の２０ビットワード列データと、第２の３０ビットワード列データに含まれる付加情報データ系列と補助１０ビットワード列とに基づく、ワード伝送レートを７４．２５ＭＢｐｓとする第４の２０ビットワード列データとを形成し、第３の３０ビットワード列データに含まれるＹデータ系列及びＰB ／ＰR データ系列に基づく、ワード伝送レートを７４．２５ＭＢｐｓとする第５の２０ビットワード列データと、第３の３０ビットワード列データに含まれる付加情報データ系列と補助１０ビットワード列とに基づく、ワード伝送レートを７４．２５ＭＢｐｓとする第６の２０ビットワード列データとを形成するデータ処理を施し、第１から第６までの２０ビットワード列データに夫々基づく第１から第６までのシリアルデータを得て、それらを伝送すべく送出するものとされる。
【００２６】
本願の特許請求の範囲における請求項１３から請求項１６までのいずれかに記載された発明に係るデータ伝送方法は、フレームレートを５０Ｈｚもしくは６０Ｈｚとし、各フレームにおける有効ライン数を１０８０ラインとするディジタル映像信号を成し、各々が量子化ビット数を１２ビット，１４ビットもしくは１６ビットとしてワード伝送レートを１４８．５ＭＢｐｓとするＹデータ系列及びＰB ／ＰR データ系列と、Ｙデータ系列と同等のデータフォーマットを有し、量子化ビット数を１２ビット，１４ビットもしくは１６ビットとしてワード伝送レートを１４８．５ＭＢｐｓとする付加情報データ系列とを含む３６ビット，４２ビットもしくは４８ビットパラレルデータに、第１の一つ置きのフレーム部を第１のメモリに格納するとともに第２の一つ置きのフレーム部を第２のメモリに格納し、第１のメモリに格納されたフレーム部及び第２のメモリに格納されたフレーム部の夫々を、フレームレートを２５Ｈｚもしくは３０Ｈｚとするセグメンテッドフレームディジタル映像信号を成すＹデータ系列及びＰB ／ＰR データ系列と付加情報データ系列とを含む３６ビット，４２ビットもしくは４８ビットパラレルデータを形成するものとして読み出して、各々がワード伝送レートを７４．２５ＭＢｐｓとする第１及び第２の３６ビット，４２ビットもしくは４８ビットワード列データを得、第１の３６ビット，４２ビットもしくは４８ビットワード列データに含まれるＹデータ系列，ＰB ／ＰR データ系列及び付加情報データ系列の夫々を形成する、各１２ビット，１４ビットもしくは１６ビットワードを上位１０ビットと下位２ビット，４ビットもしくは６ビットとに分割し、Ｙデータ系列及びＰB ／ＰR データ系列から分割された複数の上位１０ビットに基づく、ワード伝送レートを７４．２５ＭＢｐｓとする第１の２０ビットワード列データと、Ｙデータ系列及びＰB ／ＰR データ系列から分割された複数の下位２ビット，４ビットもしくは６ビットと複数の補助ビットとに基づく、ワード伝送レートを７４．２５ＭＢｐｓとする第２の２０ビットワード列データと、付加情報データ系列から分割された複数の上位１０ビット及び複数の下位２ビット，４ビットもしくは６ビットと複数の補助ビットとに基づく、ワード伝送レートを７４．２５ＭＢｐｓとする第３の２０ビットワード列データとを形成するとともに、第２の３６ビット，４２ビットもしくは４８ビットワード列データに含まれるＹデータ系列，ＰB ／ＰR データ系列及び付加情報データ系列の夫々を形成する、各１２ビット，１４ビットもしくは１６ビットワードを上位１０ビットと下位２ビット，４ビットもしくは６ビットとに分割し、Ｙデータ系列及びＰB ／ＰR データ系列から分割された複数の上位１０ビットに基づく、ワード伝送レートを７４．２５ＭＢｐｓとする第４の２０ビットワード列データと、Ｙデータ系列及びＰB ／ＰR データ系列から分割された複数の下位２ビット，４ビットもしくは６ビットと複数の補助ビットとに基づく、ワード伝送レートを７４．２５ＭＢｐｓとする第５の２０ビットワード列データと、付加情報データ系列から分割された複数の上位１０ビット及び複数の下位２ビット，４ビットもしくは６ビットと複数の補助ビッ���とに基づく、ワード伝送レートを７４．２５ＭＢｐｓとする第６の２０ビットワード列データとを形成するデータ処理を施し、第１から第６までの２０ビットワード列データに夫々基づく第１から第６までのシリアルデータを得て、それらを伝送すべく送出するものとされる。
【００２７】
本願の特許請求の範囲における請求項１７から請求項２０までのいずれかに記載された発明に係るデータ伝送方法は、フレームレートを５０Ｈｚもしくは６０Ｈｚとし、各フレームにおける有効ライン数を１０８０ラインとするディジタル映像信号を成し、各々が量子化ビット数を１２ビットとしてワード伝送レートを１４８．５ＭＢｐｓとするＧデータ系列，Ｂデータ系列及びＲデータ系列と、Ｇデータ系列と同等のデータフォーマットを有し、量子化ビット数を１２ビットとしてワード伝送レートを１４８．５ＭＢｐｓとする付加情報データ系列とを含む４８ビットパラレルデータに、第１の一つ置きのフレーム部を第１のメモリに格納するとともに第２の一つ置きのフレーム部を第２のメモリに格納し、第１のメモリに格納されたフレーム部及び第２のメモリに格納されたフレーム部の夫々を、フレームレートを２５Ｈｚもしくは３０Ｈｚとするセグメンテッドフレームディジタル映像信号を成すＧデータ系列，Ｂデータ系列及びＲデータ系列と付加情報データ系列とを含む４８ビットパラレルデータを形成するものとして読み出して、各々がワード伝送レートを７４．２５ＭＢｐｓとする第１及び第２の４８ビットワード列データを得、第１の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第１の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第２の２０ビットワード列データと、付加情報データ系列から分割された複数の上位１０ビット及び複数の下位２ビットと複数の補助ビットとに基づく、ワード伝送レートを７４．２５ＭＢｐｓとする第３の２０ビットワード列データとを形成し、第２の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第４の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第５の２０ビットワード列データと、付加情報データ系列から分割された複数の上位１０ビット及び複数の下位２ビットと複数の補助ビットとに基づく、ワード伝送レートを７４．２５ＭＢｐｓとする第６の２０ビットワード列データとを形成するデータ処理を施し、第１から第６までの２０ビットワード列データに夫々基づく第１から第６までのシリアルデータを得て、それらを伝送すべく送出するものとされる。
【００２８】
本願の特許請求の範囲における請求項２１から請求項２４までのいずれかに記載された発明に係るデータ伝送方法は、フレームレートを７２Ｈｚ，７５Ｈｚもしくは９０Ｈｚとし、各フレームにおける有効ライン数を１０８０ラインとするディジタル映像信号を成し、各々が量子化ビット数を１０ビットとしてワード伝送レートを２２２．７５ＭＢｐｓとするＧデータ系列，Ｂデータ系列及びＲデータ系列と、Ｇデータ系列と同等のデータフォーマットを有し、量子化ビット数を１０ビットとしてワード伝送レートを２２２．７５ＭＢｐｓとする付加情報データ系列とを含む４０ビットパラレルデータに、第１の二つ置きのフレーム部を第１のメモリに，第２の二つ置きのフレーム部を第２のメモリに、及び、第３の二つ置きのフレーム部を第３のメモリに格納し、第１のメモリに格納されたフレーム部，第２のメモリに格納されたフレーム部及び第３のメモリに格納されたフレーム部の夫々を、フレームレートを２４Ｈｚ，２５Ｈｚもしくは３０Ｈｚとするセグメンテッドフレームディジタル映像信号を成すＧデータ系列，Ｂデータ系列及びＲデータ系列と付加情報データ系列とを含む４０ビットパラレルデータを形成するものとして読み出して、各々がワード伝送レートを７４．２５ＭＢｐｓとする第１，第２及び第３の４０ビットワード列データを得、第１の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第１のワードグループと、付加情報データ系列を形成する１０ビットワードとＢデータ系列及びＲデータ系列を形成する１０ビットワードの他の一部とを含む第２のワードグループとに振り分け、第１のワードグループに基づく、ワード伝送レートを７４．２５ＭＢｐｓする第１の２０ビットワード列データと、第２のワードグループに基づく、ワード伝送レートを７４．２５ＭＢｐｓとする第２の２０ビットワード列データとを形成し、第２の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第３のワードグループと、付加情報データ系列を形成する１０ビットワードとＢデータ系列及びＲデータ系列を形成する１０ビットワードの他の一部とを含む第４のワードグループとに振り分け、第３のワードグループに基づく、ワード伝送レートを７４．２５ＭＢｐｓする第３の２０ビットワード列データと、第４のワードグループに基づく、ワード伝送レートを７４．２５ＭＢｐｓとする第４の２０ビットワード列データとを形成し、第３の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第５のワードグループと、付加情報データ系列を形成する１０ビットワードとＢデータ系列及びＲデータ系列を形成する１０ビットワードの他の一部とを含む第６のワードグループとに振り分け、第５のワードグループに基づく、ワード伝送レートを７４．２５ＭＢｐｓする第５の２０ビットワード列データと、第６のワードグループに基づく、ワード伝送レートを７４．２５ＭＢｐｓとする第６の２０ビットワード列データとを形成するデータ処理を施し、第１から第６までの２０ビットワード列データに夫々基づく第１から第６までのシリアルデータを得て、それらを伝送すべく送出するものとされる。
【００２９】
本願の特許請求の範囲における請求項２５から請求項２７までのいずれかに記載された発明に係るデータ伝送方法は、フレームレートを１２０Ｈｚとし、各フレームにおける有効ライン数を１０８０ラインとするディジタル映像信号を成し、各々が量子化ビット数を１０ビットとしてワード伝送レートを２９７ＭＢｐｓとするＹデータ系列及びＰB ／ＰR データ系列と、Ｙデータ系列と同等のデータフォーマットを有し、量子化ビット数を１０ビットとしてワード伝送レートを２９７ＭＢｐｓとする付加情報データ系列とを含む３０ビットパラレルデータに、第１の三つ置きのフレーム部を第１のメモリに，第２の三つ置きのフレーム部を第２のメモリに，第３の三つ置きのフレーム部を第３のメモリに、及び、第４の三つ置きのフレーム部を第４のメモリに格納し、第１のメモリに格納されたフレーム部，第２のメモリに格納されたフレーム部，第３のメモリに格納されたフレーム部及び第４のメモリに格納されたフレーム部の夫々を、フレームレートを３０Ｈｚとするセグメンテッドフレームディジタル映像信号を成すＹデータ系列及びＰB ／ＰR データ系列と付加情報データ系列とを含む３０ビットパラレルデータを形成するものとして読み出して、各々がワード伝送レートを７４．２５ＭＢｐｓとする第１から第４までの３０ビットワード列データを得、第１の３０ビットワード列データに含まれるＹデータ系列及びＰB ／ＰR データ系列に基づく、ワード伝送レートを７４．２５ＭＢｐｓとする第１の２０ビットワード列データと、第１の３０ビットワード列データに含まれる付加情報データ系列と補助１０ビットワード列とに基づく、ワード伝送レートを７４．２５ＭＢｐｓとする第２の２０ビットワード列データとを形成し、第２の３０ビットワード列データに含まれるＹデータ系列及びＰB ／ＰR データ系列に基づく、ワード伝送レートを７４．２５ＭＢｐｓとする第３の２０ビットワード列データと、第２の３０ビットワード列データに含まれる付加情報データ系列と補助１０ビットワード列とに基づく、ワード伝送レートを７４．２５ＭＢｐｓとする第４の２０ビットワード列データとを形成し、第３の３０ビットワード列データに含まれるＹデータ系列及びＰB ／ＰR データ系列に基づく、ワード伝送レートを７４．２５ＭＢｐｓとする第５の２０ビットワード列データと、第３の３０ビットワード列データに含まれる付加情報データ系列と補助１０ビットワード列とに基づく、ワード伝送レートを７４．２５ＭＢｐｓとする第６の２０ビットワード列データとを形成し、第４の３０ビットワード列データに含まれるＹデータ系列及びＰB ／ＰR データ系列に基づく、ワード伝送レートを７４．２５ＭＢｐｓとする第７の２０ビットワード列データと、第４の３０ビットワード列データに含まれる付加情報データ系列と補助１０ビットワード列とに基づく、ワード伝送レートを７４．２５ＭＢｐｓとする第８の２０ビットワード列データとを形成するデータ処理を施し、第１から第８までの２０ビットワード列データに夫々基づく第１から第８までのシリアルデータを得て、それらを伝送すべく送出するものとされる。
【００３０】
本願の特許請求の範囲における請求項２８から請求項３０までのいずれかに記載された発明に係るデータ伝送方法は、フレームレートを１２０Ｈｚとし、各フレームにおける有効ライン数を１０８０ラインとするディジタル映像信号を成し、各々が量子化ビット数を１０ビットとしてワード伝送レートを２９７ＭＢｐｓとするＧデータ系列，Ｂデータ系列及びＲデータ系列と、Ｇデータ系列と同等のデータフォーマットを有し、量子化ビット数を１０ビットとしてワード伝送レートを２９７ＭＢｐｓとする付加情報データ系列とを含む４０ビットパラレルデータに、第１の三つ置きのフレーム部を第１のメモリに，第２の三つ置きのフレーム部を第２のメモリに，第３の三つ置きのフレーム部を第３のメモリに、及び、第４の三つ置きのフレーム部を第４のメモリに格納し、第１のメモリに格納されたフレーム部，第２のメモリに格納されたフレーム部，第３のメモリに格納されたフレーム部及び第４のメモリに格納されたフレーム部の夫々を、フレームレートを３０Ｈｚとするセグメンテッドフレームディジタル映像信号を成すＧデータ系列，Ｂデータ系列及びＲデータ系列と付加情報データ系列とを含む４０ビットパラレルデータを形成するものとして読み出して、各々がワード伝送レートを７４．２５ＭＢｐｓとする第１から第４までの４０ビットワード列データを得、第１の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第１のワードグループと、付加情報データ系列を形成する１０ビットワードとＢデータ系列及びＲデータ系列を形成する１０ビットワードの他の一部とを含む第２のワードグループとに振り分け、第１のワードグループに基づく、ワード伝送レートを７４．２５ＭＢｐｓする第１の２０ビットワード列データと、第２のワードグループに基づく、ワード伝送レートを７４．２５ＭＢｐｓとする第２の２０ビットワード列データとを形成し、第２の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第３のワードグループと、付加情報データ系列を形成する１０ビットワードとＢデータ系列及びＲデータ系列を形成する１０ビットワードの他の一部とを含む第４のワードグループとに振り分け、第３のワードグループに基づく、ワード伝送レートを７４．２５ＭＢｐｓする第３の２０ビットワード列データと、第４のワードグループに基づく、ワード伝送レートを７４．２５ＭＢｐｓとする第４の２０ビットワード列データとを形成し、第３の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第５のワードグループと、付加情報データ系列を形成する１０ビットワードとＢデータ系列及びＲデータ系列を形成する１０ビットワードの他の一部とを含む第６のワードグループとに振り分け、第５のワードグループに基づく、ワード伝送レートを７４．２５ＭＢｐｓする第５の２０ビットワード列データと、第６のワードグループに基づく、ワード伝送レートを７４．２５ＭＢｐｓとする第６の２０ビットワード列データとを形成し、第４の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第７のワードグループと、付加情報データ系列を形成する１０ビットワードとＢデータ系列及びＲデータ系列を形成する１０ビットワードの他の一部とを含む第８のワードグループとに振り分け、第７のワードグループに基づく、ワード伝送レートを７４．２５ＭＢｐｓする第７の２０ビットワード列データと、第８のワードグループに基づく、ワード伝送レートを７４．２５ＭＢｐｓとする第８の２０ビットワード列データとを形成するデータ処理を施し、第１から第８までの２０ビットワード列データに夫々基づく第１から第８までのシリアルデータを得て、それらを伝送すべく送出するものとされる。
【００３１】
本願の特許請求の範囲における請求項３１から請求項３３までのいずれかに記載された発明に係るデータ伝送方法は、フレームレートを７２Ｈｚ，７５Ｈｚもしくは９０Ｈｚとし、各フレームにおける有効ライン数を１０８０ラインとするディジタル映像信号を成し、各々が量子化ビット数を１２ビット，１４ビットもしくは１６ビットとしてワード伝送レートを２２２．７５ＭＢｐｓとするＹデータ系列及びＰB ／ＰR データ系列と、Ｙデータ系列と同等のデータフォーマットを有し、量子化ビット数を１２ビット，１４ビットもしくは１６ビットとしてワード伝送レートを２２２．７５ＭＢｐｓとする付加情報データ系列とを含む３６ビット，４２ビットもしくは４８ビットパラレルデータに、第１の二つ置きのフレーム部を第１のメモリに，第２の二つ置きのフレーム部を第２のメモリに、及び、第３の二つ置きのフレーム部を第３のメモリに格納し、第１のメモリに格納されたフレーム部，第２のメモリに格納されたフレーム部及び第３のメモリに格納されたフレーム部の夫々を、フレームレートを２４Ｈｚ，２５Ｈｚもしくは３０Ｈｚとするセグメンテッドフレームディジタル映像信号を成すＹデータ系列及びＰB ／ＰR データ系列と付加情報データ系列とを含む３６ビット，４２ビットもしくは４８ビットパラレルデータを形成するものとして読み出して、各々がワード伝送レートを７４．２５ＭＢｐｓとする第１，第２及び第３の３６ビット，４２ビットもしくは４８ビットワード列データを得、第１の３６ビット，４２ビットもしくは４８ビットワード列データに含まれるＹデータ系列，ＰB ／ＰR データ系列及び付加情報データ系列の夫々を形成する、各１２ビット，１４ビットもしくは１６ビットワードを上位１０ビットと下位２ビット，４ビットもしくは６ビットとに分割し、Ｙデータ系列及びＰB ／ＰR データ系列から分割された複数の上位１０ビットに基づく、ワード伝送レートを７４．２５ＭＢｐｓとする第１の２０ビットワード列データと、Ｙデータ系列及びＰB ／ＰR データ系列から分割された複数の下位２ビット，４ビットもしくは６ビットと複数の補助ビットとに基づく、ワード伝送レートを７４．２５ＭＢｐｓとする第２の２０ビットワード列データと、付加情報データ系列から分割された複数の上位１０ビット及び複数の下位２ビット，４ビットもしくは６ビットと複数の補助ビットとに基づく、ワード伝送レートを７４．２５ＭＢｐｓとする第３の２０ビットワード列データとを形成し、第２の３６ビット，４２ビットもしくは４８ビットワード列データに含まれるＹデータ系列，ＰB ／ＰR データ系列及び付加情報データ系列の夫々を形成する、各１２ビット，１４ビットもしくは１６ビットワードを上位１０ビットと下位２ビット，４ビットもしくは６ビットとに分割し、Ｙデータ系列及びＰB ／ＰR データ系列から分割された複数の上位１０ビットに基づく、ワード伝送レートを７４．２５ＭＢｐｓとする第４の２０ビットワード列データと、Ｙデータ系列及びＰB ／ＰR データ系列から分割された複数の下位２ビット，４ビットもしくは６ビットと複数の補助ビットとに基づく、ワード伝送レートを７４．２５ＭＢｐｓとする第５の２０ビットワード列データと、付加情報データ系列から分���された複数の上位１０ビット及び複数の下位２ビット，４ビットもしくは６ビットと複数の補助ビットとに基づく、ワード伝送レートを７４．２５ＭＢｐｓとする第６の２０ビットワード列データとを形成し、第３の３６ビット，４２ビットもしくは４８ビットワード列データに含まれるＹデータ系列，ＰB ／ＰR データ系列及び付加情報データ系列の夫々を形成する、各１２ビット，１４ビットもしくは１６ビットワードを上位１０ビットと下位２ビット，４ビットもしくは６ビットとに分割し、Ｙデータ系列及びＰB ／ＰR データ系列から分割された複数の上位１０ビットに基づく、ワード伝送レートを７４．２５ＭＢｐｓとする第７の２０ビットワード列データと、Ｙデータ系列及びＰB ／ＰR データ系列から分割された複数の下位２ビット，４ビットもしくは６ビットと複数の補助ビットとに基づく、ワード伝送レートを７４．２５ＭＢｐｓとする第８の２０ビットワード列データと、付加情報データ系列から分割された複数の上位１０ビット及び複数の下位２ビット，４ビットもしくは６ビットと複数の補助ビットとに基づく、ワード伝送レートを７４．２５ＭＢｐｓとする第９の２０ビットワード列データとを形成するデータ処理を施し、第１から第９までの２０ビットワード列データに夫々基づく第１から第９までのシリアルデータを得て、それらを伝送すべく送出するものとされる。
【００３２】
本願の特許請求の範囲における請求項３４から請求項３６までのいずれかに記載された発明に係るデータ伝送方法は、フレームレートを７２Ｈｚ，７５Ｈｚもしくは９０Ｈｚとし、各フレームにおける有効ライン数を１０８０ラインとするディジタル映像信号を成し、各々が量子化ビット数を１２ビットとしてワード伝送レートを２２２．７５ＭＢｐｓとするＧデータ系列，Ｂデータ系列及びＲデータ系列と、Ｇデータ系列と同等のデータフォーマットを有し、量子化ビット数を１２ビットとしてワード伝送レートを２２２．７５ＭＢｐｓとする付加情報データ系列とを含む４８ビットパラレルデータに、第１の二つ置きのフレーム部を第１のメモリに，第２の二つ置きのフレーム部を第２のメモリに、及び、第３の二つ置きのフレーム部を第３のメモリに格納し、第１のメモリに格納されたフレーム部，第２のメモリに格納されたフレーム部及び第３のメモリに格納されたフレーム部の夫々を、フレームレートを２４Ｈｚ，２５Ｈｚもしくは３０Ｈｚとするセグメンテッドフレームディジタル映像信号を成すＧデータ系列，Ｂデータ系列及びＲデータ系列と付加情報データ系列とを含む４８ビットパラレルデータを形成するものとして読み出して、各々がワード伝送レートを７４．２５ＭＢｐｓとする第１，第２及び第３の４８ビットワード列データを得、第１の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第１の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第２の２０ビットワード列データと、付加情報データ系列から分割された複数の上位１０ビット及び複数の下位２ビットと複数の補助ビットとに基づく、ワード伝送レートを７４．２５ＭＢｐｓとする第３の２０ビットワード列データとを形成し、第２の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第４の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第５の２０ビットワード列データと、付加情報データ系列から分割された複数の上位１０ビット及び複数の下位２ビットと複数の補助ビットとに基づく、ワード伝送レートを７４．２５ＭＢｐｓとする第６の２０ビットワード列データとを形成し、第３の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第７の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第８の２０ビットワード列データと、付加情報データ系列から分割された複数の上位１０ビット及び複数の下位２ビットと複数の補助ビットとに基づく、ワード伝送レートを７４．２５ＭＢｐｓとする第９の２０ビットワード列データとを形成するデータ処理を施し、第１から第９までの２０ビットワード列データに夫々基づく第１から第９までのシリアルデータを得て、それらを伝送すべく送出するものとされる。
【００３３】
本願の特許請求の範囲における請求項３７から請求項３９までのいずれかに記載された発明に係るデータ伝送方法は、フレームレートを１２０Ｈｚとし、各フレームにおける有効ライン数を１０８０ラインとするディジタル映像信号を成し、各々が量子化ビット数を１２ビットとしてワード伝送レートを２９７ＭＢｐｓとするＧデータ系列，Ｂデータ系列及びＲデータ系列と、Ｇデータ系列と同等のデータフォーマットを有し、量子化ビット数を１２ビットとしてワード伝送レートを２９７ＭＢｐｓとする付加情報データ系列とを含む４８ビットパラレルデータに、第１の三つ置きのフレーム部を第１のメモリに，第２の三つ置きのフレーム部を第２のメモリに，第３の三つ置きのフレーム部を第３のメモリに、及び、第４の三つ置きのフレーム部を第４のメモリに格納し、第１のメモリに格納されたフレーム部，第２のメモリに格納されたフレーム部，第３のメモリに格納されたフレーム部及び第４のメモリに格納されたフレーム部の夫々を、フレームレートを３０Ｈｚとするセグメンテッドフレームディジタル映像信号を成すＧデータ系列，Ｂデータ系列及びＲデータ系列と付加情報データ系列とを含む４８ビットパラレルデータを形成するものとして読み出して、各々がワード伝送レートを７４．２５ＭＢｐｓとする第１，第２，第３及び第４の４８ビットワード列データを得、第１の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第１の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第２の２０ビットワード列データと、付加情報データ系列から分割された複数の上位１０ビット及び複数の下位２ビットと複数の補助ビットとに基づく、ワード伝送レートを７４．２５ＭＢｐｓとする第３の２０ビットワード列データとを形成し、第２の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第４の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第５の２０ビットワード列データと、付加情報データ系列から分割された複数の上位１０ビット及び複数の下位２ビットと複数の補助ビットとに基づく、ワード伝送レートを７４．２５ＭＢｐｓとする第６の２０ビットワード列データとを形成し、第３の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第７の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第８の２０ビットワード列データと、付加情報データ系列から分割された複数の上位１０ビット及び複数の下位２ビットと複数の補助ビットとに基づく、ワード伝送レートを７４．２５ＭＢｐｓとする第９の２０ビットワード列データとを形成し、第４の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第１０の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第１１の２０ビットワード列データと、付加情報データ系列から分割された複数の上位１０ビット及び複数の下位２ビットと複数の補助ビットとに基づく、ワード伝送レートを７４．２５ＭＢｐｓとする第１２の２０ビットワード列データとを形成するデータ処理を施し、第１から第１２までの２０ビットワード列データに夫々基づく第１から第１２までのシリアルデータを得て、それらを伝送すべく送出するものとされる。
【００３４】
本願の特許請求の範囲における請求項４０に記載された発明に係るデータ伝送装置は、フレームレートを５０Ｈｚもしくは６０Ｈｚとし、各フレームにおける有効ライン数を１０８０ラインとするディジタル映像信号を成し、各々が量子化ビット数を１０ビットとしてワード伝送レートを１４８．５ＭＢｐｓとするＹデータ系列及びＰB ／ＰR 色差信号データ系列と、Ｙデータ系列と同等のデータフォーマットを有し、量子化ビット数を１０ビットとしてワード伝送レートを１４８．５ＭＢｐｓとする付加情報データ系列とを含む３０ビットパラレルデータに、第１の一つ置きのフレーム部を第１のメモリに格納するとともに第２の一つ置きのフレーム部を第２のメモリに格納し、第１のメモリに格納されたフレーム部及び第２のメモリに格納されたフレーム部の夫々を、フレームレートを２５Ｈｚもしくは３０Ｈｚとするセグメンテッドフレームディジタル映像信号を成すＹデータ系列及びＰB ／ＰR データ系列と付加情報データ系列とを含む３０ビットパラレルデータを形成するものとして読み出して、各々がワード伝送レートを７４．２５ＭＢｐｓとする第１及び第２の３０ビットワード列データを得、第１の３０ビットワード列データに含まれるＹデータ系列及びＰB ／ＰR データ系列に基づく、ワード伝送レートを７４．２５ＭＢｐｓとする第１の２０ビットワード列データと、第１の３０ビットワード列データに含まれる付加情報データ系列と補助１０ビットワード列とに基づく、ワード伝送レートを７４．２５ＭＢｐｓとする第２の２０ビットワード列データとを形成するとともに、第２の３０ビットワード列データに含まれるＹデータ系列及びＰB ／ＰR データ系列に基づく、ワード伝送レートを７４．２５ＭＢｐｓとする第３の２０ビットワード列データと、第２の３０ビットワード列データに含まれる付加情報データ系列と補助１０ビットワード列に基づく、ワード伝送レートを７４．２５ＭＢｐｓとする第４の２０ビットワード列データとを形成するデータ処理を施すデータ処理部と、第１から第４までの２０ビットワード列データに夫々基づく第１から第４までのシリアルデータを得る第１から第４までのパラレル／シリアル変換部と、第１から第４までのパラレル／シリアル変換部から夫々得られる第１から第４までのシリアルデータを伝送すべく送出するデータ送出部と、を備えて構成される。
【００３５】
本願の特許請求の範囲における請求項４１に記載された発明に係るデータ伝送装置は、フレームレートを５０Ｈｚもしくは６０Ｈｚとし、各フレームにおける有効ライン数を１０８０ラインとするディジタル映像信号を成し、各々が量子化ビット数を１０ビットとしてワード伝送レートを１４８．５ＭＢｐｓとするＧデータ系列，Ｂデータ系列及びＲデータ系列と、Ｇデータ系列と同等のデータフォーマットを有し、量子化ビット数を１０ビットとしてワード伝送レートを１４８．５ＭＢｐｓとする付加情報データ系列とを含む４０ビットパラレルデータに、第１の一つ置きのフレーム部を第１のメモリに格納するとともに第２の一つ置きのフレーム部を第２のメモリに格納し、第１のメモリに格納されたフレーム部及び第２のメモリに格納されたフレーム部の夫々を、フレームレートを２５Ｈｚもしくは３０Ｈｚとするセグメンテッドフレームディジタル映像信号を成すＧデータ系列，Ｂデータ系列及びＲデータ系列と付加情報データ系列とを含む４０ビットパラレルデータを形成するものとして読み出して、各々がワード伝送レートを７４．２５ＭＢｐｓとする第１及び第２の４０ビットワード列データを得、第１の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第１のワードグループと、付加情報データ系列を形成する１０ビットワードとＢデータ系列及びＲデータ系列を形成する１０ビットワードの他の一部とを含む第２のワードグループとに振り分け、第１のワードグループに基づく、ワード伝送レートを７４．２５ＭＢｐｓする第１の２０ビットワード列データと、第２のワードグループに基づく、ワード伝送レートを７４．２５ＭＢｐｓとする第２の２０ビットワード列データとを形成するとともに、第２の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第３のワードグループと、付加情報データ系列を形成する１０ビットワードとＢデータ系列及びＲデータ系列を形成する１０ビットワードの他の一部とを含む第４のワードグループとに振り分け、第３のワードグループに基づく、ワード伝送レートを７４．２５ＭＢｐｓする第３の２０ビットワード列データと、第４のワードグループに基づく、ワード伝送レートを７４．２５ＭＢｐｓとする第４の２０ビットワード列データとを形成するデータ処理を施すデータ処理部と、第１から第４までの２０ビットワード列データに夫々基づく第１から第４までのシリアルデータを得る第１から第４までのパラレル／シリアル変換部と、第１から第４までのパラレル／シリアル変換部から夫々得られる第１から第４までのシリアルデータを伝送すべく送出するデータ送出部と、を備えて構成される。
【００３６】
本願の特許請求の範囲における請求項４２に記載された発明に係るデータ伝送装置は、フレームレートを７２Ｈｚ，７５Ｈｚもしくは９０Ｈｚとし、各フレームにおける有効ライン数を１０８０ラインとするディジタル映像信号を成し、各々が量子化ビット数を１０ビットとしてワード伝送レートを２２２．７５ＭＢｐｓとするＹデータ系列及びＰB ／ＰR データ系列と、Ｙデータ系列と同等のデータフォーマットを有し、量子化ビット数を１０ビットとしてワード伝送レートを２２２．７５ＭＢｐｓとする付加情報データ系列とを含む３０ビットパラレルデータに、第１の二つ置きのフレーム部を第１のメモリに，第２の二つ置きのフレーム部を第２のメモリに、及び、第３の二つ置きのフレーム部を第３のメモリに格納し、第１のメモリに格納されたフレーム部，第２のメモリに格納されたフレーム部及び第３のメモリに格納されたフレーム部の夫々を、フレームレートを２４Ｈｚ，２５Ｈｚもしくは３０Ｈｚとするセグメンテッドフレームディジタル映像信号を成すＹデータ系列及びＰB ／ＰR データ系列と付加情報データ系列とを含む３０ビットパラレルデータを形成するものとして読み出して、各々がワード伝送レートを７４．２５ＭＢｐｓとする第１，第２及び第３の３０ビットワード列データを得、第１の３０ビットワード列データに含まれるＹデータ系列及びＰB ／ＰR データ系列に基づく、ワード伝送レートを７４．２５ＭＢｐｓとする第１の２０ビットワード列データと、第１の３０ビットワード列データに含まれる付加情報データ系列と補助１０ビットワード列とに基づく、ワード伝送レートを７４．２５ＭＢｐｓとする第２の２０ビットワード列データとを形成し、第２の３０ビットワード列データに含まれるＹデータ系列及びＰB ／ＰR データ系列に基づく、ワード伝送レートを７４．２５ＭＢｐｓとする第３の２０ビットワード列データと、第２の３０ビットワード列データに含まれる付加情報データ系列と補助１０ビットワード列とに基づく、ワード伝送レートを７４．２５ＭＢｐｓとする第４の２０ビットワード列データとを形成し、第３の３０ビットワード列データに含まれるＹデータ系列及びＰB ／ＰR データ系列に基づく、ワード伝送レートを７４．２５ＭＢｐｓとする第５の２０ビットワード列データと、第３の３０ビットワード列データに含まれる付加情報データ系列と補助１０ビットワード列とに基づく、ワード伝送レートを７４．２５ＭＢｐｓとする第６の２０ビットワード列データとを形成するデータ処理を施すデータ処理部と、第１から第６までの２０ビットワード列データに夫々基づく第１から第６までのシリアルデータを得る第１から第６までのパラレル／シリアル変換部と、第１から第６までのパラレル／シリアル変換部から夫々得られる第１から第６までのシリアルデータを伝送すべく送出するデータ送出部と、を備えて構成される。
【００３７】
本願の特許請求の範囲における請求項４３に記載された発明に係るデータ伝送装置は、フレームレートを５０Ｈｚもしくは６０Ｈｚとし、各フレームにおける有効ライン数を１０８０ラインとするディジタル映像信号を成し、各々が量子化ビット数を１２ビット，１４ビットもしくは１６ビットとしてワード伝送レートを１４８．５ＭＢｐｓとするＹデータ系列及びＰB ／ＰR データ系列と、Ｙデータ系列と同等のデータフォーマットを有し、量子化ビット数を１２ビット，１４ビットもしくは１６ビットとしてワード伝送レートを１４８．５ＭＢｐｓとする付加情報データ系列とを含む３６ビット，４２ビットもしくは４８ビットパラレルデータに、第１の一つ置きのフレーム部を第１のメモリに格納するとともに第２の一つ置きのフレーム部を第２のメモリに格納し、第１のメモリに格納されたフレーム部及び第２のメモリに格納されたフレーム部の夫々を、フレームレートを２５Ｈｚもしくは３０Ｈｚとするセグメンテッドフレームディジタル映像信号を成すＹデータ系列及びＰB ／ＰR データ系列と付加情報データ系列とを含む３６ビット，４２ビットもしくは４８ビットパラレルデータを形成するものとして読み出して、各々がワード伝送レートを７４．２５ＭＢｐｓとする第１及び第２の３６ビット，４２ビットもしくは４８ビットワード列データを得、第１の３６ビット，４２ビットもしくは４８ビットワード列データに含まれるＹデータ系列，ＰB ／ＰR データ系列及び付加情報データ系列の夫々を形成する、各１２ビット，１４ビットもしくは１６ビットワードを上位１０ビットと下位２ビット，４ビットもしくは６ビットとに分割し、Ｙデータ系列及びＰB ／ＰR データ系列から分割された複数の上位１０ビットに基づく、ワード伝送レートを７４．２５ＭＢｐｓとする第１の２０ビットワード列データと、Ｙデータ系列及びＰB ／ＰR データ系列から分割された複数の下位２ビット，４ビットもしくは６ビットと複数の補助ビットとに基づく、ワード伝送レートを７４．２５ＭＢｐｓとする第２の２０ビットワード列データと、付加情報データ系列から分割された複数の上位１０ビット及び複数の下位２ビット，４ビットもしくは６ビットと複数の補助ビットとに基づく、ワード伝送レートを７４．２５ＭＢｐｓとする第３の２０ビットワード列データとを形成するとともに、第２の３６ビット，４２ビットもしくは４８ビットワード列データに含まれるＹデータ系列，ＰB ／ＰR データ系列及び付加情報データ系列の夫々を形成する、各１２ビット，１４ビットもしくは１６ビットワードを上位１０ビットと下位２ビット，４ビットもしくは６ビットとに分割し、Ｙデータ系列及びＰB ／ＰR データ系列から分割された複数の上位１０ビットに基づく、ワード伝送レートを７４．２５ＭＢｐｓとする第４の２０ビットワード列データと、Ｙデータ系列及びＰB ／ＰR データ系列から分割された複数の下位２ビット，４ビットもしくは６ビットと複数の補助ビットとに基づく、ワード伝送レートを７４．２５ＭＢｐｓとする第５の２０ビットワード列データと、付加情報データ系列から分割された複数の上位１０ビット及び複数の下位２ビット，４ビットもしくは６ビットと複数の補助ビットとに基づく、ワード伝送レー���を７４．２５ＭＢｐｓとする第６の２０ビットワード列データとを形成するデータ処理を施すデータ処理部と、第１から第６までの２０ビットワード列データに夫々基づく第１から第６までのシリアルデータを得る第１から第６までのパラレル／シリアル変換部と、第１から第６までのパラレル／シリアル変換部から夫々得られる第１から第６までのシリアルデータを伝送すべく送出するデータ送出部と、を備えて構成される。
【００３８】
本願の特許請求の範囲における請求項４４に記載された発明に係るデータ伝送装置は、フレームレートを５０Ｈｚもしくは６０Ｈｚとし、各フレームにおける有効ライン数を１０８０ラインとするディジタル映像信号を成し、各々が量子化ビット数を１２ビットとしてワード伝送レートを１４８．５ＭＢｐｓとするＧデータ系列，Ｂデータ系列及びＲデータ系列と、Ｇデータ系列と同等のデータフォーマットを有し、量子化ビット数を１２ビットとしてワード伝送レートを１４８．５ＭＢｐｓとする付加情報データ系列とを含む４８ビットパラレルデータに、第１の一つ置きのフレーム部を第１のメモリに格納するとともに第２の一つ置きのフレーム部を第２のメモリに格納し、第１のメモリに格納されたフレーム部及び第２のメモリに格納されたフレーム部の夫々を、フレームレートを２５Ｈｚもしくは３０Ｈｚとするセグメンテッドフレームディジタル映像信号を成すＧデータ系列，Ｂデータ系列及びＲデータ系列と付加情報データ系列とを含む４８ビットパラレルデータを形成するものとして読み出して、各々がワード伝送レートを７４．２５ＭＢｐｓとする第１及び第２の４８ビットワード列データを得、第１の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第１の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第２の２０ビットワード列データと、付加情報データ系列から分割された複数の上位１０ビット及び複数の下位２ビットと複数の補助ビットとに基づく、ワード伝送レートを７４．２５ＭＢｐｓとする第３の２０ビットワード列データとを形成し、第２の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第４の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第５の２０ビットワード列データと、付加情報データ系列から分割された複数の上位１０ビット及び複数の下位２ビットと複数の補助ビットとに基づく、ワード伝送レートを７４．２５ＭＢｐｓとする第６の２０ビットワード列データとを形成するデータ処理を施すデータ処理部と、第１から第６までの２０ビットワード列データに夫々基づく第１から第６までのシリアルデータを得る第１から第６までのパラレル／シリアル変換部と、第１から第６までのパラレル／シリアル変換部から夫々得られる第１から第６までのシリアルデータを伝送すべく送出するデータ送出部と、を備えて構成される。
【００３９】
本願の特許請求の範囲における請求項４５に記載された発明に係るデータ伝送装置は、フレームレートを７２Ｈｚ，７５Ｈｚもしくは９０Ｈｚとし、各フレームにおける有効ライン数を１０８０ラインとするディジタル映像信号を成し、各々が量子化ビット数を１０ビットとしてワード伝送レートを２２２．７５ＭＢｐｓとするＧデータ系列，Ｂデータ系列及びＲデータ系列と、Ｇデータ系列と同等のデータフォーマットを有し、量子化ビット数を１０ビットとしてワード伝送レートを２２２．７５ＭＢｐｓとする付加情報データ系列とを含む４０ビットパラレルデータに、第１の二つ置きのフレーム部を第１のメモリに，第２の二つ置きのフレーム部を第２のメモリに、及び、第３の二つ置きのフレーム部を第３のメモリに格納し、第１のメモリに格納されたフレーム部，第２のメモリに格納されたフレーム部及び第３のメモリに格納されたフレーム部の夫々を、フレームレートを２４Ｈｚ，２５Ｈｚもしくは３０Ｈｚとするセグメンテッドフレームディジタル映像信号を成すＧデータ系列，Ｂデータ系列及びＲデータ系列と付加情報データ系列とを含む４０ビットパラレルデータを形成するものとして読み出して、各々がワード伝送レートを７４．２５ＭＢｐｓとする第１，第２及び第３の４０ビットワード列データを得、第１の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第１のワードグループと、付加情報データ系列を形成する１０ビットワードとＢデータ系列及びＲデータ系列を形成する１０ビットワードの他の一部とを含む第２のワードグループとに振り分け、第１のワードグループに基づく、ワード伝送レートを７４．２５ＭＢｐｓする第１の２０ビットワード列データと、第２のワードグループに基づく、ワード伝送レートを７４．２５ＭＢｐｓとする第２の２０ビットワード列データとを形成し、第２の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第３のワードグループと、付加情報データ系列を形成する１０ビットワードとＢデータ系列及びＲデータ系列を形成する１０ビットワードの他の一部とを含む第４のワードグループとに振り分け、第３のワードグループに基づく、ワード伝送レートを７４．２５ＭＢｐｓする第３の２０ビットワード列データと、第４のワードグループに基づく、ワード伝送レートを７４．２５ＭＢｐｓとする第４の２０ビットワード列データとを形成し、第３の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第５のワードグループと、付加情報データ系列を形成する１０ビットワードとＢデータ系列及びＲデータ系列を形成する１０ビットワードの他の一部とを含む第６のワードグループとに振り分け、第５のワードグループに基づく、ワード伝送レートを７４．２５ＭＢｐｓする第５の２０ビットワード列データと、第６のワードグループに基づく、ワード伝送レートを７４．２５ＭＢｐｓとする第６の２０ビットワード列データとを形成するデータ処理を施すデータ処理部と、第１から第６までの２０ビットワード列データに夫々基づく第１から第６までのシリアルデータを得る第１から第６までのパラレル／シリアル変換部と、第１から第６までのパラレル／シリアル変換部から夫々得られる第１から第６までのシリアルデータを伝送すべく送出するデータ送出部と、を備えて構成される。
【００４０】
本願の特許請求の範囲における請求項４６に記載された発明に係るデータ伝送装置は、フレームレートを１２０Ｈｚとし、各フレームにおける有効ライン数を１０８０ラインとするディジタル映像信号を成し、各々が量子化ビット数を１０ビットとしてワード伝送レートを２９７ＭＢｐｓとするＹデータ系列及びＰB ／ＰR データ系列と、Ｙデータ系列と同等のデータフォーマットを有し、量子化ビット数を１０ビットとしてワード伝送レートを２９７ＭＢｐｓとする付加情報データ系列とを含む３０ビットパラレルデータに、第１の三つ置きのフレーム部を第１のメモリに，第２の三つ置きのフレーム部を第２のメモリに，第３の三つ置きのフレーム部を第３のメモリに、及び、第４の三つ置きのフレーム部を第４のメモリに格納し、第１のメモリに格納されたフレーム部，第２のメモリに格納されたフレーム部，第３のメモリに格納されたフレーム部及び第４のメモリに格納されたフレーム部の夫々を、フレームレートを３０Ｈｚとするセグメンテッドフレームディジタル映像信号を成すＹデータ系列及びＰB ／ＰR データ系列と付加情報データ系列とを含む３０ビットパラレルデータを形成するものとして読み出して、各々がワード伝送レートを７４．２５ＭＢｐｓとする第１から第４までの３０ビットワード列データを得、第１の３０ビットワード列データに含まれるＹデータ系列及びＰB ／ＰR データ系列に基づく、ワード伝送レートを７４．２５ＭＢｐｓとする第１の２０ビットワード列データと、第１の３０ビットワード列データに含まれる付加情報データ系列と補助１０ビットワード列とに基づく、ワード伝送レートを７４．２５ＭＢｐｓとする第２の２０ビットワード列データとを形成し、第２の３０ビットワード列データに含まれるＹデータ系列及びＰB ／ＰR データ系列に基づく、ワード伝送レートを７４．２５ＭＢｐｓとする第３の２０ビットワード列データと、第２の３０ビットワード列データに含まれる付加情報データ系列と補助１０ビットワード列とに基づく、ワード伝送レートを７４．２５ＭＢｐｓとする第４の２０ビットワード列データとを形成し、第３の３０ビットワード列データに含まれるＹデータ系列及びＰB ／ＰR データ系列に基づく、ワード伝送レートを７４．２５ＭＢｐｓとする第５の２０ビットワード列データと、第３の３０ビットワード列データに含まれる付加情報データ系列と補助１０ビットワード列とに基づく、ワード伝送レートを７４．２５ＭＢｐｓとする第６の２０ビットワード列データとを形成し、第４の３０ビットワード列データに含まれるＹデータ系列及びＰB ／ＰR データ系列に基づく、ワード伝送レートを７４．２５ＭＢｐｓとする第７の２０ビットワード列データと、第４の３０ビットワード列データに含まれる付加情報データ系列と補助１０ビットワード列とに基づく、ワード伝送レートを７４．２５ＭＢｐｓとする第８の２０ビットワード列データとを形成するデータ処理を施すデータ処理部と、第１から第８までの２０ビットワード列データに夫々基づく第１から第８までのシリアルデータを得る第１から第８までのパラレル／シリアル変換部と、第１から第８までのパラレル／シリアル変換部から夫々得られる第１から第８までのシリアルデータを伝送すべく送出するデータ送出部と、を備えて構成される。
【００４１】
本願の特許請求の範囲における請求項４７に記載された発明に係るデータ伝送装置は、フレームレートを１２０Ｈｚとし、各フレームにおける有効ライン数を１０８０ラインとするディジタル映像信号を成し、各々が量子化ビット数を１０ビットとしてワード伝送レートを２９７ＭＢｐｓとするＧデータ系列，Ｂデータ系列及びＲデータ系列と、Ｇデータ系列と同等のデータフォーマットを有し、量子化ビット数を１０ビットとしてワード伝送レートを２９７ＭＢｐｓとする付加情報データ系列とを含む４０ビットパラレルデータに、第１の三つ置きのフレーム部を第１のメモリに，第２の三つ置きのフレーム部を第２のメモリに，第３の三つ置きのフレーム部を第３のメモリに、及び、第４の三つ置きのフレーム部を第４のメモリに格納し、第１のメモリに格納されたフレーム部，第２のメモリに格納されたフレーム部，第３のメモリに格納されたフレーム部及び第４のメモリに格納されたフレーム部の夫々を、フレームレートを３０Ｈｚとするセグメンテッドフレームディジタル映像信号を成すＧデータ系列，Ｂデータ系列及びＲデータ系列と付加情報データ系列とを含む４０ビットパラレルデータを形成するものとして読み出して、各々がワード伝送レートを７４．２５ＭＢｐｓとする第１から第４までの４０ビットワード列データを得、第１の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第１のワードグループと、付加情報データ系列を形成する１０ビットワードとＢデータ系列及びＲデータ系列を形成する１０ビットワードの他の一部とを含む第２のワードグループとに振り分け、第１のワードグループに基づく、ワード伝送レートを７４．２５ＭＢｐｓする第１の２０ビットワード列データと、第２のワードグループに基づく、ワード伝送レートを７４．２５ＭＢｐｓとする第２の２０ビットワード列データとを形成し、第２の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第３のワードグループと、付加情報データ系列を形成する１０ビットワードとＢデータ系列及びＲデータ系列を形成する１０ビットワードの他の一部とを含む第４のワードグループとに振り分け、第３のワードグループに基づく、ワード伝送レートを７４．２５ＭＢｐｓする第３の２０ビットワード列データと、第４のワードグループに基づく、ワード伝送レートを７４．２５ＭＢｐｓとする第４の２０ビットワード列データとを形成し、第３の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第５のワードグループと、付加情報データ系列を形成する１０ビットワードとＢデータ系列及びＲデータ系列を形成する１０ビットワードの他の一部とを含む第６のワードグループとに振り分け、第５のワードグループに基づく、ワード伝送レートを７４．２５ＭＢｐｓする第５の２０ビットワード列データと、第６のワードグループに基づく、ワード伝送レートを７４．２５ＭＢｐｓとする第６の２０ビットワード列データとを形成し、第４の４０ビットワード列データに含まれるＧデータ系列，Ｂデータ系列，Ｒデータ系列及び付加情報データ系列を形成する１０ビットワードを、Ｇデータ系列を形成する１０ビットワードとＢデータ系列及びＲデータ系列を形成する１０ビットワードの一部とを含む第７のワードグループと、付加情報データ系列を形成する１０ビットワードとＢデータ系列及びＲデータ系列を形成する１０ビットワードの他の一部とを含む第８のワードグループとに振り分け、第７のワードグループに基づく、ワード伝送レートを７４．２５ＭＢｐｓする第７の２０ビットワード列データと、第８のワードグループに基づく、ワード伝送レートを７４．２５ＭＢｐｓとする第８の２０ビットワード列データとを形成するデータ処理を施すデータ処理部と、第１から第８の２０ビットワード列データに夫々基づく第１から第８までのシリアルデータを得る第１から第８までのパラレル／シリアル変換部と、第１から第８までのパラレル／シリアル変換部から夫々得られる第１から第８までのシリアルデータを伝送すべく送出するデータ送出部と、を備えて構成される。
【００４２】
本願の特許請求の範囲における請求項４８に記載された発明に係るデータ伝送装置は、フレームレートを７２Ｈｚ，７５Ｈｚもしくは９０Ｈｚとし、各フレームにおける有効ライン数を１０８０ラインとするディジタル映像信号を成し、各々が量子化ビット数を１２ビット，１４ビットもしくは１６ビットとしてワード伝送レートを２２２．７５ＭＢｐｓとするＹデータ系列及びＰB ／ＰR データ系列と、Ｙデータ系列と同等のデータフォーマットを有し、量子化ビット数を１２ビット，１４ビットもしくは１６ビットとしてワード伝送レートを２２２．７５ＭＢｐｓとする付加情報データ系列とを含む３６ビット，４２ビットもしくは４８ビットパラレルデータに、第１の二つ置きのフレーム部を第１のメモリに，第２の二つ置きのフレーム部を第２のメモリに、及び、第３の二つ置きのフレーム部を第３のメモリに格納し、第１のメモリに格納されたフレーム部，第２のメモリに格納されたフレーム部及び第３のメモリに格納されたフレーム部の夫々を、フレームレートを２４Ｈｚ，２５Ｈｚもしくは３０Ｈｚとするセグメンテッドフレームディジタル映像信号を成すＹデータ系列及びＰB ／ＰR データ系列と付加情報データ系列とを含む３６ビット，４２ビットもしくは４８ビットパラレルデータを形成するものとして読み出して、各々がワード伝送レートを７４．２５ＭＢｐｓとする第１，第２及び第３の３６ビット，４２ビットもしくは４８ビットワード列データを得、第１の３６ビット，４２ビットもしくは４８ビットワード列データに含まれるＹデータ系列，ＰB ／ＰR データ系列及び付加情報データ系列の夫々を形成する、各１２ビット，１４ビットもしくは１６ビットワードを上位１０ビットと下位２ビット，４ビットもしくは６ビットとに分割し、Ｙデータ系列及びＰB ／ＰR データ系列から分割された複数の上位１０ビットに基づく、ワード伝送レートを７４．２５ＭＢｐｓとする第１の２０ビットワード列データと、Ｙデータ系列及びＰB ／ＰR データ系列から分割された複数の下位２ビット，４ビットもしくは６ビットと複数の補助ビットとに基づく、ワード伝送レートを７４．２５ＭＢｐｓとする第２の２０ビットワード列データと、付加情報データ系列から分割された複数の上位１０ビット及び複数の下位２ビット，４ビットもしくは６ビットと複数の補助ビットとに基づく、ワード伝送レートを７４．２５ＭＢｐｓとする第３の２０ビットワード列データとを形成し、第２の３６ビット，４２ビットもしくは４８ビットワード列データに含まれるＹデータ系列，ＰB ／ＰR データ系列及び付加情報データ系列の夫々を形成する、各１２ビット，１４ビットもしくは１６ビットワードを上位１０ビットと下位２ビット，４ビットもしくは６ビットとに分割し、Ｙデータ系列及びＰB ／ＰR データ系列から分割された複数の上位１０ビットに基づく、ワード伝送レートを７４．２５ＭＢｐｓとする第４の２０ビットワード列データと、Ｙデータ系列及びＰB ／ＰR データ系列から分割された複数の下位２ビット，４ビットもしくは６ビットと複数の補助ビットとに基づく、ワード伝送レートを７４．２５ＭＢｐｓとする第５の２０ビットワード列データと、付加情報データ系列から分割された複数の上位１０ビット���び複数の下位２ビット，４ビットもしくは６ビットと複数の補助ビットとに基づく、ワード伝送レートを７４．２５ＭＢｐｓとする第６の２０ビットワード列データとを形成し、第３の３６ビット，４２ビットもしくは４８ビットワード列データに含まれるＹデータ系列，ＰB ／ＰR データ系列及び付加情報データ系列の夫々を形成する、各１２ビット，１４ビットもしくは１６ビットワードを上位１０ビットと下位２ビット，４ビットもしくは６ビットとに分割し、Ｙデータ系列及びＰB ／ＰR データ系列から分割された複数の上位１０ビットに基づく、ワード伝送レートを７４．２５ＭＢｐｓとする第７の２０ビットワード列データと、Ｙデータ系列及びＰB ／ＰR データ系列から分割された複数の下位２ビット，４ビットもしくは６ビットと複数の補助ビットとに基づく、ワード伝送レートを７４．２５ＭＢｐｓとする第８の２０ビットワード列データと、付加情報データ系列から分割された複数の上位１０ビット及び複数の下位２ビット，４ビットもしくは６ビットと複数の補助ビットとに基づく、ワード伝送レートを７４．２５ＭＢｐｓとする第９の２０ビットワード列データとを形成するデータ処理を施すデータ処理部と、第１から第９までの２０ビットワード列データに夫々基づく第１から第９までのシリアルデータを得る第１から第９までのパラレル／シリアル変換部と、第１から第９までのパラレル／シリアル変換部から夫々得られる第１から第９までのシリアルデータを伝送すべく送出するデータ送出部と、を備えて構成される。
【００４３】
本願の特許請求の範囲における請求項４９に記載された発明に係るデータ伝送装置は、フレームレートを７２Ｈｚ，７５Ｈｚもしくは９０Ｈｚとし、各フレームにおける有効ライン数を１０８０ラインとするディジタル映像信号を成し、各々が量子化ビット数を１２ビットとしてワード伝送レートを２２２．７５ＭＢｐｓとするＧデータ系列，Ｂデータ系列及びＲデータ系列と、Ｇデータ系列と同等のデータフォーマットを有し、量子化ビット数を１２ビットとしてワード伝送レートを２２２．７５ＭＢｐｓとする付加情報データ系列とを含む４８ビットパラレルデータに、第１の二つ置きのフレーム部を第１のメモリに，第２の二つ置きのフレーム部を第２のメモリに、及び、第３の二つ置きのフレーム部を第３のメモリに格納し、第１のメモリに格納されたフレーム部，第２のメモリに格納されたフレーム部及び第３のメモリに格納されたフレーム部の夫々を、フレームレートを２４Ｈｚ，２５Ｈｚもしくは３０Ｈｚとするセグメンテッドフレームディジタル映像信号を成すＧデータ系列，Ｂデータ系列及びＲデータ系列と付加情報データ系列とを含む４８ビットパラレルデータを形成するものとして読み出して、各々がワード伝送レートを７４．２５ＭＢｐｓとする第１，第２及び第３の４８ビットワード列データを得、第１の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第１の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第２の２０ビットワード列データと、付加情報データ系列から分割された複数の上位１０ビット及び複数の下位２ビットと複数の補助ビットとに基づく、ワード伝送レートを７４．２５ＭＢｐｓとする第３の２０ビットワード列データとを形成し、第２の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第４の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第５の２０ビットワード列データと、付加情報データ系列から分割された複数の上位１０ビット及び複数の下位２ビットと複数の補助ビットとに基づく、ワード伝送レートを７４．２５ＭＢｐｓとする第６の２０ビットワード列データとを形成し、第３の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第７の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第８の２０ビットワード列データと、付加情報データ系列から分割された複数の上位１０ビット及び複数の下位２ビットと複数の補助ビットとに基づく、ワード伝送レートを７４．２５ＭＢｐｓとする第９の２０ビットワード列データとを形成するデータ処理を施すデータ処理部と、第１から第９までの２０ビットワード列データに夫々基づく第１から第９までのシリアルデータを得る第１から第９までのパラレル／シリアル変換部と、第１から第９までのパラレル／シリアル変換部から夫々得られる第１から第９までのシリアルデータを伝送すべく送出するデータ送出部と、を備えて構成される。
【００４４】
本願の特許請求の範囲における請求項５０に記載された発明に係るデータ伝送装置は、フレームレートを１２０Ｈｚとし、各フレームにおける有効ライン数を１０８０ラインとするディジタル映像信号を成し、各々が量子化ビット数を１２ビットとしてワード伝送レートを２９７ＭＢｐｓとするＧデータ系列，Ｂデータ系列及びＲデータ系列と、Ｇデータ系列と同等のデータフォーマットを有し、量子化ビット数を１２ビットとしてワード伝送レートを２９７ＭＢｐｓとする付加情報データ系列とを含む４８ビットパラレルデータに、第１の三つ置きのフレーム部を第１のメモリに，第２の三つ置きのフレーム部を第２のメモリに，第３の三つ置きのフレーム部を第３のメモリに、及び、第４の三つ置きのフレーム部を第４のメモリに格納し、第１のメモリに格納されたフレーム部，第２のメモリに格納されたフレーム部，第３のメモリに格納されたフレーム部及び第４のメモリに格納されたフレーム部の夫々を、フレームレートを３０Ｈｚとするセグメンテッドフレームディジタル映像信号を成すＧデータ系列，Ｂデータ系列及びＲデータ系列と付加情報データ系列とを含む４８ビットパラレルデータを形成するものとして読み出して、各々がワード伝送レートを７４．２５ＭＢｐｓとする第１から第４までの４８ビットワード列データを得、第１の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第１の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第２の２０ビットワード列データと、付加情報データ系列から分割された複数の上位１０ビット及び複数の下位２ビットと複数の補助ビットとに基づく、ワード伝送レートを７４．２５ＭＢｐｓとする第３の２０ビットワード列データとを形成し、第２の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第４の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第５の２０ビットワード列データと、付加情報データ系列から分割された複数の上位１０ビット及び複数の下位２ビットと複数の補助ビットとに基づく、ワード伝送レートを７４．２５ＭＢｐｓとする第６の２０ビットワード列データとを形成し、第３の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第７の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第８の２０ビットワード列データと、付加情報データ系列から分割された複数の上位１０ビット及び複数の下位２ビットと複数の補助ビットとに基づく、ワード伝送レートを７４．２５ＭＢｐｓとする第９の２０ビットワード列データとを形成し、第４の４８ビットワード列データに含まれるＧデータ系列，Ｂデータ系列，Ｒデータ系列及び付加情報データ系列を形成する各１２ビットワードを、上位１０ビットと下位２ビットとに分割し、Ｇデータ系列から分割された複数の上位１０ビットと、Ｂデータ系列及びＲデータ系列の夫々から分割された複数の上位１０ビットの一部とに基づく、ワード伝送レートを７４．２５ＭＢｐｓとする第１０の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットと、複数の補助ビットとに基づく、ワード伝送レートを７４．２５ＭＢｐｓとする第１１の２０ビットワード列データと、付加情報データ系列から分割された複数の上位１０ビット及び複数の下位２ビットと複数の補助ビットとに基づく、ワード伝送レートを７４．２５ＭＢｐｓとする第１２の２０ビットワード列データとを形成するデータ処理を施すデータ処理部と、第１から第１２までの２０ビットワード列データに夫々基づく第１から第１２までのシリアルデータを得る第１から第１２までのパラレル／シリアル変換部と、第１から第１２までのパラレル／シリアル変換部から夫々得られる第１から第１２までのシリアルデータを伝送すべく送出するデータ送出部と、を備えて構成される。
【００４５】
上述の如くの本願の特許請求の範囲における請求項１から請求項３９までのいずれかに記載された発明に係るデータ伝送方法、あるいは、請求項４０から請求項５０までのいずれかに記載された発明に係るデータ伝送装置にあっては、先ず、フレームレートを５０Ｈｚ，６０Ｈｚ，７２Ｈｚ，７５Ｈｚ，９０Ｈｚもしくは１２０Ｈｚとする４：２：２形式もしくは４：４：４形式のディジタル映像信号を成す、各々がワード伝送レートを７４．２５ＭＢｐｓ，１４８．５ＭＢｐｓ，２２２，７５ＭＢｐｓもしくは２９７ＭＢｐｓとし、量子化ビット数を１０ビット，１２ビット，１４ビットもしくは１６ビットとするＹデータ系列及びＰB ／ＰR データ系列、もしくは、Ｇデータ系列，Ｂデータ系列及びＲデータ系列と、Ｙデータ系列もしくはＧデータ系列と同等のデータフォーマットを有した付加情報データ系列とに対し、付加情報データ系列が、Ｙデータ系列及びＰB ／ＰR データ系列、もしくは、Ｇデータ系列，Ｂデータ系列及びＲデータ系列に付随するものとしたもとで、第１及び第２の一つ置きのフレーム部を夫々第１及び第２のメモリに格納する処理，第１，第２及び第３の二つ置きのフレーム部を夫々第１，第２及び第３のメモリに格納する処理、もしくは、第１，第２，第３及び第４の三つ置きのフレーム部を夫々第１，第２，第３及び第４のメモリに格納する処理を行う。
【００４６】
次に、第１及び第２のメモリ，第１，第２及び第３のメモリ、もしくは、第１，第２，第３及び第４のメモリに夫々格納されたフレーム部を読み出して、各々がワード伝送レートを７４．２５ＭＢｐｓとする複数の３０ビットワード列データ，３６ビットワード列データ，４０ビットワード列データ，４２ビットワード列データもしくは４８ビットワード列データを形成する。
【００４７】
続いて、複数の３０ビットワード列データ，３６ビットワード列データ，４０ビットワード列データ，４２ビットワード列データもしくは４８ビットワード列データを形成した場合には、それらの夫々を各々がワード伝送レートを７４．２５ＭＢｐｓとする二つもしくは三つの２０ビットワード列データに変換し、それにより得られる複数の２０ビットワード列データの夫々をシリアルデータに変換したうえで伝送する。
【００４８】
そして、各々がワード伝送レートを７４．２５ＭＢｐｓとする複数の２０ビットワード列データに対する処理、及び、それらの夫々をシリアルデータに変換して伝送する処理は、従前のディジタル映像信号を成すディジタルデータについての HD SDI に従ったシリアル伝送に用いられる現存する回路構成要素を用いて行うことができる処理である。
【００４９】
従って、本願の特許請求の範囲における請求項１から請求項３９までのいずれかに記載された発明に係るデータ伝送方法、あるいは、請求項４０から請求項５０までのいずれかに記載された発明に係るデータ伝送装置によれば、倍速ディジタルビデオ信号あるいは広義のＤ−Ｃｉｎｅｍａ信号等を含む、フレームレートを５０Ｈｚ，６０Ｈｚ，７２Ｈｚ，７５Ｈｚ，９０Ｈｚ，１２０Ｈｚ等とする、４：２：２形式あるいは４：４：４形式のディジタル映像信号を成すディジタルデータとそれに関連するＫｅｙ信号データ系列との伝送を、Ｋｅｙ信号データ系列を伝送されるディジタル映像信号を成すディジタルデータに付随する付加情報データ系列とした状態で、例えば、HD SDIに従ったシリアル伝送に用いられる現存する回路構成要素を利用して、適切に実現することができる
【００５０】
【発明の実施の形態】
図１及び図２は、本願の特許請求の範囲における請求項１から請求項８までのいずれかに記載された発明に係るデータ伝送方法の例が実施される、本願の特許請求の範囲における請求項４０または請求項４１に記載された発明に係るデータ伝送装置の第１の例を含んだデータ送受装置を示す。
【００５１】
図１及び図２に示されるデータ送受装置においては、本願の特許請求の範囲における請求項４０または請求項４１に記載された発明に係るデータ伝送装置の第１の例を構成する送信側において、ディジタル映像信号を成すデータＤＶＸがデータ処理部１２１に供給される。
【００５２】
データＤＶＸは、図６６において、ＤＶＣ１０＋ＤＫＣ１０もしくはＤＶＤ１０＋ＤＫＤ１０として示されるデータとされる。
【００５３】
データＤＶＸが、図６６においてＤＶＣ１０＋ＤＫＣ１０として示されるデータとされるとき、データ処理部１２１には、フレームレートを５０Ｈｚもしくは６０Ｈｚとし、各フレームにおけるライン数が１１２５ライン，各フレームにおける有効ライン数が１０８０ライン，各ラインにおける有効データサンプル数が１９２０サンプルに設定された、４：２：２形式のディジタル映像信号を成し、各々が量子化ビット数を１０ビットとしてワード伝送レートを１４８．５ＭＢｐｓとするＹデータ系列及びＰB ／ＰR データ系列（ＤＶＣ１０）と、Ｙデータ系列と同等のデータフォーマットを有し、量子化ビット数を１０ビットとしてワード伝送レートを１４８．５ＭＢｐｓとするＫｅｙ信号データ系列（ＤＫＣ１０）とが入力される。Ｋｅｙ信号データ系列は、Ｙデータ系列及びＰB ／ＰR データ系列に付随する付加データ系列を成すものとされる。そして、これらのＹデータ系列，ＰB ／ＰR データ系列及びＫｅｙ信号データ系列（４：２：２：４形式のデータとあらわす）は、図３に示される如くに、フレーム同期及びライン同期がとられたもとでパラレル多重されて得られる、ワード伝送レートを１４８．５ＭＢｐｓとする３０ビットパラレルデータとして、データ処理部１２１に供給される。
【００５４】
データ処理部１２１にあっては、図３に示される如くにして供給されるデータＤＶＣ１０＋ＤＫＣ１０に対して次の処理を施す。
【００５５】
先ず、図３に示される如く、データＤＶＣ１０＋ＤＫＣ１０を形成するフレーム部 Frame 1, Frame 2, Frame 3, ・・・・・のうちの第１の一つ置きのフレーム部 Frame 1, Frame 3, Frame 5, ・・・・・及び第２の一つ置きのフレーム部 Frame 2, Frame 4, Frame 6, ・・・・・を、夫々、メモリＡ及びメモリＢに格納する。
【００５６】
次に、メモリＡに格納されたフレーム部 Frame 1, Frame 3, Frame 5, ・・・・・の夫々を、フィールドインターレース方式をもって読み出して、フレームレートを５０Ｈｚ／２＝２５Ｈｚもしくは６０Ｈｚ／２＝３０Ｈｚとする、一連のセグメンテッドフレーム部 Segmented Frame 1, Segmented Frame 3, Segmented Frame 5, ・・・・・を有した、セグメンテッドフレームディジタル映像信号を成すＹデータ系列及びＰB ／ＰR データ系列とＫｅｙ信号データ系列とを含む３０ビットパラレルデータを形成するものとし、それにより、ワード伝送レートを１４８．５ＭＢｐｓ／２＝７４．２５ＭＢｐｓとする３０ビットワード列データＤＶＣ１０Ａ＋ＤＫＣ１０Ａを得る。また、メモリＢに格納されたフレーム部 Frame 2, Frame 4, Frame 6, ・・・・・の夫々についても、フィールドインターレース方式をもって読み出して、フレームレートを２５Ｈｚもしくは３０Ｈｚとする、一連のセグメンテッドフレーム部 Segmented Frame 2, Segmented Frame 4, Segmented Frame 6, ・・・・・を有した、セグメンテッドフレームディジタル映像信号を成すＹデータ系列及びＰB ／ＰR データ系列とＫｅｙ信号データ系列とを含む３０ビットパラレルデータを形成するものとし、それにより、ワード伝送レートを７４．２５ＭＢｐｓとする３０ビットワード列データＤＶＣ１０Ｂ＋ＤＫＣ１０Ｂを得る。
【００５７】
３０ビットワード列データＤＶＣ１０Ａ＋ＤＫＣ１０Ａは、図４のＡに示される如くに、Ｙデータ系列を構成する１０ビットワードＹＤ０，ＹＤ１，ＹＤ２，ＹＤ３，・・・・・，ＰB ／ＰR データ系列を構成する１０ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１０ビットワードＡＤ０，ＡＤ１，ＡＤ２，ＡＤ３，・・・・・がパラレル多重されて成り、リンクＡとして形成される。また、３０ビットワード列データＤＶＣ１０Ｂ＋ＤＫＣ１０Ｂも、図４のＢに示される如くに、Ｙデータ系列を構成する１０ビットワードＹＤ０，ＹＤ１，ＹＤ２，ＹＤ３，・・・・・，ＰB ／ＰR データ系列を構成する１０ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１０ビットワードＡＤ０，ＡＤ１，ＡＤ２，ＡＤ３，・・・・・がパラレル多重されて成り、リンクＢとして形成される。
【００５８】
続いて、図４のＡに示される如くの、３０ビットワード列データＤＶＣ１０Ａ＋ＤＫＣ１０ＡにおけるＹデータ系列を構成する１０ビットワードＹＤ０，ＹＤ１，ＹＤ２，ＹＤ３，・・・・・と、ＰB ／ＰR データ系列を構成する１０ビットワードＰｂＤ０，ＰｒＤ０，ＰｂＤ１，ＰｒＤ１，ＰｂＤ２，ＰｒＤ２，・・・・・とを、パラレル多重して、図５のＡに示される如くの、ワード伝送レートを７４．２５ＭＢｐｓとする２０ビットワード列データＤＶＣ１０Ａ１をリンクＡ−１として形成する。また、それとともに、３０ビットワード列データＤＶＣ１０Ａ＋ＤＫＣ１０ＡにおけるＫｅｙ信号データ系列を構成する１０ビットワードＡＤ０，ＡＤ１，ＡＤ２，ＡＤ３，・・・・・と、補助１０ビットワードαＤ０，αＤ１，αＤ２，αＤ３，・・・・・とを、パラレル多重して、図５のＢに示される如くの、ワード伝送レートを７４．２５ＭＢｐｓとする２０ビットワード列データＤＶＣ１０Ａ２をリンクＡ−２として形成する。
【００５９】
また、図４のＢに示される如くの、３０ビットワード列データＤＶＣ１０Ｂ＋ＤＫＣ１０ＢにおけるＹデータ系列を構成する１０ビットワードＹＤ０，ＹＤ１，ＹＤ２，ＹＤ３，・・・・・とＰB ／ＰR データ系列を構成する１０ビットワードＰｂＤ０，ＰｒＤ０，ＰｂＤ１，ＰｒＤ１，ＰｂＤ２，ＰｒＤ２，・・・・・とを、パラレル多重して、図５のＡに示される如くの、ワード伝送レートを７４．２５ＭＢｐｓとする２０ビットワード列データＤＶＣ１０Ｂ１をリンクＢ−１として形成する。また、それとともに、３０ビットワード列データＤＶＣ１０Ｂ＋ＤＫＣ１０ＢにおけるＫｅｙ信号データ系列を構成する１０ビットワードＡＤ０，ＡＤ１，ＡＤ２，ＡＤ３，・・・・・と、補助１０ビットワードαＤ０，αＤ１，αＤ２，αＤ３，・・・・・とを、パラレル多重して、図５のＢに示される如くの、ワード伝送レートを７４．２５ＭＢｐｓとする２０ビットワード列データＤＶＣ１０Ｂ２をリンクＢ−２として形成する。
【００６０】
即ち、データ処理部１２１にあっては、ワード伝送レートを１４８．５ＭＢｐｓとする３０ビットワード列データを形成するデータＤＶＣ１０＋ＤＫＣ１０を、各々がワード伝送レートを７４．２５ＭＢｐｓとする２０ビットワード列データＤＶＣ１０Ａ１，ＤＶＣ１０Ａ２，ＤＶＣ１０Ｂ１及びＤＶＣ１０Ｂ２の４系統のワード列データに変換するのである。
【００６１】
データＤＶＸが、図６６においてＤＶＤ１０＋ＤＫＤ１０として示されるデータであるとき、データ処理部１２１には、フレームレートを５０Ｈｚもしくは６０Ｈｚとし、各フレームにおけるライン数が１１２５ライン，各フレームにおける有効ライン数が１０８０ライン，各ラインにおける有効データサンプル数が１９２０サンプルに設定された、４：４：４形式のディジタル映像信号を成し、各々が量子化ビット数を１０ビットとしてワード伝送レートを１４８．５ＭＢｐｓとするＧデータ系列，Ｂデータ系列及びＲデータ系列（ＤＶＤ１０）と、Ｇデータ系列と同等のデータフォーマットを有し、量子化ビット数を１０ビットとしてワード伝送レートを１４８．５ＭＢｐｓとするＫｅｙ信号データ系列（ＤＫＤ１０）とが入力される。Ｋｅｙ信号データ系列は、Ｇデータ系列，Ｂデータ系列及びＲデータ系列に付随する付加データ系列を成すものとされる。そして、これらのＧデータ系列，Ｂデータ系列，Ｒデータ系列及びＫｅｙ信号データ系列（４：４：４：４形式のデータとあらわす）は、図６に示される如くに、フレーム同期及びライン同期がとられたもとでパラレル多重されて得られる、ワード伝送レートを１４８．５ＭＢｐｓとする４０ビットパラレルデータとして、データ処理部１２１に供給される。
【００６２】
データ処理部１２１にあっては、図６に示される如くにして供給されるデータＤＶＤ１０＋ＤＫＤ１０に対して次の処理を施す。
【００６３】
先ず、図６に示される如く、データＤＶＤ１０＋ＤＫＤ１０を形成するフレーム部 Frame 1, Frame 2, Frame 3, ・・・・・のうちの第１の一つ置きのフレーム部 Frame 1, Frame 3, Frame 5, ・・・・・及び第２の一つ置きのフレーム部 Frame 2, Frame 4, Frame 6, ・・・・・を、夫々、メモリＡ及びメモリＢに格納する。
【００６４】
次に、メモリＡに格納されたフレーム部 Frame 1, Frame 3, Frame 5, ・・・・・の夫々を、フィールドインターレース方式をもって読み出して、フレームレートを５０Ｈｚ／２＝２５Ｈｚもしくは６０Ｈｚ／２＝３０Ｈｚとする、一連のセグメンテッドフレーム部 Segmented Frame 1, Segmented Frame 3, Segmented Frame 5, ・・・・・を有した、セグメンテッドフレームディジタル映像信号を成すＧデータ系列，Ｂデータ系列及びＲデータ系列とＫｅｙ信号データ系列とを含む４０ビットパラレルデータを形成するものとし、それにより、ワード伝送レートを１４８．５ＭＢｐｓ／２＝７４．２５ＭＢｐｓとする４０ビットワード列データＤＶＤ１０Ａ＋ＤＫＤ１０Ａを得る。また、メモリＢに格納されたフレーム部 Frame 2, Frame 4, Frame 6, ・・・・・の夫々についても、フィールドインターレース方式をもって読み出して、フレームレートを２５Ｈｚもしくは３０Ｈｚとする、一連のセグメンテッドフレーム部 Segmented Frame 2, Segmented Frame 4, Segmented Frame 6, ・・・・・を有した、セグメンテッドフレームディジタル映像信号を成すＧデータ系列，Ｂデータ系列及びＲデータ系列とＫｅｙ信号データ系列とを含む４０ビットパラレルデータを形成するものとし、それにより、ワード伝送レートを７４．２５ＭＢｐｓとする４０ビットワード列データＤＶＤ１０Ｂ＋ＤＫＤ１０Ｂを得る。
【００６５】
４０ビットワード列データＤＶＤ１０Ａ＋ＤＫＤ１０Ａは、図７のＡに示される如くに、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・が、パラレル多重されて成り、リンクＡとして形成される。また、４０ビットワード列データＤＶＤ１０Ｂ＋ＤＫＤ１０Ｂも、図７のＢに示される如くに、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・が、パラレル多重されて成り、リンクＢとして形成される。
【００６６】
続いて、図７のＡに示される如くの、４０ビットワード列データＤＶＤ１０Ａ＋ＤＫＤ１０ＡにおけるＧデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・を、図８において太実線により区切られている如くにして区分し、Ｇデータ系列を形成する１０ビットワードＧＤ０，ＧＤ１，ＧＤ２，ＧＤ３，・・・・・，Ｂデータ系列を形成する１０ビットワードＢＤ０，ＢＤ２，・・・・・及びＲデータ系列を形成する１０ビットワードＲＤ０，ＲＤ２，・・・・・を含む１０ビットワードグループ１と、Ｋｅｙ信号データ系列を形成する１０ビットワードＡＤ０，ＡＤ１，ＡＤ２，ＡＤ３，・・・・・，Ｂデータ系列を形成する１０ビットワードＢＤ１，ＢＤ３，・・・・・及びＲデータ系列を形成する１０ビットワードＲＤ１，ＲＤ３，・・・・・を含む１０ビットワードグループ２とに振り分ける。そして、図８に示される１０ビットワードグループ１に基づく、ワード伝送レートを７４．２５ＭＢｐｓとする２０ビットワード列データＤＶＤ１０Ａ１を、リンクＡ−１として、図９のＡに示される如くに形成するとともに、図８に示される１０ビットワードグループ２に基づく、ワード伝送レートを７４．２５ＭＢｐｓとする２０ビットワード列データＤＶＤ１０Ａ２を、リンクＡ−２として、図９のＢに示される如くに形成する。
【００６７】
また、図７のＢに示される如くの、４０ビットワード列データＤＶＤ１０Ｂ＋ＤＫＤ１０ＢにおけるＧデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・を、図８において太実線により区切られている如くにして区分し、Ｇデータ系列を形成する１０ビットワードＧＤ０，ＧＤ１，ＧＤ２，ＧＤ３，・・・・・，Ｂデータ系列を形成する１０ビットワードＢＤ０，ＢＤ２，・・・・・及びＲデータ系列を形成する１０ビットワードＲＤ０，ＲＤ２，・・・・・を含む１０ビットワードグループ１と、Ｋｅｙ信号データ系列を形成する１０ビットワードＡＤ０，ＡＤ１，ＡＤ２，ＡＤ３，・・・・・，Ｂデータ系列を形成する１０ビットワードＢＤ１，ＢＤ３，・・・・・及びＲデータ系列を形成する１０ビットワードＲＤ１，ＲＤ３，・・・・・を含む１０ビットワードグループ２とに振り分ける。そして、図８に示される１０ビットワードグループ１に基づく、ワード伝送レートを７４．２５ＭＢｐｓとする２０ビットワード列データＤＶＤ１０Ｂ１を、リンクＢ−１として、図９のＡに示される如くに形成するとともに、図８に示される１０ビットワードグループ２に基づく、ワード伝送レートを７４．２５ＭＢｐｓとする２０ビットワード列データＤＶＤ１０Ｂ２を、リンクＢ−２として、図９のＢに示される如くに形成する。
【００６８】
即ち、データ処理部１２１にあっては、ワード伝送レートを１４８．５ＭＢｐｓとする４０ビットワード列データを形成するデータＤＶＤ１０＋ＤＫＤ１０を、ワード伝送レートを７４．２５ＭＢｐｓとする２０ビットワード列データＤＶＤ１０Ａ１，ＤＶＤ１０Ａ２，ＤＶＤ１０Ｂ１及びＤＶＤ１０Ｂ２の４系統のワード列データに変換するのである。
【００６９】
そして、データ処理部１２１は、４系統のワード列データである２０ビットワード列データＤＶＣ１０Ａ１，ＤＶＣ１０Ａ２，ＤＶＣ１０Ｂ１及びＤＶＣ１０Ｂ２の組、または、２０ビットワード列データＤＶＤ１０Ａ１，ＤＶＤ１０Ａ２，ＤＶＤ１０Ｂ１及びＤＶＤ１０Ｂ２の組を、２０ビットワード列データＤＰＡ１（２０），ＤＰＡ２（２０），ＤＰＢ１（２０）及びＤＰＢ２（２０）として導出する。
【００７０】
データ処理部１２１から送出されるワード伝送レートを７４．２５ＭＢｐｓとする２０ビットワード列データＤＰＡ１（２０）は、データ挿入部１２２に供給される。データ挿入部１２２にあっては、２０ビットワード列データＤＰＡ１（２０）に、必要に応じたチャンネル識別データを含む補助データＤＡＡ１を挿入し、補助データＤＡＡ１が挿入された２０ビットワード列データＤＰＡ１’（２０）を形成する。データ挿入部１２２から得られる２０ビットワード列データＤＰＡ１’（２０）は、パラレル／シリアル（Ｐ／Ｓ）変換部１２３に供給される。
【００７１】
Ｐ／Ｓ変換部１２３にあっては、２０ビットワード列データＤＰＡ１’（２０）にＰ／Ｓ変換を施して、２０ビットワード列データＤＰＡ１’（２０）に基づくビット伝送レートを７４．２５ＭＢｐｓ×２０＝１．４８５ＧｂｐｓとするシリアルデータＤＳＡ１を形成し、そのシリアルデータＤＳＡ１を電光変換部（Ｅ／Ｏ変換部）１２４に供給する。Ｅ／Ｏ変換部１２４においては、シリアルデータＤＳＡ１に電光変換処理を施し、シリアルデータＤＳＡ１に基づく、中心波長を、例えば、略１．３μｍとする光信号ＯＳＡ１を、ビット伝送レートを１．４８５Ｇｂｐｓとするものとして形成し、それを伝送信号として送出する。
【００７２】
また、データ処理部１２１から送出されるワード伝送レートを７４．２５ＭＢｐｓとする２０ビットワード列データＤＰＡ２（２０），ＤＰＢ１（２０）及びＤＰＢ２（２０）の夫々についても、データ挿入部１２５，１２８及び１３１の夫々，Ｐ／Ｓ変換部１２６，１２９及び１３２の夫々、及び、Ｅ／Ｏ変換部１２７，１３０及び１３３の夫々により、２０ビットワード列データＤＰＡ１（２０）についてのデータ挿入部１２２，Ｐ／Ｓ変換部１２３及びＥ／Ｏ変換部１２４による処理と同様な処理が施され、Ｅ／Ｏ変換部１２７，１３０及び１３３から、夫々、中心波長を、例えば、略１．３μｍとし、ビット伝送レートを１．４８５Ｇｂｐｓとする光信号ＯＳＡ２，ＯＳＢ１及びＯＳＢ２が、伝送信号として送出される。
【００７３】
Ｅ／Ｏ変換部１２４から送出される伝送信号である光信号ＯＳＡ１は、光コネクタ１３５を通じて光ファイバー伝送路１３６に導かれ、光ファイバー伝送路１３６を通じて受信側へと伝送される。また、Ｅ／Ｏ変換部１２７，１３０及び１３３から夫々送出される伝送信号である光信号ＯＳＡ２，ＯＳＢ１及びＯＳＢ２も、光コネクタ１３７，１３９及び１４１を通じて光ファイバー伝送路１３８，１４０及び１４２に導かれ、光ファイバー伝送路１３８，１４０及び１４２を通じて受信側へと伝送される。光ファイバー伝送路１３６，１３８，１４０及び１４２の夫々は、例えば、石英系シングルモードファイバー（石英系ＳＭＦ）が用いられて形成される。
【００７４】
受信側においては、光ファイバー伝送路１３６を通じて伝送された光信号ＯＳＡ１が、光コネクタ１４３を通じて光電変換部（Ｏ／Ｅ変換部）１４４へと導かれる。また、光ファイバー伝送路１３８，１４０及び１４２を夫々通じて伝送された光信号ＯＳＡ２，ＯＳＢ１及びＯＳＢ２が、光コネクタ１４５，１４７及び１４９を通じてＯ／Ｅ変換部１４６，１４８及び１５０へと導かれる。
【００７５】
Ｏ／Ｅ変換部１４４にあっては、中心波長を略１．３μｍとし、ビット伝送レートを１．４８５Ｇｂｐｓとする光信号ＯＳＡ１に光電変換処理を施して、光信号ＯＳＡ１に基づく、ビット伝送レートを１．４８５ＧｂｐｓとするシリアルデータＤＳＡ１を再生する。そして、再生されたシリアルデータＤＳＡ１は、シリアル／パラレル（Ｓ／Ｐ）変換部１５１に供給される。Ｓ／Ｐ変換部１５１にあっては、シリアルデータＤＳＡ１にＳ／Ｐ変換を施して、シリアルデータＤＳＡ１に基づく、ワード伝送レートを７４．２５ＭＢｐｓとする２０ビットワード列データＤＰＡ１’（２０）を再生し、それをデータ時間差吸収部１５２に供給する。
【００７６】
また、Ｏ／Ｅ変換部１４６，１４８及び１５０にあっては、各々が中心波長を略１．３μｍとし、ビット伝送レートを１．４８５Ｇｂｐｓとする光信号ＯＳＡ２，ＯＳＢ１及びＯＳＢ２に光電変換処理を施して、光信号ＯＳＡ２，ＯＳＢ１及びＯＳＢ２に基づく、各々がビット伝送レートを１．４８５ＧｂｐｓとするシリアルデータＤＳＡ２，ＤＳＢ１及びＤＳＢ２を再生する。そして、再生されたシリアルデータＤＳＡ２，ＤＳＢ１及びＤＳＢ２は、夫々、Ｓ／Ｐ変換部１５３，１５４及び１５５に供給される。Ｓ／Ｐ変換部１５３，１５４及び１５５にあっては、シリアルデータＤＳＡ２，ＤＳＢ１及びＤＳＢ２にＳ／Ｐ変換を施して、シリアルデータＤＳＡ２，ＤＳＢ１及びＤＳＢ２に基づく、各々がワード伝送レートを７４．２５ＭＢｐｓとする２０ビットワード列データＤＰＡ２’（２０），ＤＰＢ１’（２０）及びＤＰＢ２’（２０）を再生し、それらをデータ時間差吸収部１５２に供給する。
【００７７】
データ時間差吸収部１５２にあっては、Ｓ／Ｐ変換部１５１，１５３，１５４及び１５５からの２０ビットワード列データＤＰＡ１’（２０），ＤＰＡ２’（２０），ＤＰＢ１’（２０）及びＤＰＢ２’（２０）の間に生じた相互時間差を吸収し、２０ビットワード列データＤＰＡ１’（２０），ＤＰＡ２’（２０），ＤＰＢ１’（２０）及びＤＰＢ２’（２０）の夫々に基づく各々がワード伝送レートを７４．２５ＭＢｐｓとする２０ビットワード列データＤＰＡ１Ｑ’（２０），ＤＰＡ２Ｑ’（２０），ＤＰＢ１Ｑ’（２０）及びＤＰＢ２Ｑ’（２０）を、相互時間差が実質的に無い状態に維持されることが目指されるものとして送出する。
【００７８】
データ時間差吸収部１５２から得られる２０ビットワード列データＤＰＡ１Ｑ’（２０），ＤＰＡ２Ｑ’（２０），ＤＰＢ１Ｑ’（２０）及びＤＰＢ２Ｑ’（２０）は、夫々、データ分離部１５６，１５７，１５８及び１５９に供給される。データ分離部１５６にあっては、２０ビットワード列データＤＰＡ１Ｑ’（２０）から、補助データＤＡＡ１が分離されて、２０ビットワード列データＤＰＡ１Ｑ（２０）と補助データＤＡＡ１とが個別に送出され、２０ビットワード列データＤＰＡ１Ｑ（２０）は、データ再生処理部１６０に供給される。また、データ分離部１５７，１５８及び１５９にあっては、夫々、２０ビットワード列データＤＰＡ２Ｑ’（２０），ＤＰＢ１Ｑ’（２０）及びＤＰＢ２Ｑ’（２０）から、補助データＤＡＡ２，ＤＡＢ１及びＤＡＢ２が分離されて、２０ビットワード列データＤＰＡ２Ｑ（２０），ＤＰＢ１Ｑ（２０）及びＤＰＢ２Ｑ（２０）と補助データＤＡＡ２，ＤＡＢ１及びＤＡＢ２とが個別に送出され、２０ビットワード列データＤＰＡ２Ｑ（２０），ＤＰＢ１Ｑ（２０）及びＤＰＢ２Ｑ（２０）は、データ再生処理部１６０に供給される。
【００７９】
データ再生処理部１６０にあっては、２０ビットワード列データＤＰＡ１Ｑ（２０），ＤＰＡ２Ｑ（２０），ＤＰＢ１Ｑ（２０）及びＤＰＢ２Ｑ（２０）に対して、送信側におけるデータ処理部１２１によりデータＤＶＸに施されるデータ変換処理とは逆のデータ再生処理を施し、２０ビットワード列データＤＰＡ１Ｑ（２０），ＤＰＡ２Ｑ（２０），ＤＰＢ１Ｑ（２０）及びＤＰＢ２Ｑ（２０）に基づくデータＤＶＸを再生する。このようにして再生されるデータＤＶＸは、図６６において、ＤＶＣ１０＋ＤＫＣ１０またはＤＶＤ１０＋ＤＫＤ１０として示されるデータとされる。
【００８０】
図１０は、本願の特許請求の範囲における請求項１から請求項８までのいずれかに記載された発明に係るデータ伝送方法の例が実施される、本願の特許請求の範囲における請求項４０または請求項４１に記載された発明に係るデータ伝送装置の第２の例を含んだデータ送受装置の部分を示す。
【００８１】
図１０に部分が示されるデータ送受装置は、図１及び図２に示されるデータ送受装置と同様に構成される部分を多々有しており、図１０には、図１及び図２に示されるデータ送受装置と異なる部分及びそれに関連する部分のみが示されている。
【００８２】
図１０に部分が示されるデータ送受装置にあっては、図１及び図２に示されるデータ送受装置において備えられているＥ／Ｏ変換部１２４，１２７，１３０及び１３３と、Ｏ／Ｅ変換部１４４，１４６，１４８及び１５０とに代えて、Ｅ／Ｏ変換部１６２及び１６４とＯ／Ｅ変換部１７０及び１７３とを備えている。さらに、図１及び図２に示されるデータ送受装置において備えられている光コネクタ１３５，１３７，１３９及び１４１，光ファイバー伝送路１３６，１３８，１４０及び１４２、及び、光コネクタ１４３，１４５，１４７及び１４９に代えて、光コネクタ１６５及び１６７，光ファイバー伝送路１６６及び１６８、及び、光コネクタ１６９及び１７２を備えている。光ファイバー伝送路１６６及び１６８の夫々は、例えば、石英系ＳＭＦが用いられて形成される。
【００８３】
斯かる図１０に部分が示されるデータ送受装置においては、Ｐ／Ｓ変換部１２３からのビット伝送レートを１．４８５ＧｂｐｓとするシリアルデータＤＳＡ１とＰ／Ｓ変換部１２６からのビット伝送レートを１．４８５ＧｂｐｓとするシリアルデータＤＳＡ２とが、ビット多重部１６１に供給される。ビット多重部１６１にあっては、シリアルデータＤＳＡ１及びＤＳＡ２の夫々から１ビット宛を交互に取り出して順次配列する動作を行い、シリアルデータＤＳＡ１及びＤＳＡ２にビット多重合成処理を施して、ビット伝送レートを１．４８５Ｇｂｐｓ×２＝２．９７Ｇｂｐｓとする複合シリアルデータＤＺＡを形成する。
【００８４】
ビット多重部１６１から得られる複合シリアルデータＤＺＡは、Ｅ／Ｏ変換部１６２に供給される。Ｅ／Ｏ変換部１６２にあっては、複合シリアルデータＤＺＡに基づく、中心波長を、例えば、略１．３μｍとする光信号ＯＺＡを、ビット伝送レートを２．９７Ｇｂｐｓとするものとして形成し、それを伝送信号として送出する。
【００８５】
また、Ｐ／Ｓ変換部１２９からのビット伝送レートを１．４８５ＧｂｐｓとするシリアルデータＤＳＢ１とＰ／Ｓ変換部１３２からのビット伝送レートを１．４８５ＧｂｐｓとするシリアルデータＤＳＢ２とが、ビット多重部１６３に供給される。ビット多重部１６３にあっては、シリアルデータＤＳＢ１及びＤＳＢ２の夫々から１ビット宛を交互に取り出して順次配列する動作を行い、シリアルデータＤＳＢ１及びＤＳＢ２にビット多重合成処理を施して、ビット伝送レートを１．４８５Ｇｂｐｓ×２＝２．９７Ｇｂｐｓとする複合シリアルデータＤＺＢを形成する。
【００８６】
ビット多重部１６３から得られる複合シリアルデータＤＺＢは、Ｅ／Ｏ変換部１６４に供給される。Ｅ／Ｏ変換部１６４にあっては、複合シリアルデータＤＺＢに基づく、中心波長を、例えば、略１．３μｍとする光信号ＯＺＢを、ビット伝送レートを２．９７Ｇｂｐｓとするものとして形成し、それを伝送信号として送出する。
【００８７】
Ｅ／Ｏ変換部１６２から送出される伝送信号である光信号ＯＺＡは、光コネ  クタ１６５を通じて光ファイバー伝送路１６６に導かれ、光ファイバー伝送路１６６を通じて受信側へと伝送される。また、Ｅ／Ｏ変換部１６４から送出される伝送信号である光信号ＯＺＢは、光コネクタ１６７を通じて光ファイバー伝送路１６８に導かれ、光ファイバー伝送路１６８を通じて受信側へと伝送される。
【００８８】
受信側においては、光ファイバー伝送路１６６を通じて伝送された光信号ＯＺＡが、光コネクタ１６９を通じてＯ／Ｅ変換部１７０へと導かれるとともに、光ファイバー伝送路１６８を通じて伝送された光信号ＯＺＢが、光コネクタ１７２を通じてＯ／Ｅ変換部１７３へと導かれる。Ｏ／Ｅ変換部１７０にあっては、中心波長を略１．３μｍとし、ビット伝送レートを２．９７Ｇｂｐｓとする光信号ＯＺＡに光電変換処理を施して、光信号ＯＺＡに基づく、ビット伝送レートを２．９７Ｇｂｐｓとする複合シリアルデータＤＺＡを再生する。そして、再生された複合シリアルデータＤＺＡは、ビット分離部１７１に供給される。Ｏ／Ｅ変換部１７３にあっては、中心波長を略１．３μｍとし、ビット伝送レートを２．９７Ｇｂｐｓとする光信号ＯＺＢに光電変換処理を施して、光信号ＯＺＢに基づく、ビット伝送レートを２．９７Ｇｂｐｓとする複合シリアルデータＤＺＢを再生する。そして、再生された複合シリアルデータＤＺＢは、ビット分離部１７４に供給される。
【００８９】
ビット分離部１７１にあっては、複合シリアルデータＤＺＡから１ビットずつを取り出して、２個の一つ置きのビットグループを形成する動作を行い、複合シリアルデータＤＺＡにビット分離処理を施す。そして、複合シリアルデータＤＺＡに含まれたチャンネル識別データを利用してチャンネルを特定し、複合シリアルデータＤＺＡに基づく、各々がビット伝送レートを２．９７Ｇｂｐｓ／２＝１．４８５Ｇｂｐｓとする２チャンネルのシリアルデータＤＳＡ１及びＤＳＡ２を形成する。シリアルデータＤＳＡ１は、Ｓ／Ｐ変換部１５１に供給され、また、シリアルデータＤＳＡ２は、Ｓ／Ｐ変換部１５３に供給される。
【００９０】
ビット分離部１７４にあっては、複合シリアルデータＤＺＢから１ビットずつを取り出して、２個の一つ置きのビットグループを形成する動作を行い、複合シリアルデータＤＺＢにビット分離処理を施す。そして、複合シリアルデータＤＺＢに含まれたチャンネル識別データを利用してチャンネルを特定し、複合シリアルデータＤＺＢに基づく、各々がビット伝送レートを２．９７Ｇｂｐｓ／２＝１．４８５Ｇｂｐｓとする２チャンネルのシリアルデータＤＳＢ１及びＤＳＢ２を形成する。シリアルデータＤＳＢ１は、Ｓ／Ｐ変換部１５４に供給され、また、シリアルデータＤＳＢ２は、Ｓ／Ｐ変換部１５５に供給される。
【００９１】
その他の動作は、図１及び図２に部分が示されるデータ送受装置と同様である。
【００９２】
図１１は、本願の特許請求の範囲における請求項１から請求項８までのいずれかに記載された発明に係るデータ伝送方法の例が実施される、本願の特許請求の範囲における請求項４０または請求項４１に記載された発明に係るデータ伝送装置の第３の例を含んだデータ送受装置の部分を示す。
【００９３】
図１１に部分が示されるデータ送受装置は、図１０に部分が示されるデータ送受装置と同様に構成される部分を多々有しており、図１１には、図１０に示されるデータ送受装置の部分における各ブロックに対応するブロックが、図１０と共通の符号が付されて示されており、それらについての重複説明は省略される。
【００９４】
図１１に部分が示されるデータ送受装置においては、ビット多重部１６３からの、ビット伝送レートを２．９７Ｇｂｐｓとする複合シリアルデータＤＺＢが、Ｅ／Ｏ変換部１７５に供給される。Ｅ／Ｏ変換部１７５にあっては、複合シリアルデータＤＺＢに基づく、中心波長を、例えば、略１．５５μｍとする光信号ＯＺＢを、ビット伝送レートを２．９７Ｇｂｐｓとするものとして形成する。
【００９５】
Ｅ／Ｏ変換部１６２からの、中心波長を略１．３μｍとし、ビット伝送レートを２．９７Ｇｂｐｓとする光信号ＯＺＡと、Ｅ／Ｏ変換部１７５からの、中心波長を略１．５５μｍとし、ビット伝送レートを２．９７Ｇｂｐｓとする光信号ＯＺＢとは、合波部１７６へと導かれる。合波部１７６は、例えば、誘電体多層膜型ＷＤＭカップラによって形成される。そして、合波部１７６にあっては、中心波長を略１．３μｍとする光信号ＯＺＡと中心波長を略１．５５μｍとする光信号ＯＺＢとを合波して多重化し、多重光信号ＯＺＡＢを形成して、それを伝送信号として送出する。
【００９６】
合波部１７６から送出される伝送信号である多重光信号ＯＺＡＢは、光コネクタ１７７を通じて光ファイバー伝送路１７８に導かれ、光ファイバー伝送路１７８を通じて受信側へと伝送される。
【００９７】
受信側においては、光ファイバー伝送路１７８を通じて伝送された多重光信号ＯＺＡＢが、光コネクタ１７９を通じて分波部１８０へと導かれる。分波部１８０は、例えば、誘電体多層膜型ＷＤＭカップラが分波手段として用いられて形成される。そして、分波部１８０にあっては、多重光信号ＯＺＡＢを、中心波長を略１．３μｍとする成分と中心波長を略１．５５μｍとする成分とに分波して、ビット伝送レートを２．９７Ｇｂｐｓとし、中心波長を略１．３μｍとする光信号ＯＺＡと、ビット伝送レートを２．９７Ｇｂｐｓとし、中心波長を略１．５５μｍとする光信号ＯＺＢとを再生する。
【００９８】
分波部１８０により再生された光信号ＯＺＡ及びＯＺＢは、夫々、Ｏ／Ｅ変換部１７０及び１８１へと導かれる。Ｏ／Ｅ変換部１８１にあっては、中心波長を略１．５５μｍとし、ビット伝送レートを２．９７Ｇｂｐｓとする光信号ＯＺＢに光電変換処理を施して、光信号ＯＺＢに基づく、ビット伝送レートを２．９７Ｇｂｐｓとする複合シリアルデータＤＺＢを再生する。そして、再生された複合シリアルデータＤＺＢは、ビット分離部１７４に供給される。その他の動作は、図１０に部分が示されるデータ送受装置と同様である。
【００９９】
図１２及び図１３は、本願の特許請求の範囲における請求項９から請求項２４までのいずれかに記載された発明に係るデータ伝送方法の例が実施される、本願の特許請求の範囲における請求項４２から請求項４５までのいずれかに記載された発明に係るデータ伝送装置の第１の例を含んだデータ送受装置を示す。
【０１００】
図１２及び図１３に示されるデータ送受装置においては、本願の特許請求の範囲における請求項４２から請求項４５までのいずれかに記載された発明に係るデータ伝送装置の第１の例を構成する送信側において、ディジタル映像信号を成すデータＤＶＸがデータ処理部１９１に供給される。
【０１０１】
データＤＶＸは、図６６において、ＤＶＲ１０＋ＤＫＲ１０，ＤＶＣ１２＋ＤＫＣ１２，ＤＶＣ１４＋ＤＫＣ１４，ＤＶＣ１６＋ＤＫＣ１６，ＤＶＤ１２＋ＤＫＤ１２及びＤＶＳ１０＋ＤＫＳ１０として示されるデータのうちのいずれかとされる。
【０１０２】
データＤＶＸが、図６６においてＤＶＲ１０＋ＤＫＲ１０として示されるデータとされるとき、データ処理部１２１には、フレームレートを７２Ｈｚ，７５Ｈｚもしくは９０Ｈｚとし、各フレームにおけるライン数が１１２５ライン，各フレームにおける有効ライン数が１０８０ライン，各ラインにおける有効データサンプル数が１９２０サンプルに設定された、４：２：２形式のディジタル映像信号を成し、各々が量子化ビット数を１０ビットとしてワード伝送レートを２２２．７５ＭＢｐｓとするＹデータ系列及びＰB ／ＰR データ系列（ＤＶＲ１０）と、Ｙデータ系列と同等のデータフォーマットを有し、量子化ビット数を１０ビットとしてワード伝送レートを２２２．７５ＭＢｐｓとするＫｅｙ信号データ系列（ＤＫＲ１０）とが入力される。Ｋｅｙ信号データ系列は、Ｙデータ系列及びＰB ／ＰR データ系列に付随する付加データ系列を成すものとされる。そして、これらのＹデータ系列，ＰB ／ＰR データ系列及びＫｅｙ信号データ系列は、図１４に示される如くに、フレーム同期及びライン同期がとられたもとでパラレル多重されて得られる、ワード伝送レートを２２２．７５ＭＢｐｓとする３０ビットパラレルデータとして、データ処理部１９１に供給される。
【０１０３】
データ処理部１９１にあっては、図１４に示される如くにして供給されるデータＤＶＲ１０＋ＤＫＲ１０に対して次の処理を施す。
【０１０４】
先ず、図１４に示される如く、データＤＶＲ１０＋ＤＫＲ１０を形成するフレーム部 Frame 1, Frame 2, Frame 3, ・・・・・のうちの第１の二つ置きのフレーム部 Frame 1, Frame 4, Frame 7, ・・・・・, 第２の二つ置きのフレーム部 Frame 2, Frame 5, Frame 8、及び、第３の二つ置きのフレーム部 Frame 3, Frame 6, Frame 9, ・・・・・を、夫々、メモリＡ, メモリＢ及びメモリＣに格納する。
【０１０５】
次に、メモリＡに格納されたフレーム部 Frame 1, Frame 4, Frame 7, ・・・・・の夫々を、フィールドインターレース方式をもって読み出して、フレームレートを７２Ｈｚ／３＝２４Ｈｚ，７５Ｈｚ／３＝２５Ｈｚもしくは９０Ｈｚ／３＝３０Ｈｚとする、一連のセグメンテッドフレーム部 Segmented Frame 1, Segmented Frame 4, Segmented Frame 7, ・・・・・を有した、セグメンテッドフレームディジタル映像信号を成すＹデータ系列及びＰB ／ＰR データ系列とＫｅｙ信号データ系列とを含む３０ビットパラレルデータを形成するものとし、それにより、ワード伝送レートを２２２．７５ＭＢｐｓ／３＝７４．２５ＭＢｐｓとする３０ビットワード列データＤＶＲ１０Ａ＋ＤＫＲ１０Ａを得る。
【０１０６】
また、メモリＢに格納されたフレーム部 Frame 2, Frame 5, Frame 8, ・・・・・の夫々についても、フィールドインターレース方式をもって読み出して、フレームレートを２４Ｈｚ，２５Ｈｚもしくは３０Ｈｚとする、一連のセグメンテッドフレーム部 Segmented Frame 2, Segmented Frame 5, Segmented Frame 8, ・・・・・を有した、セグメンテッドフレームディジタル映像信号を成すＹデータ系列及びＰB ／ＰR データ系列とＫｅｙ信号データ系列とを含む３０ビットパラレルデータを形成するものとし、それにより、ワード伝送レートを７４．２５ＭＢｐｓとする３０ビットワード列データＤＶＲ１０Ｂ＋ＤＫＲ１０Ｂを得る。
【０１０７】
さらに、メモリＣに格納されたフレーム部 Frame 3, Frame 6, Frame 9, ・・・・・の夫々についても、フィールドインターレース方式をもって読み出して、フレームレートを２４Ｈｚ，２５Ｈｚもしくは３０Ｈｚとする、一連のセグメンテッドフレーム部 Segmented Frame 3, Segmented Frame 6, Segmented Frame 9, ・・・・・を有した、セグメンテッドフレームディジタル映像信号を成すＹデータ系列及びＰB ／ＰR データ系列とＫｅｙ信号データ系列とを含む３０ビットパラレルデータを形成するものとし、それにより、ワード伝送レートを７４．２５ＭＢｐｓとする３０ビットワード列データＤＶＲ１０Ｃ＋ＤＫＲ１０Ｃを得る。
【０１０８】
３０ビットワード列データＤＶＲ１０Ａ＋ＤＫＲ１０Ａ，ＤＶＲ１０Ｂ＋ＤＫＲ１０Ｂ及びＤＶＲ１０Ｃ＋ＤＫＲ１０Ｃの夫々は、図１５に示される如くに、Ｙデータ系列を構成する１０ビットワードＹＤ０，ＹＤ１，ＹＤ２，ＹＤ３，・・・・・，ＰB ／ＰR データ系列を構成する１０ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１０ビットワードＡＤ０，ＡＤ１，ＡＤ２，ＡＤ３，・・・・・がパラレル多重されて成り、リンクＡ，リンクＢもしくはリンクＣとして形成される。
【０１０９】
続いて、図１５に示される如くの、３０ビットワード列データＤＶＲ１０Ａ＋ＤＫＲ１０ＡにおけるＹデータ系列を構成する１０ビットワードＹＤ０，ＹＤ１，ＹＤ２，ＹＤ３，・・・・・と、ＰB ／ＰR データ系列を構成する１０ビットワードＰｂＤ０，ＰｒＤ０，ＰｂＤ１，ＰｒＤ１，ＰｂＤ２，ＰｒＤ２，・・・・・とを、パラレル多重して、図１６のＡに示される如くの、ワード伝送レートを７４．２５ＭＢｐｓとする２０ビットワード列データＤＶＲ１０Ａ１をリンクＡ−１として形成する。また、それとともに、３０ビットワード列データＤＶＲ１０Ａ＋ＤＫＲ１０ＡにおけるＫｅｙ信号データ系列を構成する１０ビットワードＡＤ０，ＡＤ１，ＡＤ２，ＡＤ３，・・・・・と、補助１０ビットワードαＤ０，αＤ１，αＤ２，αＤ３，・・・・・とを、パラレル多重して、図１６のＢに示される如くの、ワード伝送レートを７４．２５ＭＢｐｓとする２０ビットワード列データＤＶＲ１０Ａ２をリンクＡ−２として形成する。
【０１１０】
また、図１５に示される如くの、３０ビットワード列データＤＶＲ１０Ｂ＋ＤＫＲ１０ＢにおけるＹデータ系列を構成する１０ビットワードＹＤ０，ＹＤ１，ＹＤ２，ＹＤ３，・・・・・とＰB ／ＰR データ系列を構成する１０ビットワードＰｂＤ０，ＰｒＤ０，ＰｂＤ１，ＰｒＤ１，ＰｂＤ２，ＰｒＤ２，・・・・・とを、パラレル多重して、図１６のＡに示される如くの、ワード伝送レートを７４．２５ＭＢｐｓとする２０ビットワード列データＤＶＲ１０Ｂ１をリンクＢ−１として形成する。それとともに、３０ビットワード列データＤＶＲ１０Ｂ＋ＤＫＲ１０ＢにおけるＫｅｙ信号データ系列を構成する１０ビットワードＡＤ０，ＡＤ１，ＡＤ２，ＡＤ３，・・・・・と、補助１０ビットワードαＤ０，αＤ１，αＤ２，αＤ３，・・・・・とを、パラレル多重して、図１６のＢに示される如くの、ワード伝送レートを７４．２５ＭＢｐｓとする２０ビットワード列データＤＶＲ１０Ｂ２をリンクＢ−２として形成する。
【０１１１】
さらに、図１５に示される如くの、３０ビットワード列データＤＶＲ１０Ｃ＋ＤＫＲ１０ＣにおけるＹデータ系列を構成する１０ビットワードＹＤ０，ＹＤ１，ＹＤ２，ＹＤ３，・・・・・とＰB ／ＰR データ系列を構成する１０ビットワードＰｂＤ０，ＰｒＤ０，ＰｂＤ１，ＰｒＤ１，ＰｂＤ２，ＰｒＤ２，・・・・・とを、パラレル多重して、図１６のＡに示される如くの、ワード伝送レートを７４．２５ＭＢｐｓとする２０ビットワード列データＤＶＲ１０Ｃ１をリンクＣ−１として形成する。それとともに、３０ビットワード列データＤＶＲ１０Ｃ＋ＤＫＲ１０ＣにおけるＫｅｙ信号データ系列を構成する１０ビットワードＡＤ０，ＡＤ１，ＡＤ２，ＡＤ３，・・・・・と、補助１０ビットワードαＤ０，αＤ１，αＤ２，αＤ３，・・・・・とを、パラレル多重して、図１６のＢに示される如くの、ワード伝送レートを７４．２５ＭＢｐｓとする２０ビットワード列データＤＶＲ１０Ｃ２をリンクＣ−２として形成する。
【０１１２】
即ち、データ処理部１９１にあっては、ワード伝送レートを２２２．７５ＭＢｐｓとする３０ビットワード列データを形成するデータＤＶＲ１０＋ＤＫＲ１０を、各々がワード伝送レートを７４．２５ＭＢｐｓとする２０ビットワード列データＤＶＲ１０Ａ１，ＤＶＲ１０Ａ２，ＤＶＲ１０Ｂ１，ＤＶＲ１０Ｂ２，ＤＶＲ１０Ｃ１及びＤＶＲ１０Ｃ２の６系統のワード列データに変換するのである。
【０１１３】
データＤＶＸが、図６６においてＤＶＣ１２＋ＤＫＣ１２として示されるデータとされるとき、データ処理部１９１には、フレームレートを５０Ｈｚもしくは６０Ｈｚとし、各フレームにおけるライン数が１１２５ライン，各フレームにおける有効ライン数が１０８０ライン，各ラインにおける有効データサンプル数が１９２０サンプルに設定された、４：２：２形式のディジタル映像信号を成し、各々が量子化ビット数を１２ビットとしてワード伝送レートを１４８．５ＭＢｐｓとするＹデータ系列及びＰB ／ＰR データ系列（ＤＶＣ１２）と、Ｙデータ系列と同等のデータフォーマットを有し、量子化ビット数を１２ビットとしてワード伝送レートを１４８．５ＭＢｐｓとするＫｅｙ信号データ系列（ＤＫＣ１２）とが入力される。Ｋｅｙ信号データ系列は、Ｙデータ系列及びＰB ／ＰR データ系列に付随する付加データ系列を成すものとされる。そして、これらのＹデータ系列，ＰB ／ＰR データ系列及びＫｅｙ信号データ系列は、図１７に示される如くに、フレーム同期及びライン同期がとられたもとでパラレル多重されて得られる、ワード伝送レートを１４８．５ＭＢｐｓとする３６ビットパラレルデータとして、データ処理部１９１に供給される。
【０１１４】
データ処理部１９１にあっては、図１７に示される如くにして供給されるデータＤＶＣ１２＋ＤＫＣ１２に対して次の処理を施す。
【０１１５】
先ず、図１７に示される如く、データＤＶＣ１２＋ＤＫＣ１２を形成するフレーム部 Frame 1, Frame 2, Frame 3, ・・・・・のうちの第１の一つ置きのフレーム部 Frame 1, Frame 3, Frame 5, ・・・・・及び第２の一つ置きのフレーム部 Frame 2, Frame 4, Frame 6, ・・・・・を、夫々、メモリＡ及びメモリＢに格納する。
【０１１６】
次に、メモリＡに格納されたフレーム部 Frame 1, Frame 3, Frame 5, ・・・・・の夫々を、フィールドインターレース方式をもって読み出して、フレームレートを５０Ｈｚ／２＝２５Ｈｚもしくは６０Ｈｚ／２＝３０Ｈｚとする、一連のセグメンテッドフレーム部 Segmented Frame 1, Segmented Frame 3, Segmented Frame 5, ・・・・・を有した、セグメンテッドフレームディジタル映像信号を成すＹデータ系列及びＰB ／ＰR データ系列とＫｅｙ信号データ系列とを含む３６ビットパラレルデータを形成するものとし、それにより、ワード伝送レートを１４８．５ＭＢｐｓ／２＝７４．２５ＭＢｐｓとする３６ビットワード列データＤＶＣ１２Ａ＋ＤＫＣ１２Ａを得る。また、メモリＢに格納されたフレーム部 Frame 2, Frame 4, Frame 6, ・・・・・の夫々についても、フィールドインターレース方式をもって読み出して、フレームレートを２５Ｈｚもしくは３０Ｈｚとする、一連のセグメンテッドフレーム部 Segmented Frame 2, Segmented Frame 4, Segmented Frame 6, ・・・・・を有した、セグメンテッドフレームディジタル映像信号を成すＹデータ系列及びＰB ／ＰR データ系列とＫｅｙ信号データ系列とを含む３６ビットパラレルデータを形成するものとし、それにより、ワード伝送レートを７４．２５ＭＢｐｓとする３６ビットワード列データＤＶＣ１２Ｂ＋ＤＫＣ１２Ｂを得る。
【０１１７】
３６ビットワード列データＤＶＣ１２Ａ＋ＤＫＣ１２Ａは、図１８のＡに示される如くに、Ｙデータ系列を構成する１２ビットワードＹＤ０，ＹＤ１，ＹＤ２，ＹＤ３，・・・・・，ＰB ／ＰR データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・がパラレル多重されて成り、リンクＡとして形成される。また、３６ビットワード列データＤＶＣ１２Ｂ＋ＤＫＣ１２Ｂも、図１８のＢに示される如くに、Ｙデータ系列を構成する１２ビットワードＹＤ０，ＹＤ１，ＹＤ２，ＹＤ３，・・・・・，ＰB ／ＰR データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・がパラレル多重されて成り、リンクＢとして形成される。
【０１１８】
続いて、図１８のＡに示される如くの、３６ビットワード列データＤＶＣ１２Ａ＋ＤＫＣ１２ＡにおけるＹデータ系列を構成する１２ビットワードＹＤ０，ＹＤ１，ＹＤ２，ＹＤ３，・・・・・，ＰB ／ＰR データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１  Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１  Ａ１；０−１，Ａ２；０−１，Ａ３；０−１，・・・・・とに分割する。
【０１１９】
そして、分割された上位１０ビットの列：Ｙ０；２−１１，Ｙ１；２−１１，Ｙ２；２−１１，Ｙ３；２−１１，・・・・・と分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＣ１２Ａ１を、リンクＡ−１として、図１９のＡに示される如くに形成する。
【０１２０】
また、分割された下位２ビットＹ０；０−１，Ｙ１；０−１，Ｙ２；０−１，Ｙ３；０−１，・・・・・に、８ビットの補助ビットｃ０，ｃ１，ｃ２，ｃ３，・・・・・を夫々加えて、１０ビット [Ｙ０；０−１] ＋ｃ０， [Ｙ１；０−１] ＋ｃ１， [Ｙ２；０−１] ＋ｃ２， [Ｙ３；０−１] ＋ｃ３，・・・・・とするとともに、分割された下位２ビットＰｂ０；０−１，Ｐｒ０；０−１，Ｐｂ１；０−１，Ｐｒ１；０−１，Ｐｂ２；０−１，Ｐｒ０；２−１，・・・・・に、８ビットの補助ビットｄ０，ｄ１，ｄ２，ｄ３，・・・・・を夫々加えて、１０ビット [Ｐｂ０；０−１] ＋ｄ０， [Ｐｒ０；０−１] ＋ｄ１， [Ｐｂ１；０−１] ＋ｄ２， [Ｐｒ１；０−１] ＋ｄ３， [Ｐｂ２；０−１] ＋ｄ４， [Ｐｒ２；０−１] ＋ｄ５，・・・・・とする。そして、１０ビットの列： [Ｙ０；０−１] ＋ｃ０， [Ｙ１；０−１] ＋ｃ１， [Ｙ２；０−１] ＋ｃ２， [Ｙ３；０−１] ＋ｃ３，・・・・・と１０ビットの列： [Ｐｂ０；０−１] ＋ｄ０， [Ｐｒ０；０−１] ＋ｄ１， [Ｐｂ１；０−１] ＋ｄ２， [Ｐｒ１；０−１] ＋ｄ３， [Ｐｂ２；０−１] ＋ｄ４， [Ｐｒ２；０−１] ＋ｄ５，・・・・・とをパラレル多重して、ワード伝送レートを７４．２５ＭＢｐｓとする２０ビットワード列データＤＶＣ１２Ａ２を、リンクＡ−２として、図１９のＢに示される如くに形成する。
【０１２１】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット [Ａ０；０−１] ＋ｅ０， [Ａ１；０−１] ＋ｅ１， [Ａ２；０−１] ＋ｅ２， [Ａ３；０−１] ＋ｅ３，・・・・・とし、分割された上位１０ビットの列：Ａ０；２−１１，Ａ１；２−１１，Ａ２；２−１１，Ａ３；２−１１・・・・・と１０ビットの列： [Ａ０；０−１] ＋ｅ０， [Ａ１；０−１] ＋ｅ１， [Ａ２；０−１] ＋ｅ２， [Ａ３；０−１] ＋ｅ３，・・・・・とをパラレル多重して、ワード伝送レートを７４．２５ＭＢｐｓとする２０ビットワード列データＤＶＣ１２Ａ３を、リンクＡ−３として、図１９のＣに示される如くに形成する。
【０１２２】
同様にして、図１８のＢに示される如くの、３６ビットワード列データＤＶＣ１２Ｂ＋ＤＫＣ１２ＢにおけるＹデータ系列を構成する１２ビットワードＹＤ０，ＹＤ１，ＹＤ２，ＹＤ３，・・・・・，ＰB ／ＰR データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１  Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１  Ａ１；０−１，Ａ２；０−１，Ａ３；０−１，・・・・・とに分割する。
【０１２３】
そして、分割された上位１０ビットの列：Ｙ０；２−１１，Ｙ１；２−１１，Ｙ２；２−１１，Ｙ３；２−１１，・・・・・と分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＣ１２Ｂ１を、リンクＢ−１として、図１９のＡに示される如くに形成する。
【０１２４】
また、分割された下位２ビットＹ０；０−１，Ｙ１；０−１，Ｙ２；０−１，Ｙ３；０−１，・・・・・に、８ビットの補助ビットｃ０，ｃ１，ｃ２，ｃ３，・・・・・を夫々加えて、１０ビット [Ｙ０；０−１] ＋ｃ０， [Ｙ１；０−１] ＋ｃ１， [Ｙ２；０−１] ＋ｃ２， [Ｙ３；０−１] ＋ｃ３，・・・・・とするとともに、分割された下位２ビットＰｂ０；０−１，Ｐｒ０；０−１，Ｐｂ１；０−１，Ｐｒ１；０−１，Ｐｂ２；０−１，Ｐｒ０；２−１，・・・・・に、８ビットの補助ビットｄ０，ｄ１，ｄ２，ｄ３，・・・・・を夫々加えて、１０ビット [Ｐｂ０；０−１] ＋ｄ０， [Ｐｒ０；０−１] ＋ｄ１， [Ｐｂ１；０−１] ＋ｄ２， [Ｐｒ１；０−１] ＋ｄ３， [Ｐｂ２；０−１] ＋ｄ４， [Ｐｒ２；０−１] ＋ｄ５，・・・・・とする。そして、１０ビットの列： [Ｙ０；０−１] ＋ｃ０， [Ｙ１；０−１] ＋ｃ１， [Ｙ２；０−１] ＋ｃ２， [Ｙ３；０−１] ＋ｃ３，・・・・・と１０ビットの列： [Ｐｂ０；０−１] ＋ｄ０， [Ｐｒ０；０−１] ＋ｄ１， [Ｐｂ１；０−１] ＋ｄ２， [Ｐｒ１；０−１] ＋ｄ３， [Ｐｂ２；０−１] ＋ｄ４， [Ｐｒ２；０−１] ＋ｄ５，・・・・・とをパラレル多重して、ワード伝送レートを７４．２５ＭＢｐｓとする２０ビットワード列データＤＶＣ１２Ｂ２を、リンクＢ−２として、図１９のＢに示される如くに形成する。
【０１２５】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット [Ａ０；０−１] ＋ｅ０， [Ａ１；０−１] ＋ｅ１， [Ａ２；０−１] ＋ｅ２， [Ａ３；０−１] ＋ｅ３，・・・・・とし、分割された上位１０ビットの列：Ａ０；２−１１，Ａ１；２−１１，Ａ２；２−１１，Ａ３；２−１１・・・・・と１０ビットの列： [Ａ０；０−１] ＋ｅ０， [Ａ１；０−１] ＋ｅ１， [Ａ２；０−１] ＋ｅ２， [Ａ３；０−１] ＋ｅ３，・・・・・とをパラレル多重して、ワード伝送レートを７４．２５ＭＢｐｓとする２０ビットワード列データＤＶＣ１２Ｂ３を、リンクＢ−３として、図１９のＣに示される如くに形成する。
【０１２６】
即ち、データ処理部１９１にあっては、ワード伝送レートを１４８．５ＭＢｐｓとする３６ビットワード列データを形成するデータＤＶＣ１２＋ＤＫＣ１２を、各々がワード伝送レートを７４．２５ＭＢｐｓとする２０ビットワード列データＤＶＣ１２Ａ１，ＤＶＣ１２Ａ２，ＤＶＣ１２Ａ３，ＤＶＣ１２Ｂ１，ＤＶＣ１２Ｂ２及びＤＶＣ１２Ｂ３の６系統のワード列データに変換するのである。
【０１２７】
また、データ処理部１９１にあっては、図１８のＡ及びＢに示される如くに得られるデータＤＶＣ１２Ａ＋ＤＫＣ１２Ａ及びＤＶＣ１２Ｂ＋ＤＫＣ１２Ｂに対し、上述の処理に代えた別の処理として、次の処理を施す。
【０１２８】
先ず、図１８のＡに示される如くの、３６ビットワード列データＤＶＣ１２Ａ＋ＤＫＣ１２ＡにおけるＹデータ系列を構成する１２ビットワードＹＤ０，ＹＤ１，ＹＤ２，ＹＤ３，・・・・・，ＰB ／ＰR データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１  Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１  Ａ１；０−１，Ａ２；０−１，Ａ３；０−１，・・・・・とに分割する。
【０１２９】
そして、分割された上位１０ビットの列：Ｙ０；２−１１，Ｙ１；２−１１，Ｙ２；２−１１，Ｙ３；２−１１，・・・・・と分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＣ１２Ａ１を、リンクＡ−１として、図２０のＡに示される如くに形成する。
【０１３０】
また、分割された下位２ビットＹ０；０−１とＰｂ０；０−１とＰｒ０；０−１とを多重するとともに４ビットの補助ビットｄ０を加えて得られる１０ビット [Ｙ０ＢＲ０；０−１] ＋ｄ０，分割された下位２ビットＹ１；０−１に８ビットの補助ビットｅ０を加えて得られる１０ビット [Ｙ１；０−１] ＋ｅ０，分割された下位２ビットＹ２；０−１とＰｂ１；０−１とＰｒ１；０−１とを多重するとともに４ビットの補助ビットｄ１を加えて得られる１０ビット [Ｙ２ＢＲ１；０−１] ＋ｄ１，分割された下位２ビットＹ３；０−１に８ビットの補助ビットｅ１を加えて得られる１０ビット [Ｙ３；０−１] ＋ｅ１，分割された下位２ビットＹ４；０−１とＰｂ２；０−１とＰｒ２；０−１とを多重するとともに４ビットの補助ビットｄ２を加えて得られる１０ビット [Ｙ４ＢＲ２；０−１] ＋ｄ２，分割された下位２ビットＹ５；０−１に８ビットの補助ビットｅ２を加えて得られる１０ビット [Ｙ５；０−１] ＋ｅ２，・・・・・を形成する。そして、このようにして得た１０ビットの列と補助１０ビットワードαＤ０，αＤ１，αＤ２，αＤ３，・・・・・とをパラレル多重して、ワード伝送レートを７４．２５ＭＢｐｓとする２０ビットワード列データＤＶＣ１２Ａ２を、リンクＡ−２として、図２０のＢに示される如くに形成する。
【０１３１】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット [Ａ０；０−１] ＋ｅ０， [Ａ１；０−１] ＋ｅ１， [Ａ２；０−１] ＋ｅ２， [Ａ３；０−１] ＋ｅ３，・・・・・とし、分割された上位１０ビットの列：Ａ０；２−１１，Ａ１；２−１１，Ａ２；２−１１，Ａ３；２−１１・・・・・と１０ビットの列： [Ａ０；０−１] ＋ｅ０， [Ａ１；０−１] ＋ｅ１， [Ａ２；０−１] ＋ｅ２， [Ａ３；０−１] ＋ｅ３，・・・・・とをパラレル多重して、ワード伝送レートを７４．２５ＭＢｐｓとする２０ビットワード列データＤＶＣ１２Ａ３を、リンクＡ−３として、図２０のＣに示される如くに形成する。
【０１３２】
同様にして、図１８のＢに示される如くの、３６ビットワード列データＤＶＣ１２Ｂ＋ＤＫＣ１２ＢにおけるＹデータ系列を構成する１２ビットワードＹＤ０，ＹＤ１，ＹＤ２，ＹＤ３，・・・・・，ＰB ／ＰR データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１  Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１  Ａ１；０−１，Ａ２；０−１，Ａ３；０−１，・・・・・とに分割する。
【０１３３】
そして、分割された上位１０ビットの列：Ｙ０；２−１１，Ｙ１；２−１１，Ｙ２；２−１１，Ｙ３；２−１１，・・・・・と分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＣ１２Ｂ１を、リンクＢ−１として、図２０のＡに示される如くに形成する。
【０１３４】
また、分割された下位２ビットＹ０；０−１とＰｂ０；０−１とＰｒ０；０−１とを多重するとともに４ビットの補助ビットｄ０を加えて得られる１０ビット [Ｙ０ＢＲ０；０−１] ＋ｄ０，分割された下位２ビットＹ１；０−１に８ビットの補助ビットｅ０を加えて得られる１０ビット [Ｙ１；０−１] ＋ｅ０，分割された下位２ビットＹ２；０−１とＰｂ１；０−１とＰｒ１；０−１とを多重するとともに４ビットの補助ビットｄ１を加えて得られる１０ビット [Ｙ２ＢＲ１；０−１] ＋ｄ１，分割された下位２ビットＹ３；０−１に８ビットの補助ビットｅ１を加えて得られる１０ビット [Ｙ３；０−１] ＋ｅ１，分割された下位２ビットＹ４；０−１とＰｂ２；０−１とＰｒ２；０−１とを多重するとともに４ビットの補助ビットｄ２を加えて得られる１０ビット [Ｙ４ＢＲ２；０−１] ＋ｄ２，分割された下位２ビットＹ５；０−１に８ビットの補助ビットｅ２を加えて得られる１０ビット [Ｙ５；０−１] ＋ｅ２，・・・・・を形成する。そして、このようにして得た１０ビットの列と補助１０ビットワードαＤ０，αＤ１，αＤ２，αＤ３，・・・・・とをパラレル多重して、ワード伝送レートを７４．２５ＭＢｐｓとする２０ビットワード列データＤＶＣ１２Ｂ２を、リンクＢ−２として、図２０のＢに示される如くに形成する。
【０１３５】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット [Ａ０；０−１] ＋ｅ０， [Ａ１；０−１] ＋ｅ１， [Ａ２；０−１] ＋ｅ２， [Ａ３；０−１] ＋ｅ３，・・・・・とし、分割された上位１０ビットの列：Ａ０；２−１１，Ａ１；２−１１，Ａ２；２−１１，Ａ３；２−１１・・・・・と１０ビットの列： [Ａ０；０−１] ＋ｅ０， [Ａ１；０−１] ＋ｅ１， [Ａ２；０−１] ＋ｅ２， [Ａ３；０−１] ＋ｅ３，・・・・・とをパラレル多重して、ワード伝送レートを７４．２５ＭＢｐｓとする２０ビットワード列データＤＶＣ１２Ｂ３を、リンクＢ−３として、図２０のＣに示される如くに形成する。
【０１３６】
即ち、斯かる場合にも、ワード伝送レートを１４８．５ＭＢｐｓとする３６ビットワード列データを形成するデータＤＶＣ１２＋ＤＫＣ１２を、各々がワード伝送レートを７４．２５ＭＢｐｓとする２０ビットワード列データＤＶＣ１２Ａ１，ＤＶＣ１２Ａ２，ＤＶＣ１２Ａ３，ＤＶＣ１２Ｂ１，ＤＶＣ１２Ｂ２及びＤＶＣ１２Ｂ３の６系統のワード列データに変換するのである。
【０１３７】
データＤＶＸが、図６６においてＤＶＣ１４＋ＤＫＣ１４として示されるデータもしくはＤＶＣ１６＋ＤＫＣ１６として示されるデータであるときには、データ処理部１９１には、フレームレートを５０Ｈｚもしくは６０Ｈｚとし、各フレームにおけるライン数が１１２５ライン，各フレームにおける有効ライン数が１０８０ライン，各ラインにおける有効データサンプル数が１９２０サンプルに設定された、４：２：２形式のディジタル映像信号を成し、各々が量子化ビット数を１４ビットもしくは１６ビットとしてワード伝送レートを１４８．５ＭＢｐｓとするＹデータ系列及びＰB ／ＰR データ系列（ＤＶＣ１４もしくはＤＶＣ１６）と、Ｙデータ系列と同等のデータフォーマットを有し、量子化ビット数を１４ビットもしくは１６ビットとしてワード伝送レートを１４８．５ＭＢｐｓとするＫｅｙ信号データ系列（ＤＫＣ１４もしくはＤＫＣ１６）とが入力される。Ｋｅｙ信号データ系列は、Ｙデータ系列及びＰB ／ＰR データ系列に付随する付加データ系列を成すものとされる。そして、これらのＹデータ系列，ＰB ／ＰR データ系列及びＫｅｙ信号データ系列は、フレーム同期及びライン同期がとられたもとでパラレル多重されて得られる、ワード伝送レートを１４８．５ＭＢｐｓとする４２ビットパラレルデータもしくは４８ビットパラレルデータとして、データ処理部１９１に供給される。
【０１３８】
斯かる際にも、データ処理部１９１は、データＤＶＣ１４＋ＤＫＣ１４もしくはＤＶＣ１６ＤＫＣ１６に対して、データＤＶＣ１２＋ＤＫＣ１２に対する場合と同様な処理を施す。但し、Ｙデータ系列，ＰB ／ＰR データ系列及びＫｅｙ信号データ系列を構成する１２ビットワードの夫々を、上位１０ビットと下位２ビットとに分割する動作に代えて、Ｙデータ系列，ＰB ／ＰR データ系列及びＫｅｙ信号データ系列を構成する１４ビットワードの夫々を、上位１０ビットと下位４ビットとに分割する動作、もしくは、Ｙデータ系列，ＰB ／ＰR データ系列及びＫｅｙ信号データ系列を構成する１６ビットワードの夫々を、上位１０ビットと下位６ビットとに分割する動作を行う。
【０１３９】
そして、ワード伝送レートを１４８．５ＭＢｐｓとする４２ビットワード列データもしくは４８ビットワード列データを形成するデータＤＶＣ１４＋ＤＫＣ１４もしくはＤＶＣ１６＋ＤＫＣ１６を、各々がワード伝送レートを７４．２５ＭＢｐｓとする２０ビットワード列データＤＶＣ１４Ａ１もしくはＤＶＣ１６Ａ１，ＤＶＣ１４Ａ２もしくはＤＶＣ１６Ａ２，ＤＶＣ１４Ａ３もしくはＤＶＣ１６Ａ３，ＤＶＣ１４Ｂ１もしくはＤＶＣ１６Ｂ１，ＤＶＣ１４Ｂ２もしくはＤＶＣ１６Ｂ２、及び、ＤＶＣ１４Ｂ３もしくはＤＶＣ１６Ｂ３の６系統のワード列データに変換する。
【０１４０】
データＤＶＸが、図６６においてＤＶＤ１２＋ＤＫＤ１２として示されるデータであるとき、データ処理部１９１には、フレームレートを５０Ｈｚもしくは６０Ｈｚとし、各フレームにおけるライン数が１１２５ライン，各フレームにおける有効ライン数が１０８０ライン，各ラインにおける有効データサンプル数が１９２０サンプルに設定された、４：４：４形式のディジタル映像信号を成し、各々がワード伝送レートを１４８．５ＭＢｐｓとして量子化ビット数を１２ビットとするＧデータ系列，Ｂデータ系列及びＲデータ系列（ＤＶＤ１２）と、Ｇデータ系列と同等のデータフォーマットを有し、量子化ビット数を１２ビットとしてワード伝送レートを１４８．５ＭＢｐｓとするＫｅｙ信号データ系列（ＤＫＤ１２）とが入力される。Ｋｅｙ信号データ系列は、Ｇデータ系列，Ｂデータ系列及びＲデータ系列に付随する付加データ系列を成すものとされる。そして、これらのＧデータ系列，Ｂデータ系列，Ｒデータ系列及びＫｅｙ信号データ系列は、図２１に示される如くに、フレーム同期及びライン同期がとられたもとでパラレル多重されて得られる、ワード伝送レートを１４８．５ＭＢｐｓとする４８ビットパラレルデータとして、データ処理部１９１に供給される。
【０１４１】
データ処理部１９１にあっては、図２１に示される如くにして供給されるデータＤＶＤ１２＋ＤＫＤ１２に対して次の処理を施す。
【０１４２】
先ず、図２１に示される如く、データＤＶＤ１２＋ＤＫＤ１２を形成するフレーム部 Frame 1, Frame 2, Frame 3, ・・・・・のうちの第１の一つ置きのフレーム部 Frame 1, Frame 3, Frame 5, ・・・・・及び第２の一つ置きのフレーム部 Frame 2, Frame 4, Frame 6, ・・・・・を、夫々、メモリＡ及びメモリＢに格納する。
【０１４３】
次に、メモリＡに格納されたフレーム部 Frame 1, Frame 3, Frame 5, ・・・・・の夫々を、フィールドインターレース方式をもって読み出して、フレームレートを５０Ｈｚ／２＝２５Ｈｚもしくは６０Ｈｚ／２＝３０Ｈｚとする、一連のセグメンテッドフレーム部 Segmented Frame 1, Segmented Frame 3, Segmented Frame 5, ・・・・・を有した、セグメンテッドフレームディジタル映像信号を成すＧデータ系列，Ｂデータ系列及びＲデータ系とＫｅｙ信号データ系列とを含む４８ビットパラレルデータを形成するものとし、それにより、ワード伝送レートを１４８．５ＭＢｐｓ／２＝７４．２５ＭＢｐｓとする４８ビットワード列データＤＶＤ１２Ａ＋ＤＫＤ１２Ａを得る。また、メモリＢに格納されたフレーム部 Frame 2, Frame 4, Frame 6, ・・・・・の夫々についても、フィールドインターレース方式をもって読み出して、フレームレートを２５Ｈｚもしくは３０Ｈｚとする、一連のセグメンテッドフレーム部 Segmented Frame 2, Segmented Frame 4, Segmented Frame 6, ・・・・・を有した、セグメンテッドフレームディジタル映像信号を成すＧデータ系列，Ｂデータ系列及びＲデータ系列とＫｅｙ信号データ系列とを含む４８ビットパラレルデータを形成するものとし、それにより、ワード伝送レートを１４８．５ＭＢｐｓ／２＝７４．２５ＭＢｐｓとする４８ビットワード列データＤＶＤ１２Ｂ＋ＤＫＤ１２Ｂを得る。
【０１４４】
４８ビットワード列データＤＶＤ１２Ａ＋ＤＫＤ１２Ａは、図２２のＡに示される如くに、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・，Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・がパラレル多重されて成り、リンクＡとして形成される。
【０１４５】
また、４８ビットワード列データＤＶＤ１２Ｂ＋ＤＫＤ１２Ｂも、図２２のＢに示される如くに、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・，Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・がパラレル多重されて成り、リンクＢとして形成される。
【０１４６】
続いて、図２２のＡに示される如くの、４８ビットワード列データＤＶＤ１２Ａ＋ＤＫＤ１２Ａにおける、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・の夫々を、上位１０ビットＧ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・，Ｒ０；２−１１，Ｒ１；２−１１，Ｒ２；２−１１，Ｒ３；２−１１，・・・・・、及び、Ａ０；２−１１，Ａ１；２−１１，Ａ２；２−１１，Ａ３；２−１１，・・・・・と、下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・、及び、Ａ０；０−１，Ａ１；０−１，Ａ２；０−１，Ａ３；０−１，・・・・・とに分割する。
【０１４７】
次に、分割された下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・、及び、Ｒ０；０−１，Ｒ１；０−１，Ｒ２；０−１，Ｒ３；０−１，・・・・・に基づいて、Ｇ０；０−１とＢ０；０−１とＲ０；０−１とをビット多重するとともに４ビットの補助ビットｆ０を加えて得られる１０ビット [ＧＢＲ０：０−１] ＋ｆ０，Ｇ１；０−１とＢ１；０−１とＲ１；０−１とをビット多重するとともに４ビットの補助ビットｆ１を加えて得られる１０ビット [ＧＢＲ１：０−１] ＋ｆ１，Ｇ２；０−１とＢ２；０−１とＲ２；０−１とをビット多重するとともに４ビットの補助ビットｆ２を加えて得られる１０ビット [ＧＢＲ２：０−１] ＋ｆ２，Ｇ３；０−１とＢ３；０−１とＲ３；０−１とをビット多重するとともに４ビットの補助ビットｆ３を加えて得られる１０ビット [ＧＢＲ３：０−１] ＋ｆ３，・・・・・を形成する。
【０１４８】
続いて、図２３に示される如くの、分割された上位１０ビットの列：Ｇ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・、及び、Ｒ０；２−１１，Ｒ１；２−１１，Ｒ２；２−１１，Ｒ３；２−１１，・・・・・と、形成された１０ビットの列： [ＧＢＲ０：０−１] ＋ｆ０， [ＧＢＲ１：０−１] ＋ｆ１， [ＧＢＲ２：０−１] ＋ｆ２， [ＧＢＲ３：０−１] ＋ｆ３，・・・・・とを、図２３において太実線により区切られている如くに区分し、分割された上位１０ビットの列：Ｇ０；２−１１，Ｇ１；２−１１，Ｇ２；２−１１，Ｇ３；２−１１，・・・・・と、分割された上位１０ビット：Ｂ０；２−１１，Ｂ２；２−１１，Ｂ４；２−１１，・・・・・、及び、Ｒ０；２−１１，Ｒ２；２−１１，Ｒ４；２−１１，・・・・・とを含む１０ビットワードグループ１と、分割された上位１０ビット：Ｂ１；２−１１，Ｂ３；２−１１，Ｂ５；２−１１，・・・・・及びＲ１；２−１１，Ｒ３；２−１１，Ｒ５；２−１１，・・・・・と、形成された１０ビットの列： [ＧＢＲ０：０−１] ＋ｆ０， [ＧＢＲ１：０−１] ＋ｆ１， [ＧＢＲ２：０−１] ＋ｆ２， [ＧＢＲ３：０−１] ＋ｆ３，・・・・・とを含む１０ビットワードグループ２とに振り分ける。
【０１４９】
そして、図２３に示される１０ビットワードグループ１に基づく、ワード伝送レートを７４．２５ＭＢｐｓとする２０ビットワード列データＤＶＤ１２Ａ１を、リンクＡ−１として、図２４のＡに示される如くに形成する。また、図２３に示される１０ビットワードグループ２に基づく、ワード伝送レートを７４．２５ＭＢｐｓとする２０ビットワード列データＤＶＤ１２Ａ２を、リンクＡ−２として、図２４のＢに示される如くに形成する。
【０１５０】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット [Ａ０；０−１] ＋ｅ０， [Ａ１；０−１] ＋ｅ１， [Ａ２；０−１] ＋ｅ２， [Ａ３；０−１] ＋ｅ３，・・・・・とし、分割された上位１０ビットの列：Ａ０；２−１１，Ａ１；２−１１，Ａ２；２−１１，Ａ３；２−１１，・・・・・と１０ビットの列： [Ａ０；０−１] ＋ｅ０， [Ａ１；０−１] ＋ｅ１， [Ａ２；０−１] ＋ｅ２， [Ａ３；０−１] ＋ｅ３，・・・・・とをパラレル多重して、ワード伝送レートを７４．２５ＭＢｐｓとする２０ビットワード列データＤＶＤ１２Ａ３を、リンクＡ−３として、図２４のＣに示される如くに形成する。
【０１５１】
また、図２２のＢに示される如くの、４８ビットワード列データＤＶＤ１２Ｂ＋ＤＫＤ１２Ｂにおける、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・の夫々を、上位１０ビットＧ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・，Ｒ０；２−１１，Ｒ１；２−１１，Ｒ２；２−１１，Ｒ３；２−１１，・・・・・、及び、Ａ０；２−１１，Ａ１；２−１１，Ａ２；２−１１，Ａ３；２−１１，・・・・・と、下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・、及び、Ａ０；０−１，Ａ１；０−１，Ａ２；０−１，Ａ３；０−１，・・・・・とに分割する。
【０１５２】
次に、分割された下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・、及び、Ｒ０；０−１，Ｒ１；０−１，Ｒ２；０−１，Ｒ３；０−１，・・・・・に基づいて、Ｇ０；０−１とＢ０；０−１とＲ０；０−１とをビット多重するとともに４ビットの補助ビットｆ０を加えて得られる１０ビット [ＧＢＲ０：０−１] ＋ｆ０，Ｇ１；０−１とＢ１；０−１とＲ１；０−１とをビット多重するとともに４ビットの補助ビットｆ１を加えて得られる１０ビット [ＧＢＲ１：０−１] ＋ｆ１，Ｇ２；０−１とＢ２；０−１とＲ２；０−１とをビット多重するとともに４ビットの補助ビットｆ２を加えて得られる１０ビット [ＧＢＲ２：０−１] ＋ｆ２，Ｇ３；０−１とＢ３；０−１とＲ３；０−１とをビット多重するとともに４ビットの補助ビットｆ３を加えて得られる１０ビット [ＧＢＲ３：０−１] ＋ｆ３，・・・・・を形成する。
【０１５３】
続いて、図２３に示される如くの、分割された上位１０ビットの列：Ｇ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・、及び、Ｒ０；２−１１，Ｒ１；２−１１，Ｒ２；２−１１，Ｒ３；２−１１，・・・・・と、形成された１０ビットの列： [ＧＢＲ０：０−１] ＋ｆ０， [ＧＢＲ１：０−１] ＋ｆ１， [ＧＢＲ２：０−１] ＋ｆ２， [ＧＢＲ３：０−１] ＋ｆ３，・・・・・とを、図２３において太実線により区切られている如くに区分し、分割された上位１０ビットの列：Ｇ０；２−１１，Ｇ１；２−１１，Ｇ２；２−１１，Ｇ３；２−１１，・・・・・と、分割された上位１０ビット：Ｂ０；２−１１，Ｂ２；２−１１，Ｂ４；２−１１，・・・・・、及び、Ｒ０；２−１１，Ｒ２；２−１１，Ｒ４；２−１１，・・・・・とを含む１０ビットワードグループ１と、分割された上位１０ビット：Ｂ１；２−１１，Ｂ３；２−１１，Ｂ５；２−１１，・・・・・及びＲ１；２−１１，Ｒ３；２−１１，Ｒ５；２−１１，・・・・・と、形成された１０ビットの列： [ＧＢＲ０：０−１] ＋ｆ０， [ＧＢＲ１：０−１] ＋ｆ１， [ＧＢＲ２：０−１] ＋ｆ２， [ＧＢＲ３：０−１] ＋ｆ３，・・・・・とを含む１０ビットワードグループ２とに振り分ける。
【０１５４】
そして、図２３に示される１０ビットワードグループ１に基づく、ワード伝送レートを７４．２５ＭＢｐｓとする２０ビットワード列データＤＶＤ１２Ｂ１を、リンクＢ−１として、図２４のＡに示される如くに形成する。また、図２３に示される１０ビットワードグループ２に基づく、ワード伝送レートを７４．２５ＭＢｐｓとする２０ビットワード列データＤＶＤ１２Ｂ２を、リンクＢ−２として、図２４のＢに示される如くに形成する。
【０１５５】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット [Ａ０；０−１] ＋ｅ０， [Ａ１；０−１] ＋ｅ１， [Ａ２；０−１] ＋ｅ２， [Ａ３；０−１] ＋ｅ３，・・・・・とし、分割された上位１０ビットの列：Ａ０；２−１１，Ａ１；２−１１，Ａ２；２−１１，Ａ３；２−１１，・・・・・と１０ビットの列： [Ａ０；０−１] ＋ｅ０， [Ａ１；０−１] ＋ｅ１， [Ａ２；０−１] ＋ｅ２， [Ａ３；０−１] ＋ｅ３，・・・・・とをパラレル多重して、ワード伝送レートを７４．２５ＭＢｐｓとする２０ビットワード列データＤＶＤ１２Ｂ３を、リンクＢ−３として、図２４のＣに示される如くに形成する。
【０１５６】
即ち、データ処理部１９１にあっては、ワード伝送レートを１４８．５ＭＢｐｓとする４８ビットワード列データを形成するデータＤＶＤ１２＋ＤＫＤ１２を、各々がワード伝送レートを７４．２５ＭＢｐｓとする２０ビットワード列データＤＶＤ１２Ａ１，ＤＶＤ１２Ａ２，ＤＶＤ１２Ａ３，ＤＶＤ１２Ｂ１，ＤＶＤ１２Ｂ２及びＤＶＤ１２Ｂ３の６系統のワード列データに変換するのである。
【０１５７】
データＤＶＸが、図６６においてＤＶＳ１０＋ＤＫＳ１０として示されるデータであるとき、データ処理部１９１には、フレームレートを７２Ｈｚ，７５Ｈｚもしくは９０Ｈｚとし、各フレームにおけるライン数が１１２５ライン，各フレームにおける有効ライン数が１０８０ライン，各ラインにおける有効データサンプル数が１９２０サンプルに設定された、４：４：４形式のディジタル映像信号を成し、各々がワード伝送レートを２２２．７５ＭＢｐｓとして量子化ビット数を１０ビットとするＧデータ系列，Ｂデータ系列及びＲデータ系列（ＤＶＳ１０）と、Ｇデータ系列と同等のデータフォーマットを有し、量子化ビット数を１０ビットとしてワード伝送レートを２２２．７５ＭＢｐｓとするＫｅｙ信号データ系列（ＤＫＳ１０）とが入力される。Ｋｅｙ信号データ系列は、Ｇデータ系列，Ｂデータ系列及びＲデータ系列に付随する付加データ系列を成すものとされる。そして、これらのＧデータ系列，Ｂデータ系列，Ｒデータ系列及びＫｅｙ信号データ系列は、図２５に示される如くに、フレーム同期及びライン同期がとられたもとでパラレル多重されて得られる、ワード伝送レートを２２２．７５ＭＢｐｓとする４０ビットパラレルデータとして、データ処理部１９１に供給される。
【０１５８】
データ処理部１９１にあっては、図２５に示される如くにして供給されるデータＤＶＳ１０＋ＤＫＳ１０に対して次の処理を施す。
【０１５９】
先ず、図２５に示される如く、データＤＶＳ１０＋ＤＫＳ１０を形成するフレーム部 Frame 1, Frame 2, Frame 3, ・・・・・のうちの第１の二つ置きのフレーム部 Frame 1, Frame 4, Frame 7, ・・・・・, 第２の二つ置きのフレーム部 Frame 2, Frame 5, Frame 8, ・・・・・及び第３の二つ置きのフレーム部 Frame 3, Frame 6, Frame 9, ・・・・・を、夫々、メモリＡ，メモリＢ及びメモリＣに格納する。
【０１６０】
次に、メモリＡに格納されたフレーム部 Frame 1, Frame 4, Frame 7, ・・・・・の夫々を、フィールドインターレース方式をもって読み出して、フレームレートを７２Ｈｚ／３＝２４Ｈｚ，７５Ｈｚ／３＝２５Ｈｚもしくは９０Ｈｚ／３＝３０Ｈｚとする、一連のセグメンテッドフレーム部 Segmented Frame 1, Segmented Frame 4, Segmented Frame 7, ・・・・・を有した、セグメンテッドフレームディジタル映像信号を成すＧデータ系列，Ｂデータ系列及びＲデータ系とＫｅｙ信号データ系列とを含む４０ビットパラレルデータを形成するものとし、それにより、ワード伝送レートを２２２．７５ＭＢｐｓ／３＝７４．２５ＭＢｐｓとする４０ビットワード列データＤＶＳ１０Ａ＋ＤＫＳ１０Ａを得る。
【０１６１】
また、メモリＢに格納されたフレーム部 Frame 2, Frame 5, Frame 8, ・・・・・の夫々を、フィールドインターレース方式をもって読み出して、フレームレートを２４Ｈｚ，２５Ｈｚもしくは３０Ｈｚとする、一連のセグメンテッドフレーム部 Segmented Frame 2, Segmented Frame 5, Segmented Frame 8, ・・・・・を有した、セグメンテッドフレームディジタル映像信号を成すＧデータ系列，Ｂデータ系列及びＲデータ系とＫｅｙ信号データ系列とを含む４０ビットパラレルデータを形成するものとし、それにより、ワード伝送レートを７４．２５ＭＢｐｓとする４０ビットワード列データＤＶＳ１０Ｂ＋ＤＫＳ１０Ｂを得る。
【０１６２】
さらに、メモリＣに格納されたフレーム部 Frame 3, Frame 6, Frame 9, ・・・・・の夫々を、フィールドインターレース方式をもって読み出して、フレームレートを２４Ｈｚ，２５Ｈｚもしくは３０Ｈｚとする、一連のセグメンテッドフレーム部 Segmented Frame 3, Segmented Frame 6, Segmented Frame 9, ・・・・・を有した、セグメンテッドフレームディジタル映像信号を成すＧデータ系列，Ｂデータ系列及びＲデータ系とＫｅｙ信号データ系列とを含む４０ビットパラレルデータを形成するものとし、それにより、ワード伝送レートを７４．２５ＭＢｐｓとする４０ビットワード列データＤＶＳ１０Ｃ＋ＤＫＳ１０Ｃを得る。
【０１６３】
４０ビットワード列データＤＶＳ１０Ａ＋ＤＫＳ１０Ａ，ＤＶＳ１０Ｂ＋ＤＫＳ１０Ｂ及びＤＶＳ１０Ｃ＋ＤＫＳ１０Ｃの夫々は、図２６に示される如くに、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・がパラレル多重されて成り、リンクＡ，リンクＢもしくはリンクＣとして形成される。
【０１６４】
続いて、図２６に示される如くの、４０ビットワード列データＤＶＳ１０Ａ＋ＤＫＳ１０ＡにおけるＧデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・を、図８において太実線により区切られている如くにして区分し、Ｇデータ系列を形成する１０ビットワードＧＤ０，ＧＤ１，ＧＤ２，ＧＤ３，・・・・・，Ｂデータ系列を形成する１０ビットワードＢＤ０，ＢＤ２，・・・・・及びＲデータ系列を形成する１０ビットワードＲＤ０，ＲＤ２，・・・・・を含む１０ビットワードグループ１と、Ｋｅｙ信号データ系列を形成する１０ビットワードＡＤ０，ＡＤ１，ＡＤ２，ＡＤ３，・・・・・，Ｂデータ系列を形成する１０ビットワードＢＤ１，ＢＤ３，・・・・・及びＲデータ系列を形成する１０ビットワードＲＤ１，ＲＤ３，・・・・・を含む１０ビットワードグループ２とに振り分ける。そして、図８に示される１０ビットワードグループ１に基づく、ワード伝送レートを７４．２５ＭＢｐｓとする２０ビットワード列データＤＶＳ１０Ａ１を、リンクＡ−１として、図２７のＡに示される如くに形成するとともに、図８に示される１０ビットワードグループ２に基づく、ワード伝送レートを７４．２５ＭＢｐｓとする２０ビットワード列データＤＶＳ１０Ａ２を、リンクＡ−２として、図２７のＢに示される如くに形成する。
【０１６５】
また、図２６に示される如くの、４０ビットワード列データＤＶＳ１０Ｂ＋ＤＫＳ１０ＢにおけるＧデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・を、図８において太実線により区切られている如くにして区分し、Ｇデータ系列を形成する１０ビットワードＧＤ０，ＧＤ１，ＧＤ２，ＧＤ３，・・・・・，Ｂデータ系列を形成する１０ビットワードＢＤ０，ＢＤ２，・・・・・及びＲデータ系列を形成する１０ビットワードＲＤ０，ＲＤ２，・・・・・を含む１０ビットワードグループ１と、Ｋｅｙ信号データ系列を形成する１０ビットワードＡＤ０，ＡＤ１，ＡＤ２，ＡＤ３，・・・・・，Ｂデータ系列を形成する１０ビットワードＢＤ１，ＢＤ３，・・・・・及びＲデータ系列を形成する１０ビットワードＲＤ１，ＲＤ３，・・・・・を含む１０ビットワードグループ２とに振り分ける。そして、図８に示される１０ビットワードグループ１に基づく、ワード伝送レートを７４．２５ＭＢｐｓとする２０ビットワード列データＤＶＳ１０Ｂ１を、リンクＢ−１として、図２７のＡに示される如くに形成するとともに、図８に示される１０ビットワードグループ２に基づく、ワード伝送レートを７４．２５ＭＢｐｓとする２０ビットワード列データＤＶＳ１０Ｂ２を、リンクＢ−２として、図２７のＢに示される如くに形成する。
【０１６６】
さらに、図２６に示される如くの、４０ビットワード列データＤＶＳ１０Ｃ＋ＤＫＳ１０ＣにおけるＧデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・を、図８において太実線により区切られている如くにして区分し、Ｇデータ系列を形成する１０ビットワードＧＤ０，ＧＤ１，ＧＤ２，ＧＤ３，・・・・・，Ｂデータ系列を形成する１０ビットワードＢＤ０，ＢＤ２，・・・・・及びＲデータ系列を形成する１０ビットワードＲＤ０，ＲＤ２，・・・・・を含む１０ビットワードグループ１と、Ｋｅｙ信号データ系列を形成する１０ビットワードＡＤ０，ＡＤ１，ＡＤ２，ＡＤ３，・・・・・，Ｂデータ系列を形成する１０ビットワードＢＤ１，ＢＤ３，・・・・・及びＲデータ系列を形成する１０ビットワードＲＤ１，ＲＤ３，・・・・・を含む１０ビットワードグループ２とに振り分ける。そして、図８に示される１０ビットワードグループ１に基づく、ワード伝送レートを７４．２５ＭＢｐｓとする２０ビットワード列データＤＶＳ１０Ｃ１を、リンクＣ−１として、図２７のＡに示される如くに形成するとともに、図８に示される１０ビットワードグループ２に基づく、ワード伝送レートを７４．２５ＭＢｐｓとする２０ビットワード列データＤＶＳ１０Ｃ２を、リンクＣ−２として、図２７のＢに示される如くに形成する。
【０１６７】
即ち、データ処理部１９１にあっては、ワード伝送レートを２２２．７５ＭＢｐｓとする４０ビットワード列データを形成するデータＤＶＳ１０＋ＤＫＳ１０を、ワード伝送レートを７４．２５ＭＢｐｓとする２０ビットワード列データＤＶＳ１０Ａ１，ＤＶＳ１０Ａ２，ＤＶＳ１０Ｂ１，ＤＶＳ１０Ｂ２，ＤＶＳ１０Ｃ１及びＤＶＳ１０Ｃ２の６系統のワード列データに変換するのである。
【０１６８】
データ処理部１９１は、６系統のワード列データである２０ビットワード列データＤＶＲ１０Ａ１，ＤＶＲ１０Ａ２，ＤＶＲ１０Ｂ１，ＤＶＲ１０Ｂ２，ＤＶＲ１０Ｃ１及びＤＶＲ１０Ｃ２の組，２０ビットワード列データＤＶＣ１２Ａ１，ＤＶＣ１２Ａ２，ＤＶＣ１２Ａ３，ＤＶＣ１２Ｂ１，ＤＶＣ１２Ｂ２及びＤＶＣ１２Ｂ３の組，２０ビットワード列データＤＶＣ１４Ａ１，ＤＶＣ１４Ａ２，ＤＶＣ１４Ａ３，ＤＶＣ１４Ｂ１，ＤＶＣ１４Ｂ２及びＤＶＣ１４Ｂ３の組，２０ビットワード列データＤＶＣ１６Ａ１，ＤＶＣ１６Ａ２，ＤＶＣ１６Ａ３，ＤＶＣ１６Ｂ１，ＤＶＣ１６Ｂ２及びＤＶＣ１６Ｂ３の組，２０ビットワード列データＤＶＤ１２Ａ１，ＤＶＤ１２Ａ２，ＤＶＤ１２Ａ３，ＤＶＤ１２Ｂ１，ＤＶＤ１２Ｂ２及びＤＶＤ１２Ｂ３の組、及び、２０ビットワード列データＤＶＳ１０Ａ１，ＤＶＳ１０Ａ２，ＤＶＳ１０Ｂ１，ＤＶＳ１０Ｂ２，ＤＶＳ１０Ｃ１及びＤＶＳ１０Ｃ２の組のいずれかを、２０ビットワード列データＤＰ１（２０），ＤＰ２（２０），ＤＰ３（２０），ＤＰ４（２０），ＤＰ５（２０）及びＤＰ６（２０）の組として導出する。
【０１６９】
データ処理部１９１から送出されるワード伝送レートを７４．２５ＭＢｐｓとする２０ビットワード列データＤＰ１（２０）は、データ挿入部１９２に供給される。データ挿入部１９２にあっては、２０ビットワード列データＤＰ１（２０）に、必要に応じたチャンネル識別データを含む補助データＤＡ１を挿入し、補助データＤＡ１が挿入された２０ビットワード列データＤＰ１’（２０）を形成する。データ挿入部１９２から得られる２０ビットワード列データＤＰ１’（２０）は、Ｐ／Ｓ変換部１９３に供給される。
【０１７０】
Ｐ／Ｓ変換部１９３にあっては、２０ビットワード列データＤＰ１’（２０）にＰ／Ｓ変換を施して、２０ビットワード列データＤＰ１’（２０）に基づくビット伝送レートを７４．２５ＭＢｐｓ×２０＝１．４８５ＧｂｐｓとするシリアルデータＤＳ１を形成し、そのシリアルデータＤＳ１をＥ／Ｏ変換部１９４に供給する。
【０１７１】
Ｅ／Ｏ変換部１９４においては、シリアルデータＤＳ１に電光変換処理を施し、シリアルデータＤＳ１に基づく、中心波長を、例えば、略１．３μｍとする光信号ＯＳ１を、ビット伝送レートを１．４８５Ｇｂｐｓとするものとして形成し、それを伝送信号として送出する。
【０１７２】
また、データ処理部１９１から送出されるワード伝送レートを７４．２５ＭＢｐｓとする２０ビットワード列データＤＰ２（２０）〜ＤＰ６（２０）は、夫々、データ挿入部１９５〜１９９に供給される。データ挿入部１９５〜１９９にあっては、２０ビットワード列データＤＰ２（２０）〜ＤＰ６（２０）に、必要に応じたチャンネル識別データを含む補助データＤＡ２〜ＤＡ６を挿入し、補助データが挿入された２０ビットワード列データＤＰ２’（２０）〜ＤＰ６’（２０）を形成する。データ挿入部１９５〜１９９から得られる２０ビットワード列データＤＰ２’（２０）〜ＤＰ６’（２０）は、夫々、Ｐ／Ｓ変換部２００〜２０４に供給される。
【０１７３】
Ｐ／Ｓ変換部２００〜２０４にあっては、２０ビットワード列データＤＰ２’（２０）〜ＤＰ６’（２０）にＰ／Ｓ変換を施して、それらに基づくビット伝送レートを７４．２５ＭＢｐｓ×２０＝１．４８５ＧｂｐｓとするシリアルデータＤＳ２〜ＤＳ６を形成し、それらをＥ／Ｏ変換部２０５〜２０９に供給する。
【０１７４】
Ｅ／Ｏ変換部２０５〜２０９においては、シリアルデータＤＳ２〜ＤＳ６に電光変換処理を施し、それらに基づく、中心波長を、例えば、略１．３μｍとする光信号ＯＳ２〜ＯＳ６を、各々がビット伝送レートを１．４８５Ｇｂｐｓとするものとして形成し、それを伝送信号として送出する。
【０１７５】
Ｅ／Ｏ変換部１９４から送出される伝送信号である光信号ＯＳ１は、光コネクタ２１０を通じて光ファイバー伝送路２１１に導かれ、光ファイバー伝送路２１１を通じて受信側へと伝送される。また、Ｅ／Ｏ変換部２０５〜２０９から送出される伝送信号である光信号ＯＳ２〜ＯＳ６は、夫々、光コネクタ２１２〜２１６を通じて光ファイバー伝送路２１７〜２２１に導かれ、光ファイバー伝送路２１７〜２２１を通じて受信側へと伝送される。光ファイバー伝送路２１１及び２１７〜２２１の夫々は、例えば、石英系ＳＭＦが用いられて形成される。
【０１７６】
受信側においては、光ファイバー伝送路２１１を通じて伝送された光信号ＯＳ１が、光コネクタ２２５を通じてＯ／Ｅ変換部２２６へと導かれる。また、光ファイバー伝送路２１７〜２２１を通じて伝送された光信号ＯＳ２〜ＯＳ６が、夫々、光コネクタ２２７〜２３１を通じてＯ／Ｅ変換部２３２〜２３６へと導かれる。
【０１７７】
Ｏ／Ｅ変換部２２６にあっては、中心波長を略１．３μｍとし、ビット伝送レートを１．４８５Ｇｂｐｓとする光信号ＯＳ１に光電変換処理を施して、光信号ＯＳ１に基づく、ビット伝送レートを１．４８５ＧｂｐｓとするシリアルデータＤＳ１を再生する。そして、再生されたシリアルデータＤＳ１は、Ｓ／Ｐ変換部２４０に供給される。Ｓ／Ｐ変換部２４０にあっては、シリアルデータＤＳ１にＳ／Ｐ変換を施して、シリアルデータＤＳ１に基づく、ワード伝送レートを７４．２５ＭＢｐｓとする２０ビットワード列データＤＰ１’（２０）を再生し、それをデータ時間差吸収部２４１に供給する。
【０１７８】
また、Ｏ／Ｅ変換部２３２〜２３６にあっては、中心波長を略１．３μｍとし、ビット伝送レートを１．４８５Ｇｂｐｓとする光信号ＯＳ２〜ＯＳ６に光電変換処理を施して、それらに基づく、ビット伝送レートを１．４８５ＧｂｐｓとするシリアルデータＤＳ２〜ＤＳ６を再生する。そして、再生されたシリアルデータＤＳ２〜ＤＳ６は、夫々、Ｓ／Ｐ変換部２４２〜２４６に供給される。Ｓ／Ｐ変換部２４２〜２４６にあっては、シリアルデータＤＳ２〜ＤＳ６にＳ／Ｐ変換を施して、それらに基づく、ワード伝送レートを７４．２５ＭＢｐｓとする２０ビットワード列データＤＰ２’（２０）〜ＤＰ６’（２０）を再生し、それらをデータ時間差吸収部２４１に供給する。
【０１７９】
データ時間差吸収部２４１にあっては、Ｓ／Ｐ変換部２４０からの２０ビットワード列データＤＰ１’（２０）及びＳ／Ｐ変換部２４２〜２４６からの２０ビットワード列データＤＰ２’（２０）〜ＤＰ６’（２０）の間に生じた相互時間差を吸収し、２０ビットワード列データＤＰ１’（２０）〜ＤＰ６’（２０）に夫々基づく、ワード伝送レートを７４．２５ＭＢｐｓとする２０ビットワード列データＤＰ１Ｑ’（２０）〜ＤＰ６Ｑ’（２０）を、相互時間差が実質的に無い状態に維持されることが目指されるものとして送出する。
【０１８０】
データ時間差吸収部２４１から得られる２０ビットワード列データＤＰ１Ｑ’（２０）は、データ分離部２４７に供給される。データ分離部２４７にあっては、２０ビットワード列データＤＰ１Ｑ’（２０）から、補助データＤＡ１が分離されて、２０ビットワード列データＤＰ１Ｑ（２０）と補助データＤＡ１とが個別に送出され、２０ビットワード列データＤＰ１Ｑ（２０）は、データ再生処理部２４８に供給される。
【０１８１】
また、データ時間差吸収部２４１から得られる２０ビットワード列データＤＰ２Ｑ’（２０）〜ＤＰ６Ｑ’（２０）は、夫々、データ分離部２４９〜２５３に供給される。データ分離部２４９〜２５３にあっては、２０ビットワード列データＤＰ２Ｑ’（２０）〜ＤＰ６Ｑ’（２０）から、補助データＤＡ２〜ＤＡ６が分離されて、２０ビットワード列データＤＰ２Ｑ（２０）〜ＤＰ６Ｑ（２０）と補助データＤＡ２〜ＤＡ６とが個別に送出され、２０ビットワード列データＤＰ２Ｑ（２０）〜ＤＰ６Ｑ（２０）は、データ再生処理部２４８に供給される。
【０１８２】
データ再生処理部２４８にあっては、２０ビットワード列データＤＰ１Ｑ（２０）〜ＤＰ６Ｑ（２０）に対して、送信側におけるデータ処理部１９１によりデータＤＶＸに施されるデータ変換処理とは逆のデータ再生処理を施し、２０ビットワード列データＤＰ１Ｑ（２０）〜ＤＰ６Ｑ（２０）に基づくデータＤＶＸを再生する。斯かるデータＤＶＸは、図６６において、ＤＶＲ１０＋ＤＫＲ１０，ＤＶＣ１２＋ＤＫＣ１２，ＤＶＣ１４＋ＤＫＣ１４，ＤＶＣ１６＋ＤＫＣ１６，ＤＶＤ１２＋ＤＫＤ１２及びＤＶＳ１０＋ＤＫＳ１０のいずれかとされる。
【０１８３】
なお、上述において、量子化ビット数を１２ビット以上とするディジタル映像信号を成すデータにおける、Ｙデータ系列を構成する１２ビット，１４ビットもしくは１６ビットワードの夫々から分割された上位１０ビットの列と、ＰB ／ＰR データ系列を構成する１２ビット，１４ビットもしくは１６ビットワードの夫々から分割された上位１０ビットの列とが、パラレル多重されて形成される２０ビットワード列データＤＶＣ１２Ａ１，ＤＶＣ１２Ｂ１，ＤＶＣ１４Ａ１，ＤＶＣ１４Ｂ１，ＤＶＣ１６Ａ１及びＤＶＣ１６Ｂ１、さらには、Ｇデータ系列，Ｂデータ系列及びＲデータ系列の夫々を構成する１２ビットワードの各々から分割された上位１０ビットの列に基づいて形成される２０ビットワード列データＤＶＤ１２Ａ１及びＤＶＤ１２Ｂ１は、それらの各々が、例えば、現行のＨＤディジタル映像信号用の磁気記録再生機器（ＨＤ用ＶＴＲという）による記録及び再生を行うことが可能なものである。それゆえ、現行のＨＤ用ＶＴＲを使用して、２０ビットワード列データＤＶＣ１２Ａ１，ＤＶＣ１２Ｂ１，ＤＶＣ１４Ａ１，ＤＶＣ１４Ｂ１，ＤＶＣ１６Ａ１，ＤＶＣ１６Ｂ１，ＤＶＤ１２Ａ１及びＤＶＤ１２Ｂ１等の夫々の内容の確認，編集等を行うことができ、さらには、現行のＨＤ用ＶＴＲと映像モニターとを使用して、２０ビットワード列データＤＶＣ１２Ａ１，ＤＶＣ１２Ｂ１，ＤＶＣ１４Ａ１，ＤＶＣ１４Ｂ１，ＤＶＣ１６Ａ１，ＤＶＣ１６Ｂ１，ＤＶＤ１２Ａ１及びＤＶＤ１２Ｂ１等に基づく再生画像を得ることができ、それにより、量子化ビット数を１２ビット以上とするディジタル映像信号を成すデータを扱うに際して、現行の機器を用いての確認作業等を行うことができることになって、極めて都合がよい
【０１８４】
図２８及び図２９は、本願の特許請求の範囲における請求項９から請求項２４までのいずれかに記載された発明に係るデータ伝送方法の例が実施される、本願の特許請求の範囲における請求項４２から請求項４５までのいずれかに記載された発明に係るデータ伝送装置の第２の例を含んだデータ送受装置の部分を示す。
【０１８５】
図２８及び図２９に部分が示されるデータ送受装置は、図１２及び図１３に示されるデータ送受装置と同様に構成される部分を多々有しており、図２８及び図２９には、図１２及び図１３に示されるデータ送受装置と異なる部分及びそれに関連する部分のみが示されている。
【０１８６】
図２８及び図２９に部分が示されるデータ送受装置にあっては、図１２及び図１３に示されるデータ送受装置において備えられているＥ／Ｏ変換部１９４及び２０５〜２０９とＯ／Ｅ変換部２２６及び２３２〜２３６とに代えて、Ｅ／Ｏ変換部２５６，２５８及び２６０とＯ／Ｅ変換部２６８，２７０及び２７２とを備えている。さらに、図１２及び図１３に示されるデータ送受装置において備えられている光コネクタ２１０及び２１２〜２１６，光ファイバー伝送路２１１及び２１７〜２２１、及び、光コネクタ２２５及び２２７〜２３１に代えて、光コネクタ２６１，２６３及び２６５，光ファイバー伝送路２６２，２６４及び２６６、及び、光コネクタ２６７，２６９及び２７１を備えている。光ファイバー伝送路２６２，２６４及び２６６の夫々は、例えば、石英系ＳＭＦが用いられて形成される。
【０１８７】
斯かる図２８及び図２９に部分が示されるデータ送受装置においては、Ｐ／Ｓ変換部１９３からのビット伝送レートを１．４８５ＧｂｐｓとするシリアルデータＤＳ１とＰ／Ｓ変換部２００からのビット伝送レートを１．４８５ＧｂｐｓとするシリアルデータＤＳ２とが、ビット多重部２５５に供給される。ビット多重部２５５にあっては、シリアルデータＤＳ１及びＤＳ２の夫々から１ビット宛を交互に取り出して順次配列する動作を行い、シリアルデータＤＳ１及びＤＳ２にビット多重合成処理を施して、ビット伝送レートを１．４８５Ｇｂｐｓ×２＝２．９７Ｇｂｐｓとする複合シリアルデータＤＺ１を形成する。
【０１８８】
ビット多重部２５５から得られる複合シリアルデータＤＺ１は、Ｅ／Ｏ変換部２５６に供給される。Ｅ／Ｏ変換部２５６にあっては、複合シリアルデータＤＺ１に基づく、中心波長を、例えば、略１．３μｍとする光信号ＯＺ１を、ビット伝送レートを２．９７Ｇｂｐｓとするものとして形成し、それを伝送信号として送出する。
【０１８９】
また、Ｐ／Ｓ変換部２０１からのビット伝送レートを１．４８５ＧｂｐｓとするシリアルデータＤＳ３とＰ／Ｓ変換部２０２からのビット伝送レートを１．４８５ＧｂｐｓとするシリアルデータＤＳ４とが、ビット多重部２５７に供給される。ビット多重部２５７にあっては、シリアルデータＤＳ３及びＤＳ４の夫々から１ビット宛を交互に取り出して順次配列する動作を行い、シリアルデータＤＳ３及びＤＳ４にビット多重合成処理を施して、ビット伝送レートを１．４８５Ｇｂｐｓ×２＝２．９７Ｇｂｐｓとする複合シリアルデータＤＺ２を形成する。
【０１９０】
ビット多重部２５７から得られる複合シリアルデータＤＺ２は、Ｅ／Ｏ変換部２５８に供給される。Ｅ／Ｏ変換部２５８にあっては、複合シリアルデータＤＺ２に基づく、中心波長を、例えば、略１．３μｍとする光信号ＯＺ２を、ビット伝送レートを２．９７Ｇｂｐｓとするものとして形成し、それを伝送信号として送出する。
【０１９１】
さらに、Ｐ／Ｓ変換部２０３からのビット伝送レートを１．４８５ＧｂｐｓとするシリアルデータＤＳ５とＰ／Ｓ変換部２０４からのビット伝送レートを１．４８５ＧｂｐｓとするシリアルデータＤＳ６とが、ビット多重部２５９に供給される。ビット多重部２５９にあっては、シリアルデータＤＳ５及びＤＳ６の夫々から１ビット宛を交互に取り出して順次配列する動作を行い、シリアルデータＤＳ５及びＤＳ６にビット多重合成処理を施して、ビット伝送レートを１．４８５Ｇｂｐｓ×２＝２．９７Ｇｂｐｓとする複合シリアルデータＤＺ３を形成する。
【０１９２】
ビット多重部２５９から得られる複合シリアルデータＤＺ３は、Ｅ／Ｏ変換部２６０に供給される。Ｅ／Ｏ変換部２６０にあっては、複合シリアルデータＤＺ３に基づく、中心波長を、例えば、略１．３μｍとする光信号ＯＺ３を、ビット伝送レートを２．９７Ｇｂｐｓとするものとして形成し、それを伝送信号として送出する。
【０１９３】
Ｅ／Ｏ変換部２５６から送出される伝送信号である光信号ＯＺ１は、光コネクタ２６１を通じて光ファイバー伝送路２６２に導かれ、光ファイバー伝送路２６２を通じて受信側へと伝送される。また、Ｅ／Ｏ変換部２５８から送出される伝送信号である光信号ＯＺ２は、光コネクタ２６３を通じて光ファイバー伝送路２６４に導かれ、光ファイバー伝送路２６４を通じて受信側へと伝送される。さらに、Ｅ／Ｏ変換部２６０から送出される伝送信号である光信号ＯＺ３は、光コネクタ２６５を通じて光ファイバー伝送路２６６に導かれ、光ファイバー伝送路２６６を通じて受信側へと伝送される。
【０１９４】
受信側においては、光ファイバー伝送路２６２を通じて伝送された光信号ＯＺ１が、光コネクタ２６７を通じてＯ／Ｅ変換部２６８へと導かれる。また、光ファイバー伝送路２６４を通じて伝送された光信号ＯＺ２が、光コネクタ２６９を通じてＯ／Ｅ変換部２７０へと導かれる。さらに、光ファイバー伝送路２６６を通じて伝送された光信号ＯＺ３が、光コネクタ２７１を通じてＯ／Ｅ変換部２７２へと導かれる。
【０１９５】
Ｏ／Ｅ変換部２６８にあっては、中心波長を略１．３μｍとし、ビット伝送レートを２．９７Ｇｂｐｓとする光信号ＯＺ１に光電変換処理を施して、光信号ＯＺ１に基づく、ビット伝送レートを２．９７Ｇｂｐｓとする複合シリアルデータＤＺ１を再生する。そして、再生された複合シリアルデータＤＺ１は、ビット分離部２７３に供給される。
【０１９６】
ビット分離部２７３にあっては、複合シリアルデータＤＺ１から１ビットずつを取り出して、２個の一つ置きのビットグループを形成する動作を行い、複合シリアルデータＤＺ１にビット分離処理を施す。そして、複合シリアルデータＤＺ１に含まれたチャンネル識別データを利用してチャンネルを特定し、複合シリアルデータＤＺ１に基づく、各々がビット伝送レートを２．９７Ｇｂｐｓ／２＝１．４８５Ｇｂｐｓとする２チャンネルのシリアルデータＤＳ１及びＤＳ２を形成する。シリアルデータＤＳ１は、Ｓ／Ｐ変換部２４０に供給され、シリアルデータＤＳ２は、Ｓ／Ｐ変換部２４２に供給される。
【０１９７】
また、Ｏ／Ｅ変換部２７０にあっては、中心波長を略１．３μｍとし、ビット伝送レートを２．９７Ｇｂｐｓとする光信号ＯＺ２に光電変換処理を施して、光信号ＯＺ２に基づく、ビット伝送レートを２．９７Ｇｂｐｓとする複合シリアルデータＤＺ２を再生する。そして、再生された複合シリアルデータＤＺ２は、ビット分離部２７４に供給される。
【０１９８】
ビット分離部２７４にあっては、複合シリアルデータＤＺ２から１ビットずつを取り出して、２個の一つ置きのビットグループを形成する動作を行い、複合シリアルデータＤＺ２にビット分離処理を施す。そして、複合シリアルデータＤＺ２に含まれたチャンネル識別データを利用してチャンネルを特定し、複合シリアルデータＤＺ２に基づく、各々がビット伝送レートを２．９７Ｇｂｐｓ／２＝１．４８５Ｇｂｐｓとする２チャンネルのシリアルデータＤＳ３及びＤＳ４を形成する。シリアルデータＤＳ３は、Ｓ／Ｐ変換部２４３に供給され、シリアルデータＤＳ４は、Ｓ／Ｐ変換部２４４に供給される。
【０１９９】
さらに、Ｏ／Ｅ変換部２７２にあっては、中心波長を略１．３μｍとし、ビット伝送レートを２．９７Ｇｂｐｓとする光信号ＯＺ３に光電変換処理を施して、光信号ＯＺ３に基づく、ビット伝送レートを２．９７Ｇｂｐｓとする複合シリアルデータＤＺ３を再生する。そして、再生された複合シリアルデータＤＺ３は、ビット分離部２７５に供給される。
【０２００】
ビット分離部２７５にあっては、複合シリアルデータＤＺ３から１ビットずつを取り出して、２個の一つ置きのビットグループを形成する動作を行い、複合シリアルデータＤＺ３にビット分離処理を施す。そして、複合シリアルデータＤＺ３に含まれたチャンネル識別データを利用してチャンネルを特定し、複合シリアルデータＤＺ３に基づく、各々がビット伝送レートを２．９７Ｇｂｐｓ／２＝１．４８５Ｇｂｐｓとする２チャンネルのシリアルデータＤＳ５及びＤＳ６を形成する。シリアルデータＤＳ５は、Ｓ／Ｐ変換部２４５に供給され、シリアルデータＤＳ６は、Ｓ／Ｐ変換部２４６に供給される。
【０２０１】
その他の動作は、図１２及び図１３に部分が示されるデータ送受装置と同様である。
【０２０２】
図３０及び図３１は、本願の特許請求の範囲における請求項９から請求項２４までのいずれかに記載された発明に係るデータ伝送方法の例が実施される、本願の特許請求の範囲における請求項４２から請求項４５までのいずれかに記載された発明に係るデータ伝送装置の第３の例を含んだデータ送受装置の部分を示す。
【０２０３】
図３０及び図３１に部分が示されるデータ送受装置は、図２８及び図２９に部分が示されるデータ送受装置と同様に構成される部分を多々有しており、図３０及び図３１には、図２８及び図２９に示されるデータ送受装置の部分における各ブロックに対応するブロックが、図２８及び図２９と共通の符号が付されて示されており、それらについての重複説明は省略される。
【０２０４】
図３０及び図３１に部分が示されるデータ送受装置においては、ビット多重部２５７からの、ビット伝送レートを２．９７Ｇｂｐｓとする複合シリアルデータＤＺ２が、Ｅ／Ｏ変換部２８０に供給される。Ｅ／Ｏ変換部２８０にあっては、複合シリアルデータＤＺ２に基づく、中心波長を、例えば、略１．４８μｍとする光信号ＯＺ２を、ビット伝送レートを２．９７Ｇｂｐｓとするものとして形成する。また、ビット多重部２５９からの、ビット伝送レートを２．９７Ｇｂｐｓとする複合シリアルデータＤＺ３が、Ｅ／Ｏ変換部２８１に供給される。Ｅ／Ｏ変換部２８１にあっては、複合シリアルデータＤＺ３に基づく、中心波長を、例えば、略１．５５μｍとする光信号ＯＺ３を、ビット伝送レートを２．９７Ｇｂｐｓとするものとして形成する。
【０２０５】
Ｅ／Ｏ変換部２５６からの、ビット伝送レートを２．９７Ｇｂｐｓとし、中心波長を略１．３μｍとする光信号ＯＺ１と、Ｅ／Ｏ変換部２８０からの、ビット伝送レートを２．９７Ｇｂｐｓとし、中心波長を略１．４８μｍとする光信号ＯＺ２と、Ｅ／Ｏ変換部２８１からの、ビット伝送レートを２．９７Ｇｂｐｓとし、中心波長を略１．５５μｍとする光信号ＯＺ３とが、合波部２８２へと導かれる。合波部２８２は、例えば、ファイバー型波長多重（ファイバー型ＷＤＭ）カップラと誘電体多層膜型ＷＤＭカップラとによって形成される。そして、合波部２８２にあっては、中心波長を略１．３μｍとする光信号ＯＺ１と中心波長を略１．４８μｍとする光信号ＯＺ２と中心波長を略１．５５μｍとする光信号ＯＺ３とを合波して多重化し、多重光信号ＯＺＺを形成して、それを伝送信号として送出する。
【０２０６】
合波部２８２から送出される伝送信号である多重光信号ＯＺＺは、光コネクタ２８３を通じて光ファイバー伝送路２８４に導かれ、光ファイバー伝送路２８４を通じて受信側へと伝送される。
【０２０７】
受信側においては、光ファイバー伝送路２８４を通じて伝送された多重光信号ＯＺＺが、光コネクタ２８５を通じて分波部２８６へと導かれる。分波部２８６は、例えば、ファイバー型ＷＤＭカップラと誘電体多層膜型ＷＤＭカップラとが分波手段として用いられて形成される。そして、分波部２８６にあっては、多重光信号ＯＺＺを、中心波長を略１．３μｍとする成分と中心波長を略１．４８μｍとする成分と中心波長を略１．５５μｍとする成分とに分波して、ビット伝送レートを２．９７Ｇｂｐｓとし、中心波長を略１．３μｍとする光信号ＯＺ１と、ビット伝送レートを２．９７Ｇｂｐｓとし、中心波長を略１．４８μｍとする光信号ＯＺ２と、ビット伝送レートを２．９７Ｇｂｐｓとし、中心波長を略１．５５μｍとする光信号ＯＺ３とを再生する。
【０２０８】
分波部２８６により再生された光信号ＯＺ１，ＯＺ２及びＯＺ３は、夫々、Ｏ／Ｅ変換部２６８，２８７及び２８８へと導かれる。Ｏ／Ｅ変換部２８７にあっては、ビット伝送レートを２．９７Ｇｂｐｓとし、中心波長を略１．４８μｍとする光信号ＯＺ２に光電変換処理を施して、光信号ＯＺ２に基づく、ビット伝送レートを２．９７Ｇｂｐｓとする複合シリアルデータＤＺ２を再生する。また、Ｏ／Ｅ変換部２８８にあっては、ビット伝送レートを２．９７Ｇｂｐｓとし、中心波長を略１．５５μｍとする光信号ＯＺ３に光電変換処理を施して、光信号ＯＺ３に基づく、ビット伝送レートを２．９７Ｇｂｐｓとする複合シリアルデータＤＺ３を再生する。
【０２０９】
そして、Ｏ／Ｅ変換部２６８，２８７及び２８８により再生された複合シリアルデータＤＺ１，ＤＺ２及びＤＺ３は、夫々、ビット分離部２７３，２７４及び２７５に供給される。その他の動作は、図２８及び図２９に部分が示されるデータ送受装置と同様である。
【０２１０】
図３２及び図３３は、本願の特許請求の範囲における請求項２５から請求項３０までのいずれかに記載された発明に係るデータ伝送方法の例が実施される、本願の特許請求の範囲における請求項４６または請求項４７に記載された発明に係るデータ伝送装置の第１の例を含んだデータ送受装置の部分を示す。
【０２１１】
図３２及び図３３に示されるデータ送受装置においては、本願の特許請求の範囲における請求項４６または請求項４７に記載された発明に係るデータ伝送装置の第１の例を構成する送信側において、ディジタル映像信号を成すデータＤＶＸがデータ処理部２９１に供給される。
【０２１２】
データＤＶＸは、図６６において、ＤＶＵ１０＋ＤＫＵ１０もしくはＤＶＶ１０＋ＤＫＶ１０として示されるデータとされる。
【０２１３】
データＤＶＸが、図６６においてＤＶＵ１０＋ＤＫＵ１０として示されるデータであるとき、データ処理部２９１には、フレームレートを１２０Ｈｚとし、各フレームにおけるライン数が１１２５ライン，各フレームにおける有効ライン数が１０８０ライン，各ラインにおける有効データサンプル数が１９２０サンプルに設定された、４：２：２形式のディジタル映像信号を成し、各々がワード伝送レートを２９７ＭＢｐｓとして量子化ビット数を１０ビットとするＹデータ系列及びＰB ／ＰR データ系列（ＤＶＵ１０）とＹデータ系列と同等のデータフォーマットを有し、量子化ビット数を１０ビットとしてワード伝送レートを２９７ＭＢｐｓとするＫｅｙ信号データ系列（ＤＫＵ１２）とが入力される。Ｋｅｙ信号データ系列は、Ｙデータ系列及びＰB ／ＰR データ系列に付随する付加データ系列を成すものとされる。そして、これらのＹデータ系列，ＰB ／ＰR データ系列及びＫｅｙ信号データ系列は、図３４に示される如くに、フレーム同期及びライン同期がとられたもとでパラレル多重されて得られる、ワード伝送レートを２９７ＭＢｐｓとする３０ビットパラレルデータとして、データ処理部２９１に供給される。
【０２１４】
データ処理部２９１にあっては、図３４に示される如くにして供給されるデータＤＶＵ１０＋ＤＫＵ１０に対して次の処理を施す。
【０２１５】
先ず、図３４に示される如く、データＤＶＵ１０＋ＤＫＵ１０を形成するフレーム部 Frame 1, Frame 2, Frame 3, ・・・・・のうちの第１の三つ置きのフレーム部 Frame 1, Frame 5, Frame 9, ・・・・・, 第２の三つ置きのフレーム部 Frame 2, Frame 6, Frame 10,・・・・・, 第３の三つ置きのフレーム部 Frame 3, Frame 7, Frame 11 、及び、第４の三つ置きのフレーム部 Frame 4, Frame 8, Frame 12.・・・・・を、夫々、メモリＡ，メモリＢ, メモリＣ及びメモリＤに格納する。
【０２１６】
次に、メモリＡに格納されたフレーム部 Frame 1, Frame 5, Frame 9, ・・・・・の夫々を、フィールドインターレース方式をもって読み出して、フレームレートを１２０Ｈｚ／４＝３０Ｈｚとする、一連のセグメンテッドフレーム部 Segmented Frame 1, Segmented Frame 5, Segmented Frame 9, ・・・・・を有した、セグメンテッドフレームディジタル映像信号を成すＹデータ系列及びＰB ／ＰR データ系列とＫｅｙ信号データ系列とを含む３０ビットパラレルデータを形成するものとし、それにより、ワード伝送レートを２９７ＭＢｐｓ／４＝７４．２５ＭＢｐｓとする３０ビットワード列データＤＶＵ１０Ａ＋ＤＫＵ１０Ａを得る。また、メモリＢに格納されたフレーム部 Frame 2, Frame 6, Frame 10,・・・・・の夫々を、フィールドインターレース方式をもって読み出して、フレームレートを３０Ｈｚとする一連のセグメンテッドフレーム部 Segmented Frame 2, Segmented Frame 6, Segmented Frame 10,・・・・・を有した、セグメンテッドフレームディジタル映像信号を成すＹデータ系列及びＰB ／ＰR データ系列とＫｅｙ信号データ系列とを含む３０ビットパラレルデータを形成するものとし、それにより、ワード伝送レートを２９７ＭＢｐｓ／４＝７４．２５ＭＢｐｓとする３０ビットワード列データＤＶＵ１０Ｂ＋ＤＫＵ１０Ｂを得る。
【０２１７】
同様に、メモリＣに格納されたフレーム部 Frame 3, Frame 7, Frame11, ・・・・・の夫々を、フィールドインターレース方式をもって読み出して、フレームレートを３０Ｈｚとする、一連のセグメンテッドフレーム部 Segmented Frame 3, Segmented Frame 7, Segmented Frame 11,・・・・・を有した、セグメンテッドフレームディジタル映像信号を成すＹデータ系列及びＰB ／ＰR データ系列とＫｅｙ信号データ系列とを含む３０ビットパラレルデータを形成するものとし、それにより、ワード伝送レートを２９７ＭＢｐｓ／４＝７４．２５ＭＢｐｓとする３０ビットワード列データＤＶＵ１０Ｃ＋ＤＫＵ１０Ｃを得る。さらに、メモリＤに格納されたフレーム部 Frame 4, Frame 8, Frame 12,・・・・・の夫々を、フィールドインターレース方式をもって読み出して、フレームレートを３０Ｈｚとする一連のセグメンテッドフレーム部 Segmented Frame 4, Segmented Frame 8, Segmented Frame 12,・・・・・を有した、セグメンテッドフレームディジタル映像信号を成すＹデータ系列及びＰB ／ＰR データ系列とＫｅｙ信号データ系列とを含む３０ビットパラレルデータを形成するものとし、それにより、ワード伝送レートを２９７ＭＢｐｓ／４＝７４．２５ＭＢｐｓとする３０ビットワード列データＤＶＵ１０Ｄ＋ＤＫＵ１０Ｄを得る。
【０２１８】
３０ビットワード列データＤＶＵ１０Ａ＋ＤＫＵ１０Ａ，ＤＶＵ１０Ｂ＋ＤＫＵ１０Ｂ，ＤＶＵ１０Ｃ＋ＤＫＵ１０Ｃ及びＤＶＵ１０Ｄ＋ＤＫＵ１０Ｄの夫々は、図３５に示される如くに、Ｙデータ系列を構成する１０ビットワードＹＤ０，ＹＤ１，ＹＤ２，ＹＤ３，・・・・・と、ＰB ／ＰR データ系列を構成する１０ビットワードＰｂＤ０，ＰｒＤ０，ＰｂＤ１，ＰｒＤ１，ＰｂＤ２，ＰｒＤ２，・・・・・と、Ｋｅｙ信号データ系列を構成する１０ビットワードＡＤ０，ＡＤ１，ＡＤ２，ＡＤ３，・・・・・とが、パラレル多重されて成り、リンクＡ，Ｂ，ＣもしくはＤとして形成される。
【０２１９】
続いて、図３５に示される如くの、３０ビットワード列データＤＶＵ１０Ａ＋ＤＫＵ１０ＡにおけるＹデータ系列を構成する１０ビットワードＹＤ０，ＹＤ１，ＹＤ２，ＹＤ３，・・・・・と、ＰB ／ＰR データ系列を構成する１０ビットワードＰｂＤ０，ＰｒＤ０，ＰｂＤ１，ＰｒＤ１，ＰｂＤ２，ＰｒＤ２，・・・・・とを、パラレル多重して、図３６のＡに示される如くの、ワード伝送レートを７４．２５ＭＢｐｓとする２０ビットワード列データＤＶＵ１０Ａ１をリンクＡ−１として形成する。また、それとともに、３０ビットワード列データＤＶＵ１０Ａ＋ＤＫＵ１０ＡにおけるＫｅｙ信号データ系列を構成する１０ビットワードＡＤ０，ＡＤ１，ＡＤ２，ＡＤ３，・・・・・と、補助１０ビットワードαＤ０，αＤ１，αＤ２，αＤ３，・・・・・とを、パラレル多重して、図３６のＢに示される如くの、ワード伝送レートを７４．２５ＭＢｐｓとする２０ビットワード列データＤＶＵ１０Ａ２をリンクＡ−２として形成する。
【０２２０】
また、図３５に示される如くの、３０ビットワード列データＤＶＵ１０Ｂ＋ＤＫＵ１０Ｂ，ＤＶＵ１０Ｃ＋ＤＫＵ１０Ｃ及びＤＶＵ１０Ｄ＋ＤＫＵ１０Ｄの夫々についても、それにおけるＹデータ系列を構成する１０ビットワードＹＤ０，ＹＤ１，ＹＤ２，ＹＤ３，・・・・・，ＰB ／ＰR データ系列を構成する１０ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１０ビットワードＡＤ０，ＡＤ１，ＡＤ２，ＡＤ３，・・・・・に、それらに補助１０ビットワードαＤ０，αＤ１，αＤ２，αＤ３，・・・・・を加えて、３０ビットワード列データＤＶＵ１０Ａ＋ＤＫＵ１０Ａの場合と同様な処理を施して、図３６のＡに示される如くの、ワード伝送レートを７４．２５ＭＢｐｓとする２０ビットワード列データＤＶＵ１０Ｂ１，ＤＶＵ１０Ｃ１もしくはＤＶＵ１０Ｄ１をリンクＢ−１，Ｃ−１もしくはＤ−１として形成するとともに、図３６のＢに示される如くの、ワード伝送レートを７４．２５ＭＢｐｓとする２０ビットワード列データＤＶＵ１０Ｂ２，ＤＶＵ１０Ｃ２もしくはＤＶＵ１０Ｄ２をリンクＢ−２，Ｃ−２もしくはＤ−２として形成する。
【０２２１】
即ち、データ処理部２９１にあっては、ワード伝送レートを２９７ＭＢｐｓとする３０ビットワード列データを形成するデータＤＶＵ１０＋ＤＫＵ１０を、各々がワード伝送レートを７４．２５ＭＢｐｓとする２０ビットワード列データＤＶＵ１０Ａ１，ＤＶＵ１０Ａ２，ＤＶＵ１０Ｂ１，ＤＶＵ１０Ｂ２，ＶＵ１０Ｃ１，ＤＶＵ１０Ｃ２，ＤＶＵ１０Ｄ１及びＤＶＵ１０Ｄ２の８系統のワード列データに変換するのである。
【０２２２】
データＤＶＸが、図６６においてＤＶＶ１０＋ＤＫＶ１０として示されるデータであるとき、データ処理部２９１には、フレームレートを１２０Ｈｚとし、各フレームにおけるライン数が１１２５ライン，各フレームにおける有効ライン数が１０８０ライン，各ラインにおける有効データサンプル数が１９２０サンプルに設定された、４：４：４形式のディジタル映像信号を成し、各々がワード伝送レートを２９７ＭＢｐｓとして量子化ビット数を１０ビットとするＧデータ系列，Ｂデータ系列及びＲデータ系列（ＤＶＶ１０）とＧデータ系列と同等のデータフォーマットを有し、量子化ビット数を１０ビットとしてワード伝送レートを２９７ＭＢｐｓとするＫｅｙ信号データ系列（ＤＫＶ１０）とが入力される。Ｋｅｙ信号データ系列は、Ｇデータ系列，Ｂデータ系列及びＲデータ系列に付随する付加データ系列を成すものとされる。そして、これらのＧデータ系列，Ｂデータ系列，Ｒデータ系列及びＫｅｙ信号データ系列は、図３７及び図３８に示される如くに、フレーム同期及びライン同期がとられたもとでパラレル多重されて得られる、ワード伝送レートを２９７ＭＢｐｓとする４０ビットパラレルデータとして、データ処理部２９１に供給される。
【０２２３】
データ処理部２９１にあっては、図３７及び図３８に示される如くにして供給されるデータＤＶＶ１０＋ＤＫＶ１０に対して次の処理を施す。
【０２２４】
先ず、図３７及び図３８に示される如く、データＤＶＶ１０＋ＤＫＶ１０を形成するフレーム部 Frame 1, Frame 2, Frame 3, ・・・・・のうちの第１の三つ置きのフレーム部 Frame 1, Frame 5, Frame 9, ・・・・・, 第２の三つ置きのフレーム部 Frame 2, Frame 6, Frame 10,・・・・・, 第３の三つ置きのフレーム部 Frame 3, Frame 7, Frame 11 、及び、第４の三つ置きのフレーム部 Frame 4, Frame 8, Frame 12.・・・・・を、夫々、メモリＡ，メモリＢ, メモリＣ及びメモリＤに格納する。
【０２２５】
次に、メモリＡに格納されたフレーム部 Frame 1, Frame 5, Frame 9, ・・・・・の夫々を、フィールドインターレース方式をもって読み出して、フレームレートを１２０Ｈｚ／４＝３０Ｈｚとする、一連のセグメンテッドフレーム部 Segmented Frame 1, Segmented Frame 5, Segmented Frame 9, ・・・・・を有した、セグメンテッドフレームディジタル映像信号を成すＧデータ系列，Ｂデータ系列及びＲデータ系列とＫｅｙ信号データ系列とを含む４０ビットパラレルデータを形成するものとし、それにより、ワード伝送レートを２９７ＭＢｐｓ／４＝７４．２５ＭＢｐｓとする４０ビットワード列データＤＶＶ１０Ａ＋ＤＫＶ１０Ａを得る。また、メモリＢに格納されたフレーム部 Frame 2, Frame 6, Frame 10,・・・・・の夫々を、フィールドインターレース方式をもって読み出して、フレームレートを３０Ｈｚとする一連のセグメンテッドフレーム部 Segmented Frame 2, Segmented Frame 6, Segmented Frame 10,・・・・・を有した、セグメンテッドフレームディジタル映像信号を成すＧデータ系列，Ｂデータ系列及びＲデータ系列とＫｅｙ信号データ系列とを含む４０ビットパラレルデータを形成するものとし、それにより、ワード伝送レートを２９７ＭＢｐｓ／４＝７４．２５ＭＢｐｓとする４０ビットワード列データＤＶＶ１０Ｂ＋ＤＫＶ１０Ｂを得る。
【０２２６】
同様に、メモリＣに格納されたフレーム部 Frame 3, Frame 7, Frame11, ・・・・・の夫々を、フィールドインターレース方式をもって読み出して、フレームレートを３０Ｈｚとする、一連のセグメンテッドフレーム部 Segmented Frame 3, Segmented Frame 7, Segmented Frame 11,・・・・・を有した、セグメンテッドフレームディジタル映像信号を成すＧデータ系列，Ｂデータ系列及びＲデータ系列とＫｅｙ信号データ系列とを含む４０ビットパラレルデータを形成するものとし、それにより、ワード伝送レートを２９７ＭＢｐｓ／４＝７４．２５ＭＢｐｓとする３０ビットワード列データＤＶＶ１０Ｃ＋ＤＫＶ１０Ｃを得る。さらに、メモリＤに格納されたフレーム部 Frame 4, Frame 8, Frame 12,・・・・・の夫々を、フィールドインターレース方式をもって読み出して、フレームレートを３０Ｈｚとする一連のセグメンテッドフレーム部 Segmented Frame 4, Segmented Frame 8, Segmented Frame 12,・・・・・を有した、セグメンテッドフレームディジタル映像信号を成すＧデータ系列，Ｂデータ系列及びＲデータ系列とＫｅｙ信号データ系列とを含む４０ビットパラレルデータを形成するものとし、それにより、ワード伝送レートを２９７ＭＢｐｓ／４＝７４．２５ＭＢｐｓとする３０ビットワード列データＤＶＶ１０Ｄ＋ＤＫＶ１０Ｄを得る。
【０２２７】
４０ビットワード列データＤＶＶ１０Ａ＋ＤＫＶ１０Ａ，ＤＶＶ１０Ｂ＋ＤＫＶ１０Ｂ，ＤＶＶ１０Ｃ＋ＤＫＶ１０Ｃ及びＤＶＶ１０Ｄ＋ＤＫＶ１０Ｄの夫々は、図３９に示される如くに、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・が、パラレル多重されて成り、リンクＡ，Ｂ，ＣもしくはＤとして形成される。
【０２２８】
続いて、図３９に示される如くの、４０ビットワード列データＤＶＶ１０Ａ＋ＤＫＶ１０ＡにおけるＧデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・とを、図８において太実線により区切られている如くにして区分し、Ｇデータ系列を形成する１０ビットワードＧＤ０，ＧＤ１，ＧＤ２，ＧＤ３，・・・・・，Ｂデータ系列を形成する１０ビットワードＢＤ０，ＢＤ２，・・・・・及びＲデータ系列を形成する１０ビットワードＲＤ０，ＲＤ２，・・・・・を含む１０ビットワードグループ１と、Ｋｅｙ信号データ系列を形成する１０ビットワードＡＤ０，ＡＤ１，ＡＤ２，ＡＤ３，・・・・・，Ｂデータ系列を形成する１０ビットワードＢＤ１，ＢＤ３，・・・・・及びＲデータ系列を形成する１０ビットワードＲＤ１，ＲＤ３，・・・・・を含む１０ビットワードグループ２とに振り分ける。そして、図８に示される１０ビットワードグループ１に基づく、ワード伝送レートを７４．２５ＭＢｐｓとする２０ビットワード列データＤＶＶ１０Ａ１を、リンクＡ−１として、図４０のＡに示される如くに形成するとともに、図８に示される１０ビットワードグループ２に基づく、ワード伝送レートを７４．２５ＭＢｐｓとする２０ビットワード列データＤＶＶ１０Ａ２を、リンクＡ−２として、図４０のＢに示される如くに形成する。
【０２２９】
また、図３９に示される如くの、４０ビットワード列データＤＶＶ１０Ｂ＋ＤＫＶ１０Ｂ，ＤＶＶ１０Ｃ＋ＤＫＶ１０Ｃ及びＤＶＶ１０Ｄ＋ＤＫＶ１０Ｄの夫々についても、それにおけるＧデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・に、４０ビットワード列データＤＶＶ１０Ａ＋ＤＫＶ１０Ａの場合と同様な処理を施して、図４０のＡに示される如くの、ワード伝送レートを７４．２５ＭＢｐｓとする２０ビットワード列データＤＶＶ１０Ｂ１，ＤＶＶ１０Ｃ１もしくはＤＶＶ１０Ｄ１をリンクＢ−１，Ｃ−１もしくはＤ−１として形成するとともに、図４０のＢに示される如くの、ワード伝送レートを７４．２５ＭＢｐｓとする２０ビットワード列データＤＶＶ１０Ｂ２，ＤＶＶ１０Ｃ２もしくはＤＶＶ１０Ｄ２をリンクＢ−２，Ｃ−２もしくはＤ−２として形成する。
【０２３０】
即ち、データ処理部２９１にあっては、ワード伝送レートを２９７ＭＢｐｓとする４０ビットワード列データを形成するデータＤＶＶ１０＋ＤＫＶ１０を、各々がワード伝送レートを７４．２５ＭＢｐｓとする２０ビットワード列データＤＶＶ１０Ａ１，ＤＶＶ１０Ａ２，ＤＶＶ１０Ｂ１，ＤＶＶ１０Ｂ２，ＶＶ１０Ｃ１，ＤＶＶ１０Ｃ２，ＤＶＶ１０Ｄ１及びＤＶＶ１０Ｄ２の８系統のワード列データに変換するのである。
【０２３１】
データ処理部２９１は、８系統のワード列データである２０ビットワード列データＤＶＵ１０Ａ１，ＤＶＵ１０Ａ２，ＤＶＵ１０Ｂ１，ＤＶＵ１０Ｂ２，ＤＶＵ１０Ｃ１，ＤＶＵ１０Ｃ２，ＤＶＵ１０Ｄ１及びＤＶＵ１０Ｄ２の組、もしくは、２０ビットワード列データＤＶＶ１０Ａ１，ＤＶＶ１０Ａ２，ＤＶＶ１０Ｂ１，ＤＶＶ１０Ｂ２，ＤＶＶ１０Ｃ１，ＤＶＶ１０Ｃ２，ＤＶＶ１０Ｄ１及びＤＶＶ１０Ｄ２の組を、２０ビットワード列データＤＰＡ１（２０），ＤＰＡ２（２０），ＤＰＢ１（２０），ＤＰＢ２（２０），ＤＰＣ１（２０），ＤＰＣ２（２０），ＤＰＤ１（２０）及びＤＰＤ２（２０）の組として導出する。
【０２３２】
データ処理部２９１から送出されるワード伝送レートを７４．２５ＭＢｐｓとする２０ビットワード列データＤＰＡ１（２０）は、データ挿入部２９２に供給される。データ挿入部２９２にあっては、２０ビットワード列データＤＰＡ１（２０）に、必要に応じたチャンネル識別データを含む補助データＤＡＡ１を挿入し、補助データＤＡＡ１が挿入された２０ビットワード列データＤＰＡ１’（２０）を形成する。データ挿入部２９２から得られる２０ビットワード列データＤＰＡ１’（２０）は、Ｐ／Ｓ変換部２９３に供給される。
【０２３３】
Ｐ／Ｓ変換部２９３にあっては、２０ビットワード列データＤＰＡ１’（２０）にＰ／Ｓ変換を施して、２０ビットワード列データＤＰＡ１’（２０）に基づくビット伝送レートを７４．２５ＭＢｐｓ×２０＝１．４８５ＧｂｐｓとするシリアルデータＤＳＡ１を形成し、そのシリアルデータＤＳＡ１をＥ／Ｏ変換部２９４に供給する。
【０２３４】
Ｅ／Ｏ変換部２９４においては、シリアルデータＤＳＡ１に電光変換処理を施し、シリアルデータＤＳＡ１に基づく、中心波長を、例えば、略１．３μｍとする光信号ＯＳＡ１を、ビット伝送レートを１．４８５Ｇｂｐｓとするものとして形成し、それを伝送信号として送出する。
【０２３５】
また、データ処理部２９１から送出されるワード伝送レートを７４．２５ＭＢｐｓとする２０ビットワード列データＤＰＡ２（２０），ＤＰＢ１（２０），ＤＰＢ２（２０），ＤＰＣ１（２０），ＤＰＣ２（２０），ＤＰＤ１（２０）及びＤＰＤ２（２０）は、夫々、データ挿入部２９５〜３０１に供給される。データ挿入部２９５〜３０１にあっては、２０ビットワード列データＤＰＡ２（２０），ＤＰＢ１（２０），ＤＰＢ２（２０），ＤＰＣ１（２０），ＤＰＣ２（２０），ＤＰＤ１（２０）及びＤＰＤ２（２０）に、必要に応じたチャンネル識別データを含む補助データＤＡＡ２，ＤＡＢ１，ＤＡＢ２，ＤＡＣ１，ＤＡＣ２，ＤＡＤ１及びＤＡＤ２を挿入し、補助データが挿入された２０ビットワード列データＤＰＡ２’（２０），ＤＰＢ１’（２０），ＤＰＢ２’（２０），ＤＰＣ１’（２０），ＤＰＣ２’（２０），ＤＰＤ１’（２０）及びＤＰＤ２’（２０），を形成する。
【０２３６】
データ挿入部２９５〜３０１から得られる２０ビットワード列データＤＰＡ２’（２０），ＤＰＢ１’（２０），ＤＰＢ２’（２０），ＤＰＣ１’（２０），びＤＰＣ２’（２０），ＤＰＤ１’（２０）及びＤＰＤ２’（２０）は、夫々、Ｐ／Ｓ変換部３０２〜３０８に供給される。
【０２３７】
Ｐ／Ｓ変換部３０２〜３０８にあっては、２０ビットワード列データＤＰＡ２’（２０），ＤＰＢ１’（２０），ＤＰＢ２’（２０），ＤＰＣ１’（２０），ＤＰＣ２’（２０），ＤＰＤ１’（２０）及びＤＰＤ２’（２０）にＰ／Ｓ変換を施して、それらに基づくビット伝送レートを７４．２５ＭＢｐｓ×２０＝１．４８５ＧｂｐｓとするシリアルデータＤＳＡ２，ＤＳＢ１，ＤＳＢ２，ＤＳＣ１，ＤＳＣ２，ＤＳＤ１及びＤＳＤ２を形成し、それらをＥ／Ｏ変換部３１０〜３１６に供給する。
【０２３８】
Ｅ／Ｏ変換部３１０〜３１６においては、シリアルデータＤＳＡ２，ＤＳＢ１，ＤＳＢ２，ＤＳＣ１，ＤＳＣ２，ＤＳＤ１及びＤＳＤ２に電光変換処理を施し、それらに基づく、中心波長を、例えば、略１．３μｍとする光信号ＯＳＡ２，ＯＳＢ１，ＯＳＢ２，ＯＳＣ１，ＯＳＣ２，ＯＳＤ１及びＯＳＤ２を、各々がビット伝送レートを１．４８５Ｇｂｐｓとするものとして形成し、それを伝送信号として送出する。
【０２３９】
Ｅ／Ｏ変換部２９４から送出される伝送信号である光信号ＯＳＡ１は、光コネクタ３２０を通じて光ファイバー伝送路３２１に導かれ、光ファイバー伝送路３２１を通じて受信側へと伝送される。また、Ｅ／Ｏ変換部３１０〜３１６から送出される伝送信号である光信号ＯＳＡ２，ＯＳＢ１，ＯＳＢ２，ＯＳＣ１，ＯＳＣ２，ＯＳＤ１及びＯＳＤ２は、夫々、光コネクタ３２２〜３２８を通じて光ファイバー伝送路３２９〜３３５に導かれ、光ファイバー伝送路３２９〜３３５を通じて受信側へと伝送される。光ファイバー伝送路３２１及び３２９〜３３５の夫々は、例えば、石英系ＳＭＦが用いられて形成される。
【０２４０】
受信側においては、光ファイバー伝送路３２１を通じて伝送された光信号ＯＳＡ１が、光コネクタ３３６を通じてＯ／Ｅ変換部３３７へと導かれる。また、光ファイバー伝送路３２９〜３３５を通じて伝送された光信号ＯＳＡ２，ＯＳＢ１，ＯＳＢ２，ＯＳＣ１，ＯＳＣ２，ＯＳＤ１及びＯＳＤ２が、夫々、光コネクタ３３９〜３４５を通じてＯ／Ｅ変換部３５０〜３５６へと導かれる。
【０２４１】
Ｏ／Ｅ変換部３３７にあっては、ビット伝送レートを１．４８５Ｇｂｐｓとし、中心波長を略１．３μｍとする光信号ＯＳＡ１に光電変換処理を施して、光信号ＯＳＡ１に基づく、ビット伝送レートを１．４８５ＧｂｐｓとするシリアルデータＤＳＡ１を再生する。そして、再生されたシリアルデータＤＳＡ１は、Ｓ／Ｐ変換部３６０に供給される。Ｓ／Ｐ変換部３６０にあっては、シリアルデータＤＳＡ１にＳ／Ｐ変換を施して、シリアルデータＤＳＡ１に基づく、ワード伝送レートを７４．２５ＭＢｐｓとする２０ビットワード列データＤＰＡ１’（２０）を再生し、それをデータ時間差吸収部３６１に供給する。
【０２４２】
また、Ｏ／Ｅ変換部３５０〜３５６にあっては、ビット伝送レートを１．４８５Ｇｂｐｓとし、中心波長を略１．３μｍとする光信号ＯＳＡ２，ＯＳＢ１，ＯＳＢ２，ＯＳＣ１，ＯＳＣ２，ＯＳＤ１及びＯＳＤ２に光電変換処理を施して、それらに基づく、ビット伝送レートを１．４８５ＧｂｐｓとするシリアルデータＤＳＡ２，ＤＳＢ１，ＤＳＢ２，ＤＳＣ１，ＤＳＣ２，ＤＳＤ１及びＤＳＤ２を再生する。そして、再生されたシリアルデータＤＳＡ２，ＤＳＢ１，ＤＳＢ２，ＤＳＣ１，ＤＳＣ２，ＤＳＤ１及びＤＳＤ２は、夫々、Ｓ／Ｐ変換部３６２〜３６８に供給される。Ｓ／Ｐ変換部３６２〜３６８にあっては、シリアルデータＤＳＡ２，ＤＳＢ１，ＤＳＢ２，ＤＳＣ１，ＤＳＣ２，ＤＳＤ１及びＤＳＤ２にＳ／Ｐ変換を施して、それらに基づく、ワード伝送レートを７４．２５ＭＢｐｓとする２０ビットワード列データＤＰＡ２’（２０），ＤＰＢ１’（２０），ＤＰＢ２’（２０），ＤＰＣ１’（２０），ＤＰＣ２’（２０），ＤＰＤ１’（２０）及びＤＰＤ２’（２０）を再生し、それらをデータ時間差吸収部３６１に供給する。
【０２４３】
データ時間差吸収部３６１にあっては、Ｓ／Ｐ変換部３６０からの２０ビットワード列データＤＰＡ１’（２０）及びＳ／Ｐ変換部３６２〜３６８からの２０ビットワード列データＤＰＡ２’（２０），ＤＰＢ１’（２０），ＤＰＢ２’（２０），ＤＰＣ１’（２０），ＤＰＣ２’（２０），ＤＰＤ１’（２０）及びＤＰＤ２’（２０）の間に生じた相互時間差を吸収し、２０ビットワード列データＤＰＡ１’（２０）に基づくワード伝送レートを７４．２５ＭＢｐｓとする２０ビットワード列データＤＰＡ１Ｑ’（２０）、及び、２０ビットワード列データＤＰＡ２’（２０），ＤＰＢ１’（２０），ＤＰＢ２’（２０），ＤＰＣ１’（２０），ＤＰＣ２’（２０），ＤＰＤ１’（２０）及びＤＰＤ２’（２０）に夫々基づく、ワード伝送レートを７４．２５ＭＢｐｓとする２０ビットワード列データＤＰＡ２Ｑ’（２０），ＤＰＢ１Ｑ’（２０），ＤＰＢ２Ｑ’（２０），ＤＰＣ１Ｑ’（２０），ＤＰＣ２Ｑ’（２０），ＤＰＤ１Ｑ’（２０）及びＤＰＤ２Ｑ’（２０）を、相互時間差が実質的に無い状態に維持されることが目指されるものとして送出する。
【０２４４】
データ時間差吸収部３６１から得られる２０ビットワード列データＤＰＡ１Ｑ’（２０）は、データ分離部３７０に供給される。データ分離部３７０にあっては、２０ビットワード列データＤＰＡ１Ｑ’（２０）から、補助データＤＡＡ１が分離されて、２０ビットワード列データＤＰＡ１Ｑ（２０）と補助データＤＡＡ１とが個別に送出され、２０ビットワード列データＤＰＡ１Ｑ（２０）は、データ再生処理部３７１に供給される。
【０２４５】
また、データ時間差吸収部３６１から得られる２０ビットワード列データＤＰＡ２Ｑ’（２０），ＤＰＢ１Ｑ’（２０），ＤＰＢ２Ｑ’（２０），ＤＰＣ１Ｑ’（２０），ＤＰＣ２Ｑ’（２０），ＤＰＤ１Ｑ’（２０）及びＤＰＤ２Ｑ’（２０）は、夫々、データ分離部３７２〜３７８に供給される。データ分離部３７２〜３７８にあっては、２０ビットワード列データＤＰＡ２Ｑ’（２０），ＤＰＢ１Ｑ’（２０），ＤＰＢ２Ｑ’（２０），ＤＰＣ１Ｑ’（２０），ＤＰＣ２Ｑ’（２０），ＤＰＤ１Ｑ’（２０）及びＤＰＤ２Ｑ’（２０）から、補助データＤＡＡ２，ＤＡＢ１，ＤＡＢ２，ＤＡＣ１，ＤＡＣ２，ＤＡＤ１及びＤＡＤ２が分離されて、２０ビットワード列データＤＰＡ２Ｑ（２０），ＤＰＢ１Ｑ（２０），ＤＰＢ２Ｑ（２０），ＤＰＣ１Ｑ（２０），ＤＰＣ２Ｑ（２０），ＤＰＤ１Ｑ（２０）及びＤＰＤ２Ｑ（２０）と、補助データＤＡＡ２，ＤＡＢ１，ＤＡＢ２，ＤＡＣ１，ＤＡＣ２，ＤＡＤ１及びＤＡＤ２とが個別に送出され、２０ビットワード列データＤＰＡ２Ｑ（２０），ＤＰＢ１Ｑ（２０），ＤＰＢ２Ｑ（２０），ＤＰＣ１Ｑ（２０），ＤＰＣ２Ｑ（２０），ＤＰＤ１Ｑ（２０）及びＤＰＤ２Ｑ（２０）は、データ再生処理部３７１に供給される。
【０２４６】
データ再生処理部３７１にあっては、２０ビットワード列データＤＰＡ１Ｑ（２０），ＤＰＡ２Ｑ（２０），ＤＰＢ１Ｑ（２０），ＤＰＢ２Ｑ（２０），ＤＰＣ１Ｑ（２０），ＤＰＣ２Ｑ（２０），ＤＰＤ１Ｑ（２０）及びＤＰＤ２Ｑ（２０）に対して、送信側におけるデータ処理部２９１によりデータＤＶＸに施されるデータ変換処理とは逆のデータ再生処理を施し、２０ビットワード列データＤＰＡ１Ｑ（２０），ＤＰＡ２Ｑ（２０），ＤＰＢ１Ｑ（２０），ＤＰＢ２Ｑ（２０），ＤＰＣ１Ｑ（２０），ＤＰＣ２Ｑ（２０），ＤＰＤ１Ｑ（２０）及びＤＰＤ２Ｑ（２０）に基づくデータＤＶＸを再生する。斯かるデータＤＶＸは、図６６において、ＤＶＵ１０＋ＤＫＵ１０もしくはＤＶＶ１０＋ＤＫＶ１０として示されるデータとされる。
【０２４７】
図４１及び図４２は、本願の特許請求の範囲における請求項２５から請求項３０までのいずれかに記載された発明に係るデータ伝送方法の例が実施される、本願の特許請求の範囲における請求項４６または請求項４７に記載された発明に係るデータ伝送装置の第２の例を含んだデータ送受装置の部分を示す。
【０２４８】
図４１及び図４２に部分が示されるデータ送受装置は、図３２及び図３３に示されるデータ送受装置と同様に構成される部分を多々有しており、図４１及び図４２には、図３２及び図３３に示されるデータ送受装置と異なる部分及びそれに関連する部分のみが示されている。
【０２４９】
図４１及び図４２に部分が示されるデータ送受装置にあっては、図３２及び図３３に示されるデータ送受装置において備えられているＥ／Ｏ変換部２９４及び３１０〜３１６とＯ／Ｅ変換部３３７及び３５０〜３５６とに代えて、Ｅ／Ｏ変換部３８５〜３８８とＯ／Ｅ変換部４０４〜４０７とを備えている。さらに、図３２及び図３３に示されるデータ送受装置において備えられている光コネクタ３２０及び３２２〜３２８，光ファイバー伝送路３２１及び３２９〜３３５、及び、光コネクタ３３６及び３３９〜３４５に代えて、光コネクタ３８９〜３９２，光ファイバー伝送路３９５〜３９８、及び、光コネクタ４００〜４０３を備えている。光ファイバー伝送路３９５〜３９８の夫々は、例えば、石英系ＳＭＦが用いられて形成される。
【０２５０】
斯かる図４１及び図４２に部分が示されるデータ送受装置においては、Ｐ／Ｓ変換部２９３からのビット伝送レートを１．４８５ＧｂｐｓとするシリアルデータＤＳＡ１とＰ／Ｓ変換部３０２からのビット伝送レートを１．４８５ＧｂｐｓとするシリアルデータＤＳＡ２とが、ビット多重部３８１に供給される。ビット多重部３８１にあっては、シリアルデータＤＳＡ１及びＤＳＡ２の夫々から１ビット宛を交互に取り出して順次配列する動作を行い、シリアルデータＤＳＡ１及びＤＳＡ２にビット多重合成処理を施して、ビット伝送レートを１．４８５Ｇｂｐｓ×２＝２．９７Ｇｂｐｓとする複合シリアルデータＤＺＡを形成する。
【０２５１】
ビット多重部３８１から得られる複合シリアルデータＤＺＡは、Ｅ／Ｏ変換部３８５に供給される。Ｅ／Ｏ変換部３８５にあっては、複合シリアルデータＤＺＡに基づく、中心波長を、例えば、略１．３μｍとする光信号ＯＺＡを、ビット伝送レートを２．９７Ｇｂｐｓとするものとして形成し、それを伝送信号として送出する。
【０２５２】
Ｐ／Ｓ変換部３０３からのビット伝送レートを１．４８５ＧｂｐｓとするシリアルデータＤＳＢ１とＰ／Ｓ変換部３０４からのビット伝送レートを１．４８５ＧｂｐｓとするシリアルデータＤＳＢ２とが、ビット多重部３８２に供給される。ビット多重部３８２にあっては、シリアルデータＤＳＢ１及びＤＳＢ２の夫々から１ビット宛を交互に取り出して順次配列する動作を行い、シリアルデータＤＳＢ１及びＤＳＢ２にビット多重合成処理を施して、ビット伝送レートを１．４８５Ｇｂｐｓ×２＝２．９７Ｇｂｐｓとする複合シリアルデータＤＺＢを形成する。
【０２５３】
ビット多重部３８２から得られる複合シリアルデータＤＺＢは、Ｅ／Ｏ変換部３８６に供給される。Ｅ／Ｏ変換部３８６にあっては、複合シリアルデータＤＺＢに基づく、中心波長を、例えば、略１．３μｍとする光信号ＯＺＢを、ビット伝送レートを２．９７Ｇｂｐｓとするものとして形成し、それを伝送信号として送出する。
【０２５４】
Ｐ／Ｓ変換部３０５からのビット伝送レートを１．４８５ＧｂｐｓとするシリアルデータＤＳＣ１とＰ／Ｓ変換部３０６からのビット伝送レートを１．４８５ＧｂｐｓとするシリアルデータＤＳＣ２とが、ビット多重部３８３に供給される。ビット多重部３８３にあっては、シリアルデータＤＳＣ１及びＤＳＣ２の夫々から１ビット宛を交互に取り出して順次配列する動作を行い、シリアルデータＤＳＣ１及びＤＳＣ２にビット多重合成処理を施して、ビット伝送レートを１．４８５Ｇｂｐｓ×２＝２．９７Ｇｂｐｓとする複合シリアルデータＤＺＣを形成する。
【０２５５】
ビット多重部３８３から得られる複合シリアルデータＤＺＣは、Ｅ／Ｏ変換部３８７に供給される。Ｅ／Ｏ変換部３８７にあっては、複合シリアルデータＤＺＣに基づく、中心波長を、例えば、略１．３μｍとする光信号ＯＺＣを、ビット伝送レートを２．９７Ｇｂｐｓとするものとして形成し、それを伝送信号として送出する。
【０２５６】
さらに、Ｐ／Ｓ変換部３０７からのビット伝送レートを１．４８５ＧｂｐｓとするシリアルデータＤＳＤ１とＰ／Ｓ変換部３０８からのビット伝送レートを１．４８５ＧｂｐｓとするシリアルデータＤＳＤ２とが、ビット多重部３８４に供給される。ビット多重部３８４にあっては、シリアルデータＤＳＤ１及びＤＳＤ２の夫々から１ビット宛を交互に取り出して順次配列する動作を行い、シリアルデータＤＳＤ１及びＤＳＤ２にビット多重合成処理を施して、ビット伝送レートを１．４８５Ｇｂｐｓ×２＝２．９７Ｇｂｐｓとする複合シリアルデータＤＺＤを形成する。
【０２５７】
ビット多重部３８４から得られる複合シリアルデータＤＺＤは、Ｅ／Ｏ変換部３８８に供給される。Ｅ／Ｏ変換部３８８にあっては、複合シリアルデータＤＺＤに基づく、中心波長を、例えば、略１．３μｍとする光信号ＯＺＤを、ビット伝送レートを２．９７Ｇｂｐｓとするものとして形成し、それを伝送信号として送出する。
【０２５８】
Ｅ／Ｏ変換部３８５から送出される伝送信号である光信号ＯＺＡは、光コネクタ３８９を通じて光ファイバー伝送路３９５に導かれ、光ファイバー伝送路３９５を通じて受信側へと伝送される。Ｅ／Ｏ変換部３８６から送出される伝送信号である光信号ＯＺＢは、光コネクタ３９０を通じて光ファイバー伝送路３９６に導かれ、光ファイバー伝送路３９６を通じて受信側へと伝送される。Ｅ／Ｏ変換部３８７から送出される伝送信号である光信号ＯＺＣは、光コネクタ３９１を通じて光ファイバー伝送路３９７に導かれ、光ファイバー伝送路３９７を通じて受信側へと伝送される。さらに、Ｅ／Ｏ変換部３８８から送出される伝送信号である光信号ＯＺＤは、光コネクタ３９２を通じて光ファイバー伝送路３９８に導かれ、光ファイバー伝送路３９８を通じて受信側へと伝送される。
【０２５９】
受信側においては、光ファイバー伝送路３９５を通じて伝送された光信号ＯＺＡが、光コネクタ４００を通じてＯ／Ｅ変換部４０４へと導かれる。光ファイバー伝送路３９６を通じて伝送された光信号ＯＺＢが、光コネクタ４０１を通じてＯ／Ｅ変換部４０５へと導かれる。光ファイバー伝送路３９７を通じて伝送された光信号ＯＺＣが、光コネクタ４０２を通じてＯ／Ｅ変換部４０６へと導かれる。さらに、光ファイバー伝送路３９８を通じて伝送された光信号ＯＺＤが、光コネクタ４０３を通じてＯ／Ｅ変換部４０７へと導かれる。
【０２６０】
Ｏ／Ｅ変換部４０４にあっては、中心波長を略１．３μｍとし、ビット伝送レートを２．９７Ｇｂｐｓとする光信号ＯＺＡに光電変換処理を施して、光信号ＯＺＡに基づく、ビット伝送レートを２．９７Ｇｂｐｓとする複合シリアルデータＤＺＡを再生する。そして、再生された複合シリアルデータＤＺＡは、ビット分離部４０８に供給される。
【０２６１】
ビット分離部４０８にあっては、複合シリアルデータＤＺＡから１ビットずつを取り出して、２個の一つ置きのビットグループを形成する動作を行い、複合シリアルデータＤＺＡにビット分離処理を施す。そして、複合シリアルデータＤＺＡに含まれたチャンネル識別データを利用してチャンネルを特定し、複合シリアルデータＤＺＡに基づく、各々がビット伝送レートを２．９７Ｇｂｐｓ／２＝１．４８５Ｇｂｐｓとする２チャンネルのシリアルデータＤＳＡ１及びＤＳＡ２を形成する。シリアルデータＤＳＡ１は、Ｓ／Ｐ変換部３６０に供給され、シリアルデータＤＳＡ２は、Ｓ／Ｐ変換部３６２に供給される。
【０２６２】
Ｏ／Ｅ変換部４０５にあっては、中心波長を略１．３μｍとし、ビット伝送レートを２．９７Ｇｂｐｓとする光信号ＯＺＢに光電変換処理を施して、光信号ＯＺＢに基づく、ビット伝送レートを２．９７Ｇｂｐｓとする複合シリアルデータＤＺＢを再生する。そして、再生された複合シリアルデータＤＺＢは、ビット分離部４０９に供給される。
【０２６３】
ビット分離部４０９にあっては、複合シリアルデータＤＺＢから１ビットずつを取り出して、２個の一つ置きのビットグループを形成する動作を行い、複合シリアルデータＤＺＢにビット分離処理を施す。そして、複合シリアルデータＤＺＢに含まれたチャンネル識別データを利用してチャンネルを特定し、複合シリアルデータＤＺＢに基づく、各々がビット伝送レートを２．９７Ｇｂｐｓ／２＝１．４８５Ｇｂｐｓとする２チャンネルのシリアルデータＤＳＢ１及びＤＳＢ２を形成する。シリアルデータＤＳＢ１は、Ｓ／Ｐ変換部３６３に供給され、シリアルデータＤＳＢ２は、Ｓ／Ｐ変換部３６４に供給される。
【０２６４】
Ｏ／Ｅ変換部４０６にあっては、中心波長を略１．３μｍとし、ビット伝送レートを２．９７Ｇｂｐｓとする光信号ＯＺＣに光電変換処理を施して、光信号ＯＺＣに基づく、ビット伝送レートを２．９７Ｇｂｐｓとする複合シリアルデータＤＺＣを再生する。そして、再生された複合シリアルデータＤＺＣは、ビット分離部４１０に供給される。
【０２６５】
ビット分離部４１０にあっては、複合シリアルデータＤＺＣから１ビットずつを取り出して、２個の一つ置きのビットグループを形成する動作を行い、複合シリアルデータＤＺＣにビット分離処理を施す。そして、複合シリアルデータＤＺＣに含まれたチャンネル識別データを利用してチャンネルを特定し、複合シリアルデータＤＺＣに基づく、各々がビット伝送レートを２．９７Ｇｂｐｓ／２＝１．４８５Ｇｂｐｓとする２チャンネルのシリアルデータＤＳＣ１及びＤＳＣ２を形成する。シリアルデータＤＳＣ１は、Ｓ／Ｐ変換部３６５に供給され、シリアルデータＤＳＣ２は、Ｓ／Ｐ変換部３６６に供給される。
【０２６６】
さらに、Ｏ／Ｅ変換部４０７にあっては、中心波長を略１．３μｍとし、ビット伝送レートを２．９７Ｇｂｐｓとする光信号ＯＺＤに光電変換処理を施して、光信号ＯＺＤに基づく、ビット伝送レートを２．９７Ｇｂｐｓとする複合シリアルデータＤＺＤを再生する。そして、再生された複合シリアルデータＤＺＤは、ビット分離部４１１に供給される。
【０２６７】
ビット分離部４１１にあっては、複合シリアルデータＤＺＤから１ビットずつを取り出して、２個の一つ置きのビットグループを形成する動作を行い、複合シリアルデータＤＺＤにビット分離処理を施す。そして、複合シリアルデータＤＺＤに含まれたチャンネル識別データを利用してチャンネルを特定し、複合シリアルデータＤＺＤに基づく、各々がビット伝送レートを２．９７Ｇｂｐｓ／２＝１．４８５Ｇｂｐｓとする２チャンネルのシリアルデータＤＳＤ１及びＤＳＤ２を形成する。シリアルデータＤＳＤ１は、Ｓ／Ｐ変換部３６７に供給され、シリアルデータＤＳＤ２は、Ｓ／Ｐ変換部３６８に供給される。
【０２６８】
その他の動作は、図３２及び図３３に部分が示されるデータ送受装置と同様である。
【０２６９】
図４３及び図４４は、本願の特許請求の範囲における請求項３１から請求項３６までのいずれかに記載された発明に係るデータ伝送方法の例が実施される、本願の特許請求の範囲における請求項４８または請求項４９に記載された発明に係るデータ伝送装置の第１の例を含んだデータ送受装置を示す。
【０２７０】
図４３及び図４４に示されるデータ送受装置においては、本願の特許請求の範囲における請求項４８または請求項４９に記載された発明に係るデータ伝送装置の第１の例を構成する送信側において、ディジタル映像信号を成すデータＤＶＸがデータ処理部４２１に供給される。
【０２７１】
データＤＶＸは、図６６において、ＤＶＲ１２＋ＤＫＲ１２，ＤＶＲ１４＋ＤＫＲ１４，ＤＶＲ１６＋ＤＫＲ１６及びＤＶＳ１２＋ＤＫＳ１２として示されるデータのうちのいずれかとされる。
【０２７２】
データＤＶＸが、図６６においてＤＶＲ１２＋ＤＫＲ１２として示されるデータとされるとき、データ処理部４２１には、フレームレートを７２Ｈｚ，７５Ｈｚもしくは９０Ｈｚとし、各フレームにおけるライン数が１１２５ライン，各フレームにおける有効ライン数が１０８０ライン，各ラインにおける有効データサンプル数が１９２０サンプルに設定された、４：２：２形式のディジタル映像信号を成し、各々が量子化ビット数を１２ビットとしてワード伝送レートを２２２．７５ＭＢｐｓとするＹデータ系列及びＰB ／ＰR データ系列（ＤＶＲ１２）と、Ｙデータ系列と同等のデータフォーマットを有し、量子化ビット数を１２ビットとしてワード伝送レートを２２２．７５ＭＢｐｓとするＫｅｙ信号データ系列（ＤＫＲ１２）とが入力される。Ｋｅｙ信号データ系列は、Ｙデータ系列及びＰB ／ＰR データ系列に付随する付加データ系列を成すものとされる。そして、これらのＹデータ系列，ＰB ／ＰR データ系列及びＫｅｙ信号データ系列は、図４５に示される如くに、フレーム同期及びライン同期がとられたもとでパラレル多重されて得られる、ワード伝送レートを２２２．７５ＭＢｐｓとする３６ビットパラレルデータとして、データ処理部４２１に供給される。
【０２７３】
データ処理部４２１にあっては、図４５に示される如くにして供給されるデータＤＶＲ１２＋ＤＫＲ１２に対して次の処理を施す。
【０２７４】
先ず、図４５に示される如く、データＤＶＲ１２＋ＤＫＲ１２を形成するフレーム部 Frame 1, Frame 2, Frame 3, ・・・・・のうちの第１の二つ置きのフレーム部 Frame 1, Frame 4, Frame 7, ・・・・・，第２の二つ置きのフレーム部 Frame 2, Frame 5, Frame 8, ・・・・・、及び、第３の二つ置きのフレーム部 Frame 3, Frame 6, Frame 9, ・・・・・を、夫々、メモリＡ, メモリＢ及びメモリＣに格納する。
【０２７５】
次に、メモリＡに格納されたフレーム部 Frame 1, Frame 4, Frame 7, ・・・・・の夫々を、フィールドインターレース方式をもって読み出して、フレームレートを７２Ｈｚ／３＝２４Ｈｚ，７５Ｈｚ／３＝２５Ｈｚもしくは９０Ｈｚ／３＝３０Ｈｚとする、一連のセグメンテッドフレーム部 Segmented Frame 1, Segmented Frame 4, Segmented Frame 7, ・・・・・を有した、セグメンテッドフレームディジタル映像信号を成すＹデータ系列及びＰB ／ＰR データ系列とＫｅｙ信号データ系列とを含む３６ビットパラレルデータを形成するものとし、それにより、ワード伝送レートを２２２．７５ＭＢｐｓ／３＝７４．２５ＭＢｐｓとする３６ビットワード列データＤＶＲ１２Ａ＋ＤＫＲ１２Ａを得る。
【０２７６】
また、メモリＢに格納されたフレーム部 Frame 2, Frame 5, Frame 8, ・・・・・の夫々についても、フィールドインターレース方式をもって読み出して、フレームレートを２４Ｈｚ，２５Ｈｚもしくは３０Ｈｚとする、一連のセグメンテッドフレーム部 Segmented Frame 2, Segmented Frame 5, Segmented Frame 8, ・・・・・を有した、セグメンテッドフレームディジタル映像信号を成すＹデータ系列及びＰB ／ＰR データ系列とＫｅｙ信号データ系列とを含む３６ビットパラレルデータを形成するものとし、それにより、ワード伝送レートを７４．２５ＭＢｐｓとする３６ビットワード列データＤＶＲ１２Ｂ＋ＤＫＲ１２Ｂを得る。
【０２７７】
さらに、メモリＣに格納されたフレーム部 Frame 3, Frame 6, Frame 9, ・・・・・の夫々についても、フィールドインターレース方式をもって読み出して、フレームレートを２４Ｈｚ，２５Ｈｚもしくは３０Ｈｚとする、一連のセグメンテッドフレーム部 Segmented Frame 3, Segmented Frame 6, Segmented Frame 9, ・・・・・を有した、セグメンテッドフレームディジタル映像信号を成すＹデータ系列及びＰB ／ＰR データ系列とＫｅｙ信号データ系列とを含む３6 ビットパラレルデータを形成するものとし、それにより、ワード伝送レートを７４．２５ＭＢｐｓとする３6 ビットワード列データＤＶＲ１２Ｃ＋ＤＫＲ１２Ｃを得る。
【０２７８】
３６ビットワード列データＤＶＲ１２Ａ＋ＤＫＲ１２Ａ，ＤＶＲ１２Ｂ＋ＤＫＲ１２Ｂ及びＤＶＲ１２Ｃ＋ＤＫＲ１２Ｃの夫々は、図４６に示される如くに、Ｙデータ系列を構成する１２ビットワードＹＤ０，ＹＤ１，ＹＤ２，ＹＤ３，・・・・・，ＰB ／ＰR データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・がパラレル多重されて成り、リンクＡ，リンクＢもしくはリンクＣとして形成される。
【０２７９】
続いて、図４６に示される如くの、３６ビットワード列データＤＶＲ１２Ａ＋ＤＫＲ１２Ａにおける、Ｙデータ系列を構成する１２ビットワードＹＤ０，ＹＤ１，ＹＤ２，ＹＤ３，・・・・・，ＰB ／ＰR データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１  Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１  Ａ１；０−１，Ａ２；０−１，Ａ３；０−１，・・・・・とに分割する。
【０２８０】
そして、分割された上位１０ビットの列：Ｙ０；２−１１，Ｙ１；２−１１，Ｙ２；２−１１，Ｙ３；２−１１，・・・・・と分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＲ１２Ａ１を、リンクＡ−１として、図４７のＡに示される如くに形成する。
【０２８１】
また、分割された下位２ビットＹ０；０−１，Ｙ１；０−１，Ｙ２；０−１，Ｙ３；０−１，・・・・・に、８ビットの補助ビットｃ０，ｃ１，ｃ２，ｃ３，・・・・・を夫々加えて、１０ビット [Ｙ０；０−１] ＋ｃ０， [Ｙ１；０−１] ＋ｃ１， [Ｙ２；０−１] ＋ｃ２， [Ｙ３；０−１] ＋ｃ３，・・・・・とするとともに、分割された下位２ビットＰｂ０；０−１，Ｐｒ０；０−１，Ｐｂ１；０−１，Ｐｒ１；０−１，Ｐｂ２；０−１，Ｐｒ０；２−１，・・・・・に、８ビットの補助ビットｄ０，ｄ１，ｄ２，ｄ３，・・・・・を夫々加えて、１０ビット [Ｐｂ０；０−１] ＋ｄ０， [Ｐｒ０；０−１] ＋ｄ１， [Ｐｂ１；０−１] ＋ｄ２， [Ｐｒ１；０−１] ＋ｄ３， [Ｐｂ２；０−１] ＋ｄ４， [Ｐｒ２；０−１] ＋ｄ５，・・・・・とする。そして、１０ビットの列： [Ｙ０；０−１] ＋ｃ０， [Ｙ１；０−１] ＋ｃ１， [Ｙ２；０−１] ＋ｃ２， [Ｙ３；０−１] ＋ｃ３，・・・・・と１０ビットの列： [Ｐｂ０；０−１] ＋ｄ０， [Ｐｒ０；０−１] ＋ｄ１， [Ｐｂ１；０−１] ＋ｄ２， [Ｐｒ１；０−１] ＋ｄ３， [Ｐｂ２；０−１] ＋ｄ４， [Ｐｒ２；０−１] ＋ｄ５，・・・・・とをパラレル多重して、ワード伝送レートを７４．２５ＭＢｐｓとする２０ビットワード列データＤＶＲ１２Ａ２を、リンクＡ−２として、図４７のＢに示される如くに形成する。
【０２８２】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット [Ａ０；０−１] ＋ｅ０， [Ａ１；０−１] ＋ｅ１， [Ａ２；０−１] ＋ｅ２， [Ａ３；０−１] ＋ｅ３，・・・・・とし、分割された上位１０ビットの列：Ａ０；２−１１，Ａ１；２−１１，Ａ２；２−１１，Ａ３；２−１１・・・・・と１０ビットの列： [Ａ０；０−１] ＋ｅ０， [Ａ１；０−１] ＋ｅ１， [Ａ２；０−１] ＋ｅ２， [Ａ３；０−１] ＋ｅ３，・・・・・とをパラレル多重して、ワード伝送レートを７４．２５ＭＢｐｓとする２０ビットワード列データＤＶＲ１２Ａ３を、リンクＡ−３として、図４７のＣに示される如くに形成する。
【０２８３】
同様にして、図４６に示される如くの、３６ビットワード列データＤＶＲ１２Ｂ＋ＤＫＲ１２Ｂ及びＤＶＲ１２Ｃ＋ＤＫＲ１２Ｃの夫々についても、それにおけるＹデータ系列を構成する１２ビットワードＹＤ０，ＹＤ１，ＹＤ２，ＹＤ３，・・・・・，ＰB ／ＰR データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々に、３６ビットワード列データＤＶＲ１２Ａ＋ＤＫＲ１２Ａの場合と同様な処理を施す。それにより、図４７のＡに示される如くの、ワード伝送レートを７４．２５ＭＢｐｓとする２０ビットワード列データＤＶＲ１２Ｂ１もしくはＤＶＲ１２Ｃ１を、リンクＢ−１もしくはリンクＣ−１として形成し、図４７のＢに示される如くの、ワード伝送レートを７４．２５ＭＢｐｓとする２０ビットワード列データＤＶＲ１２Ｂ２もしくはＤＶＲ１２Ｃ２を、リンクＢ−２もしくはリンクＣ−２として形成し、さらに、図４７のＣに示される如くの、ワード伝送レートを７４．２５ＭＢｐｓとする２０ビットワード列データＤＶＲ１２Ｂ３もしくはＤＶＲ１２Ｃ３を、リンクＢ−３もしくはリンクＣ−３として形成する。
【０２８４】
即ち、データ処理部４２１にあっては、ワード伝送レートを２２２．７５ＭＢｐｓとする３６ビットワード列データを形成するデータＤＶＲ１２＋ＤＫＲ１２を、各々がワード伝送レートを７４．２５ＭＢｐｓとする２０ビットワード列データＤＶＲ１２Ａ１，ＤＶＲ１２Ａ２，ＤＶＲ１２Ａ３，ＤＶＲ１２Ｂ１，ＤＶＲ１２Ｂ２，ＤＶＲ１２Ｂ３，ＤＶＲ１２Ｃ１，ＤＶＲ１２Ｃ２及びＤＶＲ１２Ｃ３の９系統のワード列データに変換するのである。
【０２８５】
また、データ処理部４２１にあっては、図４６に示される如くに得られるデータＤＶＲ１２Ａ＋ＤＫＲ１２Ａ，ＤＶＲ１２Ｂ＋ＤＫＲ１２Ｂ及びＤＶＲ１２Ｃ＋ＤＫＲ１２Ｃに対し、上述の処理に代えた別の処理として、次の処理を施す。
【０２８６】
先ず、図４６Ａに示される如くの、３０ビットワード列データＤＶＣ１２Ａ＋ＤＫＣ１２ＡにおけるＹデータ系列を構成する１２ビットワードＹＤ０，ＹＤ１，ＹＤ２，ＹＤ３，・・・・・，ＰB ／ＰR データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１  Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１  Ａ１；０−１，Ａ２；０−１，Ａ３；０−１，・・・・・とに分割する。
【０２８７】
そして、分割された上位１０ビットの列：Ｙ０；２−１１，Ｙ１；２−１１，Ｙ２；２−１１，Ｙ３；２−１１，・・・・・と分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＲ１２Ａ１を、リンクＡ−１として、図４８のＡに示される如くに形成する。
【０２８８】
また、分割された下位２ビットＹ０；０−１とＰｂ０；０−１とＰｒ０；０−１とを多重するとともに４ビットの補助ビットｄ０を加えて得られる１０ビット [Ｙ０ＢＲ０；０−１] ＋ｄ０，分割された下位２ビットＹ１；０−１に８ビットの補助ビットｅ０を加えて得られる１０ビット [Ｙ１；０−１] ＋ｅ０，分割された下位２ビットＹ２；０−１とＰｂ１；０−１とＰｒ１；０−１とを多重するとともに４ビットの補助ビットｄ１を加えて得られる１０ビット [Ｙ２ＢＲ１；０−１] ＋ｄ１，分割された下位２ビットＹ３；０−１に８ビットの補助ビットｅ１を加えて得られる１０ビット [Ｙ３；０−１] ＋ｅ１，分割された下位２ビットＹ４；０−１とＰｂ２；０−１とＰｒ２；０−１とを多重するとともに４ビットの補助ビットｄ２を加えて得られる１０ビット [Ｙ４ＢＲ２；０−１] ＋ｄ２，分割された下位２ビットＹ５；０−１に８ビットの補助ビットｅ２を加えて得られる１０ビット [Ｙ５；０−１] ＋ｅ２，・・・・・を形成する。そして、このようにして得た１０ビットの列と補助１０ビットワードαＤ０，αＤ１，αＤ２，αＤ３，・・・・・とをパラレル多重して、ワード伝送レートを７４．２５ＭＢｐｓとする２０ビットワード列データＤＶＲ１２Ａ２を、リンクＡ−２として、図４８のＢに示される如くに形成する。
【０２８９】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット [Ａ０；０−１] ＋ｅ０， [Ａ１；０−１] ＋ｅ１， [Ａ２；０−１] ＋ｅ２， [Ａ３；０−１] ＋ｅ３，・・・・・とし、分割された上位１０ビットの列：Ａ０；２−１１，Ａ１；２−１１，Ａ２；２−１１，Ａ３；２−１１・・・・・と１０ビットの列： [Ａ０；０−１] ＋ｅ０， [Ａ１；０−１] ＋ｅ１， [Ａ２；０−１] ＋ｅ２， [Ａ３；０−１] ＋ｅ３，・・・・・とをパラレル多重して、ワード伝送レートを７４．２５ＭＢｐｓとする２０ビットワード列データＤＶＲ１２Ａ３を、リンクＡ−３として、図４８のＣに示される如くに形成する。
【０２９０】
同様にして、図４６に示される如くの、３６ビットワード列データＤＶＲ１２Ｂ＋ＤＫＲ１２Ｂ及びＤＶＲ１２Ｃ＋ＤＫＲ１２Ｃの夫々についても、それにおけるＹデータ系列を構成する１２ビットワードＹＤ０，ＹＤ１，ＹＤ２，ＹＤ３，・・・・・，ＰB ／ＰR データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々に、３６ビットワード列データＤＶＲ１２Ａ＋ＤＫＲ１２Ａの場合と同様な処理を施す。それにより、図４８のＡに示される如くの、ワード伝送レートを７４．２５ＭＢｐｓとする２０ビットワード列データＤＶＲ１２Ｂ１もしくはＤＶＲ１２Ｃ１を、リンクＢ−１もしくはリンクＣ−１として形成し、図４８のＢに示される如くの、ワード伝送レートを７４．２５ＭＢｐｓとする２０ビットワード列データＤＶＲ１２Ｂ２もしくはＤＶＲ１２Ｃ２を、リンクＢ−２もしくはリンクＣ−２として形成し、さらに、図４８のＣに示される如くの、ワード伝送レートを７４．２５ＭＢｐｓとする２０ビットワード列データＤＶＲ１２Ｂ３もしくはＤＶＲ１２Ｃ３を、リンクＢ−３もしくはリンクＣ−３として形成する。
【０２９１】
即ち、斯かる場合にも、ワード伝送レートを２２２．７５ＭＢｐｓとする３６ビットワード列データを形成するデータＤＶＲ１２＋ＤＫＲ１２を、各々がワード伝送レートを７４．２５ＭＢｐｓとする２０ビットワード列データＤＶＲ１２Ａ１，ＤＶＲ１２Ａ２，ＤＶＲ１２Ａ３，ＤＶＲ１２Ｂ１，ＤＶＲ１２Ｂ２及びＤＶＲ１２Ｂ３，ＤＶＲ１２Ｃ１，ＤＶＲ１２Ｃ２及びＤＶＲ１２Ｃ３の９系統のワード列データに変換するのである。
【０２９２】
データＤＶＸが、図６６においてＤＶＲ１４＋ＤＫＲ１４として示されるデータもしくはＤＶＲ１６＋ＤＫＲ１６として示されるデータであるときには、データ処理部４２１には、フレームレートを７２Ｈｚ，７５Ｈｚもしくは９０Ｈｚとし、各フレームにおけるライン数が１１２５ライン，各フレームにおける有効ライン数が１０８０ライン，各ラインにおける有効データサンプル数が１９２０サンプルに設定された、４：２：２形式のディジタル映像信号を成し、各々が量子化ビット数を１４ビットもしくは１６ビットとしてワード伝送レートを２２２．７５ＭＢｐｓとするＹデータ系列及びＰB ／ＰR データ系列（ＤＶＲ１４もしくはＤＶＲ１６）と、Ｙデータ系列と同等のデータフォーマットを有し、量子化ビット数を１４ビットもしくは１６ビットとしてワード伝送レートを２２２．７５ＭＢｐｓとするＫｅｙ信号データ系列（ＤＫＲ１４もしくはＤＫＲ１６）とが入力される。Ｋｅｙ信号データ系列は、Ｙデータ系列及びＰB ／ＰR データ系列に付随する付加データ系列を成すものとされる。そして、これらのＹデータ系列，ＰB ／ＰR データ系列及びＫｅｙ信号データ系列は、フレーム同期及びライン同期がとられたもとでパラレル多重されて得られる、ワード伝送レートを２２２．７５ＭＢｐｓとする４２ビットパラレルデータもしくは４８ビットパラレルデータとして、データ処理部４２１に供給される。
【０２９３】
斯かる際にも、データ処理部４２１は、データＤＶＲ１４＋ＤＫＲ１４もしくはＤＶＲ１６＋ＤＫＲ１６に対して、データＤＶＲ１２＋ＤＫＲ１２に対する場合と同様な処理を施す。但し、Ｙデータ系列，ＰB ／ＰR データ系列及びＫｅｙ信号データ系列を構成する１２ビットワードの夫々を、上位１０ビットと下位２ビットとに分割する動作に代えて、Ｙデータ系列，ＰB ／ＰR データ系列及びＫｅｙ信号データ系列を構成する１４ビットワードの夫々を、上位１０ビットと下位４ビットとに分割する動作、もしくは、Ｙデータ系列，ＰB ／ＰR データ系列及びＫｅｙ信号データ系列を構成する１６ビットワードの夫々を、上位１０ビットと下位６ビットとに分割する動作を行う。
【０２９４】
そして、ワード伝送レートを２２２．７５ＭＢｐｓとする４２ビットワード列データもしくは４８ビットワード列データを形成するデータＤＶＲ１４＋ＤＫＲ１４もしくはＤＶＲ１６＋ＤＫＲ１６を、各々がワード伝送レートを７４．２５ＭＢｐｓとする２０ビットワード列データＤＶＲ１４Ａ１もしくはＤＶＲ１６Ａ１，ＤＶＲ１４Ａ２もしくはＤＶＲ１６Ａ２，ＤＶＲ１４Ａ３もしくはＤＶＲ１６Ａ３，ＤＶＲ１４Ｂ１もしくはＤＶＲ１６Ｂ１，ＤＶＲ１４Ｂ２もしくはＤＶＲ１６Ｂ２，ＤＶＲ１４Ｂ３もしくはＤＶＲ１６Ｂ３，ＤＶＲ１４Ｃ１もしくはＤＶＲ１６Ｃ１，ＤＶＲ１４Ｃ２もしくはＤＶＲ１６Ｃ２、及び、ＤＶＲ１４Ｃ３もしくはＤＶＲ１６Ｃ３の９系統のワード列データに変換する。
【０２９５】
データＤＶＸが、図６６においてＤＶＳ１２＋ＤＫＳ１２として示されるデータであるとき、データ処理部４２１には、フレームレートを７２Ｈｚ，７５Ｈｚもしくは９０Ｈｚとし、各フレームにおけるライン数が１１２５ライン，各フレームにおける有効ライン数が１０８０ライン，各ラインにおける有効データサンプル数が１９２０サンプルに設定された、４：４：４形式のディジタル映像信号を成し、各々がワード伝送レートを２２２．７５ＭＢｐｓとして量子化ビット数を１２ビットとするＧデータ系列，Ｂデータ系列及びＲデータ系列（ＤＶＳ１２）と、Ｇデータ系列と同等のデータフォーマットを有し、量子化ビット数を１２ビットとしてワード伝送レートを２２２．７５ＭＢｐｓとするＫｅｙ信号データ系列（ＤＫＳ１２）とが入力される。Ｋｅｙ信号データ系列は、Ｇデータ系列，Ｂデータ系列及びＲデータ系列に付随する付加データ系列を成すものとされる。そして、これらのＧデータ系列，Ｂデータ系列，Ｒデータ系列及びＫｅｙ信号データ系列は、図４９に示される如くに、フレーム同期及びライン同期がとられたもとでパラレル多重されて得られる、ワード伝送レートを２２２．７５ＭＢｐｓとする４８ビットパラレルデータとして、データ処理部４２１に供給される。
【０２９６】
データ処理部４２１にあっては、図４９に示される如くにして供給されるデータＤＶＳ１２＋ＤＫＳ１２に対して次の処理を施す。
【０２９７】
先ず、図４９に示される如く、データＤＶＳ１２＋ＤＫＳ１２を形成するフレーム部 Frame 1, Frame 2, Frame 3, ・・・・・のうちの第１の二つ置きのフレーム部 Frame 1, Frame 4, Frame 7, ・・・・・，第２の二つ置きのフレーム部 Frame 2, Frame 5, Frame 8, ・・・・・、及び、第３の二つ置きのフレーム部 Frame 3, Frame 6, Frame 9, ・・・・・を、夫々、メモリＡ，メモリＢ及びメモリＣに格納する。
【０２９８】
次に、メモリＡに格納されたフレーム部 Frame 1, Frame 4, Frame 7, ・・・・・の夫々を、フィールドインターレース方式をもって読み出して、フレームレートを７２Ｈｚ／３＝２４Ｈｚ，７５Ｈｚ／３＝２５Ｈｚもしくは９０Ｈｚ／３＝３０Ｈｚとする、一連のセグメンテッドフレーム部 Segmented Frame 1, Segmented Frame 4, Segmented Frame 7, ・・・・・を有した、セグメンテッドフレームディジタル映像信号を成すＧデータ系列，Ｂデータ系列及びＲデータ系とＫｅｙ信号データ系列とを含む４８ビットパラレルデータを形成するものとし、それにより、ワード伝送レートを２２２．７５ＭＢｐｓ／３＝７４．２５ＭＢｐｓとする４８ビットワード列データＤＶＳ１２Ａ＋ＤＫＳ１２Ａを得る。
【０２９９】
また、メモリＢに格納されたフレーム部 Frame 2, Frame 5, Frame 8, ・・・・・の夫々についても、フィールドインターレース方式をもって読み出して、フレームレートを２４Ｈｚ，２５Ｈｚもしくは３０Ｈｚとする、一連のセグメンテッドフレーム部 Segmented Frame 2, Segmented Frame 5, Segmented Frame 8, ・・・・・を有した、セグメンテッドフレームディジタル映像信号を成すＧデータ系列，Ｂデータ系列及びＲデータ系とＫｅｙ信号データ系列とを含む４８ビットパラレルデータを形成するものとし、それにより、ワード伝送レートを７４．２５ＭＢｐｓとする４８ビットワード列データＤＶＳ１２Ｂ＋ＤＫＳ１２Ｂを得る。
【０３００】
さらに、メモリＣに格納されたフレーム部 Frame 3, Frame 6, Frame 9, ・・・・・の夫々についても、フィールドインターレース方式をもって読み出して、フレームレートを２４Ｈｚ，２５Ｈｚもしくは３０Ｈｚとする、一連のセグメンテッドフレーム部 Segmented Frame 3, Segmented Frame 6, Segmented Frame 9, ・・・・・を有した、セグメンテッドフレームディジタル映像信号を成すＧデータ系列，Ｂデータ系列及びＲデータ系とＫｅｙ信号データ系列とを含む４８ビットパラレルデータを形成するものとし、それにより、ワード伝送レートを７４．２５ＭＢｐｓとする４８ビットワード列データＤＶＳ１２Ｃ＋ＤＫＳ１２Ｃを得る。
【０３０１】
４８ビットワード列データＤＶＳ１２Ａ＋ＤＫＳ１２Ａ，ＤＶＳ１２Ｂ＋ＤＫＳ１２Ｂ及びＤＶＳ１２Ｃ＋ＤＫＳ１２Ｃの夫々は、図５０に示される如くに、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・，Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・がパラレル多重されて成り、リンクＡ，リンクＢもしくはリンクＣとして形成される。
【０３０２】
続いて、図５０に示される如くの、４８ビットワード列データＤＶＳ１２Ａ＋ＤＫＳ１２Ａにおける、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・，Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・の夫々を、上位１０ビットＧ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・，Ｒ０；２−１１，Ｒ１；２−１１，Ｒ２；２−１１，Ｒ３；２−１１，・・・・・、及び、Ａ０；２−１１，Ａ１；２−１１，Ａ２；２−１１，Ａ３；２−１１，・・・・・と、下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・、及び、Ａ０；０−１，Ａ１；０−１，Ａ２；０−１，Ａ３；０−１，・・・・・とに分割する。
【０３０３】
次に、分割された下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・、及び、Ｒ０；０−１，Ｒ１；０−１，Ｒ２；０−１，Ｒ３；０−１，・・・・・に基づいて、Ｇ０；０−１とＢ０；０−１とＲ０；０−１とをビット多重するとともに４ビットの補助ビットｆ０を加えて得られる１０ビット [ＧＢＲ０：０−１] ＋ｆ０，Ｇ１；０−１とＢ１；０−１とＲ１；０−１とをビット多重するとともに４ビットの補助ビットｆ１を加えて得られる１０ビット [ＧＢＲ１：０−１] ＋ｆ１，Ｇ２；０−１とＢ２；０−１とＲ２；０−１とをビット多重するとともに４ビットの補助ビットｆ２を加えて得られる１０ビット [ＧＢＲ２：０−１] ＋ｆ２，Ｇ３；０−１とＢ３；０−１とＲ３；０−１とをビット多重するとともに４ビットの補助ビットｆ３を加えて得られる１０ビット [ＧＢＲ３：０−１] ＋ｆ３，・・・・・を形成する。
【０３０４】
続いて、図２３に示される如くの、分割された上位１０ビットの列：Ｇ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・、及び、Ｒ０；２−１１，Ｒ１；２−１１，Ｒ２；２−１１，Ｒ３；２−１１，・・・・・と、形成された１０ビットの列： [ＧＢＲ０：０−１] ＋ｆ０， [ＧＢＲ１：０−１] ＋ｆ１， [ＧＢＲ２：０−１] ＋ｆ２， [ＧＢＲ３：０−１] ＋ｆ３，・・・・・とを、図２３において太実線により区切られている如くに区分し、分割された上位１０ビットの列：Ｇ０；２−１１，Ｇ１；２−１１，Ｇ２；２−１１，Ｇ３；２−１１，・・・・・と、分割された上位１０ビット：Ｂ０；２−１１，Ｂ２；２−１１，Ｂ４；２−１１，・・・・・、及び、Ｒ０；２−１１，Ｒ２；２−１１，Ｒ４；２−１１，・・・・・とを含む１０ビットワードグループ１と、分割された上位１０ビット：Ｂ１；２−１１，Ｂ３；２−１１，Ｂ５；２−１１，・・・・・及びＲ１；２−１１，Ｒ３；２−１１，Ｒ５；２−１１，・・・・・と、形成された１０ビットの列： [ＧＢＲ０：０−１] ＋ｆ０， [ＧＢＲ１：０−１] ＋ｆ１， [ＧＢＲ２：０−１] ＋ｆ２， [ＧＢＲ３：０−１] ＋ｆ３，・・・・・とを含む１０ビットワードグループ２とに振り分ける。
【０３０５】
そして、図２３に示される１０ビットワードグループ１に基づく、ワード伝送レートを７４．２５ＭＢｐｓとする２０ビットワード列データＤＶＳ１２Ａ１を、リンクＡ−１として、図５１のＡに示される如くに形成する。また、図２３に示される１０ビットワードグループ２に基づく、ワード伝送レートを７４．２５ＭＢｐｓとする２０ビットワード列データＤＶＳ１２Ａ２を、リンクＡ−２として、図５１のＢに示される如くに形成する。
【０３０６】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット [Ａ０；０−１] ＋ｅ０， [Ａ１；０−１] ＋ｅ１， [Ａ２；０−１] ＋ｅ２， [Ａ３；０−１] ＋ｅ３，・・・・・とし、分割された上位１０ビットの列：Ａ０；２−１１，Ａ１；２−１１，Ａ２；２−１１，Ａ３；２−１１，・・・・・と１０ビットの列： [Ａ０；０−１] ＋ｅ０， [Ａ１；０−１] ＋ｅ１， [Ａ２；０−１] ＋ｅ２， [Ａ３；０−１] ＋ｅ３，・・・・・とをパラレル多重して、ワード伝送レートを７４．２５ＭＢｐｓとする２０ビットワード列データＤＶＳ１２Ａ３を、リンクＡ−３として、図５１のＣに示される如くに形成する。
【０３０７】
同様にして、図５０に示される如くの、４８ビットワード列データＤＶＳ１２Ｂ＋ＤＫＳ１２Ｂ及びＤＶＳ１２Ｃ＋ＤＫＳ１２Ｃの夫々についても、それにおけるＧデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・，Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・の夫々に、４８ビットワード列データＤＶＳ１２Ａ＋ＤＫＳ１２Ａの場合と同様な処理を施す。それにより、図５１のＡに示される如くの、ワード伝送レートを７４．２５ＭＢｐｓとする２０ビットワード列データＤＶＳ１２Ｂ１もしくはＤＶＳ１２Ｃ１を、リンクＢ−１もしくはリンクＣ−１として形成し、図５１のＢに示される如くの、ワード伝送レートを７４．２５ＭＢｐｓとする２０ビットワード列データＤＶＳ１２Ｂ２もしくはＤＶＳ１２Ｃ２を、リンクＢ−２もしくはリンクＣ−２として形成し、さらに、図５１のＣに示される如くの、ワード伝送レートを７４．２５ＭＢｐｓとする２０ビットワード列データＤＶＳ１２Ｂ３もしくはＤＶＳ１２Ｃ３を、リンクＢ−３もしくはリンクＣ−３として形成する。
【０３０８】
即ち、データ処理部４２１にあっては、ワード伝送レートを２２２．７５ＭＢｐｓとする４８ビットワード列データを形成するデータＤＶＳ１２＋ＤＫＳ１２を、各々がワード伝送レートを７４．２５ＭＢｐｓとする２０ビットワード列データＤＶＳ１２Ａ１，ＤＶＳ１２Ａ２，ＤＶＳ１２Ａ３，ＤＶＳ１２Ｂ１，ＤＶＳ１２Ｂ２，ＤＶＳ１２Ｂ３，ＤＶＳ１２Ｃ１，ＤＶＳ１２Ｃ２及びＤＶＳ１２Ｃ３の９系統のワード列データに変換するのである。
【０３０９】
データ処理部４２１は、９系統のワード列データである２０ビットワード列データＤＶＲ１２Ａ１，ＤＶＲ１２Ａ２，ＤＶＲ１２Ａ３，ＤＶＲ１２Ｂ１，ＤＶＲ１２Ｂ２，ＤＶＲ１２Ｂ３，ＤＶＲ１２Ｃ１，ＤＶＲ１２Ｃ２及びＤＶＲ１２Ｃ３の組，２０ビットワード列データＤＶＲ１４Ａ１，ＤＶＲ１４Ａ２，ＤＶＲ１４Ａ３，ＤＶＲ１４Ｂ１，ＤＶＲ１４Ｂ２，ＤＶＲ１４Ｂ３，ＤＶＲ１４Ｃ１，ＤＶＲ１４Ｃ２及びＤＶＲ１４Ｃ３の組，２０ビットワード列データＤＶＲ１６Ａ１，ＤＶＲ１６Ａ２，ＤＶＲ１６Ａ３，ＤＶＲ１６Ｂ１，ＤＶＲ１６Ｂ２，ＤＶＲ１６Ｂ３，ＤＶＲ１６Ｃ１，ＤＶＲ１６Ｃ２及びＤＶＲ１６Ｃ３の組、及び、２０ビットワード列データＤＶＳ１２Ａ１，ＤＶＳ１２Ａ２，ＤＶＳ１２Ａ３，ＤＶＳ１２Ｂ１，ＤＶＳ１２Ｂ２，ＤＶＳ１２Ｂ３，ＤＶＳ１２Ｃ１，ＤＶＳ１２Ｃ２及びＤＶＳ１２Ｃ３の組のいずれかを、２０ビットワード列データＤＰ１（２０）〜ＤＰ９（２０）の組として導出する。
【０３１０】
データ処理部４２１から送出されるワード伝送レートを７４．２５ＭＢｐｓとする２０ビットワード列データＤＰ１（２０）は、データ挿入部４２２に供給される。データ挿入部４２２にあっては、２０ビットワード列データＤＰ１（２０）に、必要に応じたチャンネル識別データを含む補助データＤＡ１を挿入し、補助データＤＡ１が挿入された２０ビットワード列データＤＰ１’（２０）を形成する。データ挿入部４２２から得られる２０ビットワード列データＤＰ１’（２０）は、Ｐ／Ｓ変換部４２３に供給される。
【０３１１】
Ｐ／Ｓ変換部４２３にあっては、２０ビットワード列データＤＰ１’（２０）にＰ／Ｓ変換を施して、２０ビットワード列データＤＰ１’（２０）に基づくビット伝送レートを７４．２５ＭＢｐｓ×２０＝１．４８５ＧｂｐｓとするシリアルデータＤＳ１を形成し、そのシリアルデータＤＳ１をＥ／Ｏ変換部４２４に供給する。
【０３１２】
Ｅ／Ｏ変換部４２４においては、シリアルデータＤＳ１に電光変換処理を施し、シリアルデータＤＳ１に基づく、中心波長を、例えば、略１．３μｍとする光信号ＯＳ１を、ビット伝送レートを１．４８５Ｇｂｐｓとするものとして形成し、それを伝送信号として送出する。
【０３１３】
また、データ処理部４２１から送出されるワード伝送レートを７４．２５ＭＢｐｓとする２０ビットワード列データＤＰ２（２０）〜ＤＰ９（２０）は、夫々、データ挿入部４２５〜４３２に供給される。データ挿入部４２５〜４３２にあっては、２０ビットワード列データＤＰ２（２０）〜ＤＰ９（２０）に、必要に応じたチャンネル識別データを含む補助データＤＡ２〜ＤＡ９を挿入し、補助データが挿入された２０ビットワード列データＤＰ２’（２０）〜ＤＰ９’（２０）を形成する。データ挿入部４２５〜４３２から得られる２０ビットワード列データＤＰ２’（２０）〜ＤＰ９’（２０）は、夫々、Ｐ／Ｓ変換部４３６〜４４３に供給される。
【０３１４】
Ｐ／Ｓ変換部４３６〜４４３にあっては、２０ビットワード列データＤＰ２’（２０）〜ＤＰ９’（２０）にＰ／Ｓ変換を施して、それらに基づくビット伝送レートを７４．２５ＭＢｐｓ×２０＝１．４８５ＧｂｐｓとするシリアルデータＤＳ２〜ＤＳ９を形成し、それらをＥ／Ｏ変換部４４７〜４５４に供給する。
【０３１５】
Ｅ／Ｏ変換部４４７〜４５４においては、シリアルデータＤＳ２〜ＤＳ９に電光変換処理を施し、それらに基づく、中心波長を、例えば、略１．３μｍとする光信号ＯＳ２〜ＯＳ９を、各々がビット伝送レートを１．４８５Ｇｂｐｓとするものとして形成し、それを伝送信号として送出する。
【０３１６】
Ｅ／Ｏ変換部４２４から送出される伝送信号である光信号ＯＳ１は、光コネクタ４６０を通じて光ファイバー伝送路４６１に導かれ、光ファイバー伝送路４６１を通じて受信側へと伝送される。また、Ｅ／Ｏ変換部４４７〜４５４から送出される伝送信号である光信号ＯＳ２〜ＯＳ９は、夫々、光コネクタ４６２〜４６９を通じて光ファイバー伝送路４７３〜４８０に導かれ、光ファイバー伝送路４７３〜４８０を通じて受信側へと伝送される。光ファイバー伝送路４６１及び４７３〜４８０の夫々は、例えば、石英系ＳＭＦが用いられて形成される。
【０３１７】
受信側においては、光ファイバー伝送路４６１を通じて伝送された光信号ＯＳ１が、光コネクタ４８５を通じてＯ／Ｅ変換部４８６へと導かれる。また、光ファイバー伝送路４７３〜４８０を通じて伝送された光信号ＯＳ２〜ＯＳ９が、夫々、光コネクタ４８８〜４９５を通じてＯ／Ｅ変換部４９６〜５０３へと導かれる。
【０３１８】
Ｏ／Ｅ変換部４８６にあっては、中心波長を略１．３μｍとし、ビット伝送レートを１．４８５Ｇｂｐｓとする光信号ＯＳ１に光電変換処理を施して、光信号ＯＳ１に基づく、ビット伝送レートを１．４８５ＧｂｐｓとするシリアルデータＤＳ１を再生する。そして、再生されたシリアルデータＤＳ１は、Ｓ／Ｐ変換部４８７に供給される。Ｓ／Ｐ変換部４８７にあっては、シリアルデータＤＳ１にＳ／Ｐ変換を施して、シリアルデータＤＳ１に基づく、ワード伝送レートを７４．２５ＭＢｐｓとする２０ビットワード列データＤＰ１’（２０）を再生し、それをデータ時間差吸収部４８１に供給する。
【０３１９】
また、Ｏ／Ｅ変換部４９６〜５０３にあっては、中心波長を略１．３μｍとし、ビット伝送レートを１．４８５Ｇｂｐｓとする光信号ＯＳ２〜ＯＳ９に光電変換処理を施して、それらに基づく、ビット伝送レートを１．４８５ＧｂｐｓとするシリアルデータＤＳ２〜ＤＳ９を再生する。そして、再生されたシリアルデータＤＳ２〜ＤＳ９は、夫々、Ｓ／Ｐ変換部５０４〜５１１に供給される。Ｓ／Ｐ変換部５０４〜５１１にあっては、シリアルデータＤＳ２〜ＤＳ９にＳ／Ｐ変換を施して、それらに基づく、ワード伝送レートを７４．２５ＭＢｐｓとする２０ビットワード列データＤＰ２’（２０）〜ＤＰ９’（２０）を再生し、それらをデータ時間差吸収部４８１に供給する。
【０３２０】
データ時間差吸収部４８１にあっては、Ｓ／Ｐ変換部４８７からの２０ビットワード列データＤＰ１’（２０）及びＳ／Ｐ変換部５０４〜５１１からの２０ビットワード列データＤＰ２’（２０）〜ＤＰ９’（２０）の間に生じた相互時間差を吸収し、２０ビットワード列データＤＰ１’（２０）〜ＤＰ９’（２０）に夫々基づく、ワード伝送レートを７４．２５ＭＢｐｓとする２０ビットワード列データＤＰ１Ｑ’（２０）〜ＤＰ９Ｑ’（２０）を、相互時間差が実質的に無い状態に維持されることが目指されるものとして送出する。
【０３２１】
データ時間差吸収部４８１から得られる２０ビットワード列データＤＰ１Ｑ’（２０）は、データ分離部５１２に供給される。データ分離部５１２にあっては、２０ビットワード列データＤＰ１Ｑ’（２０）から、補助データＤＡ１が分離されて、２０ビットワード列データＤＰ１Ｑ（２０）と補助データＤＡ１とが個別に送出され、２０ビットワード列データＤＰ１Ｑ（２０）は、データ再生処理部５１３に供給される。
【０３２２】
また，データ時間差吸収部４８１から得られる２０ビットワード列データＤＰ２Ｑ’（２０）〜ＤＰ９Ｑ’（２０）は、夫々、データ分離部５１４〜５２１に供給される。データ分離部５１４〜５２１にあっては、２０ビットワード列データＤＰ２Ｑ’（２０）〜ＤＰ９Ｑ’（２０）から、補助データＤＡ２〜ＤＡ９が分離されて、２０ビットワード列データＤＰ２Ｑ（２０）〜ＤＰ９Ｑ（２０）と補助データＤＡ２〜ＤＡ９とが個別に送出され、２０ビットワード列データＤＰ２Ｑ（２０）〜ＤＰ９Ｑ（２０）は、データ再生処理部５１３に供給される。
【０３２３】
データ再生処理部５１３にあっては、２０ビットワード列データＤＰ１Ｑ（２０）〜ＤＰ９Ｑ（２０）に対して、送信側におけるデータ処理部４２１によりデータＤＶＸに施されるデータ変換処理とは逆のデータ再生処理を施し、２０ビットワード列データＤＰ１Ｑ（２０）〜ＤＰ９Ｑ（２０）に基づくデータＤＶＸを再生する。斯かるデータＤＶＸは、図６６において、ＤＶＲ１２＋ＤＫＲ１２，ＤＶＲ１４＋ＤＫＲ１４，ＤＶＲ１６＋ＤＫＲ１６及びＤＶＳ１２＋ＤＫＳ１２のいずれかとされる。
【０３２４】
なお、上述において、量子化ビット数を１２ビット以上とするディジタル映像信号を成すデータにおける、Ｙデータ系列を構成する１２ビット，１４ビットもしくは１６ビットワードの夫々から分割された上位１０ビットの列と、ＰB ／ＰR データ系列を構成する１２ビット，１４ビットもしくは１６ビットワードの夫々から分割された上位１０ビットの列とが、パラレル多重されて形成される２０ビットワード列データＤＶＲ１２Ａ１，ＤＶＲ１２Ｂ１，ＤＶＲ１２Ｃ１，ＤＶＲ１４Ａ１，ＤＶＲ１４Ｂ１，ＤＶＲ１４Ｃ１，ＤＶＲ１６Ａ１，ＤＶＲ１６Ｂ１及びＤＶＲ１6 Ｃ１、さらには、Ｇデータ系列，Ｂデータ系列及びＲデータ系列の夫々を構成する１２ビットワードの各々から分割された上位１０ビットの列に基づいて形成される２０ビットワード列データＤＶＳ１２Ａ１，ＤＶＳ１２Ｂ１及びＤＶＳ１２Ｃ１は、それらの各々が、例えば、現行のＨＤディジタル映像信号用の磁気記録再生機器（ＨＤ用ＶＴＲという）による記録及び再生を行うことが可能なものである。それゆえ、現行のＨＤ用ＶＴＲを使用して、２０ビットワード列データＤＶＲ１２Ａ１，ＤＶＲ１２Ｂ１，ＤＶＲ１２Ｃ１，ＤＶＲ１４Ａ１，ＤＶＲ１４Ｂ１，ＤＶＲ１４Ｃ１，ＤＶＲ１６Ａ１，ＤＶＲ１６Ｂ１、及び、ＤＶＲ１6 Ｃ１，ＤＶＳ１２Ａ１，ＤＶＳ１２Ｂ１及びＤＶＳ１２Ｃ１等の夫々の内容の確認，編集等を行うことができ、さらには、現行のＨＤ用ＶＴＲと映像モニターとを使用して、２０ビットワード列データＤＶＲ１２Ａ１，ＤＶＲ１２Ｂ１，ＤＶＲ１２Ｃ１，ＤＶＲ１４Ａ１，ＤＶＲ１４Ｂ１，ＤＶＲ１４Ｃ１，ＤＶＲ１６Ａ１，ＤＶＲ１６Ｂ１、及び、ＤＶＲ１6 Ｃ１，ＤＶＳ１２Ａ１，ＤＶＳ１２Ｂ１及びＤＶＳ１２Ｃ１等に基づく再生画像を得ることができ、それにより、量子化ビット数を１２ビット以上とするディジタル映像信号を成すデータを扱うに際して、現行の機器を用いての確認作業等を行うことができることになって、極めて都合がよい
【０３２５】
図５２及び図５３は、本願の特許請求の範囲における請求項３１から請求項３６までのいずれかに記載された発明に係るデータ伝送方法の例が実施される、本願の特許請求の範囲における請求項４８または請求項４９に記載された発明に係るデータ伝送装置の第２の例を含んだデータ送受装置の部分を示す。
【０３２６】
図５２及び図５３に部分が示されるデータ送受装置は、図４３及び図４４に示されるデータ送受装置と同様に構成される部分を多々有しており、図５２及び図５３には、図４３及び図４４に示されるデータ送受装置と異なる部分及びそれに関連する部分のみが示されている。
【０３２７】
図５２及び図５３に部分が示されるデータ送受装置にあっては、図４３及び図４４に示されるデータ送受装置において備えられているＥ／Ｏ変換部４２４及び４４７〜４５４とＯ／Ｅ変換部４８６及び４９６〜５０３とに代えて、Ｅ／Ｏ変換部５２２〜５３０とＯ／Ｅ変換部５４８〜５５６とを備えている。さらに、図４３及び図４４に示されるデータ送受装置において備えられている光コネクタ４６０及び４６２〜４６９，光ファイバー伝送路４６１及び４７３〜４８０、及び、光コネクタ４８５及び４８８〜４９５に代えて、光コネクタ５３４〜５３６，光ファイバー伝送路５３７〜５３９、及び、光コネクタ５４０〜５４２を備えている。光ファイバー伝送路５３７〜５３９の夫々は、例えば、石英系ＳＭＦが用いられて形成される。
【０３２８】
斯かる図５２及び図５３に部分が示されるデータ送受装置においては、Ｐ／Ｓ変換部４２３，４３６及び４３７からの各々がビット伝送レートを１．４８５ＧｂｐｓとするシリアルデータＤＳ１，ＤＳ２及びＤＳ３が、Ｅ／Ｏ変換部５２２，５２３及び５２４に夫々供給される。Ｅ／Ｏ変換部５２２は、シリアルデータＤＳ１に基づく、中心波長を、例えば、略１．３μｍとする光信号ＯＳ１を、ビット伝送レートを１．４８５Ｇｂｐｓとするものとして形成し、それを合波部５３１に導く。また、Ｅ／Ｏ変換部５２３は、シリアルデータＤＳ２に基づく、中心波長を、例えば、略１．４８μｍとする光信号ＯＳ２を、ビット伝送レートを１．４８５Ｇｂｐｓとするものとして形成して、それを合波部５３１に導く。さらに、Ｅ／Ｏ変換部５２４は、シリアルデータＤＳ３に基づく、中心波長を、例えば、略１．５５μｍとする光信号ＯＳ３を、ビット伝送レートを１．４８５Ｇｂｐｓとするものとして形成して、それを合波部５３１に導く。合波部５３１は、例えば、ファイバー型ＷＤＭカップラと誘電体多層膜型ＷＤＭカップラとによって形成される。斯かる合波部５３１は、光信号ＯＳ１，ＯＳ２及びＯＳ３を合波して多重化し、多重光信号ＯＺ１を形成して、それを伝送信号として送出する。
【０３２９】
また、Ｐ／Ｓ変換部４３８，４３９及び４４０からの各々がビット伝送レートを１．４８５ＧｂｐｓとするシリアルデータＤＳ４，ＤＳ５及びＤＳ６、さらには、Ｐ／Ｓ変換部４４１，４４２及び４４３からの各々がビット伝送レートを１．４８５ＧｂｐｓとするシリアルデータＤＳ７，ＤＳ８及びＤＳ９についても、シリアルデータＤＳ１，ＤＳ２及びＤＳ３の場合と同様な処理が施される。それにより、合波部５３２から、シリアルデータＤＳ４，ＤＳ５及びＤＳ６に基づく多重光信号ＯＺ２が、伝送信号として送出され、さらに、合波部５３３から、シリアルデータＤＳ７，ＤＳ８及びＤＳ９に基づく多重光信号ＯＺ３が、伝送信号として送出される。合波部５３２及び５３３の夫々も、合波部５３１と同様に、例えば、ファイバー型ＷＤＭカップラと誘電体多層膜型ＷＤＭカップラとによって形成される。
【０３３０】
合波部５３１，５３２及び５３３から送出される多重伝送信号ＯＺ１，ＯＺ２及びＯＺ３は、夫々、光コネクタ５３４〜５３６を通じて光ファイバー伝送路５２９〜５３１に導かれ、光ファイバー伝送路５３７〜５３９を通じて受信側へと伝送される。
【０３３１】
受信側においては、光ファイバー伝送路５３７〜５３９を通じて伝送された多重光信号ＯＺ１〜ＯＺ３が、夫々、光コネクタ５４０〜５４２を通じて分波部５４５〜５４７に導かれる。分波部５４５〜５４７の夫々は、例えば、ファイバー型ＷＤＭカップラと誘電体多層膜型ＷＤＭカップラとが分波手段として用いられて形成される。
【０３３２】
分波部５４５にあっては、多重光信号ＯＺ１を、中心波長を略１．３μｍとする成分と中心波長を略１．４８μｍとする成分と中心波長を略１．５５μｍとする成分とに分波して、ビット伝送レートを１．４８５Ｇｂｐｓとし、中心波長を略１．３μｍとする光信号ＯＳ１と、ビット伝送レートを１．４８５Ｇｂｐｓとし、中心波長を略１．４８μｍとする光信号ＯＳ２と、ビット伝送レートを１．４８５Ｇｂｐｓとし、中心波長を略１．５５μｍとする光信号ＯＳ３とを再生する。
【０３３３】
分波部５４５において再生された光信号ＯＳ１〜ＯＳ３は、夫々、Ｏ／Ｅ変換部５４８〜５５０に供給される。そして、Ｏ／Ｅ変換部５４８により、光信号ＯＳ１に基づくビット伝送レートを１．４８５ＧｂｐｓとするシリアルデータＤＳ１が再生され，Ｏ／Ｅ変換部５４９により、光信号ＯＳ２に基づくビット伝送レートを１．４８５ＧｂｐｓとするシリアルデータＤＳ２が再生され、さらに、Ｏ／Ｅ変換部５５０により、光信号ＯＳ３に基づくビット伝送レートを１．４８５ＧｂｐｓとするシリアルデータＤＳ３が再生される。Ｏ／Ｅ変換部５４８〜５５０から夫々得られるシリアルデータＤＳ１〜ＤＳ３は、Ｓ／Ｐ変換部４８７，５０４及び５０５に供給される。
【０３３４】
また、分波部５４６にあっては、多重光信号ＯＺ２を、中心波長を略１．３μｍとする成分と中心波長を略１．４８μｍとする成分と中心波長を略１．５５μｍとする成分とに分波して、ビット伝送レートを１．４８５Ｇｂｐｓとし、中心波長を略１．３μｍとする光信号ＯＳ４と、ビット伝送レートを１．４８５Ｇｂｐｓとし、中心波長を略１．４８μｍとする光信号ＯＳ５と、ビット伝送レートを１．４８５Ｇｂｐｓとし、中心波長を略１．５５μｍとする光信号ＯＳ６とを再生する。そして、分波部５４６において再生された光信号ＯＳ４〜ＯＳ６は、夫々、Ｏ／Ｅ変換部５５１〜５５３に供給される。Ｏ／Ｅ変換部５５１により、光信号ＯＳ４に基づくビット伝送レートを１．４８５ＧｂｐｓとするシリアルデータＤＳ４が再生され，Ｏ／Ｅ変換部５５２により、光信号ＯＳ５に基づくビット伝送レートを１．４８５ＧｂｐｓとするシリアルデータＤＳ５が再生され、さらに、Ｏ／Ｅ変換部５５３により、光信号ＯＳ６に基づくビット伝送レートを１．４８５ＧｂｐｓとするシリアルデータＤＳ６が再生される。Ｏ／Ｅ変換部５５１〜５５３から夫々得られるシリアルデータＤＳ４〜ＤＳ６は、Ｓ／Ｐ変換部５０６〜５０８に供給される。
【０３３５】
さらに、分波部５４７にあっては、多重光信号ＯＺ３を、中心波長を略１．３μｍとする成分と中心波長を略１．４８μｍとする成分と中心波長を略１．５５μｍとする成分とに分波して、ビット伝送レートを１．４８５Ｇｂｐｓとし、中心波長を略１．３μｍとする光信号ＯＳ７と、ビット伝送レートを１．４８５Ｇｂｐｓとし、中心波長を略１．４８μｍとする光信号ＯＳ８と、ビット伝送レートを１．４８５Ｇｂｐｓとし、中心波長を略１．５５μｍとする光信号ＯＳ９とを再生する。そして、分波部５４７において再生された光信号ＯＳ７〜ＯＳ９は、夫々、Ｏ／Ｅ変換部５５４〜５５６に供給される。そして、Ｏ／Ｅ変換部５５４により、光信号ＯＳ７に基づく、ビット伝送レートを１．４８５ＧｂｐｓとするシリアルデータＤＳ７が再生され，Ｏ／Ｅ変換部５５５により、光信号ＯＳ８に基づく、ビット伝送レートを１．４８５ＧｂｐｓとするシリアルデータＤＳ８が再生され、さらに、Ｏ／Ｅ変換部５５６により、光信号ＯＳ９に基づくビット伝送レートを１．４８５ＧｂｐｓとするシリアルデータＤＳ９が再生される。Ｏ／Ｅ変換部５５４〜５５６から夫々得られるシリアルデータＤＳ７〜ＤＳ９は、夫々、Ｓ／Ｐ変換部５０９〜５１１に供給される。
【０３３６】
その他の動作は、図４３及び図４４に部分が示されるデータ送受装置と同様である。
【０３３７】
図５４及び図５５は、本願の特許請求の範囲における請求項３７から請求項３９までのいずれかに記載された発明に係るデータ伝送方法の例が実施される、本願の特許請求の範囲における請求項５０に記載された発明に係るデータ伝送装置の第１の例を含んだデータ送受装置を示す。
【０３３８】
図５４及び図５５に示されるデータ送受装置においては、本願の特許請求の範囲における請求項５０に記載された発明に係るデータ伝送装置の第１の例を構成する送信側において、ディジタル映像信号を成すデータＤＶＸがデータ処理部５５７に供給される。
【０３３９】
データＤＶＸは、図６６において、ＤＶＶ１２＋ＤＫＶ１２として示されるデータとされる。そして、データ処理部５５７には、フレームレートを１２０Ｈｚとし、各フレームにおけるライン数が１１２５ライン，各フレームにおける有効ライン数が１０８０ライン，各ラインにおける有効データサンプル数が１９２０サンプルに設定された、４：４：４形式のディジタル映像信号を成し、各々が量子化ビット数を１２ビットとしてワード伝送レートを２９７ＭＢｐｓとするＧデータ系列，Ｂデータ系列及びＲデータ系列（ＤＶＶ１２）と、Ｇデータ系列と同等のデータフォーマットを有し、量子化ビット数を１２ビットとしてワード伝送レートを２９７ＭＢｐｓとするＫｅｙ信号データ系列（ＤＫＶ１２）とが入力される。Ｋｅｙ信号データ系列は、Ｇデータ系列，Ｂデータ系列及びＲデータ系列に付随する付加データ系列を成すものとされる。そして、これらのＧデータ系列，Ｂデータ系列，Ｒデータ系列及びＫｅｙ信号データ系列は、図５６及び図５７に示される如くに、フレーム同期及びライン同期がとられたもとでパラレル多重されて得られる、ワード伝送レートを２９７ＭＢｐｓとする４８ビットパラレルデータとして、データ処理部５５７に供給される。
【０３４０】
データ処理部５５７にあっては、図５６及び図５７に示される如くにして供給されるデータＤＶＶ１２＋ＤＫＶ１２に対して次の処理を施す。
【０３４１】
先ず、図５６及び図５７に示される如く、データＤＶＶ１２＋ＤＫＶ１２を形成するフレーム部 Frame 1, Frame 2, Frame 3, ・・・・・のうちの第１の三つ置きのフレーム部 Frame 1, Frame 5, Frame 9, ・・・・・，第２の三つ置きのフレーム部 Frame 2, Frame 6, Frame 10,・・・・・，第３の三つ置きのフレーム部 Frame 3, Frame 7, Frame 11,・・・・・、及び、第４の三つ置きのフレーム部 Frame 4, Frame 8, Frame 12,・・・・・を、夫々、メモリＡ，メモリＢ, メモリＣ及びメモリＤに格納する。
【０３４２】
次に、メモリＡに格納されたフレーム部 Frame 1, Frame 5, Frame 9, ・・・・・の夫々を、フィールドインターレース方式をもって読み出して、フレームレートを１２０Ｈｚ／４＝３０Ｈｚとする、一連のセグメンテッドフレーム部 Segmented Frame 1, Segmented Frame 5, Segmented Frame 9, ・・・・・を有した、セグメンテッドフレームディジタル映像信号を成すＧデータ系列，Ｂデータ系列及びＲデータ系とＫｅｙ信号データ系列とを含む４８ビットパラレルデータを形成するものとし、それにより、ワード伝送レートを２９７ＭＢｐｓ／４＝７４．２５ＭＢｐｓとする４８ビットワード列データＤＶＶ１２Ａ＋ＤＫＶ１２Ａを得る。
【０３４３】
メモリＢに格納されたフレーム部 Frame 2, Frame 6, Frame 10,・・・・・の夫々についても、フィールドインターレース方式をもって読み出して、フレームレートを３０Ｈｚとする、一連のセグメンテッドフレーム部 Segmented Frame 2, Segmented Frame 6, Segmented Frame 10,・・・・・を有した、セグメンテッドフレームディジタル映像信号を成すＧデータ系列，Ｂデータ系列及びＲデータ系とＫｅｙ信号データ系列とを含む４８ビットパラレルデータを形成するものとし、それにより、ワード伝送レートを７４．２５ＭＢｐｓとする４８ビットワード列データＤＶＶ１２Ｂ＋ＤＫＶ１２Ｂを得る。
【０３４４】
メモリＣに格納されたフレーム部 Frame 3, Frame 7, Frame 11,・・・・・の夫々についても、フィールドインターレース方式をもって読み出して、フレームレートを３０Ｈｚとする、一連のセグメンテッドフレーム部 Segmented Frame 3, Segmented Frame 7, Segmented Frame 11,・・・・・を有した、セグメンテッドフレームディジタル映像信号を成すＧデータ系列，Ｂデータ系列及びＲデータ系とＫｅｙ信号データ系列とを含む４８ビットパラレルデータを形成するものとし、それにより、ワード伝送レートを７４．２５ＭＢｐｓとする４８ビットワード列データＤＶＶ１２Ｃ＋ＤＫＶ１２Ｃを得る。
【０３４５】
さらに、メモリＤに格納されたフレーム部 Frame 4, Frame 8, Frame 12,・・・・・の夫々についても、フィールドインターレース方式をもって読み出して、フレームレートを３０Ｈｚとする、一連のセグメンテッドフレーム部 Segmented Frame 4, Segmented Frame 8, Segmented Frame 12,・・・・・を有した、セグメンテッドフレームディジタル映像信号を成すＧデータ系列，Ｂデータ系列及びＲデータ系とＫｅｙ信号データ系列とを含む４８ビットパラレルデータを形成するものとし、それにより、ワード伝送レートを７４．２５ＭＢｐｓとする４８ビットワード列データＤＶＶ１２Ｄ＋ＤＫＶ１２Ｄを得る。
【０３４６】
４８ビットワード列データＤＶＶ１２Ａ＋ＤＫＶ１２Ａ，ＤＶＶ１２Ｂ＋ＤＫＶ１２Ｂ，ＤＶＶ１２Ｃ＋ＤＫＶ１２Ｃ及びＤＶＶ１２Ｄ＋ＤＫＶ１２Ｄの夫々は、図５８に示される如くに、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・，Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・がパラレル多重されて成り、リンクＡ，リンクＢ，リンクＣもしくはリンクＤとして形成される。
【０３４７】
続いて、図５８に示される如くの、４８ビットワード列データＤＶＶ１２Ａ＋ＤＫＶ１２Ａにおける、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・の夫々を、上位１０ビットＧ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・，Ｒ０；２−１１，Ｒ１；２−１１，Ｒ２；２−１１，Ｒ３；２−１１，・・・・・、及び、Ａ０；２−１１，Ａ１；２−１１，Ａ２；２−１１，Ａ３；２−１１，・・・・・と、下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・、及び、Ａ０；０−１，Ａ１；０−１，Ａ２；０−１，Ａ３；０−１，・・・・・とに分割する。
【０３４８】
次に、分割された下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・、及び、Ｒ０；０−１，Ｒ１；０−１，Ｒ２；０−１，Ｒ３；０−１，・・・・・に基づいて、Ｇ０；０−１とＢ０；０−１とＲ０；０−１とをビット多重するとともに４ビットの補助ビットｆ０を加えて得られる１０ビット [ＧＢＲ０：０−１] ＋ｆ０，Ｇ１；０−１とＢ１；０−１とＲ１；０−１とをビット多重するとともに４ビットの補助ビットｆ１を加えて得られる１０ビット [ＧＢＲ１：０−１] ＋ｆ１，Ｇ２；０−１とＢ２；０−１とＲ２；０−１とをビット多重するとともに４ビットの補助ビットｆ２を加えて得られる１０ビット [ＧＢＲ２：０−１] ＋ｆ２，Ｇ３；０−１とＢ３；０−１とＲ３；０−１とをビット多重するとともに４ビットの補助ビットｆ３を加えて得られる１０ビット [ＧＢＲ３：０−１] ＋ｆ３，・・・・・を形成する。
【０３４９】
続いて、図２３に示される如くの、分割された上位１０ビットの列：Ｇ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・、及び、Ｒ０；２−１１，Ｒ１；２−１１，Ｒ２；２−１１，Ｒ３；２−１１，・・・・・と、形成された１０ビットの列： [ＧＢＲ０：０−１] ＋ｆ０， [ＧＢＲ１：０−１] ＋ｆ１， [ＧＢＲ２：０−１] ＋ｆ２， [ＧＢＲ３：０−１] ＋ｆ３，・・・・・とを、図２３において太実線により区切られている如くに区分し、分割された上位１０ビットの列：Ｇ０；２−１１，Ｇ１；２−１１，Ｇ２；２−１１，Ｇ３；２−１１，・・・・・と、分割された上位１０ビット：Ｂ０；２−１１，Ｂ２；２−１１，Ｂ４；２−１１，・・・・・、及び、Ｒ０；２−１１，Ｒ２；２−１１，Ｒ４；２−１１，・・・・・とを含む１０ビットワードグループ１と、分割された上位１０ビット：Ｂ１；２−１１，Ｂ３；２−１１，Ｂ５；２−１１，・・・・・及びＲ１；２−１１，Ｒ３；２−１１，Ｒ５；２−１１，・・・・・と、形成された１０ビットの列： [ＧＢＲ０：０−１] ＋ｆ０， [ＧＢＲ１：０−１] ＋ｆ１， [ＧＢＲ２：０−１] ＋ｆ２， [ＧＢＲ３：０−１] ＋ｆ３，・・・・・とを含む１０ビットワードグループ２とに振り分ける。
【０３５０】
そして、図２３に示される１０ビットワードグループ１に基づく、ワード伝送レートを７４．２５ＭＢｐｓとする２０ビットワード列データＤＶＶ１２Ａ１を、リンクＡ−１として、図５９に示される如くに形成する。また、図２３に示される１０ビットワードグループ２に基づく、ワード伝送レートを７４．２５ＭＢｐｓとする２０ビットワード列データＤＶＶ１２Ａ２を、リンクＡ−２として、図６０に示される如くに形成する。
【０３５１】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット [Ａ０；０−１] ＋ｅ０， [Ａ１；０−１] ＋ｅ１， [Ａ２；０−１] ＋ｅ２， [Ａ３；０−１] ＋ｅ３，・・・・・とし、分割された上位１０ビットの列：Ａ０；２−１１，Ａ１；２−１１，Ａ２；２−１１，Ａ３；２−１１，・・・・・と１０ビットの列： [Ａ０；０−１] ＋ｅ０， [Ａ１；０−１] ＋ｅ１， [Ａ２；０−１] ＋ｅ２， [Ａ３；０−１] ＋ｅ３，・・・・・とをパラレル多重して、ワード伝送レートを７４．２５ＭＢｐｓとする２０ビットワード列データＤＶＶ１２Ａ３を、リンクＡ−３として、図６１に示される如くに形成する。
【０３５２】
同様にして、図５８に示される如くの、４８ビットワード列データＤＶＶ１２Ｂ＋ＤＫＶ１２Ｂ，ＤＶＶ１２Ｃ＋ＤＫＶ１２Ｃ及びＤＶＶ１２Ｄ＋ＤＫＶ１２Ｄの夫々についても、それにおけるＧデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・，Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・の夫々に、４８ビットワード列データＤＶＶ１２Ａ＋ＤＫＶ１２Ａの場合と同様な処理を施す。それにより、図５９に示される如くの、ワード伝送レートを７４．２５ＭＢｐｓとする２０ビットワード列データＤＶＶ１２Ｂ１，ＤＶＶ１２Ｃ１もしくはＤＶＶ１２Ｄ１を、リンクＢ−１，リンクＣ−１もしくはリンクＤ−１として形成し、図６０に示される如くの、ワード伝送レートを７４．２５ＭＢｐｓとする２０ビットワード列データＤＶＶ１２Ｂ２，ＤＶＶ１２Ｃ２もしくはＤＶＶ１２Ｄ２を、リンクＢ−２，Ｃ−２もしくはリンクＤ−２として形成し、さらに、図６１に示される如くの、ワード伝送レートを７４．２５ＭＢｐｓとする２０ビットワード列データＤＶＶ１２Ｂ３，ＤＶＶ１２Ｃ３もしくはＤＶＶ１２Ｄ３を、リンクＢ−３，Ｃ−３もしくはリンクＤ−３として形成する。
【０３５３】
即ち、データ処理部５５７にあっては、ワード伝送レートを２９７ＭＢｐｓとする４８ビットワード列データを形成するデータＤＶＶ１２＋ＤＫＶ１２を、各々がワード伝送レートを７４．２５ＭＢｐｓとする２０ビットワード列データＤＶＶ１２Ａ１，ＤＶＶ１２Ａ２，ＤＶＶ１２Ａ３，ＤＶＶ１２Ｂ１，ＤＶＶ１２Ｂ２，ＤＶＶ１２Ｂ３，ＤＶＶ１２Ｃ１，ＤＶＶ１２Ｃ２，ＤＶＶ１２Ｃ３，ＤＶＶ１２Ｄ１，ＤＶＶ１２Ｄ２及びＤＶＶ１２Ｄ３の１２系統のワード列データに変換するのである。
【０３５４】
データ処理部５５７は、１２系統のワード列データである２０ビットワード列データＤＶＶ１２Ａ１，ＤＶＶ１２Ａ２，ＤＶＶ１２Ａ３，ＤＶＶ１２Ｂ１，ＤＶＶ１２Ｂ２，ＤＶＶ１２Ｂ３，ＤＶＶ１２Ｃ１，ＤＶＶ１２Ｃ２，ＤＶＶ１２Ｃ３，ＤＶＶ１２Ｄ１，ＤＶＶ１２Ｄ２及びＤＶＶ１２Ｄ３を、２０ビットワード列データＤＰ１（２０）〜ＤＰ１２（２０）として導出する。
【０３５５】
データ処理部５５７から送出されるワード伝送レートを７４．２５ＭＢｐｓとする２０ビットワード列データＤＰ１（２０）は、データ挿入部５５８に供給される。データ挿入部５５８にあっては、２０ビットワード列データＤＰ１（２０）に、必要に応じたチャンネル識別データを含む補助データＤＡ１を挿入し、補助データＤＡ１が挿入された２０ビットワード列データＤＰ１’（２０）を形成する。データ挿入部５５８から得られる２０ビットワード列データＤＰ１’（２０）は、Ｐ／Ｓ変換部５５９に供給される。
【０３５６】
Ｐ／Ｓ変換部５５９にあっては、２０ビットワード列データＤＰ１’（２０）にＰ／Ｓ変換を施して、２０ビットワード列データＤＰ１’（２０）に基づくビット伝送レートを７４．２５ＭＢｐｓ×２０＝１．４８５ＧｂｐｓとするシリアルデータＤＳ１を形成し、そのシリアルデータＤＳ１をＥ／Ｏ変換部５６０に供給する。
【０３５７】
Ｅ／Ｏ変換部５６０においては、シリアルデータＤＳ１に電光変換処理を施し、シリアルデータＤＳ１に基づく、中心波長を、例えば、略１．３μｍとする光信号ＯＳ１を、ビット伝送レートを１．４８５Ｇｂｐｓとするものとして形成し、それを伝送信号として送出する。
【０３５８】
また、データ処理部５５７から送出されるワード伝送レートを７４．２５ＭＢｐｓとする２０ビットワード列データＤＰ２（２０）〜ＤＰ１２（２０）は、夫々、データ挿入部５６１〜５７１に供給される。データ挿入部５６１〜５７１にあっては、２０ビットワード列データＤＰ２（２０）〜ＤＰ１２（２０）に、必要に応じたチャンネル識別データを含む補助データＤＡ２〜ＤＡ１２を挿入し、補助データが挿入された２０ビットワード列データＤＰ２’（２０）〜ＤＰ１２’（２０）を形成する。データ挿入部５６１〜５７１から得られる２０ビットワード列データＤＰ２’（２０）〜ＤＰ１２’（２０）は、夫々、Ｐ／Ｓ変換部５７２〜５８２に供給される。
【０３５９】
Ｐ／Ｓ変換部５７２〜５８２にあっては、２０ビットワード列データＤＰ２’（２０）〜ＤＰ１２’（２０）にＰ／Ｓ変換を施して、それらに基づくビット伝送レートを７４．２５ＭＢｐｓ×２０＝１．４８５ＧｂｐｓとするシリアルデータＤＳ２〜ＤＳ１２を形成し、それらをＥ／Ｏ変換部５８３〜５９３に供給する。
【０３６０】
Ｅ／Ｏ変換部５８３〜５９３においては、シリアルデータＤＳ２〜ＤＳ１２に電光変換処理を施し、それらに基づく、中心波長を、例えば、略１．３μｍとする光信号ＯＳ２〜ＯＳ１２を、各々がビット伝送レートを１．４８５Ｇｂｐｓとするものとして形成し、それを伝送信号として送出する。
【０３６１】
Ｅ／Ｏ変換部５６０から送出される伝送信号である光信号ＯＳ１は、光コネクタ５９４を通じて光ファイバー伝送路５９５に導かれ、光ファイバー伝送路５９５を通じて受信側へと伝送される。また、Ｅ／Ｏ変換部５８３〜５９３から送出される伝送信号である光信号ＯＳ２〜ＯＳ１２は、夫々、光コネクタ５９６〜６０６を通じて光ファイバー伝送路６０７〜６１７に導かれ、光ファイバー伝送路６０７〜６１７を通じて受信側へと伝送される。光ファイバー伝送路５９５及び６０７〜６１７の夫々は、例えば、石英系ＳＭＦが用いられて形成される。
【０３６２】
受信側においては、光ファイバー伝送路５９５を通じて伝送された光信号ＯＳ１が、光コネクタ６１８を通じてＯ／Ｅ変換部６１９へと導かれる。また、光ファイバー伝送路６０７〜６１７を通じて伝送された光信号ＯＳ２〜ＯＳ１２が、夫々、光コネクタ６２０〜６３０を通じてＯ／Ｅ変換部６３１〜６４１へと導かれる。
【０３６３】
Ｏ／Ｅ変換部６１９にあっては、中心波長を略１．３μｍとし、ビット伝送レートを１．４８５Ｇｂｐｓとする光信号ＯＳ１に光電変換処理を施して、光信号ＯＳ１に基づく、ビット伝送レートを１．４８５ＧｂｐｓとするシリアルデータＤＳ１を再生する。そして、再生されたシリアルデータＤＳ１は、Ｓ／Ｐ変換部６４２に供給される。Ｓ／Ｐ変換部６４２にあっては、シリアルデータＤＳ１にＳ／Ｐ変換を施して、シリアルデータＤＳ１に基づく、ワード伝送レートを７４．２５ＭＢｐｓとする２０ビットワード列データＤＰ１’（２０）を再生し、それをデータ時間差吸収部６４３に供給する。
【０３６４】
また、Ｏ／Ｅ変換部６３１〜６４１にあっては、中心波長を略１．３μｍとし、ビット伝送レートを１．４８５Ｇｂｐｓとする光信号ＯＳ２〜ＯＳ１２に光電変換処理を施して、それらに基づく、ビット伝送レートを１．４８５ＧｂｐｓとするシリアルデータＤＳ２〜ＤＳ１２を再生する。そして、再生されたシリアルデータＤＳ２〜ＤＳ１２は、夫々、Ｓ／Ｐ変換部６４４〜６５４に供給される。Ｓ／Ｐ変換部６４４〜６５４にあっては、シリアルデータＤＳ２〜ＤＳ１２にＳ／Ｐ変換を施して、それらに基づく、ワード伝送レートを７４．２５ＭＢｐｓとする２０ビットワード列データＤＰ２’（２０）〜ＤＰ１２’（２０）を再生し、それらをデータ時間差吸収部６４３に供給する。
【０３６５】
データ時間差吸収部６４３にあっては、Ｓ／Ｐ変換部６４２からの２０ビットワード列データＤＰ１’（２０）及びＳ／Ｐ変換部６４４〜６５４からの２０ビットワード列データＤＰ２’（２０）〜ＤＰ１２’（２０）の間に生じた相互時間差を吸収し、２０ビットワード列データＤＰ１’（２０）〜ＤＰ１２’（２０）に夫々基づく、ワード伝送レートを７４．２５ＭＢｐｓとする２０ビットワード列データＤＰ１Ｑ’（２０）〜ＤＰ１２Ｑ’（２０）を、相互時間差が実質的に無い状態に維持されることが目指されるものとして送出する。
【０３６６】
データ時間差吸収部６４３から得られる２０ビットワード列データＤＰ１Ｑ’（２０）は、データ分離部６５５に供給される。データ分離部６５５にあっては、２０ビットワード列データＤＰ１Ｑ’（２０）から、補助データＤＡ１が分離されて、２０ビットワード列データＤＰ１Ｑ（２０）と補助データＤＡ１とが個別に送出され、２０ビットワード列データＤＰ１Ｑ（２０）は、データ再生処理部６５６に供給される。
【０３６７】
また，データ時間差吸収部６４３から得られる２０ビットワード列データＤＰ２Ｑ’（２０）〜ＤＰ１２Ｑ’（２０）は、夫々、データ分離部６５７〜６６７に供給される。データ分離部６５７〜６６７にあっては、２０ビットワード列データＤＰ２Ｑ’（２０）〜ＤＰ１２Ｑ’（２０）から、補助データＤＡ２〜ＤＡ１２が分離されて、２０ビットワード列データＤＰ２Ｑ（２０）〜ＤＰ１２Ｑ（２０）と補助データＤＡ２〜ＤＡ１２とが個別に送出され、２０ビットワード列データＤＰ２Ｑ（２０）〜ＤＰ１２Ｑ（２０）は、データ再生処理部６５６に供給される。
【０３６８】
データ再生処理部６５６にあっては、２０ビットワード列データＤＰ１Ｑ（２０）〜ＤＰ１２Ｑ（２０）に対して、送信側におけるデータ処理部５５７によりデータＤＶＸに施されるデータ変換処理とは逆のデータ再生処理を施し、２０ビットワード列データＤＰ１Ｑ（２０）〜ＤＰ１２Ｑ（２０）に基づくデータＤＶＸを再生する。斯かるデータＤＶＸは、図６６において、ＤＶＶ１２＋ＤＫＶ１２とされる。
【０３６９】
なお、上述において、量子化ビット数を１２ビット以上とするディジタル映像信号を成すデータにおける、Ｇデータ系列，Ｂデータ系列及びＲデータ系列の夫々を構成する１２ビットワードの各々から分割された上位１０ビットの列に基づいて形成される２０ビットワード列データＤＶＶ１２Ａ１，ＤＶＶ１２Ｂ１，ＤＶＶ１２Ｃ１及びＤＶＶ１２Ｄ１は、それらの各々が、例えば、現行のＨＤディジタル映像信号用の磁気記録再生機器（ＨＤ用ＶＴＲという）による記録及び再生を行うことが可能なものである。それゆえ、現行のＨＤ用ＶＴＲを使用して、２０ビットワード列データＤＶＶ１２Ａ１，ＤＶＶ１２Ｂ１，ＤＶＶ１２Ｃ１及びＤＶＶ１２Ｄ１の夫々の内容の確認，編集等を行うことができ、さらには、現行のＨＤ用ＶＴＲと映像モニターとを使用して、２０ビットワード列データＤＶＶ１２Ａ１，ＤＶＶ１２Ｂ１，ＤＶＶ１２Ｃ１及びＤＶＶ１２Ｄ１に基づく再生画像を得ることができ、それにより、量子化ビット数を１２ビット以上とするディジタル映像信号を成すデータを扱うに際して、現行の機器を用いての確認作業等を行うことができることになって、極めて都合がよい
【０３７０】
図６２及び図６３は、本願の特許請求の範囲における請求項３７から請求項３９までのいずれかに記載された発明に係るデータ伝送方法の例が実施される、本願の特許請求の範囲における請求項５０に記載された発明に係るデータ伝送装置の第２の例を含んだデータ送受装置の部分を示す。
【０３７１】
図６２及び図６３に部分が示されるデータ送受装置は、図５４及び図５５に示されるデータ送受装置と同様に構成される部分を多々有しており、図６２及び図６３には、図５４及び図５５に示されるデータ送受装置と異なる部分及びそれに関連する部分のみが示されている。
【０３７２】
図６２及び図６３に部分が示されるデータ送受装置にあっては、図５４及び図５５に示されるデータ送受装置において備えられているＥ／Ｏ変換部５６０及び５８３〜５９３とＯ／Ｅ変換部６１９及び６３１〜６４１とに代えて、Ｅ／Ｏ変換部６６８〜６７９とＯ／Ｅ変換部６８０〜６９１とを備えている。さらに、図５４及び図５５に示されるデータ送受装置において備えられている光コネクタ５９４及び５９６〜６０６，光ファイバー伝送路５９５及び６０７〜６１７、及び、光コネクタ６１８及び６２０〜６３０に代えて、光コネクタ６９２〜６９５，光ファイバー伝送路６９６〜６９９、及び、光コネクタ７００〜７０３を備えている。光ファイバー伝送路６９６〜６９９の夫々は、例えば、石英系ＳＭＦが用いられて形成される。
【０３７３】
斯かる図６２及び図６３に部分が示されるデータ送受装置においては、Ｐ／Ｓ変換部５５９，５７２及び５７３からの各々がビット伝送レートを１．４８５ＧｂｐｓとするシリアルデータＤＳ１，ＤＳ２及びＤＳ３が、Ｅ／Ｏ変換部６６８，６６９及び６７０に夫々供給される。Ｅ／Ｏ変換部６６８は、シリアルデータＤＳ１に基づく、中心波長を、例えば、略１．３μｍとする光信号ＯＳ１を、ビット伝送レートを１．４８５Ｇｂｐｓとするものとして形成し、それを合波部７０１に導く。また、Ｅ／Ｏ変換部６６９は、シリアルデータＤＳ２に基づく、中心波長を、例えば、略１．４８μｍとする光信号ＯＳ２を、ビット伝送レートを１．４８５Ｇｂｐｓとするものとして形成して、それを合波部７０１に導く。さらに、Ｅ／Ｏ変換部６７０は、シリアルデータＤＳ３に基づく、中心波長を、例えば、略１．５５μｍとする光信号ＯＳ３を、ビット伝送レートを１．４８５Ｇｂｐｓとするものとして形成して、それを合波部７０１に導く。合波部７０１は、例えば、ファイバー型ＷＤＭカップラと誘電体多層膜型ＷＤＭカップラとによって形成される。斯かる合波部７０１は、光信号ＯＳ１，ＯＳ２及びＯＳ３を合波して多重化し、多重光信号ＯＺ１を形成して、それを伝送信号として送出する。
【０３７４】
また、Ｐ／Ｓ変換部５７４，５７５及び５７６からの各々がビット伝送レートを１．４８５ＧｂｐｓとするシリアルデータＤＳ４，ＤＳ５及びＤＳ６，Ｐ／Ｓ変換部５７７，５７８及び５７９からの各々がビット伝送レートを１．４８５ＧｂｐｓとするシリアルデータＤＳ７，ＤＳ８及びＤＳ９、さらには、Ｐ／Ｓ変換部５８０，５８１及び５８２からの各々がビット伝送レートを１．４８５ＧｂｐｓとするシリアルデータＤＳ１０，ＤＳ１１及びＤＳ１２についても、シリアルデータＤＳ１，ＤＳ２及びＤＳ３の場合と同様な処理が施される。それにより、合波部７０２から、シリアルデータＤＳ４，ＤＳ５及びＤＳ６に基づく多重光信号ＯＺ２が、伝送信号として送出され、合波部７０３から、シリアルデータＤＳ７，ＤＳ８及びＤＳ９に基づく多重光信号ＯＺ３が、伝送信号として送出され、さらに、合波部７０４から、シリアルデータＤＳ１０，ＤＳ１１及びＤＳ１２に基づく多重光信号ＯＺ４が、伝送信号として送出される。合波部７０２〜７０４の夫々も、合波部７０１と同様に、例えば、ファイバー型ＷＤＭカップラと誘電体多層膜型ＷＤＭカップラとによって形成される。
【０３７５】
合波部７０１〜７０４から送出される多重伝送信号ＯＺ１〜ＯＺ４は、夫々、光コネクタ６９２〜６９５を通じて光ファイバー伝送路６９６〜６９９に導かれ、光ファイバー伝送路６９６〜６９９を通じて受信側へと伝送される。
【０３７６】
受信側においては、光ファイバー伝送路６９６〜６９９を通じて伝送された多重光信号ＯＺ１〜ＯＺ４が、夫々、光コネクタ７００〜７０３を通じて分波部７０５〜７０８に導かれる。分波部７０５〜７０８の夫々は、例えば、ファイバー型ＷＤＭカップラと誘電体多層膜型ＷＤＭカップラとが分波手段として用いられて形成される。
【０３７７】
分波部７０５にあっては、多重光信号ＯＺ１を、中心波長を略１．３μｍとする成分と中心波長を略１．４８μｍとする成分と中心波長を略１．５５μｍとする成分とに分波して、ビット伝送レートを１．４８５Ｇｂｐｓとし、中心波長を略１．３μｍとする光信号ＯＳ１と、ビット伝送レートを１．４８５Ｇｂｐｓとし、中心波長を略１．４８μｍとする光信号ＯＳ２と、ビット伝送レートを１．４８５Ｇｂｐｓとし、中心波長を略１．５５μｍとする光信号ＯＳ３とを再生する。
【０３７８】
分波部７０５において再生された光信号ＯＳ１〜ＯＳ３は、夫々、Ｏ／Ｅ変換部６８０〜６８２に供給される。そして、Ｏ／Ｅ変換部６８０により、光信号ＯＳ１に基づくビット伝送レートを１．４８５ＧｂｐｓとするシリアルデータＤＳ１が再生され，Ｏ／Ｅ変換部６８１により、光信号ＯＳ２に基づくビット伝送レートを１．４８５ＧｂｐｓとするシリアルデータＤＳ２が再生され、さらに、Ｏ／Ｅ変換部６８２により、光信号ＯＳ３に基づくビット伝送レートを１．４８５ＧｂｐｓとするシリアルデータＤＳ３が再生される。Ｏ／Ｅ変換部６８０〜６８２から夫々得られるシリアルデータＤＳ１〜ＤＳ３は、Ｓ／Ｐ変換部６４２，６４４及び６４５に供給される。
【０３７９】
また、分波部７０６にあっては、多重光信号ＯＺ２を、中心波長を略１．３μｍとする成分と中心波長を略１．４８μｍとする成分と中心波長を略１．５５μｍとする成分とに分波して、ビット伝送レートを１．４８５Ｇｂｐｓとし、中心波長を略１．３μｍとする光信号ＯＳ４と、ビット伝送レートを１．４８５Ｇｂｐｓとし、中心波長を略１．４８μｍとする光信号ＯＳ５と、ビット伝送レートを１．４８５Ｇｂｐｓとし、中心波長を略１．５５μｍとする光信号ＯＳ６とを再生する。そして、分波部７０６において再生された光信号ＯＳ４〜ＯＳ６は、夫々、Ｏ／Ｅ変換部６８３〜６８５に供給される。Ｏ／Ｅ変換部６８３により、光信号ＯＳ４に基づくビット伝送レートを１．４８５ＧｂｐｓとするシリアルデータＤＳ４が再生され，Ｏ／Ｅ変換部６８４により、光信号ＯＳ５に基づくビット伝送レートを１．４８５ＧｂｐｓとするシリアルデータＤＳ５が再生され、さらに、Ｏ／Ｅ変換部６８５により、光信号ＯＳ６に基づくビット伝送レートを１．４８５ＧｂｐｓとするシリアルデータＤＳ６が再生される。Ｏ／Ｅ変換部６８３〜６８５から夫々得られるシリアルデータＤＳ４〜ＤＳ６は、Ｓ／Ｐ変換部６４６〜６４８に供給される。
【０３８０】
分波部７０７にあっては、多重光信号ＯＺ３を、中心波長を略１．３μｍとする成分と中心波長を略１．４８μｍとする成分と中心波長を略１．５５μｍとする成分とに分波して、ビット伝送レートを１．４８５Ｇｂｐｓとし、中心波長を略１．３μｍとする光信号ＯＳ７と、ビット伝送レートを１．４８５Ｇｂｐｓとし、中心波長を略１．４８μｍとする光信号ＯＳ８と、ビット伝送レートを１．４８５Ｇｂｐｓとし、中心波長を略１．５５μｍとする光信号ＯＳ９とを再生する。分波部７０７において再生された光信号ＯＳ７〜ＯＳ９は、夫々、Ｏ／Ｅ変換部６８６〜６８８に供給される。Ｏ／Ｅ変換部６８６により、光信号ＯＳ７に基づく、ビット伝送レートを１．４８５ＧｂｐｓとするシリアルデータＤＳ７が再生され，Ｏ／Ｅ変換部６８７により、光信号ＯＳ８に基づく、ビット伝送レートを１．４８５ＧｂｐｓとするシリアルデータＤＳ８が再生され、さらに、Ｏ／Ｅ変換部６８８により、光信号ＯＳ９に基づくビット伝送レートを１．４８５ＧｂｐｓとするシリアルデータＤＳ９が再生される。Ｏ／Ｅ変換部６８６〜６８８から夫々得られるシリアルデータＤＳ７〜ＤＳ９は、Ｓ／Ｐ変換部６４９〜６５１に供給される。
【０３８１】
さらに、分波部７０８にあっては、多重光信号ＯＺ４を、中心波長を略１．３μｍとする成分と中心波長を略１．４８μｍとする成分と中心波長を略１．５５μｍとする成分とに分波して、ビット伝送レートを１．４８５Ｇｂｐｓとし、中心波長を略１．３μｍとする光信号ＯＳ１０と、ビット伝送レートを１．４８５Ｇｂｐｓとし、中心波長を略１．４８μｍとする光信号ＯＳ１１と、ビット伝送レートを１．４８５Ｇｂｐｓとし、中心波長を略１．５５μｍとする光信号ＯＳ１２とを再生する。分波部７０８において再生された光信号ＯＳ１０〜ＯＳ１２は、夫々、Ｏ／Ｅ変換部６８９〜６９１に供給される。Ｏ／Ｅ変換部６８９により、光信号ＯＳ１０に基づく、ビット伝送レートを１．４８５ＧｂｐｓとするシリアルデータＤＳ１０が再生され，Ｏ／Ｅ変換部６９０により、光信号ＯＳ１１に基づく、ビット伝送レートを１．４８５ＧｂｐｓとするシリアルデータＤＳ１１が再生され、さらに、Ｏ／Ｅ変換部６９１により、光信号ＯＳ１２に基づくビット伝送レートを１．４８５ＧｂｐｓとするシリアルデータＤＳ１２が再生される。Ｏ／Ｅ変換部６８９〜６９１から夫々得られるシリアルデータＤＳ１０〜ＤＳ１２は、Ｓ／Ｐ変換部６５２〜６５４に供給される。
【０３８２】
その他の動作は、図５４及び図５５に部分が示されるデータ送受装置と同様である。
【０３８３】
【発明の効果】
以上の説明から明らかな如く、本願の特許請求の範囲における請求項１から請求項３９までのいずれかに記載された発明に係るデータ伝送方法、あるいは、請求項４０から請求項５０までのいずれかに記載された発明に係るデータ伝送装置にあっては、先ず、フレームレートを５０Ｈｚ，６０Ｈｚ，７２Ｈｚ，７５Ｈｚ，９０Ｈｚもしくは１２０Ｈｚとする４：２：２形式もしくは４：４：４形式のディジタル映像信号を成す、各々がワード伝送レートを７４．２５ＭＢｐｓ，１４８．５ＭＢｐｓ，２２２，７５ＭＢｐｓもしくは２９７ＭＢｐｓとし、量子化ビット数を１０ビット，１２ビット，１４ビットもしくは１６ビットとするＹデータ系列及びＰB ／ＰR データ系列、もしくは、Ｇデータ系列，Ｂデータ系列及びＲデータ系列と、Ｙデータ系列もしくはＧデータ系列と同等のデータフォーマットを有した付加情報データ系列とに対し、付加情報データ系列が、Ｙデータ系列及びＰB ／ＰR データ系列、もしくは、Ｇデータ系列，Ｂデータ系列及びＲデータ系列に付随するものとしたもとで、第１及び第２の一つ置きのフレーム部を夫々第１及び第２のメモリに格納する処理，第１，第２及び第３の二つ置きのフレーム部を夫々第１，第２及び第３のメモリに格納する処理、もしくは、第１，第２，第３及び第４の三つ置きのフレーム部を夫々第１，第２，第３及び第４のメモリに格納する処理を行う。
【０３８４】
次に、第１及び第２のメモリ，第１，第２及び第３のメモリ、もしくは、第１，第２，第３及び第４のメモリに夫々格納されたフレーム部を読み出して、各々がワード伝送レートを７４．２５ＭＢｐｓとする複数の３０ビットワード列データ，３６ビットワード列データ，４０ビットワード列データ，４２ビットワード列データもしくは４８ビットワード列データを形成する。
【０３８５】
続いて、複数の３０ビットワード列データ，３６ビットワード列データ，４０ビットワード列データ，４２ビットワード列データもしくは４８ビットワード列データを形成した場合には、それらの夫々を各々がワード伝送レートを７４．２５ＭＢｐｓとする二つもしくは三つの２０ビットワード列データに変換し、それにより得られる複数の２０ビットワード列データの夫々をシリアルデータに変換したうえで伝送する。
【０３８６】
このようなもとで、各々がワード伝送レートを７４．２５ＭＢｐｓとする複数の２０ビットワード列データに対する処理、及び、それらの夫々をシリアルデータに変換して伝送する処理は、従前のディジタル映像信号を成すディジタルデータについての HD SDI に従ったシリアル伝送に用いられる現存する回路構成要素を用いて行うことができる処理である。
【０３８７】
それゆえ、本願の特許請求の範囲における請求項１から請求項３９までのいずれかに記載された発明に係るデータ伝送方法、あるいは、請求項４０から請求項５０までのいずれかに記載された発明に係るデータ伝送装置によれば、倍速ディジタルビデオ信号あるいは広義のＤ−Ｃｉｎｅｍａ信号等を含む、フレームレートを５０Ｈｚ，６０Ｈｚ，７２Ｈｚ，７５Ｈｚ，９０Ｈｚ，１２０Ｈｚ等とする、４：２：２形式あるいは４：４：４形式のディジタル映像信号を成すディジタルデータとそれに関連するＫｅｙ信号データ系列との伝送を、Ｋｅｙ信号データ系列を伝送されるディジタル映像信号を成すディジタルデータに付随する付加情報データ系列とした状態で、例えば、HD SDIに従ったシリアル伝送に用いられる現存する回路構成要素を利用して、適切に実現することができることになる。
【図面の簡単な説明】
【図１】  本願の特許請求の範囲における請求項１から請求項８までのいずれかに記載された発明に係るデータ伝送方法の例が実施される、本願の特許請求の範囲における請求項４０または請求項４１に記載された発明に係るデータ伝送装置の第１の例を含んだデータ送受装置の部分を示すブロック接続図である。
【図２】  本願の特許請求の範囲における請求項１から請求項８までのいずれかに記載された発明に係るデータ伝送方法の例が実施される、本願の特許請求の範囲における請求項４０または請求項４１に記載された発明に係るデータ伝送装置の第１の例を含んだデータ送受装置の部分を示すブロック接続図である。
【図３】  図１及び図２に示されるデータ送受装置におけるデータ処理部の動作説明に供されるデータをあらわす概念図である。
【図４】  図１及び図２に示されるデータ送受装置におけるデータ処理部の動作説明に供されるデータをあらわす概念図である。
【図５】  図１及び図２に示されるデータ送受装置におけるデータ処理部の動作説明に供されるデータをあらわす概念図である。
【図６】  図１及び図２に示されるデータ送受装置におけるデータ処理部の動作説明に供されるデータをあらわす概念図である。
【図７】  図１及び図２に示されるデータ送受装置におけるデータ処理部の動作説明に供されるデータをあらわす概念図である。
【図８】  図１及び図２に示されるデータ送受装置におけるデータ処理部の動作説明に供されるデータをあらわす概念図である。
【図９】  図１及び図２に示されるデータ送受装置におけるデータ処理部の動作説明に供されるデータをあらわす概念図である。
【図１０】  本願の特許請求の範囲における請求項１から請求項８までのいずれかに記載された発明に係るデータ伝送方法の例が実施される、本願の特許請求の範囲における請求項４０または請求項４１に記載された発明に係るデータ伝送装置の第２の例を含んだデータ送受装置の部分を示すブロック接続図である。
【図１１】  本願の特許請求の範囲における請求項１から請求項８までのいずれかに記載された発明に係るデータ伝送方法の例が実施される、本願の特許請求の範囲における請求項４０または請求項４１に記載された発明に係るデータ伝送装置の第３の例を含んだデータ送受装置の部分を示すブロック接続図である。
【図１２】  本願の特許請求の範囲における請求項９から請求項２４までのいずれかに記載された発明に係るデータ伝送方法の例が実施される、本願の特許請求の範囲における請求項４２から請求項４５までのいずれかに記載された発明に係るデータ伝送装置の第１の例を含んだデータ送受装置の部分を示すブロック接続図である。
【図１３】  本願の特許請求の範囲における請求項９から請求項２４までのいずれかに記載された発明に係るデータ伝送方法の例が実施される、本願の特許請求の範囲における請求項４２から請求項４５までのいずれかに記載された発明に係るデータ伝送装置の第１の例を含んだデータ送受装置の部分を示すブロック接続図である。
【図１４】  図１２及び図１３に示されるデータ送受装置におけるデータ処理部の動作説明に供されるデータをあらわす概念図である。
【図１５】  図１２及び図１３に示されるデータ送受装置におけるデータ処理部の動作説明に供されるデータをあらわす概念図である。
【図１６】  図１２及び図１３に示されるデータ送受装置におけるデータ処理部の動作説明に供されるデータをあらわす概念図である。
【図１７】  図１２及び図１３に示されるデータ送受装置におけるデータ処理部の動作説明に供されるデータをあらわす概念図である。
【図１８】  図１２及び図１３に示されるデータ送受装置におけるデータ処理部の動作説明に供されるデータをあらわす概念図である。
【図１９】  図１２及び図１３に示されるデータ送受装置におけるデータ処理部の動作説明に供されるデータをあらわす概念図である。
【図２０】  図１２及び図１３に示されるデータ送受装置におけるデータ処理部の動作説明に供されるデータをあらわす概念図である。
【図２１】  図１２及び図１３に示されるデータ送受装置におけるデータ処理部の動作説明に供されるデータをあらわす概念図である。
【図２２】  図１２及び図１３に示されるデータ送受装置におけるデータ処理部の動作説明に供されるデータをあらわす概念図である。
【図２３】  図１２及び図１３に示されるデータ送受装置におけるデータ処理部の動作説明に供されるデータをあらわす概念図である。
【図２４】  図１２及び図１３に示されるデータ送受装置におけるデータ処理部の動作説明に供されるデータをあらわす概念図である。
【図２５】  図１２及び図１３に示されるデータ送受装置におけるデータ処理部の動作説明に供されるデータをあらわす概念図である。
【図２６】  図１２及び図１３に示されるデータ送受装置におけるデータ処理部の動作説明に供されるデータをあらわす概念図である。
【図２７】  図１２及び図１３に示されるデータ送受装置におけるデータ処理部の動作説明に供されるデータをあらわす概念図である。
【図２８】  本願の特許請求の範囲における請求項９から請求項２４までのいずれかに記載された発明に係るデータ伝送方法の例が実施される、本願の特許請求の範囲における請求項４２から請求項４５までのいずれかに記載された発明に係るデータ伝送装置の第２の例を含んだデータ送受装置の部分を示すブロック接続図である。
【図２９】  本願の特許請求の範囲における請求項９から請求項２４までのいずれかに記載された発明に係るデータ伝送方法の例が実施される、本願の特許請求の範囲における請求項４２から請求項４５までのいずれかに記載された発明に係るデータ伝送装置の第２の例を含んだデータ送受装置の部分を示すブロック接続図である。
【図３０】  本願の特許請求の範囲における請求項９から請求項２４までのいずれかに記載された発明に係るデータ伝送方法の例が実施される、本願の特許請求の範囲における請求項４２から請求項４５までのいずれかに記載された発明に係るデータ伝送装置の第３の例を含んだデータ送受装置の部分を示すブロック接続図である。
【図３１】  本願の特許請求の範囲における請求項９から請求項２４までのいずれかに記載された発明に係るデータ伝送方法の例が実施される、本願の特許請求の範囲における請求項４２から請求項４５までのいずれかに記載された発明に係るデータ伝送装置の第３の例を含んだデータ送受装置の部分を示すブロック接続図である。
【図３２】  本願の特許請求の範囲における請求項２５から請求項３０までのいずれかに記載された発明に係るデータ伝送方法の例が実施される、本願の特許請求の範囲における請求項４６または請求項４７に記載された発明に係るデータ伝送装置の第１の例を含んだデータ送受装置の部分を示すブロック接続図である。
【図３３】  本願の特許請求の範囲における請求項２５から請求項３０までのいずれかに記載された発明に係るデータ伝送方法の例が実施される、本願の特許請求の範囲における請求項４６または請求項４７に記載された発明に係るデータ伝送装置の第１の例を含んだデータ送受装置の部分を示すブロック接続図である。
【図３４】  図３２及び図３３に示されるデータ送受装置におけるデータ処理部の動作説明に供されるデータをあらわす概念図である。
【図３５】  図３２及び図３３に示されるデータ送受装置におけるデータ処理部の動作説明に供されるデータをあらわす概念図である。
【図３６】  図３２及び図３３に示されるデータ送受装置におけるデータ処理部の動作説明に供されるデータをあらわす概念図である。
【図３７】  図３２及び図３３に示されるデータ送受装置におけるデータ処理部の動作説明に供されるデータをあらわす概念図である。
【図３８】  図３２及び図３３に示されるデータ送受装置におけるデータ処理部の動作説明に供されるデータをあらわす概念図である。
【図３９】  図３２及び図３３に示されるデータ送受装置におけるデータ処理部の動作説明に供されるデータをあらわす概念図である。
【図４０】  図３２及び図３３に示されるデータ送受装置におけるデータ処理部の動作説明に供されるデータをあらわす概念図である。
【図４１】  本願の特許請求の範囲における請求項２５から請求項３０までのいずれかに記載された発明に係るデータ伝送方法の例が実施される、本願の特許請求の範囲における請求項４６または請求項４７に記載された発明に係るデータ伝送装置の第２の例を含んだデータ送受装置の部分を示すブロック接続図である。
【図４２】  本願の特許請求の範囲における請求項２５から請求項３０までのいずれかに記載された発明に係るデータ伝送方法の例が実施される、本願の特許請求の範囲における請求項４６または請求項４７に記載された発明に係るデータ伝送装置の第２の例を含んだデータ送受装置の部分を示すブロック接続図である。
【図４３】  本願の特許請求の範囲における請求項３１から請求項３６までのいずれかに記載された発明に係るデータ伝送方法の例が実施される、本願の特許請求の範囲における請求項４８または請求項４９に記載された発明に係るデータ伝送装置の第１の例を含んだデータ送受装置の部分を示すブロック接続図である。
【図４４】  本願の特許請求の範囲における請求項３１から請求項３６までのいずれかに記載された発明に係るデータ伝送方法の例が実施される、本願の特許請求の範囲における請求項４８または請求項４９に記載された発明に係るデータ伝送装置の第１の例を含んだデータ送受装置の部分を示すブロック接続図である。
【図４５】  図４３及び図４４に示されるデータ送受装置におけるデータ処理部の動作説明に供されるデータをあらわす概念図である。
【図４６】  図４３及び図４４に示されるデータ送受装置におけるデータ処理部の動作説明に供されるデータをあらわす概念図である。
【図４７】  図４３及び図４４に示されるデータ送受装置におけるデータ処理部の動作説明に供されるデータをあらわす概念図である。
【図４８】  図４３及び図４４に示されるデータ送受装置におけるデータ処理部の動作説明に供されるデータをあらわす概念図である。
【図４９】  図４３及び図４４に示されるデータ送受装置におけるデータ処理部の動作説明に供されるデータをあらわす概念図である。
【図５０】  図４３及び図４４に示されるデータ送受装置におけるデータ処理部の動作説明に供されるデータをあらわす概念図である。
【図５１】  図４３及び図４４に示されるデータ送受装置におけるデータ処理部の動作説明に供されるデータをあらわす概念図である。
【図５２】  本願の特許請求の範囲における請求項３１から請求項３６までのいずれかに記載された発明に係るデータ伝送方法の例が実施される、本願の特許請求の範囲における請求項４８または請求項４９に記載された発明に係るデータ伝送装置の第２の例を含んだデータ送受装置の部分を示すブロック接続図である。
【図５３】  本願の特許請求の範囲における請求項３１から請求項３６までのいずれかに記載された発明に係るデータ伝送方法の例が実施される、本願の特許請求の範囲における請求項４８または請求項４９に記載された発明に係るデータ伝送装置の第２の例を含んだデータ送受装置の部分を示すブロック接続図である。
【図５４】  本願の特許請求の範囲における請求項３７から請求項３９までのいずれかに記載された発明に係るデータ伝送方法の例が実施される、本願の特許請求の範囲における請求項５０に記載された発明に係るデータ伝送装置の第１の例を含んだデータ送受装置の部分を示すブロック接続図である。
【図５５】  本願の特許請求の範囲における請求項３７から請求項３９までのいずれかに記載された発明に係るデータ伝送方法の例が実施される、本願の特許請求の範囲における請求項５０に記載された発明に係るデータ伝送装置の第１の例を含んだデータ送受装置の部分を示すブロック接続図である。
【図５６】  図５４及び図５５に示されるデータ送受装置におけるデータ処理部の動作説明に供されるデータをあらわす概念図である。
【図５７】  図５４及び図５５に示されるデータ送受装置におけるデータ処理部の動作説明に供されるデータをあらわす概念図である。
【図５８】  図５４及び図５５に示されるデータ送受装置におけるデータ処理部の動作説明に供されるデータをあらわす概念図である。
【図５９】  図５４及び図５５に示されるデータ送受装置におけるデータ処理部の動作説明に供されるデータをあらわす概念図である。
【図６０】  図５４及び図５５に示されるデータ送受装置におけるデータ処理部の動作説明に供されるデータをあらわす概念図である。
【図６１】  図５４及び図５５に示されるデータ送受装置におけるデータ処理部の動作説明に供されるデータをあらわす概念図である。
【図６２】  本願の特許請求の範囲における請求項３７から請求項３９までのいずれかに記載された発明に係るデータ伝送方法の例が実施される、本願の特許請求の範囲における請求項５０に記載された発明に係るデータ伝送装置の第２の例を含んだデータ送受装置の部分を示すブロック接続図である。
【図６３】  本願の特許請求の範囲における請求項３７から請求項３９までのいずれかに記載された発明に係るデータ伝送方法の例が実施される、本願の特許請求の範囲における請求項５０に記載された発明に係るデータ伝送装置の第２の例を含んだデータ送受装置の部分を示すブロック接続図である。
【図６４】  ＨＤディジタル映像信号のデータフォーマットの一例の説明に供される概念図である。
【図６５】  ＨＤディジタル映像信号のデータフォーマットの一例の説明に供される概念図である。
【図６６】  ディジタル映像信号を成すデータの説明に供される表図である。
【符号の説明】
１２１，１９１，２９１，４２１，５５７・・・データ処理部，  １２２，１２５，１２８，１３１，１９２，１９５〜１９９，２９２，２９５〜３０１，４２２，４２５〜４３２，５５２，５５８，５６１〜５７１・・・データ挿入部，１２３，１２６，１２９，１３２，１９３，２００〜２０４，２９３，３０２〜３０８，４２３，４３６〜４４３，５５９，５７２〜５８２・・・Ｐ／Ｓ変換部，  １２４，１２７，１３０，１３３，１６２，１６４，１７５，１９４，２０５〜２０９，２５６，２５８，２６０，２８０，２８１，２９４，３１０〜３１６，３８５〜３８８，４２４，４４７〜４５４，５２２〜５３０，５６０，５８３〜５９３，６６８〜６７９・・・Ｅ／Ｏ変換部，  １３５，１３７，１３９，１４１，１４３，１４５，１４７，１４９，１６５，１６７，１６９，１７２，１７７，１７９，２１０，２１２〜２１６，２２５，２２７〜２３１，２６１，２６３，２６５，２６７，２６９，２７１，２８３，２８５，３２０，３２２〜３２８，３３６，３３９〜３４５，３８９〜３９２，４００〜４０３，４６０，４６２〜４６９，４８５，４８８〜４９５，５３４〜５３６，５４０〜５４２，５９４，５９６〜６０６，６１８，６２０〜６３０，６９２〜６９５，７００・・・光コネクタ，  １３６，１３８，１４０，１４２，１６６，１６８，１７８，２１１，２１７〜２２１，２６２，２６４，２６６，２８４，３２１，３２９〜３３５，３９５〜３９８，４６１，４７３〜４８０，５３７〜５３９，５９５，６０７〜６１７，６９６〜６９９・・・光ファイバー伝送路，  １４４，１４６，１４８，１５０，１７０，１７３，１８１，２２６，２３２〜２３６，２６８，２７０，２７２，２８７，２８８，３３７，３５０〜３５６，４０４〜４０７，４８６，４９６〜５０３，５４８〜５５６，６１９，６３１〜６４１，６８０〜６９１・・・Ｏ／Ｅ変換部，  １５１，１５３〜１５５，２４０，２４２〜２４６，３６０，３６２〜３６８，４８７，５０４〜５１１，６４２，６４４〜６５４・・・Ｓ／Ｐ変換部，  １５２，２４１，３６１，４８１，６４３・・・データ時間差吸収部，  １５６〜１５９，２４７，２４９〜２５３，３７０，３７２〜３７８，５１２，５１４〜５２１，６５５，６５７〜６６７・・・データ分離部，  １６０，２４８，３７１，６５６・・・データ再生処理部，  １６１，１６３，２５５，２５７，２５９，３８１〜３８４・・・ビット多重部，  １７１，１７４，２７３〜２７５，４０８〜４１１・・・ビット分離部，  １７６，２８２，５３１〜５３３，７０１〜７０４・・・合波部，  １８０，２８６，５４５〜５４７，７０５〜７０８・・・分波部
【図１】
0004706109.tif 000002
【図２】
0004706109.tif 000003
【図３】
0004706109.tif 000004
【図４】
0004706109.tif 000005
【図５】
0004706109.tif 000006
【図６】
0004706109.tif 000007
【図７】
0004706109.tif 000008
【図８】
0004706109.tif 000009
【図９】
0004706109.tif 000010
【図１０】
0004706109.tif 000011
【図１１】
0004706109.tif 000012
【図１２】
0004706109.tif 000013
【図１３】
0004706109.tif 000014
【図１４】
0004706109.tif 000015
【図１５】
0004706109.tif 000016
【図１６】
0004706109.tif 000017
【図１７】
0004706109.tif 000018
【図１８】
0004706109.tif 000019
【図１９】
0004706109.tif 000020
【図２０】
0004706109.tif 000021
【図２１】
0004706109.tif 000022
【図２２】
0004706109.tif 000023
【図２３】
0004706109.tif 000024
【図２４】
0004706109.tif 000025
【図２５】
0004706109.tif 000026
【図２６】
0004706109.tif 000027
【図２７】
0004706109.tif 000028
【図２８】
0004706109.tif 000029
【図２９】
0004706109.tif 000030
【図３０】
0004706109.tif 000031
【図３１】
0004706109.tif 000032
【図３２】
0004706109.tif 000033
【図３３】
0004706109.tif 000034
【図３４】
0004706109.tif 000035
【図３５】
0004706109.tif 000036
【図３６】
0004706109.tif 000037
【図３７】
0004706109.tif 000038
【図３８】
0004706109.tif 000039
【図３９】
0004706109.tif 000040
【図４０】
0004706109.tif 000041
【図４１】
0004706109.tif 000042
【図４２】
0004706109.tif 000043
【図４３】
0004706109.tif 000044
【図４４】
0004706109.tif 000045
【図４５】
0004706109.tif 000046
【図４６】
0004706109.tif 000047
【図４７】
0004706109.tif 000048
【図４８】
0004706109.tif 000049
【図４９】
0004706109.tif 000050
【図５０】
0004706109.tif 000051
【図５１】
0004706109.tif 000052
【図５２】
0004706109.tif 000053
【図５３】
0004706109.tif 000054
【図５４】
0004706109.tif 000055
【図５５】
0004706109.tif 000056
【図５６】
0004706109.tif 000057
【図５７】
0004706109.tif 000058
【図５８】
0004706109.tif 000059
【図５９】
0004706109.tif 000060
【図６０】
0004706109.tif 000061
【図６１】
0004706109.tif 000062
【図６２】
0004706109.tif 000063
【図６３】
0004706109.tif 000064
【図６４】
0004706109.tif 000065
【図６５】
0004706109.tif 000066
【図６６】
0004706109.tif 000067